(57)【特許請求の範囲】
【請求項１】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
店舗外に設けられ、該景品表示装置に表示される景品に関する情報を管理すると共に、前記予約要求送信手段から送信されてきた予約要求に含まれる景品特定情報から特定される景品を前記ユーザに提供するための提供処理を行う景品管理装置と、
を備える景品交換システムであって、
前記景品管理装置は、
所定数の景品が各々に含まれ、カテゴリーが異なる複数種類の景品パッケージを設定する景品パッケージ設定手段と、
該景品パッケージ設定手段により設定された前記複数種類の景品パッケージのうち、前記店舗が希望する景品パッケージの選択を受け付ける景品パッケージ選択受付手段と、
該景品パッケージ選択受付手段にて選択された景品パッケージに含まれる景品を当該店舗に設けられる前記景品表示装置で表示するための処理を行う景品表示処理手段と、
各景品の在庫数を登録する在庫数登録手段と、
各景品について、前記予約に供された予約個数を集計する予約個数集計手段と、
前記在庫数登録手段に登録された在庫数と、該予約個数集計手段により集計された予約個数とに基づいて、前記景品の予約が可能であるか否かを判定する予約可否判定手段と、
該予約可否判定手段により予約が可能でないと判定されたことを条件として、該判定の対象となった景品の予約を停止するための第１予約停止処理を行う第１予約停止処理手段と、
在庫の有無に関わらず、予約を停止する景品の指定を受け付ける予約停止景品受付手段と、
該予約停止景品受付手段にて指定を受け付けた景品の予約を停止するための予約停止情報を前記景品表示装置に送信する第２予約停止処理を行う第２予約停止処理手段と、をさらに有することを特徴とする景品交換システム。
【請求項２】
請求項１に記載した景品交換システムであって、
前記景品管理装置は、
前記景品パッケージ設定手段により設定された前記景品パッケージに含まれる景品を更新する景品更新手段をさらに有し、
該景品更新手段により更新された景品を前記景品表示装置で表示するための処理を前記景品表示処理手段により行うことを特徴とする景品交換システム。
【請求項３】
請求項１又は２に記載した景品交換システムであって、
前記景品管理装置は、複数の景品提供業者から提供される景品に関する情報を管理し、
前記景品パッケージ設定手段は、前記複数の景品提供業者のうちの少なくとも一部の景品提供業者について、各景品提供業者毎に前記景品パッケージを設定し、
前記景品パッケージ選択受付手段は、前記店舗が希望する景品提供業者及び景品パッケージの選択を受け付けることを特徴とする景品交換システム。
【請求項４】
請求項１〜３のいずれか１つに記載した景品交換システムであって、
前記景品管理装置は、
前記予約要求を受信したことに基づいて、該予約要求に含まれる景品特定情報から特定される景品が前記予約停止景品受付手段にて指定を受け付けた景品であるか否かを判定する予約停止景品判定手段をさらに有し、
該予約停止景品判定手段により前記指定を受け付けた景品であると判定されたことを条件として、前記予約停止情報を前記予約停止情報送信手段により送信することを特徴とする景品交換システム。
【請求項５】
請求項４に記載した景品交換システムであって、
前記景品表示装置は、前記予約停止情報を受信したことに基づいて、前記予約停止景品受付手段にて指定を受け付けた景品を、前記表示手段に表示しないか、又は、選択不能に該表示手段に表示する処理を行うことを特徴とする景品交換システム。
【請求項６】
請求項１〜４のいずれか１つに記載した景品交換システムであって、
前記景品管理装置は、
前記景品表示装置に景品を表示するための景品情報を所定期間毎に該景品表示装置に送信する景品情報送信手段をさらに有し、
該景品情報送信手段は、前記予約停止景品受付手段にて指定を受け付けた景品の景品情報を除いた前記景品情報を送信することを特徴とする景品交換システム。
【発明の詳細な説明】
【技術分野】
【０００１】
本発明は、ユーザが所有する有価価値と交換可能な複数の景品の中から選択された、該ユーザが交換を希望する景品と、該ユーザが所有する有価価値とを交換するための景品交換システムに関する。
【背景技術】
【０００２】
従来より、上記の如き景品交換システムとして、特許文献１に示すように、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信するものが知られている。
【０００３】
【特許文献１】特開２００１−３３４０５３号公報（段落００１５）
【発明の開示】
【発明が解決しようとする課題】
【０００４】
しかしながら、上記の特許文献１に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０００５】
本発明は、このような背景のもとになされたものであり、その目的は、店舗が希望する景品を提供でき、ユーザに対して景品交換を促進できるような、景品交換システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、店舗外に設けられ、該景品表示装置に表示される景品に関する情報を（景品情報ＤＢで）管理すると共に、前記予約要求送信手段から送信されてきた予約要求に含まれる景品特定情報から特定される景品を前記ユーザに提供するための提供処理（配送情報登録処理）を（制御部７２，配送情報ＤＢにより）行う景品管理装置（７０）と、を備える景品交換システム（１）であって、前記景品管理装置は、所定数の景品が各々に含まれ、カテゴリーが異なる複数種類の景品パッケージを設定する景品パッケージ設定手段（制御部７２，ディスプレイ７３及び入力装置７４）と、該景品パッケージ設定手段により設定された前記複数種類の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、各景品の在庫数を登録する在庫数登録手段（制御部７２，景品情報ＤＢ）と、各景品について、前記予約に供された予約個数（予約累計数）を集計する予約個数集計手段（制御部７２，予約・確定累計数ＤＢ）と、前記在庫数登録手段に登録された在庫数と、該予約個数集計手段により集計された予約個数とに基づいて、前記景品の予約が可能であるか否かを判定する予約可否判定手段（制御部７２）と、該予約可否判定手段により予約が可能でないと判定されたことを条件として、該判定の対象となった景品の予約を停止するための第１予約停止処理（在庫零通知の返信）を行う第１予約停止処理手段（制御部７２）と、在庫の有無に関わらず、予約を停止する景品の指定を受け付ける予約停止景品受付手段（ディスプレイ７３及び入力装置７４）と、該予約停止景品受付手段にて指定を受け付けた景品の予約を停止するための予約停止情報を前記景品表示装置に送信する第２予約停止処理を行う第２予約停止処理手段（制御部７２）と、をさらに有することを特徴とする景品交換システムである。
【０００８】
また請求項２に係る発明は、請求項１に記載した景品交換システム（１）であって、前記景品管理装置（７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０，キオスク端末３０）で表示するための処理を前記景品表示処理手段（制御部７２，通信部７１）により行うことを特徴とする景品交換システムである。
【０００９】
また請求項３に係る発明は、請求項１又は２に記載した景品交換システム（１）であって、前記景品管理装置（７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムである。
【００１０】
また請求項４に係る発明は、請求項１〜３のいずれか１つに記載した景品交換システム（１）であって、前記景品管理装置（７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムである。
【００１１】
また請求項５に係る発明は、請求項４に記載した景品交換システム（１）であって、前記景品表示装置（カードユニット２０，キオスク端末３０）は、前記予約停止情報を受信したことに基づいて、前記予約停止景品受付手段（ディスプレイ７３及び入力装置７４）にて指定を受け付けた景品を、前記表示手段（ディスプレイ２４，３４）に表示しないか、又は、選択不能に該表示手段に表示する処理を行うことを特徴とする景品交換システムである。
【００１２】
また請求項６に係る発明は、請求項１〜４のいずれか１つに記載した景品交換システム（１）であって、前記景品管理装置（７０）は、前記景品表示装置（カードユニット２０，キオスク端末３０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムである。
【発明の効果】
【００１５】
まず請求項１に係る景品交換システムによれば、店舗外に設けられる景品管理装置において、カテゴリーが異なる複数種類の景品パッケージが設定され、該設定された複数種類の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。また景品管理装置において、予め登録された在庫数と、予約に供された予約個数の集計値とに基づいて、景品の予約が可能であるか否かが判定され、予約が可能でないと判定されると、予約を停止するための第１予約停止処理が行われるので、ユーザが予約をした景品が在庫切れで交換することができないという事態が生ずるおそれがないと共に、不良品の発覚に応じて、在庫の有無にかかわらず、予約を停止する景品の指定を受け付けて、該景品の予約を停止するための予約停止情報を景品表示装置に送信する第２予約停止処理が行われるので、事後的な対処が必要となる予約の件数を低減でき、景品を提供する側の手間やユーザの迷惑を低減できる。
【００１６】
また請求項２に係る景品交換システムによれば、景品管理装置において、景品の交換状況等に応じて、景品パッケージに含まれる景品を更新することができるので、景品交換をより促進することができる。
【００１７】
また請求項３に係る景品交換システムによれば、景品管理装置において、店舗が希望する景品提供業者の景品パッケージの選択を受け付けることができるので、景品交換をより促進することができる。
【００１８】
また請求項４に係る景品交換システムによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【００１９】
また請求項５に係る景品交換システムによれば、景品表示装置において、予約停止情報を受信した後は、予約を停止する景品を選択できなくなるので、ユーザによる無駄な操作が無くなり、ユーザの利便性を向上できる。
【００２０】
また請求項６に係る景品交換システムによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【発明を実施するための最良の形態】
【００２３】
以下、本発明の実施の形態を、図面を参照して説明する。本発明に係る景品交換システム１は、ユーザ（遊技者）が所有する有価価値（獲得玉の計数値，貯玉数）と交換可能な複数の景品の中から選択された、該ユーザが交換を希望する景品と、該ユーザが所有する有価価値とを交換するためのものである。
【００２４】
ここで説明の便宜上、この景品交換システム１で主に行われる処理について、図２９を参照して説明する。この景品交換システム１では、まず店舗（遊技場）に設けられる予約端末，景品選択装置，景品表示装置，及び配送要求端末であるカードユニット２０並びにキオスク端末３０において、複数の景品が表示され、該表示される景品の中から、交換を予約する景品の選択をユーザから受け付けると、該選択された景品を特定可能な景品特定情報（景品ＩＤ）を含む予約要求を景品管理装置７０に送信する予約受付処理が行われる（Ｓ３１）。次に景品管理装置７０において、該予約要求に対応する予約を識別可能な予約識別情報（予約ＩＤ）に対応付けて該予約要求に含まれる景品特定情報を登録する予約内容登録処理が行われる（Ｓ３２）。これら予約受付処理及び予約内容登録処理が行われると、カードユニット２０並びにキオスク端末３０において、前記選択された景品に相当する有価価値である交換有価価値（交換玉数）を識別するための有価価値識別情報（玉数コード６ｃ）を内在する情報記録シンボル（玉数情報バーコード６ｂ）が記録された記録媒体（予約レシート６）が発行される。
【００２５】
次に店舗に設けられ、有価価値識別情報及び交換有価価値の入力を受け付けて、該受け付けた有価価値識別情報と交換有価価値とを対応付けて登録する減算処理端末であるＰＯＳ端末４０において、前記記録媒体の情報記録シンボルから有価価値識別情報が読み取られ、該読み取られた有価価値識別情報に対応付けて登録されている交換有価価値をユーザが所有する有価価値から減算するための減算処理が行われる（Ｓ４１）。また店舗に設けられる予約確定端末５０（景品選択装置，及び配送要求端末）において、予約識別情報を受け付けると、前記減算処理が行われたか否かに拘わらず、該予約識別情報を含む景品配送要求（予約確定要求）を景品管理装置７０に送信する予約確定処理が行われる（Ｓ４２）。そして景品管理装置７０において、該景品配送要求に含まれる予約識別情報に対応付けて登録された景品特定情報から特定される複数の景品を配送元が同一である景品毎に分類し、該分類された各分類について当該分類を識別可能な分類識別情報（予約確定ＩＤ）を割り当て、該割り当てた分類識別情報に対応付けて該分類識別情報に対応する景品をユーザに提供するための配送情報を登録するための配送情報登録処理が行われる（Ｓ４３）。これら予約確定処理及び配送情報登録処理が行われると、予約確定端末５０において、各分類識別情報に対応付けて各分類識別情報に対応する景品の景品情報が視認可能に記録された記録媒体（配送レシート７）が発行される。
【００２６】
以下においては、店舗が、パチンコ玉を遊技媒体とする遊技機であるパチンコ機１０を備える遊技場であり、ユーザが、パチンコ機１０で遊技をする遊技者であり、ユーザが所有する有価価値が、パチンコ機１０での遊技により獲得した獲得玉の計数値や該獲得玉を貯蓄してなる貯玉数であり、ユーザに対する景品の提供が、景品提供業者からの景品の配送である例について説明する。また、以下においては、予約端末，景品選択装置，景品表示装置，及び配送要求端末として機能するカードユニット２０とキオスク端末３０とを区別しない場合には、単に「予約端末」と略記する。さらに、以下においては、データベースを「ＤＢ」，リーダ／ライタを「Ｒ／Ｗ」，ステップＳを「Ｓ」と略記する。
【００２７】
また景品交換システム１には、（１）いたずらの予約を排除するために設定する上限値の設定方法及び該上限値に基づく上限値判定処理の方法と、（２）景品管理装置７０から予約端末に対する景品情報の送信及び該予約端末における重複景品排除処理の方法と、（３）予約端末における予約停止景品の表示方法と、（４）減算処理端末における有価価値識別情報の登録方法と、（５）減算処理端末及び予約確定端末の構成並びに作用と、（６）景品管理装置７０における在庫数の管理方法及び判定方法とがそれぞれ異なる、第１実施形態と第２実施形態とが含まれる。以下においては、まず第１実施形態及び同変形例について説明し、次に第２実施形態及び同変形例について第１実施形態と異なる点についてのみ説明し、最後にその他の変形例について説明する。
【００２８】
［１．第１実施形態に係る景品交換システム１］
まず、図１〜図２８を参照して、第１実施形態に係る景品交換システム１の構成について説明する。この景品交換システム１は、図１に示すように、遊技場に設けられるカードユニット２０及びキオスク端末３０（即ち予約端末），並びに予約確定端末５０と、該予約端末及び予約確定端末５０と通信可能な景品管理装置７０とを少なくとも備えている。ここで景品管理装置７０は、後述する会員カード２，景品交換カード３，及びプリペイドカード４を発行するカード会社が運営する機関である景品センタに設けられている。
【００２９】
この景品管理装置７０は、前記景品センタと提携している複数の景品提供業者（ここでは景品提供業者Ｘ，Ｙ）の各々に設けられている配送管理装置８０と通信可能である。ここで各景品提供業者は、景品を配送する配送元を一又は複数備えており、本例では景品提供業者Ｘが秋田倉庫及び埼玉倉庫，景品提供業者Ｙが東京倉庫を、景品の配送元として備えている。なお、以下においては、配送元を表記する際に、「倉庫」の文字を省略する場合がある。また各景品提供業者に設けられている配送管理装置８０は同じであるため、以下においては、景品提供業者Ｘに設けられている配送管理装置８０について説明する。
【００３０】
前記景品管理装置７０は、複数の遊技場（ここでは遊技場Ａ，Ｂ，Ｃ）の各々に設けられている予約端末及び予約確定端末５０と通信可能である。ここで複数の遊技場の各々には、予約端末及び予約確定端末５０に加えて、遊技者が獲得した獲得玉を計数する計数機６３と、前記減算処理（図２９のＳ４１）を行うＰＯＳ端末４０と、カードユニット２０と通信可能な残額管理装置６０と、カードユニット２０及びＰＯＳ端末４０と通信可能な会員管理装置６１と、計数機６３及びＰＯＳ端末４０と通信可能な計数値管理装置６２と、カードユニット２０及びキオスク端末３０（即ち予約端末），並びに予約確定端末５０と前記景品管理装置７０との間に介在されるルータ６４とが設けられている。またキオスク端末３０は、後述する図２２に示す玉数情報バーコード一覧８を出力する出力端末として機能するものである。なお、複数の遊技場の各々に設けられている構成要素は同じであるため、以下においては、遊技場Ａに設けられている構成要素について説明する。
【００３１】
この景品交換システム１では、図９に示す会員カード２，景品交換カード３，及びプリペイドカード４が使用され、また図２に示す計数レシート５，予約レシート６，及び配送レシート７が発行される。
【００３２】
会員カード２は、遊技場において会員登録を行った遊技者（会員遊技者）に対して発行される記録媒体であり、該記録媒体を個々に識別可能な情報であるカードＩＤがＩＣチップに予め記録されていると共に、該会員遊技者を個々に識別可能な情報である会員ＩＤがＩＣチップ及びバーコードに予め記録されている。この会員カード２がカードユニット２０のカードＲ／Ｗ２３で受け付けられると、図１に示すように、ＩＣチップに記録されているカードＩＤに対応付けて残額管理装置６０で管理されている残額を使用した玉貸処理が可能となり、またＩＣチップに記録されている会員ＩＤに対応付けて会員管理装置６１で管理されている貯玉数を使用した貯玉再プレイ処理が可能となる。この会員カード２は配送先記録媒体の一例であって、前記会員ＩＤが配送先特定情報に相当する。ここで会員ＩＤには、後述する図１１（ｂ）に示すように、当該会員カード２が発行された遊技場を個々に識別可能な遊技場ＩＤ（Ａ，Ｂ，…）が含まれているので、該会員ＩＤにより、いずれの遊技場で会員カード２が発行されたかを識別可能である。
【００３３】
景品交換カード３は、遊技場において自己の配送先情報（氏名，郵便番号，住所，及び電話番号）を登録しようとする遊技者（景品会員遊技者）に対して発行（例えば遊技場の景品交換カウンタで遊技者に手渡し）される記録媒体であり、該景品会員遊技者を個々に識別可能な情報である景品会員ＩＤがＩＣチップ及びバーコードに予め記録されている。この景品交換カード３も配送先記録媒体の一例であって、前記景品会員ＩＤが配送先特定情報に相当する。ここで景品会員ＩＤにも、後述する図１１（ｂ）に示すように、当該景品交換カード３が発行された遊技場を個々に識別可能な遊技場ＩＤ（Ａ，Ｂ，…）が含まれているので、該景品会員ＩＤにより、いずれの遊技場で景品交換カード３が発行されたかを識別可能である。
【００３４】
プリペイドカード４は、遊技場において遊技者（ビジタ遊技者）に対して発行される記録媒体であり、該記録媒体を個々に識別可能な情報であるカードＩＤがＩＣチップに予め記録されている。このプリペイドカード４がカードユニット２０のカードＲ／Ｗ２３で受け付けられると、図１に示すように、ＩＣチップに記録されているカードＩＤに対応付けて残額管理装置６０で管理されている残額を使用した玉貸処理が可能となる。
【００３５】
これら会員カード２，景品交換カード３，及びプリペイドカード４は、長方形状を呈するプラスチック製の薄板における所定の部位に、記録領域が形成されてなるものであり、会員カード２は、不揮発性のＥＥＰＲＯＭを備える非接触式のＩＣチップと、バーコードと記録領域として備えており、景品交換カード３は、バーコードを記録領域として備えており、プリペイドカード４は、ＩＣチップを記録領域として備えている。
【００３６】
計数レシート５は、図１に示すように、遊技者が獲得した獲得玉を計数した計数機６３の計数レシートプリンタ（図示外）により、紙に印刷されて遊技者に対して発行される記録媒体であり、図２（ａ）に示すように、遊技場名と、当該計数機６３を個々に識別可能な計数機ＩＤと、当該計数を個々に識別可能な計数ＩＤと、当該計数が行われた計数日時と、当該計数による計数値と、少なくとも計数ＩＤ及び計数値を示すバーコード５ａとが記録されている。
【００３７】
予約レシート６は、図９（ｂ）に示すように、前記予約受付処理（図２９のＳ３１）を行ったカードユニット２０の予約レシートプリンタ２５，及びキオスク端末３０の予約レシートプリンタ３５（以下、単に「（予約端末の）予約レシートプリンタ」と略記する。）により、紙に印刷されて遊技者に対して発行される記録媒体であり、図２（ｂ）に示すように、遊技場名と、当該予約を識別可能な予約識別情報である予約ＩＤと、該予約ＩＤに対応する景品の景品ＩＤ，景品名，交換玉数（景品に相当する交換有価価値），及び予約個数と、当該予約の有効期間（ここでは予約当日）と、予約ＩＤを内在する予約ＩＤバーコード６ａと、玉数コード６ｃを内在する玉数情報バーコード６ｂとが記録されている。本例では、予約された景品が複数の場合には（即ち１回の予約で他種類の景品が予約された場合のみならず、１回の予約で同一種類の景品が複数予約された場合であっても）、当該複数の景品の各々について、１つの予約ＩＤが割り当てられ、各景品について割り当てられた予約ＩＤが記録された（即ち１個の景品に対して１枚の）予約レシート６が発行される。従って、予約レシート６に記録される予約個数は、常に１個である。
【００３８】
ここで玉数コード６ｃは有価価値識別情報の一例であって、後述する選択手段にて選択された景品（即ち予約レシート６に記録されている景品）の交換有価価値である交換玉数を識別するためのものであり、交換玉数毎に付与される（即ち景品が異なっても交換玉数が同じであれば同一の玉数コード６ｃが付与される）ものである。ここで玉数コード６ｃは、上７桁のメーカコードと、中５桁の商品アイテムコードと、下１桁のチェックデジットからなる、合計１３桁の数字により示される前記ＪＡＮコードである。また玉数情報バーコード６ｂは情報記録シンボルの一例であって、有価価値識別情報である玉数コード６ｃを内在するものである。
【００３９】
配送レシート７は、図２７に示すように、前記予約確定処理（図２９のＳ４２）を行った予約確定端末５０の配送レシートプリンタ５６により、紙に印刷されて遊技者に対して発行される記録媒体であり、図２（ｃ）に示すように、遊技場名と、予約確定端末５０の操作を行った店員を個々に識別可能な店員ＩＤと、当該予約確定処理に対応する前記配送情報登録処理（図２９のＳ４３）を識別可能であると共に景品の配送元，配送先，及び配送希望日時が同一である景品の分類を識別可能な前記分類識別情報である予約確定ＩＤと、当該配送情報登録処理の対象となった一又は複数の予約の各々についての予約ＩＤ，景品ＩＤ，景品名，交換玉数，及び配送個数（即ち当該分類識別情報に対応する景品の景品情報）と、景品を自宅に配送するか遊技場に配送するかを示す配送区分と、景品を自宅に配送する場合の配送先情報である当該遊技者の氏名，郵便番号，住所，及び電話番号と、配送希望日時と、景品の配送状況を問い合わせるための問い合わせ先（ここでは景品センタと、当該景品を提供する景品提供業者である景品提供業者Ｘ）の電話番号とが記録される。本例では、景品の配送元，配送先，及び配送希望日時が同一である景品の分類について、１つの予約確定ＩＤ（分類識別情報）が割り当てられ、該割り当てられた予約確定ＩＤに対応付けて当該予約確定ＩＤに対応する景品の景品情報が視認可能に記録された（即ち配送元，配送先，及び配送希望日時が同一である複数種類の景品に対して１枚の）配送レシート７が発行される。
【００４０】
以下、景品交換システム１が備える各構成要素について説明する。まず配送管理装置８０について説明する。配送管理装置８０は、図示しないが、通信部，制御部，ディスプレイ，入力装置，及びハードディスク等を有するコンピュータ（サーバ）であり、複数の景品提供業者から提供される景品に関する情報を管理するものである。
【００４１】
記憶手段であるハードディスクでは、図４に示す景品情報ＤＢ，及び景品パッケージＤＢと、図５に示す配送情報ＤＢ，及び請求情報ＤＢとを記憶している。
【００４２】
図４（ａ）に示す景品情報ＤＢでは、当該景品提供業者が提供する複数の景品の各々について、各景品に関する景品情報として、各景品を特定可能な景品特定情報である景品ＩＤに対応付けて、各景品の種別を示す大区分及び小区分と、各景品の景品名と、各景品の詳細情報と、各景品の価格と、各景品の在庫数と、各景品の配送元を示す配送元情報とが記憶される。ここで大区分及び小区分は、各景品を分類するための分類区分の一例であって、景品交換システム１において予め定められているものである。また配送元情報は、配送元を示す情報であって、ここでは配送元の倉庫の名称が記憶される。
【００４３】
この配送管理装置８０では、オペレータの操作により、各景品について、景品ＩＤが付与されると共に、当該景品が種別毎に振り分けられると、景品情報ＤＢにおいて、該付与された景品ＩＤと、振り分けられた種別を示す大区分及び小区分と、景品名，詳細情報，価格，在庫数，及び配送元とが、景品情報として登録される。
【００４４】
また配送管理装置８０では、遊技場の営業終了後において、景品が追加されると、オペレータの操作により、該追加された個数が景品情報ＤＢにおける当該景品の在庫数に加算され、また景品が配送されると、自動的に、該配送された個数が景品情報ＤＢにおける当該景品の在庫数から減算される。なお在庫数が十分に多い景品については、当該景品の在庫数がＮＵＬＬと登録されて、景品の追加や配送が行われても、在庫数の加算や減算は行われない。
【００４５】
この景品情報ＤＢで記憶されている景品情報は、景品管理装置７０に送信されて（図２９のＳ０１）、該景品管理装置７０の図８に示す景品情報ＤＢで記憶される（同Ｓ０２）。
【００４６】
また景品情報ＤＢで記憶されている景品情報は、在庫数情報として景品管理装置７０に送信されて（図２９のＳ１１）、該景品管理装置７０の景品情報ＤＢが更新される（同Ｓ１２）。この在庫数情報は、所定期間毎に送信され、ここでは遊技場の営業開始前に１日１回（即ち２４時間毎に）送信される。また在庫数情報は、新たに追加された景品と在庫数が変更された景品の景品情報についてのみ送信され、これにより、在庫数情報を送信する配送管理装置８０の負荷，及び在庫数情報を受信する景品管理装置７０の負荷が軽減されるようになっている。
【００４７】
また配送管理装置８０では、遊技場の営業中において、ある景品の在庫数に不測の変動（例えば当該景品の破損や入荷停止による在庫数の減少）が生じたときに、オペレータの操作により、景品情報ＤＢにおける当該景品の在庫数を変更することができる。具体的には、配送管理装置８０において、オペレータの操作により、在庫数変更モードが起動されると、図３（ａ）に示すように、まずＤ０１の画面がディスプレイに表示される。このＤ０１では、在庫数を変更する景品の景品ＩＤ又は景品名の入力欄が表示されると共に、該景品を大区分及び小区分から検索するための「区分検索」ボタンが表示される。
【００４８】
このＤ０１で、オペレータが入力装置を操作して、在庫数を変更する景品の景品ＩＤ又は景品名を入力して、図示しない決定ボタンを操作すると、景品情報ＤＢで記憶している景品情報の中から、該入力された景品ＩＤ又は景品名に合致する景品の景品情報が抽出されて、Ｄ０２の画面がディスプレイに表示される。またＤ０１で、オペレータが入力装置を操作して、「区分検索」ボタンを操作すると、大区分及び小区分の入力欄がディスプレイに表示され、在庫数を変更する景品の大区分及び小区分を入力して決定ボタンを操作すると、景品情報ＤＢで記憶している景品情報の中から、該入力された大区分及び小区分に合致する景品の景品情報が抽出されて、該抽出された景品情報が景品リストとしてディスプレイに表示され、該景品リストから在庫数を変更する景品を選択すると、Ｄ０２に示す画面がディスプレイに表示される。このＤ０２では、景品情報ＤＢで記憶している景品情報の中から抽出された、在庫数を変更する景品の景品ＩＤ，景品名，及び在庫数が表示されると共に、変更後の在庫数の入力欄が表示される。なお変更後の在庫数は、設定されている在庫数よりも減少した数であっても増加した数であっても良い。
【００４９】
このＤ０２で、オペレータが入力装置を操作して、変更後の在庫数を入力して、図示しない決定ボタンを操作することにより、在庫数の変更を受け付けると（図２９のＳ６１）、景品情報ＤＢにおいて、当該景品ＩＤに対応付けて記憶されている在庫数（即ち設定されている在庫数）が、該入力された変更後の在庫数に変更され（同Ｓ６２）、該景品ＩＤと変更後の在庫数とを含む在庫数変更情報が景品管理装置７０に送信されて（同Ｓ６３）、該景品管理装置７０において在庫数変更処理が行われる（同Ｓ６４）。
【００５０】
図４（ｂ）に示す景品パッケージＤＢでは、当該景品提供業者が提供する所定数の景品を含み、該景品提供業者が設定した景品パッケージの各々について、各景品パッケージに関する景品パッケージ情報として、各景品パッケージを個々に識別可能な景品パッケージＩＤに対応付けて、各景品パッケージについて設定された大区分，小区分，及び景品パッケージ名と、各景品パッケージに含まれる景品の景品ＩＤと、当該景品パッケージがパッケージ景品表示処理の対象となる景品パッケージであるか否かを示すパッケージ景品表示フラグとが記憶される。ここで「パッケージ景品表示処理」とは、予約端末において、図１７のＤ２４に示すように、景品パッケージの各々に対応するパッケージメニュー（ここでは「アイスクリームフェア」）が選択されたことに基づいて、図１８のＤ３０に示すように、該選択されたパッケージメニューに対応する景品パッケージに含まれる景品を表示する処理である。このパッケージ景品表示フラグが１であれば、当該景品パッケージがパッケージ景品表示処理の対象となる景品パッケージとして設定されている旨を示し、パッケージ景品表示フラグが０であれば、当該景品パッケージがパッケージ景品表示処理の対象となる景品パッケージとして設定されていない旨を示す。
【００５１】
この配送管理装置８０では、オペレータの操作により、景品パッケージが設定されて、景品パッケージＤＢにおいて、該設定された景品パッケージの景品パッケージ情報が登録される。具体的には、配送管理装置８０において、オペレータの操作により、景品パッケージ設定モードが起動されると、図３（ｂ）に示すように、Ｄ０３の画面がディスプレイに表示される。このＤ０３では、予め設定されている大区分及び小区分のプルダウンメニューが表示されると共に、設定する景品パッケージ名の入力欄と、パッケージ景品表示処理の対象となる景品パッケージである旨を設定するためのチェックボックスとが設けられている。このＤ０３において、景品パッケージ名は必須の設定項目であるが、大区分及び小区分は任意の設定項目である。
【００５２】
このＤ０３で、オペレータが入力装置を操作して、景品パッケージに含める景品の大区分及び小区分の両方を設定するか（Ｄ０３を参照）、大区分のみを設定するか、あるいは両方を設定しないで（Ｄ０３’を参照）、景品パッケージ名を入力し、かつチェックボックスにチェックをするか（Ｄ０３を参照）、あるいはチェックをしないで（Ｄ０３’を参照）、図示しない決定ボタンを操作すると、Ｄ０４（又はＤ０４’）の画面がディスプレイに表示される。このＤ０４（又はＤ０４’）では、図４（ａ）に示す景品情報ＤＢで記憶している景品情報の中から、大区分及び小区分の両方が設定された場合には、該大区分及び小区分に合致する景品の景品情報が抽出され（Ｄ０４を参照）、大区分のみが設定された場合には、該大区分に合致する景品の景品情報が抽出され、両方が設定されなかった場合には、すべての景品の景品情報が抽出され（Ｄ０４’を参照）、該抽出された景品情報のうち、景品ＩＤ，景品名，交換玉数，及び予約停止フラグが、景品リストとして表示される。
【００５３】
このＤ０４（又はＤ０４’）で、オペレータが入力装置を操作して、景品パッケージに含める複数の景品をクリックして選択し、図示しない決定ボタンを操作すると、該選択された複数の景品を含む景品パッケージが設定され、該景品パッケージを個々に識別可能な景品パッケージＩＤが生成されて、図４（ｂ）に示す景品パッケージＤＢで登録される。従って、景品パッケージとしては、該景品パッケージに含まれる景品が同一の大区分及び小区分に属するもの（ここでは景品パッケージＩＤがＰＸ−００１の水産物Ａ，及びＰＸ−５０１のアイスクリームフェア）や、該景品パッケージに含まれる景品が同一の大区分に属するが小区分は異なるもの（ここでは景品パッケージＩＤがＰＸ−０１１のオススメ食品Ａ）や、該景品パッケージに含まれる景品が異なる大区分に属するもの（ここでは景品パッケージＩＤがＰＸ−１０１の得々景品Ａ，及び夏期限定フェア）のいずれかが、設定されて登録される。なお各景品パッケージに含まれる景品の数は任意であり、景品パッケージ毎に異なっていても良い。
【００５４】
また景品パッケージＤＢにおいて、前記Ｄ０３（又はＤ０３’）でチェックボックスがチェックされた場合には、パッケージ景品表示フラグとして１（即ち当該景品パッケージがパッケージ景品表示処理の対象となる景品パッケージである旨）が登録され、チェックされなかった場合には、パッケージ景品表示フラグとして０（即ち当該景品パッケージがパッケージ景品表示処理の対象となる景品パッケージでない旨）が登録される。
【００５５】
この景品パッケージＤＢで記憶されている景品パッケージ情報も、景品管理装置７０に送信されて（図２９のＳ０１）、該景品管理装置７０の図９に示す景品パッケージＤＢで記憶される（同Ｓ０２）。
【００５６】
図５（ａ）に示す配送情報ＤＢでは、各遊技場毎のデータテーブルが設けられており、各データテーブルでは、前記予約確定処理（図２９のＳ４２）に対応する前記配送情報登録処理（同Ｓ４３）を識別可能であると共に景品の配送元，配送先，及び配送希望日時が同一である景品の分類を識別可能な前記分類識別情報である予約確定ＩＤに対応付けて、該配送情報登録処理に関する配送情報として、後述する図１４に示す配送情報ＤＢと略同様の情報（即ち予約ＩＤ，景品ＩＤ，景品名，交換玉数，配送個数，配送元，配送区分，配送先情報，及び配送希望日時）が記憶されると共に、それに加えて、配送開始日時，配送完了日時，及び当該配送情報を図５（ｂ）に示す請求情報ＤＢで記録したか否かを示す請求済フラグが記憶される。ここで請求済フラグが１であれば、当該配送情報を請求情報ＤＢで記憶した旨を示し、請求済フラグが０であれば、当該配送情報を請求情報ＤＢで記憶していない旨を示す。この配送情報ＤＢでは、遊技場の営業終了後において景品管理装置７０から送信されてくる配送情報を受信すると、該配送情報が登録され、景品の配送が行われると配送開始日時が登録され、景品の配送が完了すると配送完了日時が登録される。
【００５７】
図５（ｂ）に示す請求情報ＤＢでは、各遊技場毎のデータテーブルが設けられており、各データテーブルでは、配送が完了した景品について、前記予約確定ＩＤに対応付けて、請求情報として、予約ＩＤ，景品ＩＤ，景品名，交換玉数，配送個数，配送元，配送区分，配送先情報，配送完了日時，及び請求額が記憶される。この請求情報ＤＢで記憶している所定期間（例えば１ヶ月）分の請求情報を取り纏めて、景品提供業者から各遊技場に対して、合計請求額の請求が行われる。
【００５８】
次に景品管理装置７０について説明する。景品管理装置７０は、図１に示すように接続される通信部７１，制御部７２，ディスプレイ７３，入力装置７４，及びハードディスク７５等を有するコンピュータ（サーバ）であり、複数の景品提供業者から提供され、予約端末に表示される複数の景品に関する情報を管理するものであると共に、予約確定端末５０から送信されてきた景品配送要求から特定される景品をユーザ（遊技者）に配送するための配送処理（配送情報登録処理）を行うものである。
【００５９】
通信部７１は、配送管理装置８０と通信可能に接続され、景品管理装置７０と配送管理装置８０との間における通信を司るものである。また通信部７１は、ルータ６４及び図示しないインターネットを介して、カードユニット２０の後述する場外通信部２１ｃ，キオスク端末３０の後述する通信部３１（以下、単に「（予約端末の）通信部」と略記する。），及び予約確定端末５０の後述する通信部５１と通信可能に接続され、景品管理装置７０と、個々のＩＰアドレスにより特定される各予約端末及び予約確定端末５０との間における通信を司るものである。
【００６０】
制御部７２は、ＣＰＵ，ＲＡＭ，ＲＯＭ等を備えており、ＲＯＭ及びハードディスク７５に記憶されている処理プログラムがＲＡＭを作業領域としてＣＰＵで実行されることにより、景品管理装置７０に備えられる各構成要素の動作を制御して各種の処理を行うものである。
【００６１】
ここで図２９に示すように、通信部７１は、配送管理装置８０から送信されてくる前記景品情報を受信し（Ｓ０１）、制御部７２は、該受信した景品情報を図８に示す景品情報ＤＢに登録する処理を行う（Ｓ０２）。即ち、この制御部７２及び景品情報ＤＢは、各景品の在庫数を登録する在庫数登録手段として機能するものである。
【００６２】
この景品情報ＤＢでは、図８に示すように、各景品提供業者毎のデータテーブルが設けられており、各データテーブルでは、当該景品提供業者が提供する複数の景品の各々について、各景品に関する景品情報として、図４（ａ）に示す景品情報ＤＢと同様に、景品ＩＤに対応付けて、大区分，小区分，景品名，詳細情報，価格，在庫数，及び配送元が記憶されると共に、それに加えて、各景品の価格に相当する交換有価価値である交換玉数と、当該景品が後述する予約停止景品受付手段（ディスプレイ７３及び入力装置７４）にて指定を受け付けた予約停止景品であるか否かを示す予約停止フラグと、当該景品が後述する景品パッケージ設定手段（制御部７２，ディスプレイ７３及び入力装置７４）にて設定されたパッケージ景品表示処理の対象となる景品パッケージに含まれる景品であるか否かを各景品パッケージ毎に示すパッケージ景品表示フラグと、当該景品の交換玉数を識別するための玉数コード６ｃと、当該景品が景品表示装置（カードユニット２０，キオスク端末３０）に表示される表示景品であるか否かを各遊技場毎に示す表示フラグと、当該景品が景品表示装置に新たに表示される追加景品であるか否かを各遊技場毎に示す追加フラグと、当該景品が交換玉数に対応する玉数コード６ｃをＰＯＳ端末４０にて登録する必要がある登録必要景品（即ち玉数コード６ｃを内在する玉数情報バーコード６ｂを出力する必要がある景品）であるか否かを各遊技場毎に示す出力フラグとが記憶される。
【００６３】
ここで配送元情報は、図４（ａ）に示す景品情報ＤＢと同様に、配送元を示す情報であって、ここでは配送元の倉庫の名称が記憶される。即ち、この制御部７２及び景品情報ＤＢは、複数の景品の各々について配送元を示す配送元情報を管理する配送元管理手段として機能するものである。また交換玉数は、後述する景品変更手段（通信部７１，ディスプレイ７３及び入力装置７４）における変更の受付前に景品表示装置（カードユニット２０，キオスク端末３０）に表示されていた景品の交換玉数を特定可能な既表示景品価値情報の一例である。即ち景品管理装置７０は、該既表示景品価値情報を管理するものである。また交換玉数は、大区分及び小区分と同様に、各景品を分類するための分類区分の一例である。即ち、この制御部７２及び景品情報ＤＢは、複数の景品の各々について、各景品を分類するための分類区分（大区分，小区分，交換玉数）を設定する分類区分設定手段として機能するものである。
【００６４】
また景品情報ＤＢにおいて、予約停止フラグが１であれば、当該景品が予約停止景品である旨を示し、予約停止フラグが０であれば、当該景品が予約停止景品でない旨を示す。またパッケージ景品表示フラグが１であれば、当該景品がパッケージ景品表示処理の対象となる景品パッケージに含まれる景品である旨を示し、パッケージ景品表示フラグが０であれば、当該景品がパッケージ景品表示処理の対象となる景品パッケージに含まれる景品ではない旨を示す。また表示フラグが１であれば、当該景品が表示景品である旨を示し、表示フラグが０であれば、当該景品が表示景品でない旨を示す。また追加フラグが１であれば、当該景品が追加景品である旨を示し、追加フラグが０であれば、当該景品が追加景品でない旨を示す。また出力フラグが１であれば、当該景品が登録必要景品である旨を示し、出力フラグが０であれば、当該景品が登録必要景品でない旨を示す。
【００６５】
また通信部７１は、配送管理装置８０から送信されてくる前記景品パッケージ情報を受信し（Ｓ０１）、制御部７２は、該受信した景品パッケージ情報を図９に示す景品パッケージＤＢに登録する処理を行う（Ｓ０２）。即ち、この制御部７２及び景品パッケージＤＢは、所定数の景品が含まれる景品パッケージを複数設定する景品パッケージ設定手段として機能するものであり、ここでは前記複数の景品提供業者のうちの少なくとも一部の景品提供業者について、各景品提供業者毎に景品パッケージを設定する。
【００６６】
この景品パッケージＤＢでは、図９に示すように、各景品提供業者毎のデータテーブルが設けられており、各データテーブルでは、当該景品提供業者が提供する所定数の景品を含む景品パッケージの各々について、景品パッケージ情報として、図４（ｂ）に示す景品パッケージＤＢと同様に、景品パッケージＩＤに対応付けて、大区分，小区分，景品パッケージ名，景品ＩＤ，及びパッケージ景品表示フラグが記憶されると共に、それに加えて、当該景品パッケージが選択されているか否かを各遊技場毎に示す景品パッケージ選択フラグとが記憶される。この景品パッケージ選択フラグが１であれば、当該景品パッケージが当該遊技場で選択されている旨を示し、景品パッケージ選択フラグが０であれば、当該景品パッケージが当該遊技場で選択されていない旨を示す。
【００６７】
ディスプレイ７３は、各種の情報を表示する表示デバイスであって、例えば液晶ディスプレイであり、入力装置７４は、各種の情報の入力を受け付ける入力デバイスであって、例えばキーボードやマウスである。
【００６８】
このディスプレイ７３及び入力装置７４も前記景品パッケージ設定手段として機能するものである。即ち、本実施形態では、配送管理装置８０及び景品管理装置７０のいずれにおいても、景品パッケージを設定することができる。この景品管理装置７０においては、オペレータの操作により、景品パッケージ設定モードが起動されると、図６（ａ）に示すように、まずＤ１１の画面がディスプレイ７３に表示される。このＤ１１では、図８に示す景品情報ＤＢで記憶している景品提供業者のプルダウンメニューと、予め設定されている大区分及び小区分のプルダウンメニューが表示されると共に、設定する景品パッケージ名の入力欄と、パッケージ景品表示処理の対象となる景品パッケージである旨を設定するためのチェックボックスとが設けられている。このＤ１１において、景品提供業者及び景品パッケージ名は必須の設定項目であるが、大区分及び小区分は任意の設定項目である。
【００６９】
このＤ１１で、オペレータが入力装置７４を操作して、景品パッケージに含める景品を提供する景品提供業者を設定し、景品パッケージに含める景品の大区分及び小区分の両方を設定するか、大区分のみを設定するか、あるいは両方を設定しないで、景品パッケージ名を入力し、かつチェックボックスにチェックをするか、あるいはチェックをしないで、図示しない決定ボタンを操作すると、Ｄ１２の画面がディスプレイ７３に表示される。このＤ１２で、オペレータが入力装置７４を操作して、景品パッケージに含める複数の景品をクリックして選択し、図示しない決定ボタンを操作すると、該選択された複数の景品を含む景品パッケージが設定され、該景品パッケージを個々に識別可能な景品パッケージＩＤが生成されて、図９に示す景品パッケージＤＢで登録される。なお各景品パッケージに含まれる景品の数は任意であり、景品パッケージ毎に異なっていても良い。
【００７０】
また設定された景品パッケージが、図９に示す景品パッケージＤＢで登録されると、図８に示す景品情報ＤＢにおいて、該設定された景品パッケージに含まれる各景品の景品ＩＤに対応付けて、該景品パッケージの景品パッケージＩＤに対応するパッケージ景品表示フラグとして１（即ち当該景品がパッケージ景品表示処理の対象となる景品パッケージに含まれる景品である旨）が登録される。
【００７１】
ここで通信部７１は景品パッケージ選択受付手段の一例であって、景品パッケージ設定手段（制御部７２，ディスプレイ７３及び入力装置７４）により設定された複数の景品パッケージのうち、遊技場が希望する景品パッケージの選択を受け付けるものであり、ここでは図２８のＤ５３〜Ｄ５５に示すように、景品パッケージの選択が行われた予約確定端末５０から送信されてくる、該選択された景品パッケージの景品パッケージＩＤを含む景品パッケージ登録要求を受信する（図２９のＳ０５）。この景品パッケージ登録要求を受信した景品管理装置７０では、図９に示す景品パッケージＤＢにおいて、該景品パッケージ登録要求に含まれる景品パッケージＩＤに対応付けて、当該景品パッケージ登録要求の送信元である予約確定端末５０が設けられている遊技場について、景品パッケージ選択フラグとして１（即ち当該景品パッケージが選択されている旨）が登録されると共に、図８に示す景品情報ＤＢにおいて、該景品パッケージＩＤの景品パッケージに含まれる各景品の景品ＩＤに対応付けて、当該景品パッケージ登録要求の送信元である予約確定端末５０が設けられている遊技場について、表示フラグ及び追加フラグとして１（即ち当該景品が表示景品及び追加景品である旨）が登録される（図２９のＳ０６）。
【００７２】
この景品パッケージ選択受付手段として機能する通信部７１により、遊技場が希望する景品パッケージの選択を受け付けると、該選択された景品パッケージに含まれる景品が、景品情報ＤＢにおいて表示景品及び追加景品として登録されることにより、景品表示装置（カードユニット２０，キオスク端末３０）に表示される景品が変更されるので、当該通信部７１は、景品表示装置に表示される景品の変更を受け付ける景品変更手段としても機能するものである。
【００７３】
またディスプレイ７３及び入力装置７４は景品更新手段の一例であって、前記景品パッケージ設定手段（制御部７２，ディスプレイ７３及び入力装置７４）により設定された景品パッケージに含まれる景品を更新するものである。
【００７４】
具体的には、景品管理装置７０において、オペレータの操作により、景品パッケージ更新モードが起動されると、図６（ｂ）に示すように、まずＤ１３の画面がディスプレイ７３に表示される。このＤ１３では、図９に示す景品パッケージＤＢで記憶されている各データテーブルに対応する景品提供業者を示す景品提供業者ボタンが表示される。このＤ１３で、オペレータが入力装置７４を操作して、いずれかの景品提供業者ボタン（ここではＸ社）を操作すると、Ｄ１４の画面がディスプレイ７３に表示される。このＤ１４では、景品パッケージＤＢにおいて、該操作された景品提供業者ボタンに対応する景品提供業者のデータテーブルで記憶（設定）されている各景品パッケージを示す景品パッケージボタンが、景品パッケージリストとして表示される。
【００７５】
このＤ１４で、オペレータが入力装置７４を操作して、景品を更新する景品パッケージ（ここでは水産物Ａ）に対応する景品パッケージボタンをクリックして選択すると、Ｄ１５の画面が表示される。このＤ１５では、図８に示す景品情報ＤＢで記憶している景品情報の中から、前記操作された景品パッケージボタンに含まれる景品の景品情報が抽出され、該抽出された景品情報のうち、景品ＩＤ，景品名，交換玉数，及び予約停止フラグが、景品リストとして表示される。
【００７６】
このＤ１５で、オペレータが入力装置７４を操作して、景品パッケージから削除する景品をクリックして選択し、図示しない決定ボタンを操作すると、該選択された景品の景品ＩＤが一時的に記憶されて、前記Ｄ１１と略同様の景品選択画面がディスプレイ７３に表示される。この景品選択画面では、図８に示す景品情報ＤＢにおいて、Ｄ１３で操作された景品提供業者ボタンに対応する景品提供業者のデータテーブルで記憶している大区分及び小区分のプルダウンメニューが表示される（ここでは景品提供業者のプルダウンメニュー，及び景品パッケージ名の入力欄は表示されない）。
【００７７】
この景品選択画面で、オペレータが入力装置７４を操作して、景品パッケージに含める景品の大区分及び小区分の両方を設定するか、大区分のみを設定するか、あるいは両方を設定しないで、図示しない決定ボタンを操作すると、前記Ｄ１２と同様の画面（便宜上、「Ｄ１２’」と称する。）がディスプレイ７３に表示される。このＤ１２’では、図８に示す景品情報ＤＢにおいて、Ｄ１３で操作された景品提供業者ボタンに対応する景品提供業者のデータテーブルで記憶している景品情報の中から、大区分及び小区分の両方が設定された場合には、該大区分及び小区分に合致する景品の景品情報が抽出され、大区分のみが設定された場合には、該大区分に合致する景品の景品情報が抽出され、両方が設定されなかった場合には、すべての景品の景品情報が抽出され、該抽出された景品情報のうち、景品ＩＤ，景品名，交換玉数，及び予約停止フラグが、景品リストとして表示される。
【００７８】
このＤ１２’で、オペレータが入力装置７４を操作して、景品パッケージに含める景品をクリックして選択し、図示しない決定ボタンを操作すると、該選択された景品の景品ＩＤが一時的に記憶されて、図９に示す景品パッケージＤＢにおいて、Ｄ１４で操作された景品パッケージボタンに対応する景品パッケージの景品パッケージＩＤに対応付けられている景品ＩＤから、Ｄ１５で選択されて記憶されている景品ＩＤが削除されると共に、Ｄ１２’で選択されて記憶されている景品ＩＤが追加されて、景品パッケージＤＢの登録内容が更新される。また図８に示す景品情報ＤＢにおいて、削除された景品の景品ＩＤに対応付けて、当該景品パッケージが選択されている遊技場について、表示フラグとして０（即ち当該景品が表示景品でない旨）が登録されると共に、追加された景品の景品ＩＤに対応付けて、当該景品パッケージが選択されている遊技場について、表示フラグ及び追加フラグとして１（即ち当該景品が表示景品及び追加景品である旨）が登録される（図２９のＳ０３）。
【００７９】
なお、景品パッケージからの景品削除のみの場合には、前記景品選択画面に表示される図示しない終了ボタンを操作すると、処理が終了し、図９に示す景品パッケージＤＢにおいて、Ｄ１４で操作された景品パッケージボタンに対応する景品パッケージの景品パッケージＩＤに対応付けられている景品ＩＤから、Ｄ１５で選択されて記憶されている景品ＩＤが削除されて、景品パッケージＤＢの登録内容が更新される。また景品パッケージへの景品追加のみの場合には、景品パッケージ更新モードの起動時に景品追加のみのメニューを設け、該メニューが選択されると、Ｄ１３→Ｄ１４→景品選択画面→Ｄ１２’と進み、該Ｄ１２’で、オペレータが入力装置７４を操作して、景品パッケージに含める景品をクリックして選択し、図示しない決定ボタンを操作すると、図９に示す景品パッケージＤＢにおいて、Ｄ１４で操作された景品パッケージボタンに対応する景品パッケージの景品パッケージＩＤに対応付けられている景品ＩＤに、Ｄ１２’で選択されて記憶されている景品ＩＤが追加されて、景品パッケージＤＢの登録内容が更新される。
【００８０】
この景品更新手段として機能するディスプレイ７３及び入力装置７４により、景品パッケージに含まれる景品が変更されると、該パッケージ景品から削除された景品が、図８に示す景品情報ＤＢにおいて表示景品でなくなると共に、該景品パッケージに追加された景品が、図８に示す景品情報ＤＢにおいて表示景品及び追加景品として登録されることにより、景品表示装置（カードユニット２０，キオスク端末３０）に表示される景品が変更されるので、当該ディスプレイ７３及び入力装置７４は、景品表示装置に表示される景品の変更を受け付ける景品変更手段としても機能するものである。
【００８１】
またディスプレイ７３及び入力装置７４は予約停止景品受付手段の一例であって、予約端末で表示される（即ち図８に示す景品情報ＤＢで記憶している）複数の景品のうち、予約を停止する景品の指定を受け付けるものである。
【００８２】
具体的には、景品管理装置７０において、オペレータの操作により、予約停止景品指定モードが起動されると、図６（ｃ）に示すように、まずＤ１６の画面がディスプレイ７３に表示される。このＤ１６では、図８に示す景品情報ＤＢで記憶している景品提供業者，大区分，及び小区分がプルダウンメニューで表示可能である。
【００８３】
このＤ１６で、オペレータが入力装置７４を操作して、予約を停止する景品の景品提供業者（ここではＸ）と、該景品が属する分類の大区分（ここでは食料品）及び小区分（ここでは水産物）とを選択して、図示しない決定ボタンを操作すると、Ｄ１７に示す画面が表示される。このＤ１７では、図８に示す景品情報ＤＢで記憶している景品情報の中から、前記選択された景品提供業者，大区分，及び小区分に合致する景品（ここでは景品ＩＤがＫＸ−００００１とＫＸ−００００２の景品）の景品情報が抽出され、該抽出された景品情報のうち、景品ＩＤ，景品名，交換玉数，及び予約停止フラグが、景品リストとして表示される。
【００８４】
このＤ１７で、オペレータが入力装置７４を操作して、予約を停止する景品をクリックして指定し、図示しない決定ボタンを操作すると、図８に示す景品情報ＤＢにおいて、該指定された景品の景品ＩＤに対応する予約停止フラグとして１（即ち予約停止景品である旨）が登録される等の予約停止景品指定処理が行われるが、これについては図４０を参照して後述する。また図８に示す景品情報ＤＢにおいて、予約停止景品の景品ＩＤに対応付けて、当該景品パッケージが選択されている遊技場について、表示フラグとして０（即ち当該景品が表示景品でない旨）が登録される。
【００８５】
この予約停止景品受付手段として機能するディスプレイ７３及び入力装置７４により、予約停止景品の指定が受け付けられると、該予約停止景品が、図８に示す景品情報ＤＢにおいて表示景品でなくなることにより、景品表示装置（カードユニット２０，キオスク端末３０）に表示される景品が変更されるので、当該ディスプレイ７３及び入力装置７４は、景品表示装置に表示される景品の変更を受け付ける景品変更手段としても機能するものである。
【００８６】
また制御部７２は登録必要景品特定手段の一例であって、景品変更手段にて受け付けた変更により景品表示装置（カードユニット２０，キオスク端末３０）に新たに表示される景品（即ち追加景品）であって、当該景品の交換有価価値（交換玉数）に対応する有価価値識別情報（玉数コード６ｃ）をＰＯＳ端末４０にて登録する必要がある登録必要景品を特定するものであり、ここでは景品表示装置に新たに表示される景品のうち、当該景品の交換有価価値が前記既表示景品価値情報から特定される交換有価価値（即ち追加景品以外の表示景品の交換玉数）と異なる景品を登録必要景品として特定する。
【００８７】
この登録必要景品特定手段として機能する制御部７２は、図３０に示す登録必要景品特定処理を行う。即ち、景品情報ＤＢにおいて、ある遊技場（例えば遊技場Ａ）について追加フラグとして１が登録されている追加景品（即ち景品表示装置に新たに表示される景品）の交換玉数と、追加景品以外の表示景品（即ち変更の受付前に景品表示装置に表示されていた景品）の交換玉数とが同一であるか否かを判定する（Ｓ００１）。このＳ００１で交換玉数が同一である（ＹＥＳ）と判定された場合には、景品情報ＤＢにおいて、当該景品の出力フラグとして０（即ち当該景品が登録必要景品でない旨）を登録して（Ｓ００２）、Ｓ００４に進む。一方、Ｓ００１で交換玉数が異なる（ＮＯ）と判定された場合には、当該景品を登録必要景品として特定し、景品情報ＤＢにおいて、当該景品の出力フラグとして１（即ち当該景品が登録必要景品である旨）を登録して（Ｓ００３）、Ｓ００４に進む。Ｓ００４では、景品情報ＤＢにおいて当該遊技場について登録されている全ての追加景品についてＳ００１の判定が完了したか否かを判定し、判定が完了していなければ（ＮＯ）、Ｓ００１に戻り、判定が完了していれば（ＹＥＳ）、処理を終了する。
【００８８】
具体的には、遊技場Ａにおいて、景品パッケージＩＤがＰＸ−００１の景品パッケージ「水産物Ａ」，同ＰＸ−０１１の景品パッケージ「オススメ食品Ａ」，同ＰＸ−１０１の景品パッケージ「得々景品Ａ」，及び同ＰＸ−５０１の景品パッケージ「アイスクリームフェア」が既に選択されている状態で、景品パッケージＩＤがＰＸ−５０２の景品パッケージ「夏期限定フェア」が新たに選択されると、図８に示す景品情報ＤＢにおいて、該景品パッケージ「夏期限定フェア」に含まれる景品ＩＤであるＫＸ−０００３０５，ＫＸ−０００５０１，及びＫＸ−０２０４７５に対応付けて、該遊技場Ａについて表示フラグ及び追加フラグとして１が登録される。この状態で、前記登録必要景品特定処理が行われると、該追加フラグとして１が登録されている追加景品のうち、景品ＩＤがＫＸ−０００５０１の景品「アイスＡ」については、該「アイスＡ」の交換玉数７５個と、他の表示景品（例えば景品ＩＤがＫＸ−０００５０２の景品「アイスＢ」）の交換玉数７５個とが同一であるため、該「アイスＡ」は登録必要景品として特定されず、出力フラグとして０が登録されるが、景品ＩＤがＫＸ−０００３０５の景品「そうめんＡ」については、該「そうめんＡ」の交換玉数１５０個と、他の表示景品の交換玉数とは異なる（即ち交換玉数が１５０個の景品は表示景品として登録されていない）ため、該「そうめんＡ」は登録必要景品として特定されて、出力フラグとして１が登録され、また景品ＩＤがＫＸ−０２０４７５の景品「浮き輪」についても、該「浮き輪」の交換玉数１８００個と、他の表示景品の交換玉数とは異なる（即ち交換玉数が１８００個の景品は表示景品として登録されていない）ため、該「浮き輪」は登録必要景品として特定されて、出力フラグとして１が登録される。
【００８９】
さらにディスプレイ７３及び入力装置７４は上限値指定受付手段の一例であって、いたずらの予約を排除するために設定する上限値の指定を受け付けるものである。ここで上限値は、遊技者１人あたりが予約可能な景品の個数又は遊技者１人あたりが予約に供することが可能な有価価値（交換玉数）に対する上限値であり、ここでは該上限値として、図７のＤ１９ａ，Ｄ１９ｂに示すように、遊技者が予約する景品の全個数又は遊技者が予約する全景品に対応する有価価値に対する全体上限値と、該全体上限値よりも低い値であって遊技者が予約する１種類の景品の個数又は遊技者が予約する１種類の景品に対応する有価価値に対する個別上限値とを指定し、また該個別上限値として、在庫数に基づく個別上限値及び／又は有価価値に基づく個別上限値を指定し、さらに最少上限値を指定する。
【００９０】
具体的には、景品管理装置７０において、オペレータの操作により、上限値指定モードが起動されると、図７に示すように、まずＤ１８の上限値判定基準指定画面がディスプレイ７３に表示される。このＤ１８では、後述する上限値判定手段（制御部７２）が行う上限値判定処理における判定基準（上限値判定基準）として、景品の「個数」又は「玉数」のいずれかを指定するためのラジオボタンが表示されると共に、該上限値判定処理において予約が可能でないと判定された回数である上限値超え回数に対する報知基準回数（上限値超え報知基準）を指定するための入力欄が表示される。
【００９１】
このＤ１８で、オペレータが入力装置７４を操作して、上限値判定基準として「個数」又は「玉数」のいずれかを指定し、上限値超え報知基準として任意の回数（ここでは３回）を入力して、図示しない決定ボタンを操作すると、「個数」が指定された場合には、Ｄ１９ａに示す上限値指定画面がディスプレイ７３に表示され、「玉数」が指定された場合には、Ｄ１９ｂに示す上限値指定画面がディスプレイ７３に表示される。ここで第１実施形態では、判定基準として「個数」が指定され、後述する第２実施形態では、判定基準として「玉数」が指定されるので、ここではＤ１９ａについて説明し、Ｄ１９ｂについては第２実施形態の説明で後述する。
【００９２】
このＤ１９ａでは、遊技者が予約する景品の全個数に対する全体上限値，在庫数に基づく個別上限値，交換玉数に基づく個別上限値，及び各景品に対する最少上限値を指定するための入力欄が表示される。ここで全体上限値は、景品の種類によらずに予約を許容する個数（即ち全景品の予約個数）であり、本例では３０個が指定される。
【００９３】
また個別上限値は、１種類の景品について予約を許容する個数（即ち各景品の種類毎の予約個数）であり。ここで在庫数に基づく個別上限値としては、悪質な遊技者がいたずらで当該景品のみを多数予約したときに、在庫数に多大な影響を及ぼさない値が指定され、本例では在庫数の４０％であるが、そのような値であれば該４０％には限定されない。また交換玉数に基づく個別上限値としては、正規な遊技者が当該景品のみを多数予約したときに、いたずらではなく正規の予約として考えられる値が指定され、本例では合計玉数２００００玉であるが、そのような値であれば該２００００玉には限定されない。ここで在庫数に基づく個別上限値及び交換玉数に基づく個別上限値については、少なくとも一方が指定されるものでも良いが、本例では両方が指定されている。
【００９４】
また最少上限値としては、１個以上かつ全体上限値未満の任意の景品個数が指定される。このように最少上限値を１個以上の景品個数とするのは、該最少上限値を０個としてしまうと、後述する図３４（ａ）に示す上限値判定処理において、個別上限値に基づく上限値判定（Ｓ３５４）で常に予約が可能でないと判定されて、いたずらではない正規の遊技者による予約もできなくなってしまうからである。
【００９５】
このＤ１９ａで、オペレータが入力装置７４を操作して、各入力欄に指定値を入力して、図示しない決定ボタンを操作すると、図１０に示す上限値ＤＢにおいて、各入力欄に入力された指定値が登録される。
【００９６】
記憶手段であるハードディスクでは、図８に示す前記景品情報ＤＢと、図９に示す前記景品パッケージＤＢと、図１０に示す上限値ＤＢと、図１１に示すグループ店ＤＢ，配送先ＤＢ，予約・確定累計数ＤＢと、図１２に示す予約情報ＤＢと、図１３に示す未提供予約個数・玉数ＤＢと、図１４に示す配送情報ＤＢとを記憶している。
【００９７】
前記図７に示すようにして、ディスプレイ７３及び入力装置７４により、上限値の指定が行われると、制御部７２は、該指定された値に基づいて設定した上限値を図１０に示す上限値ＤＢに登録する処理を行う。即ち、この制御部７２及び上限値ＤＢは、遊技者１人あたりが予約可能な景品の個数又は遊技者１人あたりが予約に供することが可能な有価価値（交換玉数）に対する上限値を設定する上限値設定手段として機能するものであり、ここでは該上限値として前記全体上限値と前記個別上限値とを設定し、また各景品の種類毎に上限値を設定し、さらに在庫数登録手段（景品情報ＤＢ）に登録された各景品の在庫数及び／又は各景品に対応する有価価値（交換玉数）に基づいて上限値を設定する。
【００９８】
この上限値ＤＢでは、図１０に示すように、上限値指定受付手段（ディスプレイ７３及び入力装置７４）により図７のＤ１８で指定された上限値判定基準（ここでは個数），及び上限値超え報知基準と、同Ｄ１９ａで指定された全体上限値，在庫数に基づく個別上限値，交換玉数に基づく個別上限値，及び最少上限値の各指定値が記憶される。ここで記憶される各指定値のうち、全体上限値及び最少上限値の指定値は、そのまま全体上限値及び最少上限値として設定される。
【００９９】
また上限値ＤＢでは、各景品提供業者毎のデータテーブルが設けられており、各データテーブルでは、景品情報ＤＢで記憶されている各景品の景品ＩＤに対応付けて、当該景品の在庫数と交換玉数，該在庫数×交換玉数の式で演算される総交換玉数，在庫数に基づく個別上限値の演算値（以下、単に「在庫数演算値」と称する。），交換玉数に基づく個別上限値の演算値（以下、単に「交換玉数演算値」と称する。），補正パターン，及び個別上限値の補正値が記憶される。
【０１００】
ここで在庫数演算値は、在庫数に基づく個別上限値の指定値（ここでは４０％）×各景品の在庫数の式で演算される値の整数部分である。また交換玉数演算値は、交換玉数に基づく個別上限値の指定値（ここでは２００００玉）÷各景品の交換玉数の式で演算される値の整数部分である。
【０１０１】
また補正パターンは、前記設定された全体上限値と、前記演算された在庫数演算値と、前記演算された交換玉数演算値と、前記設定された最少上限値とに基づいて、個別上限値の補正値を特定する各パターンを示す符号（Ａ〜Ｃ）であり、制御部７２により、以下の第１ステップ〜第３ステップで決定されて記憶され、該補正パターンにしたがって特定された値が、個別上限値の補正値として記憶され、該記憶された補正値が、個別上限値として設定される。
【０１０２】
まず第１ステップとして、在庫数演算値と交換玉数演算値とを比較して、少ない方の演算値を採用演算値として決定する。次に第２ステップとして、該決定された採用演算値が、全体上限値を超えているか否かを判定する。この第２ステップで全体上限値を超えていると判定された場合には、第３ステップとして、当該全体上限値を補正値（即ち個別上限値）とする補正パターンＢと決定する。一方、第２ステップで全体上限値以下であると判定された場合には、第４ステップとして、前記決定された採用演算値が、最少上限値に満たないか否かを判定する。この第４ステップで最少上限値に満たないと判定された場合には、第５ステップとして、当該最少上限値又は在庫数を補正値（即ち個別上限値）とする補正パターンＣと決定する。一方、第５ステップで最少上限値以上である（即ち最少上限値≦採用演算値≦全体上限値）と判定された場合には、第６ステップとして、採用演算値を補正値（即ち個別上限値）とする補正パターンＡと決定する。
【０１０３】
具体的には、景品ＩＤがＫＸ−０００００２やＫＸ−０００１０２の景品のように、最少上限値≦在庫数演算値と交換玉数演算値の少ない方≦全体上限値であるものについては、補正パターンＡと決定されて記憶され、該少ない方の演算値が補正値として記憶されて、個別上限値として設定される。このような場合に、在庫数演算値と交換玉数演算値の少ない方の演算値を個別上限値として設定するのは、以下の理由による。つまり在庫数演算値や交換玉数演算値は、各景品の在庫数や交換玉数に応じて算出されるため、在庫数や総交換玉数が比較的少ない景品（例えば景品ＩＤがＫＸ−０００００２やＫＸ−０００１０２の景品）の場合には、多い方の演算値（２７個又は２６個）を個別上限値として設定すると、該個別上限値が在庫数を超えていたり、該個別上限値が在庫数に多大な影響を及ぼす値となってしまう。一方、在庫数や総交換玉数が比較的少ない景品（例えば景品ＩＤがＫＸ−０２０４７５の景品）の場合には、多い方の演算値（４０個）を個別上限値として設定しても、在庫数に多大な影響は及ぼさないが、該個別上限値に近い予約はいたずらの可能性がある。従って、個別上限値が在庫数を超えたり、在庫数に多大な影響を及ぼすことが無く、またいたずらの予約を排除できるように、在庫数演算値と交換玉数演算値の少ない方の演算値を個別上限値として設定しているのである。
【０１０４】
また景品ＩＤがＫＸ−０００３０５やＫＸ−０００５０１の景品のように、在庫数演算値と交換玉数演算値の少ない方＞全体上限値（ここでは３０個）であるものについては、補正パターンＢと決定されて記憶され、該全体上限値が補正値として記憶されて、個別上限値として設定される。このような場合に、全体上限値を個別上限値として設定するのは、仮に全体上限値を超える個別上限値を設定しても、後述する図３４（ａ）に示す上限値判定処理において、全体上限値に基づく上限値判定（Ｓ３５２）で常に予約が可能でないと判定されるので、無意味だからである。
【０１０５】
さらに景品ＩＤがＫＸ−０００００１やＫＸ−０００１０３の景品のように、在庫数演算値と交換玉数演算値の少ない方＜最少上限値（ここでは５個）であるものについては、補正パターンＣと決定されて記憶され、該最少上限値が補正値として記憶されて、個別上限値として設定される。このような場合に、最少上限値を個別上限値として設定するのは、在庫数演算値と交換玉数演算値の少ない方の演算値があまりにも小さい場合（例えば２個の場合）において、該少ない方の値を個別上限値として設定すると、該２個を超える数（例えば３個）の当該景品の予約については、後述する図３４（ａ）に示す上限値判定処理において、個別上限値に基づく上限値判定（Ｓ３５４）で予約が可能でないと判定されるので、いたずらではない正規の遊技者による予約もできなくなってしまうからである。
【０１０６】
なお景品ＩＤがＫＸ−０００１０１の景品については、在庫数演算値と交換玉数演算値の少ない方＜最少上限値（ここでは５個）であるので、補正パターンＣと決定されて記憶されるが、当該景品の在庫数（ここでは３個）＜最少上限値である場合には、当該景品の在庫数が補正値として記憶されて、個別上限値として設定される。このような場合（つまり在庫数演算値と交換玉数演算値の少ない方が最少上限値に満たなく、かつ当該景品の在庫数が最少上限値に満たない場合）に、在庫数を個別上限値として設定するのは、仮に在庫数を超える個別上限値を設定しても、該在庫数を超える数の当該景品の予約については、後述する図３３に示す予約可否判定処理において、在庫数に基づく判定（Ｓ３０９）で予約が可能でないと判定されてしまうからである。
【０１０７】
この上限値ＤＢでは、遊技場の営業開始前において、通信部７１により、配送管理装置８０から送信されてくる在庫数情報を受信し（Ｓ１１）、制御部７２により、景品情報ＤＢの在庫数が更新されると（Ｓ１２）、該更新された在庫数に基づいて、当該上限値ＤＢで記憶している在庫数が更新されると共に該在庫数に基づいて演算される総交換玉数が更新され、該更新された在庫数に基づいて演算される在庫数演算値と該更新された総交換玉数に基づいて演算される交換玉数演算値が更新され、該更新された在庫数演算値と交換玉数演算値とに基づいて決定される補正パターンと補正値（即ち個別上限値）が更新される（同Ｓ１２）。
【０１０８】
このように、上限値ＤＢにおいて、各景品の種類毎に上限値を設定することができるので、例えば各景品の在庫数に応じた上限値を設定することで、いたずらの予約により在庫数が減少して正規の遊技者が予約できないといった事態をより効果的に防止できる。また上限値ＤＢにおいて、各景品の在庫数及び／又は各景品に対応する交換玉数に基づいて上限値が自動的に設定されるので、該上限値を設定する手間が省ける。なお上限値ＤＢにおいて、該自動的に設定された上限値を、事後的に手入力で変更することも可能であり、また上限値が自動的に設定される前に、該上限値を手入力で設定することも可能である。
【０１０９】
図１１（ａ）に示すグループ店ＤＢでは、予め定められたグループ関係にあるグループ店が記憶され、具体的には、グループ名に対応付けて、当該グループに属する遊技場の遊技場ＩＤが記憶される。
【０１１０】
図１１（ｂ）に示す配送先ＤＢでは、各遊技場毎のデータテーブルが設けられており、各データテーブルでは、会員ＩＤ又は景品会員ＩＤに対応付けて、暗証番号が記憶されると共に、配送先情報として、遊技者の氏名，郵便番号，住所，及び電話番号が記憶される。この配送先ＤＢでは、後述する配送先登録処理（図２９のＳ２１）が行われた予約端末から送信されてくる、会員ＩＤ又は景品会員ＩＤと、暗証番号と、配送先情報とを含む配送先登録要求を受信すると、該配送先登録要求に含まれる会員ＩＤ又は景品会員ＩＤに対応付けて暗証番号と配送先情報とが登録される（同Ｓ２２）。
【０１１１】
図１１（ｃ）に示す予約・確定累計数ＤＢでは、各景品提供業者毎のデータテーブルが設けられており、各データテーブルでは、当該景品提供業者が提供する複数の景品の各々について、当該景品の景品ＩＤに対応付けて、前記予約内容登録処理（図２９のＳ３２）に供された予約個数の集計値である予約累計数と、前記配送情報登録処理（同Ｓ４３）に供された配送個数の集計値である確定累計数とが記憶される。
【０１１２】
この予約・確定累計数ＤＢでは、制御部７２により、予約内容登録処理において、予約累計数に予約個数が加算され（図３３のＳ３１１）、配送情報登録処理において、確定累計数に配送個数が加算される（図３８のＳ６１２）。即ち、この制御部７２及び予約・確定累計数ＤＢは、各景品について、予約処理（予約内容登録処理）に供された予約個数を集計する予約個数集計手段として機能するものであり、また各景品について、提供処理（配送情報登録処理）に供された提供個数（配送個数）を集計する提供個数集計手段（配送個数集計手段）として機能するものである。
【０１１３】
図１２に示す予約情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、予約に関する予約情報として、予約を識別可能な予約識別情報である予約ＩＤに対応付けて、予約された景品を特定可能な景品特定情報である景品ＩＤと、該景品の景品名と、該景品の価格に相当する有価価値である交換玉数と、該景品の予約個数と、該景品の配送元情報と、配送区分と、ユーザ（遊技者）を特定可能なユーザ特定情報である会員ＩＤ又は景品会員ＩＤ及び配送先情報（氏名，郵便番号，住所，及び電話番号）と、配送希望日時とが記憶される。本例では、予約された複数の景品の各々について、１つの予約ＩＤが割り当てられるので、予約情報ＤＢで登録される予約個数は、各予約ＩＤに対して常に１個である。
【０１１４】
この予約情報ＤＢでは、前記予約受付処理（図２９のＳ３１）が行われた予約端末から送信されてくる、景品ＩＤ，予約個数，配送区分，会員ＩＤ又は景品会員ＩＤ，配送先情報，及び配送希望日時を含む予約要求を受信すると、前記予約内容登録処理（同Ｓ３２）において、後述する予約処理手段及び予約内容登録手段として機能する制御部７２により、該予約要求に含まれる景品ＩＤから特定される景品の各々について、予約ＩＤが生成されて割り当てられ（図３３のＳ３１２）、該割り当てられた各予約ＩＤに対応付けて、当該予約ＩＤに対応する景品について前記予約要求に含まれる景品ＩＤ，予約個数，配送区分，会員ＩＤ又は景品会員ＩＤ，配送先情報，及び配送希望日時と、該景品ＩＤに対応付けて図８に示す景品情報ＤＢで登録されている景品名，交換玉数，及び配送元とが、予約情報として登録されることにより、予約内容登録処理が行われる（同Ｓ３１３）。なお後述する図１９のＤ３６で配送先情報が手入力された後に予約端末から送信されてくる予約要求には、会員ＩＤ又は景品会員ＩＤは含まれないので、予約情報ＤＢにおいて、該会員ＩＤ又は景品会員ＩＤは登録されない。また予約情報ＤＢでは、前記配送情報登録処理（図２９のＳ４３）に伴って、該配送情報登録処理の対象となった予約情報が消去される（図３８のＳ６２０）。
【０１１５】
前記図１２に示す予約情報ＤＢにおいて、予約内容登録処理による予約情報の登録（図３３のＳ３１３）が行われると、制御部７２は、予約内容登録処理に供されたが提供処理に供されていない景品である未提供予約景品の個数である未提供予約個数又は当該未提供予約景品に対応する有価価値（玉数）である未提供予約価値（未提供予約玉数）を図１３に示す未提供予約個数・玉数ＤＢに登録する未提供予約個数・玉数登録処理を行う（同Ｓ３１３ａ）。また予約情報ＤＢにおいて、提供処理（配送情報登録処理）による予約情報の消去（図３８のＳ６２０）が行われると、制御部７２は、未提供予約個数又は未提供予約価値を図１３に示す未提供予約個数・玉数ＤＢから減算する未提供予約個数・玉数減算処理を行う（同Ｓ６２０ａ）。このようにして、未提供予約個数・玉数ＤＢにおいて、未提供予約個数又は未提供予約価値の登録及び減算が行われることにより、該未提供予約個数又は未提供予約価値が特定される。即ち、この制御部７２及び未提供予約個数・玉数ＤＢは、予約を行うユーザ（遊技者）について、前記未提供予約個数又は前記未提供予約価値を特定する未提供予約特定手段として機能するものであり、ここでは未提供予約景品の全個数である全体未提供予約個数又は全未提供予約景品に対応する有価価値である全体未提供予約価値（全体未提供予約玉数）と、未提供予約景品の各種類毎の個数である個別未提供予約個数又は各種類毎の未提供予約景品に対応する有価価値である個別未提供予約価値（個別未提供予約玉数）とを特定する。
【０１１６】
この未提供予約個数・玉数ＤＢでは、図１３に示すように、各遊技場毎のデータテーブルが設けられており、各データテーブルでは、ユーザ（遊技者）を特定可能なユーザ特定情報である会員ＩＤ若しくは景品会員ＩＤ，又は配送先情報（氏名，郵便番号，住所，及び電話番号）に対応付けて、全体未提供予約個数，及び全体未提供予約玉数と、未提供予約景品の景品ＩＤに対応する個別未提供予約個数，及び個別未提供予約玉数と、当日報知フラグと、上限値超え回数とが記憶される。
【０１１７】
ここでユーザ特定情報は、予約端末から予約要求を受信したときに（図３３のＳ３０１）、未提供予約個数・玉数ＤＢにおいて当該予約要求に含まれるユーザ特定情報の登録が無い（図３４（ｂ）のＳ３８１でＹＥＳ）ことを条件として登録されるが（同Ｓ３８２）、後述する図１９で説明するように、予約端末で会員カード２又は景品交換カード３が受け付けられてから送信されてくる予約要求（以下「会員予約要求」と称する。）には、ユーザ特定情報として会員ＩＤ又は景品会員ＩＤ及び配送先情報が含まれているので、未提供予約個数・玉数ＤＢにおいては、該会員ＩＤ又は景品会員ＩＤがユーザ特定情報として登録され、予約端末で会員カード２又は景品交換カード３が受け付けられておらず配送先情報である氏名，郵便番号，住所，及び電話番号が手入力されてから送信されてくる予約要求（以下「ビジタ予約要求」と称する。）には、ユーザ特定情報として該配送先情報のみが含まれているので、未提供予約個数・玉数ＤＢにおいては、当該配送先情報がユーザ特定情報として登録される。
【０１１８】
また当日報知フラグは、後述する図３４（ａ）に示す上限値判定処理において、当日に、予約が可能でないと判定されているか否かを示すフラグであり、この当日報知フラグが１であれば、当日に予約が可能でないと判定されている旨を示し、当日報知フラグが０であれば、当日に予約が可能でないと判定されていない旨を示す。また上限値超え回数は、後述する図３４（ａ）に示す上限値判定処理において、当日報知フラグが０である状態で、予約が可能でないと判定された回数（即ち予約が可能でないと判定された日数）である。
【０１１９】
この未提供予約個数・玉数ＤＢでは、遊技場の営業中に、予約情報ＤＢにおいて、予約内容登録処理による予約情報の登録（図３３のＳ３１３）が行われると、制御部７２により、未提供予約個数・玉数登録処理が行われる（同Ｓ３１３ａ）。即ち制御部７２は、図３４（ｂ）に示すように、当該未提供予約個数・玉数ＤＢにおいて、前記予約情報に含まれるユーザ特定情報である会員ＩＤ又は景品会員ＩＤ及び配送先情報（氏名，郵便番号，住所，及び電話番号）の登録が有るか否かを判定する（Ｓ３８１）。具体的には、前記会員予約要求を受信した場合には、未提供予約個数・玉数ＤＢにおいて当該会員予約要求に含まれている会員ＩＤ又は景品会員ＩＤの登録が有るか否かを判定し、前記ビジタ予約要求を受信した場合には、未提供予約個数・玉数ＤＢにおいて当該ビジタ予約要求に含まれている配送先情報の登録が有るか否かを判定する。
【０１２０】
このＳ３８１でユーザ特定情報の登録が無い（ＮＯ）、即ち当該ユーザ特定情報から特定される遊技者について当日に初めて予約内容登録処理が行われたと判定された場合には、当該未提供予約個数・玉数ＤＢにおいて、該ユーザ特定情報（即ち会員予約要求に含まれる景品ＩＤ若しくは景品会員ＩＤ，又はビジタ予約要求に含まれる配送先情報）を登録し（Ｓ３８２）、該ユーザ特定情報に対応付けて、前記予約情報に含まれる景品ＩＤを登録し（Ｓ３８３）、該景品ＩＤに対応付けて、前記予約情報に含まれる予約個数を個別未提供予約個数として登録すると共に、該予約個数分の玉数を個別未提供予約玉数として登録し（Ｓ３８４）、前記ユーザ特定情報に対応付けて、前記予約情報に含まれる予約個数を全体未提供予約個数として登録すると共に、該予約個数分の玉数を全体未提供予約玉数として登録して（Ｓ３８５）、図３３のＳ３１４に進む。
【０１２１】
一方、Ｓ３８１でユーザ特定情報の登録が有る（ＹＥＳ）、即ち当該ユーザ特定情報から特定される遊技者について当日に既に予約内容登録処理が行われていると判定された場合には、当該未提供予約個数・玉数ＤＢにおいて、該ユーザ特定情報に対応付けて、前記予約情報に含まれる景品ＩＤの登録が有るか否かを判定する（Ｓ３８６）。このＳ３８６で景品ＩＤの登録が無い（ＮＯ）、即ち当該景品ＩＤの景品について当日に初めて予約内容登録処理が行われたと判定された場合には、Ｓ３８３に進む。一方、Ｓ３８６で景品ＩＤの登録が有る（ＹＥＳ）、即ち当該景品ＩＤの景品について当日に既に予約内容登録処理が行われていると判定された場合には、該景品ＩＤに対応付けて登録されている個別未提供予約個数に対して、前記予約情報に含まれる予約個数を加算すると共に、該景品ＩＤに対応付けて登録されている個別未提供予約玉数に対して、該予約個数分の玉数を加算し（Ｓ３８７）、前記ユーザ特定情報に対応付けて登録されている全体未提供予約個数に対して、前記予約情報に含まれる予約個数を加算すると共に、該景品ＩＤに対応付けて登録されている全体未提供予約玉数に対して、該予約個数分の玉数を加算して（Ｓ３８８）、図３３のＳ３１４に進む。
【０１２２】
また未提供予約個数・玉数ＤＢでは、遊技場の営業中に、予約情報ＤＢにおいて、配送情報登録処理による予約情報の消去（図３８のＳ６２０）が行われると、制御部７２により、未提供予約個数・玉数減算処理が行われる（同Ｓ６２０ａ）。具体的には、当該未提供予約個数・玉数ＤＢにおいて、前記予約情報に含まれるユーザ特定情報に対応付けて登録されている全体未提供予約個数及び個別未提供予約個数から、該予約情報に含まれる予約個数を減算すると共に、当該ユーザ特定情報に対応付けて登録されている全体未提供予約玉数及び個別未提供予約玉数から、該予約個数分の玉数を減算する。
【０１２３】
さらに未提供予約個数・玉数ＤＢでは、遊技場の営業終了後に、予約情報ＤＢにおいて、記憶している全ての予約情報が消去されると、制御部７２により、当該未提供予約個数・玉数ＤＢで記憶している全体未提供予約個数，全体未提供予約玉数，景品ＩＤ，個別未提供予約個数，個別未提供予約玉数，及び当日報知フラグを消去する処理が行われる。
【０１２４】
図１４に示す配送情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、配送情報登録処理（図２９のＳ４３）に関する配送情報として、該配送情報登録処理に対応する前記予約確定処理（同Ｓ４２）を識別可能であると共に景品の配送元，配送先，及び配送希望日時が同一である景品の分類を識別可能な前記分類識別情報である予約確定ＩＤに対応付けて、該配送情報登録処理が行われた日時である確定日時と、予約確定要求の送信元である予約確定端末５０を操作した店員の店員識別情報である店員ＩＤと、該配送情報登録処理の対象となった予約の予約ＩＤと、該予約ＩＤに対応付けられている景品ＩＤ，景品名，交換玉数，予約個数である配送個数，配送元情報，配送区分，ユーザ特定情報である会員ＩＤ又は景品会員ＩＤと配送先情報（氏名，郵便番号，住所，及び電話番号），及び配送希望日時とが記憶されると共に、当該配送情報を配送管理装置８０に送信したか否かを示す配送指示済フラグが記憶される。ここで配送指示済フラグが１であれば、当該配送情報を配送管理装置８０に送信した旨を示し、配送指示済フラグが０であれば、当該配送情報を配送管理装置８０に送信していない旨を示す。
【０１２５】
この配送情報ＤＢでは、前記予約確定処理（図２９のＳ４２）が行われた予約端末から送信されてくる、予約ＩＤと店員ＩＤとを含む予約確定要求（景品配送要求）を受信すると、前記配送情報登録処理（同Ｓ４３）において、後述する景品分類手段として機能する制御部７２により、該予約確定要求から特定される景品（即ち該予約確定要求に含まれる予約ＩＤに対応付けて図１２に示す予約情報ＤＢで登録されている景品ＩＤから特定される景品）が、配送元情報，配送先，及び配送希望日時が同一である景品毎に分類されることにより、景品分類処理が行われ（図３８のＳ６１３）、後述する配送情報登録手段として機能する制御部７２により、前記分類された各分類について、前記分類識別情報である予約確定ＩＤが生成されて割り当てられ（同Ｓ６１５）、該割り当てられた各予約確定ＩＤに対応付けて、当該予約確定ＩＤに対応する景品について前記予約確定要求に含まれる予約ＩＤと、該予約ＩＤに対応付けて図１２に示す予約情報ＤＢで登録されている景品ＩＤ，景品名，交換玉数，予約個数である配送個数，配送元，配送区分，会員ＩＤ又は景品会員ＩＤ，配送先情報，及び配送希望日時とが、配送情報として登録されることにより、配送情報登録処理が行われる（同Ｓ６１６）。そして後述する配送情報通知送信手段として機能する通信部７１により、各予約確定ＩＤと各予約確定ＩＤに対応する景品を特定可能な情報（ここでは一又は複数の該景品の予約ＩＤ，景品ＩＤ，景品名，交換玉数，及び配送個数と、同一の配送区分，配送先情報，及び配送希望日時）とを含む配送情報通知である配送登録完了通知を予約確定端末５０に対して送信する（同Ｓ６１９）。
【０１２６】
ここで通信部７１は在庫数受付手段の一例であって、各景品の在庫数を示す在庫数情報を受け付けるものであり、また制御部７２は在庫数登録手段及び在庫数管理手段の一例であって、各景品の在庫数を登録して管理するものであり、ここでは在庫数情報受付手段により受け付けた在庫数情報が示す各景品の在庫数を登録するものである。
【０１２７】
具体的には、図２９のＳ１１に示すように、通信部７１により、配送管理装置８０から遊技場の営業開始前に１日１回送信されてくる前記在庫数情報を受信すると、制御部７２により、図８に示す景品情報ＤＢの記憶内容を更新する処理を行う。ここで受信した在庫数情報に含まれる景品情報のうち、新たに追加された景品については、景品情報ＤＢにおいて、当該景品に関する全ての景品情報（即ち景品ＩＤ，大区分，小区分，景品名，詳細情報，価格，及び在庫数）を登録すると共に、該景品の価格に相当する有価価値である交換玉数を登録し、かつ予約停止フラグとして０（即ち予約停止景品でない旨）を登録する。また受信した在庫数情報に含まれる景品情報のうち、在庫数が変更された景品については、景品情報ＤＢにおいて、該変更された在庫数を登録する。なお在庫数が変更されていない景品については、記憶内容の更新は行われず、また在庫数がＮＵＬＬである景品についても、記憶内容の更新は行われない。
【０１２８】
また制御部７２は在庫数変更手段の一例であって、在庫数管理手段（景品情報ＤＢ）で管理している在庫数の変更を受け付けるものである。具体的には、図２９のＳ６３に示すように、通信部７１により、配送管理装置８０から遊技場の営業中に送信されてくる前記在庫数変更情報を受信すると、制御部７２により、景品情報ＤＢにおいて、該受信した在庫数変更情報に含まれる景品ＩＤに対応付けて管理している在庫数を、該受信した在庫数変更情報に含まれる変更後の在庫数に変更する。
【０１２９】
また制御部７２は景品表示処理手段の一例であって、前記景品パッケージ選択受付手段（通信部７１）にて選択された景品パッケージに含まれる景品を当該遊技場に設けられる予約端末で表示するための処理と、前記景品更新手段（ディスプレイ７３及び入力装置７４）により更新された景品を予約端末で表示するための処理を行うものであり、ここでは景品情報送信手段として機能する通信部７１により、予約端末に景品を表示するための景品情報を所定期間毎に該予約端末に送信するものである。また景品情報送信手段として機能する通信部７１は、前記予約停止景品受付手段（ディスプレイ７３及び入力装置７４）にて指定を受け付けた予約停止景品の景品情報を除いた景品情報を送信するものである。
【０１３０】
即ち、景品管理装置７０の景品表示処理手段として機能する制御部７２は、景品情報送信手段として機能する通信部７１により、図２９のＳ１３に示すように、各遊技場の予約端末に対して、景品パッケージＤＢで記憶している当該遊技場について選択されている景品パッケージの景品パッケージ情報（ここでは景品パッケージＩＤ，大区分，小区分，景品パッケージ名，パッケージ表示フラグ，及び景品ＩＤ）と、該景品パッケージに含まれる景品から予約停止景品を除いた景品（即ち表示フラグとして１が登録されている表示景品）の景品情報（ここでは景品ＩＤ，大区分，小区分，景品名，詳細情報，交換玉数，及び玉数コード６ｃ）とを、当該遊技場に設けられる予約端末で表示する景品の景品情報（後述する図１６（ａ）に示す表示景品情報）として、遊技場の営業開始前に１日１回送信する処理を行う。
【０１３１】
さらに通信部７１はシンボル出力情報送信手段の一例であって、出力端末であるキオスク端末３０に対して、前記登録必要景品特定手段にて特定した登録必要景品の交換有価価値（交換玉数）に対応する有価価値識別情報（玉数コード６ｃ）を内在する情報記録シンボル（玉数情報バーコード６ｂ）を当該出力端末が出力するためのシンボル出力情報を送信するものであり、ここでは情報記録シンボルと対応付けて当該情報記録シンボルが内在する有価価値識別情報に対応する交換有価価値を視認可能な態様で当該出力端末が出力するための情報を送信するものである。具体的には、シンボル出力情報送信手段として機能する通信部７１は、図２９のＳ１３に示すように、各遊技場のキオスク端末３０に対して、景品情報ＤＢにおいて当該遊技場について出力フラグとして１が登録されている登録必要景品の玉数コード６ｃ及び交換玉数を、シンボル出力情報として、遊技場の営業開始前に１日１回送信する処理を行う。このシンボル出力情報の送信後に、景品情報ＤＢにおいて１として登録されている追加フラグ及び出力フラグは、０として登録される。なお通信部７１及び制御部７２のその他の機能については、図２９以降を参照して後述する。
【０１３２】
次に図１に戻り、残額管理装置６０，会員管理装置６１，計数値管理装置６２，及び計数機６３について説明する。残額管理装置６０は、前記会員カード２又はプリペイドカード４のカードＩＤに対応付けて、遊技媒体であるパチンコ玉の貸与（玉貸処理）に使用される残額を管理するものである。この残額管理装置６０は、玉貸処理が行われたカードユニット２０からカードＩＤと該玉貸処理に使用された額とを含む減算要求を受信すると、該カードＩＤに対応付けて管理している残額から該玉貸処理に使用された額を減算し、価値加算処理が行われた図示しないチャージ機等からカードＩＤと該価値加算処理に供された額とを含む加算要求を受信すると、該カードＩＤに対応付けて管理している残額に該価値加算処理に供された額を加算する。
【０１３３】
会員管理装置６１は、前記会員カード２の会員ＩＤに対応付けて、会員遊技者が獲得した獲得玉が貯蓄されてなる貯玉数を管理するものである。この会員管理装置６１は、貯玉再プレイ処理が行われたカードユニット２０から会員ＩＤを含む貯玉再プレイ情報を受信すると、該会員ＩＤに対応付けて管理している貯玉数から貯玉再プレイ処理に使用された玉数＋手数料に相当する玉数を減算し、減算処理が行われたＰＯＳ端末４０から会員ＩＤと景品交換後の貯玉数とを含む貯玉数更新要求を受信すると、該会員ＩＤに対応付けて管理している貯玉数を該景品交換後の貯玉数に更新する。なお会員管理装置６１は、図示しないが、会員ＩＤに対応付けて、会員登録の際に登録された当該会員遊技者の個人情報（氏名，郵便番号，住所，及び電話番号等）も管理している。
【０１３４】
計数値管理装置６２は、前記計数レシート５に記録される計数ＩＤに対応付けて、計数機６３による獲得玉の計数値を管理するものである。ここで計数機６３において、獲得玉が計数されると、該計数値が計数値管理装置６２に送信され、該計数値管理装置６２において、計数ＩＤが生成されて、該計数ＩＤに対応付けて前記送信されてきた計数値が管理されると共に、該計数ＩＤが計数機６３に返信され、該計数機６３において、前記返信されてきた計数ＩＤと前記計数値等が記録された計数レシート５が発行される。この計数値管理装置６２は、減算処理が行われたＰＯＳ端末４０から計数ＩＤを含む計数値クリア要求を受信すると、該計数ＩＤに対応付けて管理している計数値を消去する。
【０１３５】
次にカードユニット２０について説明する。カードユニット２０は、図１に示すように、遊技機であるパチンコ機１０に対応して（個々では左側に隣接して）設けられ、縦長の箱型の形状を呈するものであり、図１５（ａ）に示すように、その前面に突出部２０ａ，貯玉数表示器２６，貯玉再プレイボタン２７，カード挿入口２３ａ，２３ｂ等を備え、図１５（ｂ）に示すように、その内部に玉貸通信部２１ａ，場内通信部２１ｂ，場外通信部２１ｃ，制御部２２，及びカードＲ／Ｗ２３等を備え、突出部２０ａの右側面（即ち遊技者に向く側）にタッチパネル式のディスプレイ２４，メニューボタン２４ａ，戻るボタン２４ｂ，及び決定ボタン２４ｃを備え、突出部２０ａの内部に予約レシートプリンタ２５を備え、突出部２０ａの下面に予約レシート排出口２５ａを備えており、これらの各構成要素は図１に示すように接続されている。
【０１３６】
このカードユニット２０は、玉貸処理を行う機能を備えるものである。またカードユニット２０は予約端末の一例であって、予約受付手段と予約要求送信手段（予約登録要求送信手段）とを有するものである。またカードユニット２０は景品表示装置の一例であって、表示手段と選択受付手段とを有するものである。またカードユニット２０は景品選択装置の一部を構成するものであって、選択受付手段を有するものである。さらにカードユニット２０は配送要求端末の一部を構成するものであって、選択受付手段と景品配送要求送信手段とを有するものである。
【０１３７】
玉貸通信部２１ａは、図１に示すように、パチンコ機１０の払出制御基板（図示外）と通信可能に接続され、玉貸処理及び貯玉再プレイ処理が行われる場合に、パチンコ機１０とカードユニット２０との間でパチンコ玉の貸与に関する信号のやり取りを行うものである。場内通信部２１ｂは、残額管理装置６０及び会員管理装置６１と通信可能に接続され、カードユニット２０と残額管理装置６０及び会員管理装置６１との間における通信を司るものである。場外通信部２１ｃは、前述の如く、ルータ６４及び図示しないインターネットを介して、景品管理装置７０の通信部７１と通信可能に接続されている。この場外通信部２１ｃの機能については後述する。
【０１３８】
制御部２２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、カードユニット２０に備えられる各構成要素の動作を制御して各種の処理を行うものである。このＥＥＰＲＯＭでは、図１６（ａ）に示す表示景品情報ＤＢを記憶しており、該表示景品情報ＤＢでは、景品管理装置７０の通信部７１から遊技場の営業開始前に１日１回送信されてくる、当該遊技場について選択されている景品パッケージの景品パッケージ情報（ここでは景品パッケージＩＤ，大区分，小区分，景品パッケージ名，パッケージ表示フラグ，及び景品ＩＤ）と、該景品パッケージに含まれる景品から予約停止景品を除いた景品の景品情報（ここでは景品ＩＤ，大区分，小区分，景品名，詳細情報，及び交換玉数）とに基づいて作成される表示景品情報として、景品パッケージＩＤに対応付けて、当該景品パッケージの大区分，小区分，景品パッケージ名，パッケージ表示フラグ，及び景品ＩＤと、各景品ＩＤの大区分，小区分，景品名，詳細情報，及び交換玉数とを記憶している。
【０１３９】
この制御部２２は表示処理手段の一例であって、前記景品の分類区分（大区分，小区分，交換玉数）の各々に対応する区分メニューを表示する区分メニュー表示処理（図１７のＤ２５，Ｄ２６，図１８のＤ２９ａ）と、該区分メニューのいずれかが選択されたことに基づいて、前記景品パッケージ選択受付手段（通信部７１）にて選択された景品パッケージに含まれる景品のうち、前記選択された区分メニューに対応する分類区分が設定されている景品を表示する区分景品表示処理（図１７のＤ２７，図１８のＤ２９ｂ）と、前記景品パッケージ選択受付手段（通信部７１）にて選択された景品パッケージの各々に対応するパッケージメニューを表示するパッケージメニュー表示処理（図１７のＤ２４）と、該パッケージメニューのいずれかが選択されたことに基づいて、該選択されたパッケージメニューに対応する景品パッケージに含まれる景品を表示するパッケージ景品表示処理（図１８のＤ３０）とを行うものである。これら各表示処理の詳細については、図１７〜図１８を参照して後述する。
【０１４０】
また制御部２２は重複表示排除手段の一例であって、前記景品パッケージ選択受付手段（通信部７１）にて複数の景品パッケージが選択されたことに基づき、該選択された複数の景品パッケージに重複して含まれる景品を、前記区分景品表示処理において１つのみ表示させるための重複表示排除処理（図２９のＳ１４）を行うものである。
【０１４１】
ここでは該重複表示排除処理として、景品管理装置７０から受信した景品パッケージ情報と景品情報とを表示景品情報（即ち図１６（ａ）に示す表示景品情報ＤＢの表示景品情報）としてＥＥＰＲＯＭで記憶し、各区分メニューに対応する分類区分が設定されている景品を該記憶した表示景品情報から抽出し、各区分メニューについて抽出した景品のうち重複する景品を特定して、該特定した景品のうち１つを除いて削除し、前記抽出した景品から該削除した景品を除いた景品の景品情報と各区分メニューとを関連付けて図１６（ｂ）に示す区分メニューＤＢで記憶する処理を行う。
【０１４２】
具体的には、前記分類区分である小区分に対応する区分メニュー（例えば「水産物」）については、図１６（ａ）に示す表示景品情報ＤＢで記憶されている景品情報から、該小区分が設定されている景品の景品ＩＤとして、景品パッケージＩＤがＰＸ−００１である景品パッケージ「水産物Ａ」に含まれるＫＸ−０００００１及びＫＸ−０００００２と、景品パッケージＩＤがＰＸ−０１１である景品パッケージ「オススメ食品Ａ」に含まれるＫＸ−０００００１とが抽出され、該抽出した景品ＩＤのうちＫＸ−０００００１が重複する景品の景品ＩＤとして特定されて、該特定された景品ＩＤのうち１つ（ここでは景品パッケージＩＤがＰＸ−００１である景品パッケージから抽出されたＫＸ−０００００１）を除いて削除され、前記抽出した景品ＩＤから該削除した景品ＩＤを除いた景品ＩＤ（即ち１つのＫＸ−０００００１，及びＫＸ−０００００２）の景品情報と、当該区分メニューである小区分「水産物」とが関連付けられて、図１６（ｂ）に示す区分メニューＤＢで記憶される。
【０１４３】
また前記分類区分である交換玉数に対応する区分メニュー（例えば「１５０１〜２０００玉」）については、図１６（ａ）に示す表示景品情報ＤＢで記憶されている景品情報から、該交換玉数が設定されている景品の景品ＩＤとして、景品パッケージＩＤがＰＸ−００１である景品パッケージ「水産物Ａ」に含まれるＫＸ−０００００１と、景品パッケージＩＤがＰＸ−０１１である景品パッケージ「オススメ食品Ａ」に含まれるＫＸ−０００００１と、景品パッケージＩＤがＰＸ−５０２である景品パッケージ「夏期限定フェア」に含まれるＫＸ−０２０４７５とが抽出され、該抽出した景品ＩＤのうちＫＸ−０００００１が重複する景品の景品ＩＤとして特定されて、該特定された景品ＩＤのうち１つ（ここでは景品パッケージＩＤがＰＸ−００１である景品パッケージから抽出されたＫＸ−０００００１）を除いて削除され、前記抽出した景品ＩＤから該削除した景品ＩＤを除いた景品ＩＤ（即ち１つのＫＸ−０００００１，及びＫＸ−０２０４７５）の景品情報と、当該区分メニューである交換玉数「１５０１〜２０００玉」とが関連付けられて、図１６（ｂ）に示す区分メニューＤＢで記憶される。
【０１４４】
これにより、後述する区分景品表示処理においては、区分メニューのいずれかが選択されると、当該区分メニューＤＢにおいて該選択された区分メニューに関連付けられている景品が表示されるので、遊技場が希望する複数の景品パッケージに同一の景品が重複して含まれている場合であっても、該景品が１つのみ表示され、該景品が重複して表示されることがない。
【０１４５】
カードＲ／Ｗ２３は、図９（ｂ）に示すように、カード挿入口２３ａから会員カード２の挿入を受け付けて、該会員カード２のＩＣチップからカードＩＤ及び会員ＩＤを読み取るものであり、またカード挿入口２３ａから景品交換カード３の挿入を受け付けて、該景品交換カード３のＩＣチップから景品会員ＩＤを読み取るものであり、またカード挿入口２３ｂからプリペイドカード４の挿入を受け付けて、該プリペイドカード４のＩＣチップからカードＩＤを読み取るものである。このカードＲ／Ｗ２３により受け付けられた各カードは、パチンコ機１０に設けられた返却ボタン（図示外）が操作されると、排出されて返却される。なおカード挿入口２３ａに会員カード２が挿入されている場合には、カード挿入口２３ｂにプリペイドカード４が挿入されても、該プリペイドカード４が排出され、逆にカード挿入口２３ｂにプリペイドカード４が挿入されている場合には、カード挿入口２３ａに会員カード２が挿入されても、該会員カード２が排出される。即ち会員カード２とプリペイドカード４とが同時に受け付けられないように構成されている。
【０１４６】
このカードＲ／Ｗ２３により会員カード２が受け付けられると、該会員カード２のＩＣチップから読み取ったカードＩＤが残額管理装置６０に送信され、残額管理装置６０において該カードＩＤに対応付けられている残額が返信されてくる。またカードＲ／Ｗ２３によりプリペイドカード４が受け付けられると、該プリペイドカード４のＩＣチップから読み取ったカードＩＤが残額管理装置６０に送信され、残額管理装置６０において該カードＩＤに対応付けられている残額が返信されてくる。これら返信されてきた残額は、制御部２２のＲＡＭで記憶され、該残額が記憶されている状態で、パチンコ機１０に設けられた玉貸ボタン（図示外）が操作されると、パチンコ機１０との間でパチンコ玉の貸与に関する信号のやり取りが行われて、該残額の範囲内で所定額分の玉貸処理が行われ、該所定額分のパチンコ玉がパチンコ機１０から払い出される。そして玉貸処理に使用された額が、制御部２２のＲＡＭで記憶している残額から減算されると共に、残額管理装置６０で管理している残額からも減算される。
【０１４７】
またカードＲ／Ｗ２３により会員カード２が受け付けられると、該会員カード２のＩＣチップから読み取った会員ＩＤが会員管理装置６１に送信され、会員管理装置６１において該会員ＩＤに対応付けられている貯玉数が返信されてくる。この返信されてきた貯玉数は、制御部２２のＲＡＭで記憶されて、貯玉数表示器２６で表示され、該貯玉数が記憶されている状態で、貯玉再プレイボタン２７が操作されると、パチンコ機１０との間でパチンコ玉の貸与に関する信号のやり取りが行われて、該貯玉数の範囲内で所定数分の貯玉再プレイ処理が行われ、該所定数分のパチンコ玉がパチンコ機１０から払い出される。そして貯玉再プレイ処理に使用された玉数と手数料玉数が、制御部２２のＲＡＭで記憶している貯玉数から減算されて、貯玉数表示器２６で表示している貯玉数が減算表示されると共に、会員管理装置６１で管理している貯玉数からも減算される。
【０１４８】
タッチパネル式のディスプレイ２４は、各種の情報を表示する表示デバイスであると共に、各種の情報の入力を受け付ける入力デバイスである。このディスプレイ２４は表示手段の一例であって、ユーザ（遊技者）が所有する有価価値（獲得玉の計数値，貯玉数）と交換可能な複数の景品を表示するものであり、図１７のＤ２７や図１８のＤ２９ｂ及びＤ３０に示す画面表示が、該表示手段としての機能によるものである。またディスプレイ２４は選択受付手段の一例であって、表示手段に表示される景品の中から、遊技者が所有する有価価値との交換を希望する景品の選択を受け付けるものであると共に、該ディスプレイ２４は予約受付手段の一例でもあって、交換を予約する景品の選択を遊技者から受け付けるものであり、図１７のＤ２８に示す画面表示が、該選択受付手段及び予約受付手段としての機能によるものである。またディスプレイ２４は配送先受付手段の一例であって、選択受付手段にて選択された景品の配送先（配送区分）の指定を受け付けるものであり、図１９のＤ３２に示す画面表示が、該配送先受付手段としての機能によるものである。またディスプレイ２４は配送時期受付手段の一例であって、選択受付手段にて選択された景品の配送時期（配送希望日時）の指定を受け付けるものであり、図１９のＤ３４に示す画面表示が、該配送時期受付手段としての機能によるものである。さらにディスプレイ２４は配送先情報受付手段の一例であって、景品の配送先を示す配送先情報の入力を受け付けるものであり、図１７のＤ２３に示す画面表示が、該配送先情報受付手段としての機能によるものである。
【０１４９】
ここで図１７〜図２０を参照して、ディスプレイ２４に表示される画面について説明する。このディスプレイ２４は、遊技者が操作するものである。なお、各画面の表示中において、メニューボタン２４ａが操作されると、Ｄ２１に示すメニュー画面に戻り、戻るボタン２４ｂが操作されると、１つ前の画面に戻る。
【０１５０】
まず初期状態では、図１７のＤ２１に示すメニュー画面が表示される。このＤ２１では、メニューを選択するためのボタンとして、「遊技データ」ボタン，「配送先登録」ボタン，「景品予約」ボタン，及び「ログイン」ボタンが表示される。このＤ２１で、「遊技データ」ボタンが操作されると、遊技データが表示される。
【０１５１】
またＤ２１で、「配送先登録」ボタンを操作したときに、会員カード２又は景品交換カード３を受付中であれば、Ｄ２３で、配送先情報入力画面が表示され、会員カード２又は景品交換カード３を受付中でなければ、Ｄ２２で、会員カード２又は景品交換カード３の挿入を促す画面が表示され、会員カード２又は景品交換カード３が挿入されると、Ｄ２３で、配送先情報入力画面が表示される。このＤ２３は、前述の如く、配送先情報受付手段としての機能により表示される画面であって、配送先情報である氏名，郵便番号，住所，及び電話番号と、暗証番号の入力欄が表示されており、各入力欄に対応する「氏名」ボタン，「郵便番号」ボタン，「住所」ボタン，「電話番号」ボタン，又は「暗証番号」ボタンを操作すると、ソフトキーボードが表示されて、各入力欄への入力が可能となる。
【０１５２】
このＤ２３で、各入力欄に配送先情報（氏名，郵便番号，住所，及び電話番号）と暗証番号を入力して、決定ボタン２４ｃを操作すると、該入力された配送先情報及び暗証番号と、受付中の会員カード２又は景品交換カード３に記録されている配送先特定情報である会員ＩＤ又は景品会員ＩＤとを含む配送先登録要求が、場外通信部２１ｃから景品管理装置７０に対して送信される。この場外通信部２１ｃは配送先特定処理手段の一例であって、配送先情報受付手段により入力を受け付けた配送先情報を、当該カードユニット２０が設けられている遊技場において遊技者に対して発行される配送先記録媒体（会員カード２又は景品交換カード３）に記録される配送先特定情報（会員ＩＤ又は景品会員ＩＤ）から特定可能とするための処理を行うものであり、ここでは該処理として、配送先登録要求を景品管理装置７０に対して送信する。この配送先登録要求を受信した景品管理装置７０では、図１１（ｂ）に示す配送先ＤＢにおいて、当該遊技場のデータテーブルで、該配送先登録要求に含まれる会員ＩＤ又は景品会員ＩＤに対応付けて暗証番号及び配送先情報が登録され、これにより、配送先情報が配送先特定情報から特定可能となる。
【０１５３】
図１７に戻り、Ｄ２１で、「景品予約」ボタンを操作すると、Ｄ２４で、１回の予約で配送先と配送希望日時が同一である複数の景品を予約できる旨が表示され、かつ景品選択の手法を選択するためのボタンとして、「種別から選択」ボタン，「交換玉数から選択」ボタン，及び「キーワード検索」ボタンが表示されると共に、制御部２２のＥＥＰＲＯＭが記憶している景品パッケージ情報に基づいて、パッケージ景品表示処理の対象となる景品パッケージ（即ちパッケージ景品表示フラグが１である景品パッケージ）を示す景品パッケージボタン（ここでは「アイスクリームフェア」ボタン，及び「夏期限定フェア」ボタン）が表示される。このＤ２４において前記パッケージメニューである景品パッケージボタンを表示する処理が、前記パッケージメニュー表示処理である。
【０１５４】
このＤ２４で、「種別から選択」ボタンを操作すると、Ｄ２５で、景品交換システム１において予め定められている大区分を示す大区分ボタンが表示される。このＤ２５で、いずれかの大区分ボタン（ここでは「食料品」ボタン）を操作すると、Ｄ２６で、該操作された大区分ボタンに対応する大区分に属し、景品交換システム１において予め定められている小区分を示す小区分ボタンが表示される。このＤ２５及びＤ２６において前記区分メニューである大区分ボタン及び小区分ボタンを表示する処理が、前記区分メニュー表示処理である。
【０１５５】
このＤ２６で、いずれかの小区分ボタン（ここでは「水産物」ボタン）を操作すると、制御部２２のＥＥＰＲＯＭが記憶している区分メニューＤＢから、該操作された小区分ボタン（即ち区分メニュー）に関連付けられている景品情報が抽出されて、Ｄ２７で、該抽出された景品情報の景品について、景品名と交換玉数を示す景品選択ボタンが表示される。なお一画面に入りきらない場合には、画面右上のスクロールボタンを操作することにより、画面がスクロール表示される。このＤ２７は、前述の如く、表示手段としての機能により表示される画面である。またＤ２７において景品ボタンを表示する処理が、前記区分景品表示処理であり、遊技場が希望する複数の景品パッケージに同一の景品が重複して含まれている場合であっても、該重複が排除されている区分メニューＤＢの記憶に基づいて、当該景品が１つのみが表示されので、該景品が重複して表示されることがない。
【０１５６】
このＤ２７で、いずれかの景品ボタン（ここでは「ずわいがに」ボタン）を操作すると、制御部２２のＥＥＰＲＯＭが記憶している景品情報のうち、該操作された景品ボタンに対応する景品の詳細情報が抽出されて、Ｄ２８で、該抽出された詳細情報が表示されると共に、予約個数を入力するためのプルダウンメニューが表示される。このＤ２８は、前述の如く、選択受付手段及び予約受付手段としての機能により表示される画面である。このＤ２８で、プルダウンメニューを操作して予約個数を入力し、決定ボタン２４ｃを操作すると、図１９のＤ３１に進む。
【０１５７】
図１７に戻り、Ｄ２４で、「交換玉数から選択」ボタンを操作すると、図１８のＤ２９ａで、景品交換システム１において予め定められている交換玉数の区分（ここでは「〜５００玉」，「５０１〜１０００玉」，「１００１〜１５００玉」，「１５０１〜２０００玉」，及び「２００１〜２５００玉」）を示す交換玉数ボタンが表示される。このＤ２９ａにおいて前記区分メニューである交換玉数ボタンを表示する処理が、前記区分メニュー表示処理である。
【０１５８】
このＤ２９ａで、いずれかの交換玉数ボタン（ここでは「１５０１〜２０００玉」ボタン）を操作すると、制御部２２のＥＥＰＲＯＭが記憶している区分メニューＤＢから、該操作された交換玉数ボタン（即ち区分メニュー）に関連付けられている景品情報が抽出されて、Ｄ２９ｂで、該抽出された景品情報の景品について、景品名と交換玉数を示す景品ボタンが表示される。なお一画面に入りきらない場合には、画面右上のスクロールボタンを操作することにより、画面がスクロール表示される。このＤ２９ｂも、前述の如く、表示手段としての機能により表示される画面である。またＤ２９ｂにおいて景品ボタンを表示する処理が、前記区分景品表示処理であり、遊技場が希望する複数の景品パッケージに同一の景品が重複して含まれている場合であっても、該重複が排除されている区分メニューＤＢの記憶に基づいて、当該景品が１つのみが表示されので、該景品が重複して表示されることがない。このＤ２９ｂで、いずれかの景品ボタンを操作すると、前記Ｄ２８に進む。
【０１５９】
なお図１７のＤ２４で、「キーワード検索」ボタンを操作すると、図示しないが、キーワード入力画面が表示され、該画面でキーワードを入力すると、制御部２２のＥＥＰＲＯＭが記憶している表示景品情報ＤＢから、該入力されたキーワードに合致する景品情報が抽出されて、Ｄ２７やＤ２９ｂと同様に、該抽出された景品情報の景品について、景品名と交換玉数を示す景品ボタンが表示される。
【０１６０】
また図１７のＤ２４で、いずれかの景品パッケージボタン（ここでは「アイスクリームフェア」ボタン）が操作されると、制御部２２のＥＥＰＲＯＭが記憶している表示景品情報ＤＢから、該操作された景品パッケージボタンに対応する景品パッケージの景品パッケージＩＤに対応付けられている景品ＩＤの景品情報が抽出されて、図１８のＤ３０で、Ｄ２７やＤ２９ｂと同様に、該抽出された景品情報の景品について、景品名と交換玉数を示す景品ボタンが表示される。このＤ３０において景品ボタンを表示する処理が、前記パッケージ景品表示処理である。これによれば、予約端末において、遊技場が希望する景品パッケージに対応するパッケージメニューが選択されると、該選択されたパッケージメニューに対応する景品パッケージに含まれる景品が表示されるので、景品を選択する方法が増えて、遊技者の利便性が向上する。このＤ３０で、いずれかのボタンを操作すると、前記Ｄ２８に進む。
【０１６１】
図１９のＤ３１では、選択された景品について、景品名，交換玉数，及び予約個数を示す景品ボタンが表示されると共に、「景品予約」ボタン，及び「配送先指定」ボタンが表示される。このＤ３１で、いずれかの景品ボタンを操作すると、図示しないが、該操作されたボタンに対応する景品の選択をキャンセルできるキャンセル画面が表示されて、該画面でキャンセル操作が行われると、当該景品の選択がキャンセルされる。またＤ３１で、「景品予約」ボタンを操作すると、前記Ｄ２４に戻り、更なる景品の選択ができる。さらにＤ３１で、図示しない「メニュー」ボタンを操作すると、該Ｄ３１で表示されている全ての景品ボタンに対応する景品の選択がキャンセルされて、図１７のＤ２１に示すメニュー画面に戻る。
【０１６２】
一方、Ｄ３１で、「配送先指定」ボタンを操作すると、Ｄ３２で、配送先を指定するためのボタンとして、「遊技場」ボタン，及び「自宅」ボタンが表示される。このＤ３２は、前述の如く、配送先受付手段としての機能により表示される画面である。なおＤ３１で、複数の景品が選択されて表示されている場合であっても、本例のＤ３２では、前述の如く、これら複数の景品を一括して予約する１回の予約において、同一の配送先（即ち遊技場又は自宅の何れか）の指定しか受け付けないが、当該予約の後に行う別の予約においては、先の予約における配送先と異なる配送先の指定を受付可能なので、この配送先受付手段として機能するディスプレイ２４は、選択受付手段にて選択された複数の景品について異なる配送先の指定を受付可能なものである。
【０１６３】
このＤ３２で、「遊技場」ボタン又は「自宅」ボタンを操作したときに、会員カード２又は景品交換カード３を受付中であれば、配送先特定情報である会員ＩＤ又は景品会員ＩＤを含む配送先情報要求が、場外通信部２１ｃから景品管理装置７０に対して送信される。この場外通信部２１ｃは配送先特定情報送信手段の一例であって、配送先記録媒体を受け付けたことに基づいて、当該受け付けた配送先記録媒体に記録された配送先特定情報を景品管理装置７０に送信するものである。この配送先情報要求を受信した景品管理装置７０では、図１１（ｂ）に示す配送先ＤＢにおいて、当該遊技場又は当該遊技場とグループ関係にある遊技場のデータテーブルから、該配送先情報要求に含まれる会員ＩＤ又は景品会員ＩＤに対応付けられている配送先情報が抽出され、該抽出された配送先情報がカードユニット２０に返信される。
【０１６４】
この配送先情報を受信したカードユニット２０では、Ｄ３３で、該受信した配送先情報（氏名，郵便番号，住所，及び電話番号）が表示される。このＤ３３で、決定ボタン２４ｃを操作すると、Ｄ３４で、配送希望日時（配送希望日及び配送希望時間帯）の入力欄が表示され、配送希望日の入力欄に対応する「日」ボタンを操作すると、カレンダーが表示されて、配送希望日の入力が可能となり、配送希望時間帯の入力欄に対応する「時間帯」ボタンを操作すると、予め定められた複数の時間帯が表示されて、配送希望時間帯の入力が可能となる。このＤ３４は、前述の如く、配送時期受付手段としての機能により表示される画面である。なおＤ３１で、複数の景品が選択されて表示されている場合であっても、本例のＤ３２では、前述の如く、これら複数の景品を一括して予約する１回の予約において、同一の配送時期の指定しか受け付けないが、当該予約の後に行う別の予約においては、先の予約における配送時期と異なる配送時期の指定を受付可能なので、この配送時期受付手段として機能するディスプレイ２４は、選択受付手段にて選択された複数の景品について異なる配送時期の指定を受付可能なものである。
【０１６５】
このＤ３４で、配送希望日時を入力して、決定ボタン２４ｃを操作すると、Ｄ２８で選択された景品の景品ＩＤ及び予約個数と、Ｄ３２で選択された配送区分（遊技場又は自宅）を示す情報と、ユーザ特定情報である会員ＩＤ又は景品会員ＩＤ及び配送先情報と、配送希望日時を示す情報とを含む予約要求（前記会員予約要求）が、場外通信部２１ｃから景品管理装置７０に対して送信される。
【０１６６】
前記Ｄ３２で、「遊技場」ボタン又は「自宅」ボタンを操作したときに、会員カード２又は景品交換カード３を受付中でなければ、Ｄ３５で、会員カード２又は景品交換カード３の挿入を促す旨が表示されると共に、「手入力」ボタンが表示される。このＤ３５で、会員カード２又は景品交換カード３を挿入すると、Ｄ３２で会員カード２又は景品交換カード３を受付中であった場合と同様にして、Ｄ３３に進む。
【０１６７】
一方、Ｄ３５で、「手入力」ボタンを操作すると、Ｄ３６で、配送先情報である氏名，郵便番号，住所，及び電話番号の入力欄が表示され、各入力欄に対応する「氏名」ボタン，「郵便番号」ボタン，「住所」ボタン，又は「電話番号」ボタンを操作すると、ソフトキーボードが表示されて、各入力欄への入力が可能となる。このＤ３６で、各入力欄に配送先情報を入力して、決定ボタン２４ｃを操作すると、Ｄ３３に進み、該入力された配送先情報が表示される。
【０１６８】
Ｄ３５又はＤ３６から進んだＤ３３で、決定ボタン２４ｃを操作し、該Ｄ３３から進んだＤ３４で、配送希望日時を入力して、決定ボタン２４ｃを操作すると、選択された景品の景品ＩＤ及び予約個数と、Ｄ３２で選択された配送区分（遊技場又は自宅）を示す情報と、ユーザ特定情報である配送先情報と、配送希望日時を示す情報とを含む予約要求（前記ビジタ予約要求）が、場外通信部２１ｃから景品管理装置７０に対して送信される。
【０１６９】
ここで前記予約要求を送信する場外通信部２１ｃは予約要求送信手段（予約登録要求送信手段）の一例であって、予約受付手段（選択受付手段）にて選択された景品を特定可能な景品ＩＤを含む予約要求（予約登録要求）を景品管理装置７０に対して送信するものであり、ここではユーザ特定情報も含む予約要求を送信する。また場外通信部２１ｃは景品配送要求送信手段の一例でもあって、選択受付手段にて選択された景品を特定可能であり、また配送先受付手段にて指定を受け付けた配送先（配送区分）を特定可能であり、また配送時期受付手段にて指定を受け付けた配送時期（配送希望日時）を特定可能であり、かつユーザを特定可能な景品配送要求を送信するものであり、ここでは該景品配送要求の一部として、Ｄ２８で選択された景品の景品ＩＤ及び予約個数と、Ｄ３２で指定された配送区分を示す情報と、Ｄ３４で指定された配送希望日時を示す情報と、ユーザ特定情報（会員カード２又は景品交換カード３を受付中である場合には会員ＩＤ又は景品会員ＩＤ及び配送先情報であり、会員カード２又は景品交換カード３を受付中でない場合にはＤ３６で入力された配送先情報）とを含む前記予約要求を送信する。
【０１７０】
図１７に戻り、Ｄ２１で、「ログイン」ボタンを操作すると、図２０のＤ３７ａで、配送先情報を登録済の会員カード２又は景品交換カード３の挿入を促す旨と、暗証番号の入力欄が表示される。このＤ３７ａで、配送先情報を登録済の会員カード２又は景品交換カード３を挿入し、暗証番号を入力して、決定ボタン２４ｃを操作すると、該挿入された会員カード２又は景品交換カード３から読み取った会員ＩＤ又は景品会員ＩＤと該入力された暗証番号とを含む照合要求が、場外通信部２１ｃから景品管理装置７０に対して送信される。該照合要求を受信した景品管理装置７０では、該照合要求に含まれる暗証番号と、該照合要求に含まれる会員ＩＤ又は景品会員ＩＤに対応付けて図１１（ｂ）に示す配送先ＤＢで記憶されている暗証番号とが照合され、照合ＮＧであれば、照合ＮＧ通知がカードユニット２０に対して返信され、照合ＯＫであれば、照合ＯＫ通知がカードユニット２０に対して返信される。
【０１７１】
該照合ＮＧ通知を受信したカードユニット２０では、再度Ｄ３７ａの画面が表示される。一方、照合ＯＫ通知を受信したカードユニット２０では、Ｄ３７ｂで、会員ログインメニューを選択するためのボタンとして、「予約確認（予約レシート再発行）」ボタン，「配送情報確認」ボタン，「配送先情報変更」ボタン，及び「退会」ボタンが表示される。
【０１７２】
このＤ３７ｂで、「配送先情報変更」ボタンを操作すると、前記Ｄ２３の配送先情報入力画面が表示される。このＤ２３で、各入力欄に変更後の配送先情報（氏名，郵便番号，住所，及び電話番号）と暗証番号を入力して、決定ボタン２４ｃを操作すると、該入力された配送先情報及び暗証番号と、受付中の会員カード２又は景品交換カード３に記録されている会員ＩＤ又は景品会員ＩＤとを含む配送先変更要求が、場外通信部２１ｃから景品管理装置７０に対して送信される。この配送先変更要求を受信した景品管理装置７０では、図１１（ｂ）に示す配送先ＤＢにおいて、当該遊技場のデータテーブルで、該配送先変更要求に含まれる会員ＩＤ又は景品会員ＩＤに対応付けて暗証番号及び配送先情報が登録される。
【０１７３】
またＤ３７ｂで、「退会」ボタンを操作すると、受付中の会員カード２又は景品交換カード３に記録されている会員ＩＤ又は景品会員ＩＤを含む退会要求が、場外通信部２１ｃから景品管理装置７０に対して送信される。この退会要求を受信した景品管理装置７０では、図１１（ｂ）に示す配送先ＤＢにおいて、当該遊技場のデータテーブルで、該退会要求に含まれる会員ＩＤ又は景品会員ＩＤに対応付けて登録されている暗証番号及び配送先情報が削除される。
【０１７４】
またＤ３７ｂで、「予約確認（予約レシート再発行）」ボタンを操作すると、受付中の会員カード２又は景品交換カード３に記録されている会員ＩＤ又は景品会員ＩＤを含む予約確認要求が、場外通信部２１ｃから景品管理装置７０に対して送信される。この予約確認要求を受信した景品管理装置７０では、図１２に示す予約情報ＤＢにおいて、該予約確認要求に含まれる会員ＩＤ又は景品会員ＩＤが記憶されている予約情報（即ち配送情報登録処理が行われていない予約情報）を抽出して、カードユニット２０に対して返信する。この予約情報を受信したカードユニット２０では、Ｄ３７ｃで、各予約情報について、予約ＩＤ，景品名，交換玉数，及び予約個数を示す予約確認ボタンが、予約一覧として表示される。このＤ３７ｃで、いずれかの予約確認ボタンを操作すると、該操作された予約確認ボタンに対応する予約情報に基づいて、予約ＩＤ，景品ＩＤ，景品名，交換玉数，及び予約ＩＤバーコード６ａ等を印刷した図２（ｂ）に示す予約レシート６が、予約レシートプリンタ２５から再発行される。これによれば、配送先情報を登録している遊技者は、配送情報登録処理が行われていない予約情報を確認して、予約レシート６の再発行を受けることができる。
【０１７５】
またＤ３７ｂで、「配送情報確認」ボタンを操作すると、受付中の会員カード２又は景品交換カード３に記録されている会員ＩＤ又は景品会員ＩＤを含む配送情報確認要求が、場外通信部２１ｃから景品管理装置７０に対して送信される。この配送情報確認要求を受信した景品管理装置７０では、図１４に示す配送情報ＤＢにおいて、該配送情報確認要求に含まれる会員ＩＤ又は景品会員ＩＤが記憶されている配送情報を抽出して、カードユニット２０に対して返信する。この配送情報を受信したカードユニット２０では、Ｄ３７ｄで、各配送情報について、予約確定ＩＤ，及び確定日時を示す配送情報確認ボタンが、配送情報一覧として表示される。このＤ３７ｄで、いずれかの配送情報確認ボタンを操作すると、Ｄ３７ｅで、該操作された配送情報確認ボタンに対応する配送情報に基づいて、予約確定ＩＤ，配送区分，配送希望日時，予約ＩＤ，景品名，及び交換玉数が、配送情報詳細として表示される。これによれば、配送先情報を登録している遊技者は、配送情報登録処理が行われている配送情報を確認することができる。
【０１７６】
なお図１７のＤ２１で、「ログイン」ボタンを操作したときに、既に挿入されている会員カード２又は景品交換カード３の暗証番号について照合ＯＫ通知を受信している場合には、Ｄ３７ａを飛ばしてＤ３７ｂに進む。
【０１７７】
図１に戻り、予約レシートプリンタ２５は発行手段の一例であって、図２（ｂ）に示す予約レシート６を印刷し、予約レシート排出口２５ａから排出して発行するものであると共に、予約レシートプリンタ２５は予約識別情報出力手段の一例でもあって、予約内容登録処理にて各景品について割り当てられた予約ＩＤを出力するものであり、ここでは該予約ＩＤを予約レシート６に記録して発行する。即ち予約レシート６は、前述の如く、１つの景品に対して１枚発行されるので、例えば図１９のＤ３１に示すように、３つの景品が選択されている状態で予約が行われた場合には、該３つの景品の各々に対して１枚ずつ発行される。
【０１７８】
次にキオスク端末３０について説明する。キオスク端末３０は、遊技場内の所定箇所（例えば景品交換カウンタの近傍や、パチンコ機１０が配置される遊技島の端部等）に設けられ、図２１に示すように、箱型の形状を呈するものであり、その前面にディスプレイ３４，メニューボタン３４ａ，戻るボタン３４ｂ，決定ボタン３４ｃ，カード挿入口３３ａ，及び予約レシート排出口３５ａ等を備え、その内部に通信部３１，制御部３２，カードＲ／Ｗ３３，及び予約レシートプリンタ３５等を備えており、これらの各構成要素は図１に示すように接続されている。
【０１７９】
このキオスク端末３０は予約端末の一例であって、予約受付手段と予約要求送信手段（予約登録要求送信手段）とを有するものである。またキオスク端末３０は景品表示装置の一例であって、表示手段と選択受付手段とを有するものである。またキオスク端末３０は景品選択装置の一部を構成するものであって、選択受付手段を有するものである。さらにキオスク端末３０は配送要求端末の一部を構成するものであって、選択受付手段と景品配送要求送信手段とを有するものである。このキオスク端末３０は、これら予約端末，景品表示装置，景品選択装置，及び配送要求端末としては、カードユニット２０と同様に機能する。またキオスク端末３０は出力端末の一例であって、出力手段を有するものである。
【０１８０】
通信部３１は、前述の如く、ルータ６４及び図示しないインターネットを介して、景品管理装置７０の通信部７１と通信可能に接続されている。この通信部３１は、場外通信部２１ｃと同様に、配送先特定処理手段，配送先特定情報送信手段，予約要求送信手段（予約登録要求送信手段），及び景品配送要求送信手段として機能する。
【０１８１】
制御部３２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、キオスク端末３０に備えられる各構成要素の動作を制御して各種の処理を行うものである。このＥＥＰＲＯＭでは、制御部２２と同様に、図１６（ａ）に示す表示景品情報ＤＢを記憶している。また制御部３２は、制御部２２と同様に、表示処理手段，及び重複表示排除手段として機能し、ＥＥＰＲＯＭでは、制御部２２と同様に、図１６（ｂ）に示す区分メニューＤＢが記憶される。
【０１８２】
カードＲ／Ｗ３３は、カード挿入口３３ａから会員カード２の挿入を受け付けて、該会員カード２のＩＣチップからカードＩＤ及び会員ＩＤを読み取るものであり、またカード挿入口３３ａから景品交換カード３の挿入を受け付けて、該景品交換カード３のＩＣチップから景品会員ＩＤを読み取るものである。なおカードＲ／Ｗ２３とは異なり、プリペイドカード４の挿入は受け付けない。
【０１８３】
タッチパネル式のディスプレイ３４は、各種の情報を表示する表示デバイスであると共に、各種の情報の入力を受け付ける入力デバイスである。このディスプレイ３４は、ディスプレイ２４と同様に、表示手段，選択受付手段，配送先受付手段，配送時期受付手段，及び配送先情報受付手段として機能し、前記図１７〜図２０と同様の画面が表示される。
【０１８４】
予約レシートプリンタ３５は発行手段の一例であって、予約レシートプリンタ２５と同様に、図２（ｂ）に示す予約レシート６を印刷し、予約レシート排出口３５ａから排出して発行するものであると共に、予約レシートプリンタ３５は予約識別情報出力手段の一例でもあって、予約レシートプリンタ２５と同様に、予約内容登録処理にて各景品について割り当てられた予約ＩＤを出力するものであり、ここでは該予約ＩＤを予約レシート６に記録して発行する。
【０１８５】
また予約レシートプリンタ３５は出力手段の一例であって、景品管理装置７０の前記シンボル出力情報送信手段として機能する通信部７１から前記シンボル出力情報（登録必要景品の玉数コード６ｃ及び交換玉数）を受信したことに基づいて、登録必要景品の交換有価価値（交換玉数）に対応する有価価値識別情報（交換玉数）を内在する情報記録シンボル（玉数情報バーコード６ｂ）をＰＯＳ端末４０にて読取可能な態様で出力するものであり、ここでは該情報記録シンボルと対応付けて当該情報記録シンボルが内在する有価価値識別情報に対応する交換有価価値を視認可能な態様で出力するものである。
【０１８６】
具体的には、図２９のＳ１３に示すように、前記シンボル出力情報を受信すると、同Ｓ１５に示すように、制御部３２は、該受信したシンボル出力情報に含まれる玉数コード６ｃを内在する玉数情報バーコード６ｂを生成し、出力手段として機能する予約レシートプリンタ３５は、図２２に示す玉数情報バーコード一覧８を印刷し、予約レシート排出口３５ａから排出して発行する。この玉数情報バーコード一覧８には、受信したシンボル出力情報に含まれる登録必要景品の各々について、制御部３２により生成された当該登録必要景品に対応する玉数コード６ｃを内在する玉数情報バーコード６ｂと、前記シンボル出力情報に含まれる当該登録必要景品に対応する交換玉数とが対応付けて、一覧形式で記録されている。このように、キオスク端末３０が出力端末の機能を備えるので、出力端末を別途用意する必要が無い。
【０１８７】
次にＰＯＳ端末４０について説明する。ＰＯＳ端末４０は、遊技場内における景品交換カウンタに設けられ、図１に示すように接続される通信部４１，制御部４２，ディスプレイ４３，入力装置４４，及びバーコードリーダ４５等を有するコンピュータであり、図２３に示すような外観を呈する。このＰＯＳ端末４０は減算処理端末の一例であって、カードユニット２０のディスプレイ２４，及びキオスク端末３０のディスプレイ３４（以下、単に「（予約端末の）ディスプレイ」と略記する。）にて選択された景品に相当する有価価値（交換玉数）を遊技者が所有する有価価値（獲得玉の計数値，貯玉数）から減算するための減算処理を行うものであり、ここでは有価価値識別情報（玉数コード６ｃ）及び交換有価価値（交換玉数）の入力を受け付けて、該受け付けた有価価値識別情報と交換有価価値とを対応付けて予め登録しておき、前記記録媒体である予約レシート６の情報記録シンボル（玉数情報バーコード６ｂ）から有価価値識別情報を読み取ると、該読み取った有価価値識別情報に対応付けて登録されている交換有価価値をユーザが所有する有価価値から減算するものである。
【０１８８】
通信部４１は、前述の如く、会員管理装置６１及び計数値管理装置６２と通信可能に接続されている。制御部４２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、ＰＯＳ端末４０に備えられる各構成要素の動作を制御して各種の処理を行うものである。
【０１８９】
この制御部４２のＥＥＰＲＯＭでは、図２４に示す交換玉数ＤＢを記憶している。この交換玉数ＤＢは、前記景品変更手段（通信部７１，ディスプレイ７３及び入力装置７４）における変更の受付前に景品表示装置（カードユニット２０，キオスク端末３０）に表示されていた景品の交換玉数を特定可能な既表示景品価値情報を管理するものであり、景品表示装置に表示される景品（以下、「カタログ景品」と称する。）の交換玉数に対応付けて、該交換玉数毎に付与された玉数コード６ｃが記憶される。この交換玉数ＤＢでは、オペレータの操作により、カタログ景品登録モードが実行され、出力端末であるキオスク端末３０から出力された玉数情報バーコード一覧８に記録されている玉数情報バーコード６ｂが内在する玉数コード６ｃがバーコードリーダ４５で読み取られ、該読み取った玉数情報バーコード６ｂに対応付けて玉数情報バーコード一覧８に記録されている交換玉数が入力装置４４で入力されると、該読み取った玉数コード６ｃと該入力された交換玉数とが対応付けて登録される（図２９のＳ１６）。具体的には、交換玉数ＤＢにおいて、図２４（ａ）に示す内容が記憶されている状態で、図２２に示す玉数情報バーコード一覧８に基づく玉数コード６ｃ及び交換玉数の登録が行われると、図２４（ｂ）に示す内容に変更される。
【０１９０】
また交換玉数ＤＢは、一般景品（即ち景品カウンタの近傍に陳列されている景品）の交換玉数と、各一般景品に付されているバーコードが内在するＪＡＮコードと、各一般景品が属するジャンル（例えば図２４に示す菓子，ＣＤ，食品等）とを、対応付けて記憶するものである。この交換玉数では、オペレータの操作により、一般景品登録モードが実行され、一般景品に付されているバーコードが内在するＪＡＮコードがバーコードリーダ４５で読み取られ、該一般景品の交換玉数及びジャンルが入力装置４４で入力されると、該読み取ったＪＡＮコードと該入力された交換玉数及びジャンルとが対応付けて登録される。
【０１９１】
ディスプレイ４３は、各種の情報を表示する表示デバイスであって、例えば液晶ディスプレイであり、入力装置４４は、各種の情報の入力を受け付ける入力デバイスであって、例えばキーボードやマウスである。バーコードリーダ４５は、計数レシート５に記録されているバーコード５ａ，会員カード２に記録されているバーコード，玉数情報バーコード一覧８に記録されている玉数情報バーコード６ｂ，及び一般景品に付されているバーコードを読み取るものである。
【０１９２】
ここで図２５及び図２６を参照して、ディスプレイ４３に表示される画面について説明する。このＰＯＳ端末４０は、遊技場の店員が操作するものである。まず入力装置４４に設けられている計数レシート読取ボタン（図示外）を操作して、バーコードリーダ４５により計数レシート５のバーコード５ａを読み取ると、該読み取ったバーコード５ａが示す計数ＩＤ及び計数値を含む計数値確認要求が計数値管理装置６２に送信され、該計数値管理装置６２から当該計数値に異常がない旨を示す確認ＯＫ通知を受信すると、前記読み取った計数値が記憶され、Ｄ４１ａで、該計数値が表示されると共に、会員カード２のバーコードの読取又は会員カード無しボタンの操作を促す旨が表示される。このＤ４１ａで、会員カード無しボタンを操作すると、Ｄ４２に進む。
【０１９３】
また入力装置４４に設けられている会員カード読取ボタン（図示外）を操作して、バーコードリーダ４５により会員カード２のバーコードを読み取ると、該読み取ったバーコードが示す会員ＩＤを含む貯玉数要求が会員管理装置６１に送信され、該会員管理装置６１から当該会員ＩＤに対応付けられている貯玉数を含む貯玉数情報を受信すると、該貯玉数情報に含まれる貯玉数が記憶され、Ｄ４１ｂで、該貯玉数が表示されると共に、計数レシート５のバーコード５ａの読取又は計数レシート無しボタンの操作を促す旨が表示される。このＤ４１ｂで、計数レシート無しボタンを操作すると、Ｄ４２に進む。
【０１９４】
前記Ｄ４１ａでバーコードリーダ４５により会員カード２のバーコードを読み取ると、該読み取ったバーコードが示す会員ＩＤを含む貯玉数要求が会員管理装置６１に送信され、該会員管理装置６１から当該会員ＩＤに対応付けられている貯玉数を含む貯玉数情報を受信すると、該貯玉数情報に含まれる貯玉数が記憶され、Ｄ４１ｃに進む。また前記Ｄ４１ｂでバーコードリーダ４５により計数レシート５のバーコード５ａを読み取ると、該読み取ったバーコード５ａが示す計数ＩＤ及び計数値を含む計数値確認要求が計数値管理装置６２に送信され、該計数値管理装置６２から当該計数値に異常がない旨を示す確認ＯＫ通知を受信すると、前記読み取った計数値が記憶され、Ｄ４１ｃに進む。Ｄ４１ｃでは、前記記憶している、計数レシート５のバーコード５ａから読み取った計数値と、受信した貯玉数情報に含まれる貯玉数（現在の貯玉数）が表示される。このＤ４１ｃで、次へボタンを操作すると、Ｄ４２に進む。
【０１９５】
Ｄ４２では、予約レシート６の玉数情報バーコード６ｂの読取，予約レシート６に記録されている玉数コード６ｃの手入力，又は予約レシート無しボタンの操作を促す旨が表示される。このＤ４２で、バーコードリーダ４５により、予約レシート６に記録されている玉数情報バーコード６ｂを読み取ることで、該玉数情報バーコード６ｂが内在する玉数コード６ｃを受け付けるか、又はディスプレイ４３及び入力装置４４により、予約レシート６に記録されている玉数コード６ｃを手入力することで、該玉数コード６ｃを受け付けると、図２４に示す交換玉数ＤＢで該玉数コード６ｃに対応付けて登録されている交換玉数が特定されて、前記記憶している計数値及び／又は貯玉数から該特定された交換玉数が減算され、Ｄ４３で、該交換玉数が表示される。
【０１９６】
このＤ４３で、「続けて読取」ボタンを操作すると、Ｄ４２に戻り、次なる玉数コード６ｃの読取又は手入力が可能となる。またＤ４３で、「読取終了」ボタンを操作すると、図２６（ａ）に示すように、Ｄ４１ａで会員カード無しボタンが操作されている場合にはＤ４４ａに進み、Ｄ４１ｂで計数レシート無しボタンが操作されている場合にはＤ４４ｂに進み、Ｄ４１ｃで次へボタンが操作されている場合にはＤ４４ｃに進む。
【０１９７】
このＤ４４ａでは、前記記憶している計数値と、一又は複数の予約レシート６に対応する交換玉数の合算値と、予約無しの一般景品と交換する場合における追加の交換玉数の入力欄と、計数値から交換玉数（即ち予約レシート６に対応する交換玉数の合算値＋追加の交換玉数）を減算した端玉数の表示欄が表示される。このＤ４４ａで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、追加の交換玉数が加算表示される一方、端玉数が減算表示される。そして、入力装置４４に設けられている確定ボタン（図示外）を操作すると、計数ＩＤを含む計数値クリア要求が、通信部４１から計数値管理装置６２に対して送信される。この通信部４１が、前記減算処理を行う減算処理手段である。この計数値クリア要求を受信した計数値管理装置６２では、該計数値クリア要求に含まれる計数ＩＤに対応付けられている計数値が零にされる。
【０１９８】
またＤ４４ｂでは、前記記憶している貯玉数（現在の貯玉数）と、一又は複数の予約レシート６に対応する交換玉数の合算値と、予約無しの一般景品と交換する場合における追加の交換玉数の入力欄と、現在の貯玉数から交換玉数（即ち予約レシート６に対応する交換玉数の合算値＋追加の交換玉数）を減算した交換後の貯玉数の表示欄が表示される。このＤ４４ｂで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、追加の交換玉数が加算表示される一方、交換後の貯玉数が減算表示される。そして、入力装置４４に設けられている確定ボタン（図示外）を操作すると、会員ＩＤと交換後の貯玉数とを含む貯玉数更新要求が、通信部４１から会員管理装置６１に対して送信される。この通信部４１が、前記減算処理を行う減算処理手段である。この貯玉数更新要求を受信した会員管理装置６１では、該貯玉数更新要求に含まれる会員ＩＤに対応付けられている貯玉数が交換後の貯玉数に更新される。
【０１９９】
またＤ４４ｃでは、前記記憶している計数値，及び貯玉数（現在の貯玉数）と、一又は複数の予約レシート６に対応する交換玉数の合算値と、予約無しの一般景品と交換する場合における追加の交換玉数の入力欄と、計数値と現在の貯玉数との合算値から交換玉数（即ち予約レシート６に対応する交換玉数の合算値＋追加の交換玉数）を減算した交換後の貯玉数の表示欄が表示される。このＤ４４ｃで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、追加の交換玉数が加算表示される一方、交換後の貯玉数が減算表示される。そして、入力装置４４に設けられている確定ボタン（図示外）を操作すると、計数ＩＤを含む計数値クリア要求が、通信部４１から計数値管理装置６２に対して送信されると共に、会員ＩＤと交換後の貯玉数とを含む貯玉数更新要求が、通信部４１から会員管理装置６１に対して送信される。この通信部４１が、前記減算処理を行う減算処理手段である。この計数値クリア要求を受信した計数値管理装置６２では、該計数値クリア要求に含まれる計数ＩＤに対応付けられている計数値が零にされる。また貯玉数更新要求を受信した会員管理装置６１では、該貯玉数更新要求に含まれる会員ＩＤに対応付けられている貯玉数が交換後の貯玉数に更新される。
【０２００】
図２５に戻り、Ｄ４２で、「予約レシート無し」ボタンを操作すると、図２６（ｂ）に示すように、Ｄ４１ａで会員カード無しボタンが操作されている場合にはＤ４５ａに進み、Ｄ４１ｂで計数レシート無しボタンが操作されている場合にはＤ４５ｂに進み、Ｄ４１ｃで次へボタンが操作されている場合にはＤ４５ｃに進む。
【０２０１】
このＤ４５ａでは、前記記憶している計数値と、予約無しの一般景品と交換する場合における交換玉数の入力欄と、計数値から交換玉数を減算した端玉数の表示欄が表示される。このＤ４５ａで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、交換玉数が加算表示される一方、端玉数が減算表示される。そして、入力装置４４に設けられている確定ボタン（図示外）を操作すると、Ｄ４４ａと同様に、計数ＩＤを含む計数値クリア要求が、通信部４１から計数値管理装置６２に対して送信される。
【０２０２】
またＤ４５ｂでは、前記記憶している貯玉数（現在の貯玉数）と、予約無しの一般景品と交換する場合における交換玉数の入力欄と、現在の貯玉数から交換玉数を減算した交換後の貯玉数の表示欄が表示される。このＤ４５ｂで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、交換玉数が加算表示される一方、交換後の貯玉数が減算表示される。そして、入力装置４４に設けられている確定ボタン（図示外）を操作すると、Ｄ４４ｂと同様に、会員ＩＤと交換後の貯玉数とを含む貯玉数更新要求が、通信部４１から会員管理装置６１に対して送信される。この通信部４１が、前記減算処理を行う減算処理手段である。この貯玉数更新要求を受信した会員管理装置６１では、該貯玉数更新要求に含まれる会員ＩＤに対応付けられている貯玉数が交換後の貯玉数に更新される。
【０２０３】
またＤ４４ｃでは、前記記憶している計数値，及び貯玉数（現在の貯玉数）と、予約無しの一般景品と交換する場合における交換玉数の入力欄と、計数値と現在の貯玉数との合算値から交換玉数を減算した交換後の貯玉数の表示欄が表示される。このＤ４５ｃで、バーコードリーダ４５により、一般景品のバーコードを読み取ることで、該バーコードが内在するＪＡＮコードを受け付けると、図２４に示す交換玉数ＤＢで該ＪＡＮコードに対応付けて登録されている交換玉数が特定されて、交換玉数が加算表示される一方、交換後の貯玉数が減算表示される。そして、入力装置４４に設けられている確定ボタン（図示外）を操作すると、Ｄ４４ｃと同様に、計数ＩＤを含む計数値クリア要求が、通信部４１から計数値管理装置６２に対して送信されると共に、会員ＩＤと交換後の貯玉数とを含む貯玉数更新要求が、通信部４１から会員管理装置６１に対して送信される。
【０２０４】
次に予約確定端末５０について説明する。予約確定端末５０は、遊技場内における景品交換カウンタに設けられ、図１に示すように接続される通信部５１，制御部５２，ディスプレイ５３，入力装置５４，バーコードリーダ４５，及び配送レシートプリンタ５６等を有するコンピュータであり、図２７に示すような外観を呈する。
【０２０５】
この予約確定端末５０は、予約識別情報受付手段と景品配送要求送信手段とを有するものである。また予約確定端末５０は景品選択装置の一部を構成するものであって、景品配送要求送信手段を有し、前記減算処理を行うＰＯＳ端末４０と別個に設けられ、該減算処理が行われたか否かに拘わらず、景品配送要求（予約確定要求）を送信する（つまりＰＯＳ端末４０と予約確定端末５０とが連動していない）ものである。このように、予約確定端末５０がＰＯＳ端末４０と別個に設けられ、該ＰＯＳ端末４０と連動していないのは、現状において、ＰＯＳ端末４０はほぼ全ての遊技場に既に設けられており、後付の予約確定端末５０と連動させようとした場合には、ＰＯＳ端末４０側のインターフェイスを改造しなければならないが、複数存在する全てのＰＯＳ端末４０のメーカがインターフェイスの改造に対応するとは限らないし、予約確定端末５０としても各メーカのＰＯＳ端末４０に対応して連動するものを製造するとコストが高くなってしまうからである。さらに予約確定端末５０は配送要求端末の一部を構成するものであって、景品配送要求送信手段と記録媒体発行手段とを有するものである。
【０２０６】
通信部５１は、前述の如く、ルータ６４を介して、景品管理装置７０の通信部７１と通信可能に接続されている。この通信部５１の機能については後述する。制御部５２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、予約確定端末５０に備えられる各構成要素の動作を制御して各種の処理を行うものである。このＥＥＰＲＯＭでは、店員を個々に識別可能な店員識別情報である店員ＩＤと、当該店員の暗証番号とが、対応付けて記憶されている。
【０２０７】
ディスプレイ５３は、各種の情報を表示する表示デバイスであって、例えば液晶ディスプレイであり、入力装置５４は、各種の情報の入力を受け付ける入力デバイスであって、例えばキーボードやマウスである。バーコードリーダ５５は予約識別情報受付手段の一例であって、予約識別情報である予約ＩＤを受け付けるものであり、ここでは予約レシート６に記録されている予約ＩＤバーコード６ａを読み取ることで、該予約ＩＤバーコード６ａが示す予約ＩＤを受け付ける。
【０２０８】
また配送レシートプリンタ５６は、図２（ｃ）に示す配送レシート７を印刷し、配送レシート排出口５６ａから排出して発行するものであると共に、配送レシートプリンタ５６は記録媒体発行手段の一例であって、後述する配送情報通知手段から送信されてきた前記配送情報通知（配送登録完了通知）に含まれる各分類識別情報（予約確定ＩＤ）に対応付けて各分類識別情報に対応する景品の景品情報が視認可能に記録された記録媒体（配送レシート７）を発行するものである。具体的には、配送登録完了通知には、景品の配送元，配送先，及び配送希望日時が同一である景品の分類毎に割り当てられた分類識別情報である予約確定ＩＤと、各予約確定ＩＤに対応する景品を特定可能な情報として、一又は複数の該景品の予約ＩＤ，景品ＩＤ，景品名，交換玉数，及び配送個数と、同一の配送区分，配送先情報，及び配送希望日時とが含まれているので、該配送登録完了通知に含まれる予約確定ＩＤの各々について、当該予約確定ＩＤと、当該予約確定ＩＤに対応する一又は複数の景品の予約ＩＤ，景品ＩＤ，景品名，交換玉数，及び配送個数と、同一の配送区分，配送先情報，配送希望日時，及び問い合わせ先とを配送レシート７に記録して発行する。即ち配送レシート７は、１つの予約確定ＩＤに対して１枚発行されるので、配送登録完了通知に４つの予約確定ＩＤが含まれている場合には、該４つの予約確定ＩＤの各々に対して１枚ずつ発行される。
【０２０９】
ここで図２８を参照して、ディスプレイ５３に表示される画面について説明する。この予約確定端末５０は、遊技場の店員が操作するものである。まず初期状態では、Ｄ５１に示すログイン画面が表示される。このＤ５１では、当該予約確定端末５０を操作する店員の店員ＩＤと暗証番号の入力欄が表示されており、該店員が入力装置５４を操作して、店員ＩＤと暗証番号を入力してログインボタン（図示外）を操作すると、該入力された店員ＩＤ及び暗証番号と、制御部５２のＥＥＰＲＯＭで記憶している店員ＩＤ及び暗証番号とが照合され、照合ＯＫであれば、Ｄ５２に示すメニュー画面が表示される。このＤ５２では、メニューを選択するためのボタンとして、「景品パッケージ選択」ボタン，「景品配送（予約確定）」ボタン，及び「配送取消」ボタンが表示される。
【０２１０】
このＤ５２で、「景品パッケージ選択」ボタンを操作すると、景品管理装置７０に対して、図９に示す景品パッケージＤＢで記憶（設定）されている景品パッケージ情報の送信が要求され、該景品管理装置７０から、景品パッケージＤＢで記憶（設定）されているすべての景品パッケージについて、景品提供業者，景品パッケージＩＤ，及び景品パッケージ名とを受信すると、それらが一時的に記憶されて、Ｄ５３に示す画面が表示される。このＤ５３では、前記記憶している景品提供業者を示す景品提供業者ボタンが表示される。このＤ５３で、遊技場が希望する景品提供業者に対応する景品提供業者ボタン（ここではＸ社）を操作すると、Ｄ５４で、前記記憶している景品パッケージのうち、該操作された景品提供業者ボタンに対応する景品提供業者が提供する景品パッケージの景品パッケージ名を示す景品パッケージボタンが表示される。
【０２１１】
このＤ５４で、遊技場が希望する景品パッケージに対応する景品パッケージボタンを操作すると、景品管理装置７０に対して、該操作された景品パッケージボタンに対応する景品パッケージの景品パッケージＩＤが送信され、該景品管理装置７０から、当該景品パッケージＩＤに対応付けて図９に示す景品パッケージＤＢで登録されている景品ＩＤの全景品（即ち景品パッケージに含まれる全景品）について、図８に示す景品情報ＤＢから抽出した景品名，交換玉数，及び予約停止フラグを示す景品リストを受信すると、Ｄ５５に示す画面で、該受信した景品リストが表示される。
【０２１２】
このＤ５５で、入力装置に設けられている決定ボタンを操作すると、Ｄ５３で操作されたボタンに対応する景品提供業者及びＤ５３で操作されたボタンに対応する景品パッケージ（即ち遊技場が希望する景品提供業者及び景品パッケージ）の景品パッケージＩＤを含み、当該景品パッケージを選択する旨の景品パッケージ登録要求が、景品管理装置７０に対して送信される。このように、遊技場は、景品の種別や交換玉数から検索可能な景品を含む景品パッケージ（例えば「水産物Ａ」，「オススメ食品Ａ」，「得々景品Ａ」等）と、パッケージ景品表示処理の対象となる景品パッケージ（例えば「アイスクリームフェア」，「夏期限定フェア」等）の両方から、希望する景品パッケージを選択することができる。
【０２１３】
前記Ｄ５２で、「景品配送（予約確定）」ボタンを操作すると、Ｄ５６に示す画面が表示される。このＤ５６では、予約レシート６の予約ＩＤバーコード６ａの読取，又は予約レシート６に記録されている予約ＩＤの手入力を促す旨が表示される。このＤ５６で、前記予約識別情報受付手段であるバーコードリーダ５５により、予約レシート６に記録されている予約ＩＤバーコード６ａを読み取ることで、該予約ＩＤバーコード６ａが示す予約ＩＤを受け付けるか、又は前記予約識別情報受付手段であるディスプレイ５３及び入力装置５４により、予約レシート６に記録されている予約ＩＤを手入力することで、該予約ＩＤを受け付けると、景品管理装置７０に対して、該受け付けた予約ＩＤを含む予約情報要求が送信され、該景品管理装置７０から、当該予約情報要求に含まれる予約ＩＤに対応付けて図１２に示す予約情報ＤＢで登録されている予約情報（景品ＩＤ，景品名，交換玉数，予約個数，配送区分，配送先情報，及び配送希望日時）を受信すると、Ｄ５７に示す画面で、該受信した予約情報が表示される。
【０２１４】
このＤ５７で、「続けて読取」ボタンを操作すると、Ｄ５６で受け付けられた予約ＩＤが一時的に記憶されて、Ｄ５６に戻り、次なる予約ＩＤの読取又は手入力が可能となる。このＤ５７における「続けて読取」ボタンの操作とＤ５６における予約ＩＤの受付を繰り返すと、該受け付けられた複数の予約ＩＤが一時的に記憶される。またＤ５７で、「読取終了」ボタンを操作すると、前記記憶されている一又は複数の予約ＩＤと、Ｄ５１で入力された店員ＩＤとを含む予約確定要求が、通信部５１から景品管理装置７０に対して送信される。
【０２１５】
この通信部５１は景品配送要求送信手段（提供要求送信手段）の一例であって、選択受付手段にて選択された景品を特定可能であり、また配送先受付手段にて指定を受け付けた配送先（配送区分）を特定可能であり、また配送時期受付手段にて指定を受け付けた配送時期（配送希望日時）を特定可能であり、かつユーザ（遊技者）を特定可能な景品配送要求を送信するものであり、ここでは予約識別情報受付手段にて受け付けた予約ＩＤを含む景品配送要求である予約確定要求を、景品管理装置７０に対して送信するものである。ここで予約識別情報受付手段にて受け付けた予約ＩＤを含む景品配送要求が、前記選択された景品，前記指定を受け付けた配送先，前記指定を受け付けた配送時期，及びユーザを特定可能であるのは、当該予約ＩＤを含む景品配送要求を受信した景品管理装置７０において、図１２に示す予約情報ＤＢで、当該予約ＩＤに対応付けて、それらが既に登録されているからである。また通信部５１は店員識別情報送信手段の一例であって、当該予約確定端末５０を操作する店員を識別可能な店員ＩＤを（ここでは予約確定要求に含めて）景品管理装置７０に送信するものである。
【０２１６】
前記Ｄ５２で、「配送取消」ボタンを操作すると、景品管理装置７０に対して、図１４に示す配送情報ＤＢで当該遊技場のデータテーブルに記憶されている配送情報の送信が要求され、該景品管理装置７０から、該配送情報（予約確定ＩＤ，確定日時，店員ＩＤ，予約ＩＤ，景品ＩＤ，景品名，交換玉数，配送個数，配送区分，配送先情報，及び配送希望日時）を受信すると、Ｄ５８に示す画面で、該受信した配送情報が表示される。このＤ５８で、取消を希望する配送情報をクリックして選択すると、該配送情報の予約確定ＩＤを含む配送取消要求が、通信部５１から景品管理装置７０に対して送信される。
【０２１７】
なお、図示しないが、遊技場に設けられ、景品管理装置７０と通信可能なパソコンにおいても、予約確定端末５０と同様に、景品パッケージの選択を受け付けることが可能であると共に、取消を希望する提供情報（配送情報）の指定を受け付けることが可能である。
【０２１８】
具体的には、該パソコンにおいて、図２８のＤ５１に示すのと同様のログイン画面が表示されている状態で、店員が入力装置を操作して、店員ＩＤと暗証番号を入力してログインボタン（図示外）を操作すると、該入力された店員ＩＤ及び暗証番号と、パソコンの制御部のＥＥＰＲＯＭで記憶している店員ＩＤ及び暗証番号とが照合され、照合ＯＫであれば、Ｄ５２に示すのと略同様のメニュー画面（以下、説明の便宜上、「Ｄ５２’」と称する。）が表示される。このＤ５２’では、メニューを選択するためのボタンとして、「景品パッケージ選択」ボタン，及び「配送取消」ボタン（つまりＤ５２から「景品配送（予約確定）」ボタンを除いたもの）が表示される。
【０２１９】
このＤ５２’で「景品パッケージ選択」ボタンを操作すると、予約確定端末５０において前記Ｄ５２で「景品パッケージ選択」ボタンを操作したのと同様の処理（Ｄ５３〜Ｄ５５）が、当該パソコンにおいて行われて、Ｄ５３で操作されたボタンに対応する景品提供業者及びＤ５３で操作されたボタンに対応する景品パッケージ（即ち遊技場が希望する景品提供業者及び景品パッケージ）の景品パッケージＩＤを含み、当該景品パッケージを選択する旨の景品パッケージ登録要求が、景品管理装置７０に対して送信される。またＤ５２’で「配送取消」ボタンを操作すると、予約確定端末５０において前記Ｄ５２で「配送取消」ボタンを操作したのと同様の処理（Ｄ５８）が、当該パソコンにおいて行われて、Ｄ５８で選択された配送情報の予約確定ＩＤを含む配送取消要求が、景品管理装置７０に対して送信される。
【０２２０】
次に、図２９〜図４１を参照して、第１実施形態に係る景品交換システム１の作用について説明する。以下においては、図２９をメインにして、各装置が行うサブルーチンを織り交ぜながら、景品交換システム１の作用について説明する。
【０２２１】
まず景品交換システム１は、前提として、図２９に示すＳ０１〜Ｓ０７の処理を行う。具体的には、配送管理装置８０は、図４（ａ）に示す景品情報ＤＢで記憶している景品情報，及び図４（ｂ）に示す景品パッケージＤＢで記憶している景品パッケージ情報を、景品管理装置７０に対して送信し（Ｓ０１）、該景品管理装置７０は、受信した景品情報を図８に示す景品情報ＤＢで記憶すると共に、前記景品パッケージ設定手段である制御部７２により、受信した景品パッケージ情報を図９に示す景品パッケージＤＢで記憶する（Ｓ０２）。
【０２２２】
また景品管理装置７０は、図６（ａ）に示すように、前記景品パッケージ設定手段であるディスプレイ７３及び入力装置７４により、景品パッケージが設定されると、該設定された景品パッケージの景品パッケージ情報を、図９に示す景品パッケージＤＢで記憶すると共に、図６（ｂ）に示すように、前記景品パッケージ更新手段であるディスプレイ７３及び入力装置７４により、設定された景品パッケージに含まれる景品が更新されると、該更新された景品を、図９に示す景品パッケージＤＢで記憶する（Ｓ０３）。これによれば、景品管理装置７０において、景品の交換状況等に応じて、景品パッケージに含まれる景品を更新することができるので、景品交換をより促進することができる。なおＳ０３では、景品情報ＤＢにおいて、更新された景品のうち、削除された景品の景品ＩＤに対応付けて、前記景品パッケージが選択されている遊技場について、表示フラグとして０（即ち当該景品が表示景品でない旨）を登録すると共に、追加された景品の景品ＩＤに対応付けて、前記景品パッケージが選択されている遊技場について、表示フラグ及び追加フラグとして１（即ち当該景品が表示景品及び追加景品である旨）を登録する。
【０２２３】
また予約確定端末５０は、図２８のＤ５３〜Ｄ５５に示すように、遊技場が希望する景品提供業者及び景品パッケージの選択を受け付けると（Ｓ０４）、該選択された景品パッケージの景品パッケージＩＤを含む景品パッケージ登録要求を、景品管理装置７０に対して送信し（Ｓ０５）、該景品管理装置７０は、前記景品パッケージ選択受付手段である通信部７１により、該景品パッケージ登録要求を受信して、図９に示す景品パッケージＤＢにおいて、該景品パッケージ登録要求に含まれる景品パッケージＩＤに対応する当該遊技場の景品パッケージ選択フラグとして１を登録する（Ｓ０６）。これによれば、景品管理装置７０において、遊技場が希望する景品提供業者の景品パッケージの選択を受け付けることができるので、景品交換をより促進することができる。なおＳ０６では、景品情報ＤＢにおいて、前記選択された景品パッケージに含まれる各景品の景品ＩＤに対応付けて、当該景品パッケージが選択された遊技場について、表示フラグ及び追加フラグとして１（即ち当該景品が表示景品及び追加景品である旨）を登録する。
【０２２４】
そして景品管理装置７０は、前記登録必要景品特定手段である制御部７２により、前述の如く、図３０に示す登録必要景品特定処理を行う（Ｓ０７）。
【０２２５】
次に景品交換システム１は、遊技場の営業開始前に、図２９に示すＳ１１〜Ｓ１６の処理を行う。具体的には、配送管理装置８０は、図４（ａ）に示す景品情報ＤＢで記憶している景品情報のうち、新たに追加された景品と在庫数が変更された景品の景品情報を、在庫数情報として、景品管理装置７０に対して送信し（Ｓ１１）、該景品管理装置７０は、前記在庫数情報受付手段である通信部７１により、該在庫数情報を受信して、前記在庫数登録手段である制御部７２により、図８に示す景品情報ＤＢにおいて、該在庫数情報が示す在庫数を登録して更新する（Ｓ１２）。これによれば、景品管理装置７０において、受け付けた在庫数情報に基づいて在庫数の登録が行われるので、該登録作業の負担が軽減される。なお、在庫数がＮＵＬＬである景品については、在庫数を登録する必要がないので、登録作業の負担がさらに軽減される。また景品管理装置７０は、景品情報ＤＢで在庫数を登録して更新すると、前述の如く、図１３に示す上限値ＤＢにおいて、個別上限値を更新する（同Ｓ１２）。
【０２２６】
また景品管理装置７０は、前記景品表示処理手段である制御部７２及び前記景品情報送信手段である通信部７１により、当該遊技場について選択された景品パッケージの景品パッケージ情報（ここでは景品パッケージＩＤ，大区分，小区分，景品パッケージ名，パッケージ表示フラグ，及び景品ＩＤ）と、該景品パッケージに含まれる景品から予約停止景品を除いた景品の景品情報（ここでは景品ＩＤ，大区分，小区分，景品名，詳細情報，交換玉数，及び玉数コード６ｃ）とを、当該遊技場に設けられる予約端末で表示する景品の景品情報として、予約端末に対して送信し（Ｓ１３）、該予約端末（カードユニット２０及びキオスク端末３０）は、前記重複景品排除処理を行う（Ｓ１４）。これによれば、景品管理装置７０において、予め設定された複数の景品パッケージのうち、遊技場が希望する景品パッケージの選択を受け付け、該選択された景品パッケージに含まれる景品が当該遊技場に設けられる予約端末で表示するための処理が行われるので、遊技場の客層や土地柄や季節に応じて、該遊技場が希望する景品を提供でき、遊技者に対して景品交換を促進することができると共に、遊技場が希望する複数の景品パッケージに同一の景品が重複して含まれている場合であっても、該景品が１つのみ表示されるので、該景品が重複して表示されることがない。また景品管理装置７０から予約端末に送信される景品情報から、予約停止景品の景品情報が除かれ、予約端末において、該景品情報を受信した後は、予約停止景品を選択できなくなるので、遊技者による無駄な操作が無くなり、遊技者の利便性を向上できる。
【０２２７】
また景品管理装置７０は、シンボル出力情報送信手段である通信部７１により、登録必要景品（即ち景品情報ＤＢにおいて出力フラグとして１が登録されている景品）の玉数コード６ｃ及び交換玉数を、シンボル出力情報として、キオスク端末３０に対して送信する（Ｓ１３）。このシンボル出力情報を受信したキオスク端末３０は、該シンボル出力情報を受信した旨を報知し、オペレータにより該報知に基づいて一覧出力ボタン（図示外）が操作されると、出力手段である予約レシートプリンタ３５により、受信したシンボル出力情報に含まれる登録必要景品の各々について、当該登録必要景品に対応する玉数コード６ｃを内在する玉数情報バーコード６ｂと当該登録必要景品に対応する交換玉数とが対応付けて一覧形式で記録されている、図２２に示す玉数情報バーコード一覧８を出力する（Ｓ１５）。そしてＰＯＳ端末４０は、オペレータの操作によって、該玉数情報バーコード一覧８に記録されている玉数情報バーコード６ｂが内在する玉数コード６ｃがバーコードリーダ４５による読み取られ、該玉数情報バーコード一覧８に記録されている交換玉数が視認されて入力装置４４により入力されると、該読み取った玉数コード６ｃと入力された交換玉数とを、図２４に示す交換玉数ＤＢで対応付けて登録する（Ｓ１６）。
【０２２８】
これによれば、景品表示装置（カードユニット２０，キオスク端末３０）に表示される景品が変更されたときに、ＰＯＳ端末４０にて登録する必要がある登録必要景品の交換玉数に対応する玉数コード６ｃを内在する玉数情報バーコード６ｂがキオスク端末３０において出力されることにより、該出力される玉数情報バーコード６ｂをＰＯＳ端末４０において読み取ることで、該玉数情報バーコード６ｂが内在する玉数コード６ｃを容易に登録することができるので、玉数コード６ｃと交換玉数とを対応付けて登録する登録作業の負担が軽減される。また玉数情報バーコード６ｂが内在する玉数コード６ｃに対応する交換玉数が視認可能な態様でキオスク端末３０において出力されることにより、該交換玉数を容易に把握することができるので、玉数コード６ｃと交換玉数とを対応付けて登録する登録作業の負担がさらに軽減される。
【０２２９】
また景品表示装置において既に表示されていた景品と交換玉数が同じである景品（本例では、図８の景品情報ＤＢにおいて、景品ＩＤがＫＸ−０００５０１である景品「アイスＡ」）は、当該交換玉数に対応する玉数コード６ｃが既にＰＯＳ端末４０で登録されているはずであるため、登録必要景品として特定されないことにより、該景品の交換玉数に対応する玉数コード６ｃを内在する玉数情報バーコード６ｂはキオスク端末３０において出力されないので、無駄な登録作業が無くなる。
【０２３０】
次に景品交換システム１は、遊技場の営業中に、図２９に示すＳ２１〜Ｓ６４の処理を行う。まず予約端末は、図３１に示す配送先登録処理を行う（Ｓ２１）。この予約端末は、図１７のＤ２１に示すメニュー画面で、「配送先登録」ボタンが操作されると、図３１に示すように、会員カード２又は景品交換カード３を受付中であるか否かを判定する（Ｓ１０１）。このＳ１０１で会員カード２又は景品交換カード３を受付中である（ＹＥＳ）と判定された場合には、Ｓ１０４に進む。一方、Ｓ１０１で会員カード２又は景品交換カード３を受付中でない（ＮＯ）と判定された場合には、図１７のＤ２２に示す画面をディスプレイに表示して（Ｓ１０２）、会員カード２又は景品交換カード３の受付を待機し（Ｓ１０３）、会員カード２又は景品交換カード３の受付が有ると（ＹＥＳ）、Ｓ１０４に進む。
【０２３１】
Ｓ１０４では、受付中の会員カード２から読み取った会員ＩＤ又は受付中の景品交換カード３から読み取った景品会員ＩＤを、景品管理装置７０に対して送信する。この会員ＩＤ又は景品会員ＩＤを受信した景品管理装置７０は、図１１（ｂ）に示す配送先ＤＢで、該会員ＩＤ又は景品会員ＩＤに対応付けて配送先情報が登録されているか否かを判定し、配送先情報が登録されていなければ、配送先未登録通知通知を予約端末に対して返信し、配送先情報が登録されていれば、配送先登録済通知を予約端末に対して返信する。
【０２３２】
Ｓ１０４の処理を行った予約端末は、該景品管理装置７０から送信されてくる配送先未登録通知（Ｓ１０５）又は配送先情報（Ｓ１０６）の受信を待機する。このＳ１０６で配送先情報の受信が有ると（ＹＥＳ）、該受信した配送先情報を表示すると共に、該配送先情報を変更するか否かの指定を受け付ける画面（図示外）をディスプレイに表示して（Ｓ１０７）、この画面で配送先情報を変更する旨の指定の受付があるか否かを判定する（Ｓ１０８）。このＳ１０８で配送先情報を変更する旨の指定の受付が無かった（ＮＯ）と判定された場合には、受付中の会員カード２又は景品交換カード３を返却して（Ｓ１０９）、処理を終了する。一方、Ｓ１０５で配送先未登録通知の受信が有るか（ＹＥＳ）、又はＳ１０８で配送先情報を変更する旨の指定の受付が有った（ＹＥＳ）と判定された場合には、図１７のＤ２３に示す画面をディスプレイに表示して（Ｓ１１０）、前記配送先情報受付手段であるディスプレイにより、配送先情報の入力を待機する（Ｓ１１１）。
【０２３３】
このＳ１１１で配送先情報の入力が有る（ＹＥＳ）と判定された場合には、前記配送先特定処理手段である通信部により、該入力された配送先情報と、受付中の会員カード２又は景品交換カード３に記録されている配送先特定情報である会員ＩＤ又は景品会員ＩＤとを含む配送先登録要求を、景品管理装置７０に対して送信し（Ｓ１１２）、受付中の会員カード２又は景品交換カード３を返却して（Ｓ１１３）、処理を終了する。
【０２３４】
Ｓ１１２の配送先登録要求を受信した景品管理装置７０は、図１１（ｂ）に示す配送先ＤＢにおいて、該受信した配送先登録要求に含まれる会員ＩＤ又は景品会員ＩＤに対応付けて配送先情報を登録する（図２９のＳ２２）。
【０２３５】
図２９に戻り、予約端末は、図３２に示す予約受付処理を行う（Ｓ３１）。この予約端末は、図１７のＤ２１に示すメニュー画面で、「景品予約」ボタンが操作されると、図３２に示すように、図１７のＤ２４〜図１９のＤ３１に示す画面をディスプレイに表示して（Ｓ２０１）、Ｄ３１で表示される「配送先指定」ボタンの操作を待機する（Ｓ２０２）。このＳ２０２で「配送先指定」ボタンの操作が有ると（ＹＥＳ）、図１９のＤ３２に示す画面をディスプレイに表示して（Ｓ２０３）、Ｄ３２で表示される「遊技場」ボタンの操作（Ｓ２０４）又は「自宅」ボタンの操作（Ｓ２０５）を待機する。
【０２３６】
このＳ２０４で「遊技場」ボタンの操作，又はＳ２０５で「自宅」ボタンの操作が有ると（ＹＥＳ）、会員カード２又は景品交換カード３を受付中であるか否かを判定する（Ｓ２０６）。このＳ２０６で会員カード２又は景品交換カード３を受付中である（ＹＥＳ）と判定された場合には、前記配送先特定情報送信手段である通信部により、該受付中の会員カード２又は景品交換カード３に記録されている配送先特定情報である会員ＩＤ又は景品会員ＩＤを含む配送先情報要求を、景品管理装置７０に対して送信して（Ｓ２０７）、該景品管理装置７０から送信されてくる配送先情報（Ｓ２０８）又は使用不可通知（Ｓ２０９）の受信を待機する。
【０２３７】
このＳ２０９で使用不可通知の受信が有ると（ＹＥＳ）、受付中の会員カード２又は景品交換カード３が使えない旨をディスプレイに表示してから（Ｓ２１８）、後述するＳ２１９に進む。またＳ２０８で配送先情報の受信が有ると（ＹＥＳ）、図１９のＤ３３に示す画面をディスプレイに表示して（Ｓ２１０）、確認操作（決定ボタン２４ｃの操作）を待機し（Ｓ２１１）、このＳ２１１で確認操作が有ると（ＹＥＳ）、図１９のＤ３４に示す画面をディスプレイに表示して（Ｓ２１２）、配送希望日時の入力を待機し（Ｓ２１３）、このＳ２１３で配送希望日時の入力が有ると（ＹＥＳ）、前記予約要求送信手段である通信部により、選択された景品の景品ＩＤと、配送区分が遊技場又は自宅である旨を示す情報と、ユーザ特定情報である会員ＩＤ又は景品会員ＩＤ及び配送先情報と、配送希望日時を示す情報とを含む予約要求を、景品管理装置７０に対して送信して（Ｓ２１４）、Ｓ２２１に進む。これによれば、前記図３１に示すように、予約端末において、配送先情報を入力して、該配送先情報を配送先記録媒体から特定可能としておけば、該配送先記録媒体から特定される配送先情報の配送先に景品が配送される（ここでは該配送先に景品が配送されるように予約が行われる）ので、何度も配送先情報を入力する必要がなくなり、遊技者の利便性が向上する。
【０２３８】
前記Ｓ２０６で会員カード２又は景品交換カード３を受付中でない（ＮＯ）と判定された場合には、図１９のＤ３５に示す画面をディスプレイに表示して（Ｓ２１５）、会員カード２又は景品交換カード３の受付（Ｓ２１６）又はＤ３５で表示される「手入力」ボタンの操作（Ｓ２１７）を待機する。このＳ２１６で会員カード２又は景品交換カード３の受付が有ると（ＹＥＳ）、前記Ｓ２０７に進む。またＳ２１７で「手入力」ボタンの操作が有ると（ＹＥＳ）、図１９のＤ３６に示す画面をディスプレイに表示して（Ｓ２１９）、配送先情報の入力を待機し（Ｓ２２０）、配送先情報の入力が有ると（ＹＥＳ）、前記Ｓ２１０〜Ｓ２１３の処理を行い、前記予約要求送信手段である通信部により、選択された景品の景品ＩＤと、配送区分が遊技場又は自宅である旨を示す情報と、ユーザ特定情報である配送先情報と、配送希望日時を示す情報とを含む予約要求を、景品管理装置７０に対して送信して（Ｓ２１４）、Ｓ２２１に進む。
【０２３９】
Ｓ２１４で予約要求を景品管理装置７０に対して送信すると、該景品管理装置７０から送信されてくる予約登録完了通知（Ｓ２２１），予約停止情報（Ｓ２２２），在庫零通知（Ｓ２２３），又は上限値超え通知（Ｓ２２４）の受信を待機する。
【０２４０】
このＳ２２１で予約登録完了通知の受信が有ると（ＹＥＳ）、該予約登録完了通知に含まれる１つの予約ＩＤ，景品ＩＤ，景品名，交換玉数，及び予約個数を記録した予約レシート６を発行して（Ｓ２２５）、Ｓ２２９に進む。このように、遊技者により予約された複数の景品の各々について予約ＩＤが割り当てられて、該予約ＩＤが出力（即ち該予約ＩＤを記録した予約レシート６が発行）されることにより、当該複数の景品のうち一部の景品の予約確定をやめたい場合には、予約確定させたい景品の予約ＩＤのみを予約確定端末５０で受け付けるようにすれば良いので、一旦予約を取り消して再度予約をやり直すという手間が省ける。
【０２４１】
またＳ２２２で予約停止情報の受信が有ると（ＹＥＳ）、該予約停止情報に含まれる景品ＩＤの景品が予約停止景品である旨をディスプレイに表示して（Ｓ２２６）、Ｓ２２９に進む。またＳ２２３で在庫零通知の受信が有ると（ＹＥＳ）、該在庫零通知に含まれる景品ＩＤの景品の在庫がない旨をディスプレイに表示して（Ｓ２２７）、Ｓ２２９に進む。
【０２４２】
Ｓ２２９では、予約要求に含まれる全ての景品ＩＤについての予約登録完了通知，予約停止情報，又は在庫零通知の受信を待機し、該受信が有ると（ＹＥＳ）、処理を終了する。さらにＳ２２４で上限値超え通知の受信が有ると（ＹＥＳ）、予約可能な上限値を超えている旨をディスプレイに表示して（Ｓ２２８）、処理を終了する。
【０２４３】
図２９に戻り、景品管理装置７０は、Ｓ３１の予約受付処理と関連して、図３３に示す予約内容登録処理を行う（Ｓ３２）。この景品管理装置７０は、予約端末から送信されてくる、予約要求の受信（Ｓ３０１），又は配送先情報要求の受信（Ｓ３０２）を待機する。このＳ３０２で配送先情報要求の受信が有ると（ＹＥＳ）、該配送先情報要求に含まれる会員ＩＤ又は景品会員ＩＤに含まれる遊技場ＩＤと、該予約端末が設けられる遊技場の遊技場ＩＤとが、図１１（ａ）に示すグループ店ＤＢで同一グループに属する遊技場ＩＤとして登録されているか否かを判定する（Ｓ３０３）。このＳ３０３の判定を行う制御部７２は、予約端末で受け付けた会員カード２又は景品交換カード３を発行した遊技場と、当該予約端末が設けられる遊技場とが、予め定められたグループ関係にあるグループ店であるか否かを判定するグループ店判定を行うグループ店判定手段として機能するものである。
【０２４４】
このＳ３０３で両遊技場が同一グループに属する遊技場でない（ＮＯ）と判定された場合には、使用不可通知を予約端末に対して返信して（Ｓ３０４）、処理を終了する。一方、Ｓ３０３で両遊技場が同一グループに属する遊技場である（ＹＥＳ）と判定された場合には、Ｓ３０５に進む。これによれば、予約端末において受け付けた配送先記録媒体が当該予約端末が設けられる遊技場のグループ店で発行された配送先記録媒体であれば、該配送先記録媒体から特定される配送先情報の配送先に景品が配送される（ここでは該配送先に景品が配送されるように予約が行われる）ので、遊技者は各遊技場毎の配送先記録媒体を持つ煩わしさが無くなり、該遊技者の利便性が向上する。また遊技者に対して、配送先記録媒体が使用できる他のグループ店への来店の動機付けを与えることができるので、グループ店での集客の向上に寄与する。
【０２４５】
Ｓ３０５では、前記受信した配送先情報要求に含まれる会員ＩＤ又は景品会員ＩＤに対応付けて図１１（ｂ）に示す配送先ＤＢで配送先情報が登録されているか否かを判定する。このＳ３０５で配送先情報が登録されていない（ＮＯ）、即ち前記配送先登録処理が行われていないと判定された場合には、使用不可通知を予約端末に対して返信して（Ｓ３０４）、処理を終了する。一方、Ｓ３０５で配送先情報が登録されている（ＹＥＳ）、即ち前記配送先登録処理が行われていると判定された場合には、該配送先情報を予約端末に対して返信して（Ｓ３０６）、Ｓ３０１に戻る。
【０２４６】
このＳ３０１で予約要求の受信が有ると（ＹＥＳ）、制御部７２により、上限値判定処理を行う（Ｓ３０６ａ）。この上限値判定処理を行う制御部７２は、前記未提供予約特定手段（制御部７２，未提供予約個数・玉数ＤＢ）により特定された未提供予約個数又は未提供予約価値（未提供予約玉数）と、前記上限値設定手段（制御部７２，上限値ＤＢ）により設定された上限値とに基づいて、当該予約を行う遊技者について予約が可能であるか否かを判定する上限値判定手段として機能するものである。
【０２４７】
この上限値判定処理を行う制御部７２は、図３４（ａ）に示すように、まずＳ３５０で、上限値ＤＢにおいて上限値判定基準として個数が設定されているか否かを判定する。この第１実施形態では、図１０に示すように、上限値判定基準として個数が設定されているので、Ｓ３５０でＹＥＳと判定されて、Ｓ３５１に進む。なお第２実施形態では、図４６に示すように、上限値判定基準として玉数が設定されているので、Ｓ３５０でＮＯと判定されて、Ｓ３７１に進むが、これについては後述する。
【０２４８】
Ｓ３５１では、図１０に示す上限値ＤＢにおいて設定されている全体上限値である全体上限個数と、前記予約要求に含まれるユーザ特定情報に対応付けて図１３に示す未提供予約個数・玉数ＤＢで記憶されている当該遊技者の全体未提供予約個数とが抽出される。具体的には、Ｓ３０１で受信した予約要求が会員予約要求ならば、該会員予約要求に含まれる会員ＩＤ又は景品会員ＩＤに対応付けて未提供予約個数・玉数ＤＢで記憶されている全体未提供予約個数が抽出され、Ｓ３０１で受信した予約要求がビジタ予約要求ならば、該ビジタ予約要求に含まれる配送先情報に対応付けて未提供予約個数・玉数ＤＢで記憶されている全体未提供予約個数が抽出される。なお未提供予約個数・玉数ＤＢで当該ユーザ特定情報が記憶されていない場合、即ち当該遊技者について当日に予約内容登録処理が行われていない場合には、当該遊技者の全体未提供予約個数として０が抽出される。
【０２４９】
次にＳ３５２では、Ｓ３５１で抽出された全体上限個数及び全体未提供予約個数と、前記予約要求に含まれる各景品の予約個数の合算値である全予約個数とに基づいて、全体上限個数−（全体未提供予約個数＋全予約個数）≧０の判定式ｐを満たすか否かで、当該遊技者について予約が可能であるか否かを判定する。このＳ３５２の判定を行う制御部７２は、前記未提供予約特定手段（制御部７２，未提供予約個数・玉数ＤＢ）により特定された全体未提供予約個数と、前記上限値設定手段（制御部７２，上限値ＤＢ）により設定された全体上限値とに基づいて、当該予約を行う遊技者について予約が可能であるか否かを判定する前記上限値判定手段として機能するものである。このＳ３５２で、判定式ｐを満たす（ＹＥＳ）、即ち当該遊技者について予約が可能であると判定された場合には、Ｓ３５３に進み、判定式ｐを満たさない（ＮＯ）、即ち当該遊技者について予約が可能でないと判定された場合には、Ｓ３６１に進む。
【０２５０】
具体的には、図１０に示す上限値ＤＢにおいて、全体上限値として３０個が設定されている状態で、図１３に示す未提供予約個数・玉数ＤＢにおいて、全体未提供予約個数として３個が特定されている、会員ＩＤがＡＭ−００００１である遊技者から、全予約個数が１個である予約要求が送信されてきた場合には、全体上限個数３０個−（全体未提供予約個数３個＋全予約個数１個）≧の判定式ｐを満たすので、Ｓ３５３に進むが、全体未提供予約個数として３０個が特定されている、会員ＩＤがＡＭ−００００２である遊技者から、全予約個数が１個以上である予約要求が送信されてきた場合には、全体上限個数３０個−（全体未提供予約個数３０個＋全予約個数１個）≧の判定式ｐを満たさないので、Ｓ３６１に進む。
【０２５１】
Ｓ３５３では、前記予約要求に含まれる一又は複数の景品ＩＤのうちの一の景品ＩＤに対応付けて図１０に示す上限値ＤＢにおいて設定されている個別上限値である個別上限個数と、前記予約要求に含まれるユーザ特定情報に対応付けて図１３に示す未提供予約個数・玉数ＤＢで記憶されている当該景品ＩＤの景品の個別未提供予約個数とが抽出される。具体的には、Ｓ３０１で受信した予約要求が会員予約要求ならば、該会員予約要求に含まれる会員ＩＤ又は景品会員ＩＤに対応付けて未提供予約個数・玉数ＤＢで記憶されている当該景品の個別未提供予約個数が抽出され、Ｓ３０１で受信した予約要求がビジタ予約要求ならば、該ビジタ予約要求に含まれる配送先情報に対応付けて未提供予約個数・玉数ＤＢで記憶されている当該景品の個別未提供予約個数が抽出される。なお未提供予約個数・玉数ＤＢで当該景品ＩＤが記憶されていない場合、即ち当該景品ＩＤの景品について当日に予約内容登録処理が行われていない場合には、当該景品の個別未提供予約個数として０が抽出される。
【０２５２】
次にＳ３５４では、Ｓ３５３で抽出された当該景品の個別上限個数及び個別未提供予約個数と、前記予約要求に含まれる当該景品の予約個数とに基づいて、個別上限個数−（個別未提供予約個数＋予約個数）≧０の判定式ｑを満たすか否かで、当該遊技者について予約が可能であるか否かを判定する。このＳ３５４の判定を行う制御部７２は、前記未提供予約特定手段（制御部７２，未提供予約個数・玉数ＤＢ）により特定された個別未提供予約個数と、前記上限値設定手段（制御部７２，上限値ＤＢ）により設定された個別上限値とに基づいて、当該予約を行う遊技者について予約が可能であるか否かを判定する前記上限値判定手段として機能するものである。このＳ３５４で、判定式ｑを満たす（ＹＥＳ）、即ち当該遊技者について予約が可能であると判定された場合には、Ｓ３５５に進み、判定式ｑを満たさない（ＮＯ）、即ち当該遊技者について予約が可能でないと判定された場合には、Ｓ３６１に進む。
【０２５３】
具体的には、図１０に示す上限値ＤＢにおいて、景品ＩＤがＫＸ−０００００２の景品の個別上限個数として１２個が設定されている状態で、図１３に示す未提供予約個数・玉数ＤＢにおいて、当該景品の個別未提供予約個数として１０個が特定されている、会員ＩＤがＡＭ−００００３である遊技者から、当該景品の予約個数が２個以下（例えば２個）である予約要求が送信されてきた場合には、当該景品の個別上限個数１２個−（当該景品の未提供予約個数１０個＋当該景品の予約個数２個）≧０の判定式ｑを満たすので、Ｓ３５３に進むが、当該遊技者から、当該景品の予約個数が３個以上（例えば３個）である予約要求が送信されてきた場合には、当該景品の個別上限個数１２個−（当該景品の未提供予約個数１０個＋当該景品の予約個数３個）≧の判定式ｑを満たさないので、Ｓ３６１に進む。
【０２５４】
これによれば、未提供予約景品の各種類毎の個数と、個別上限値とに基づいて判定（Ｓ３５４）が行われると共に、全未提供予約景品の個数と、全体上限値とに基づいて判定（Ｓ３５２）が行われ、しかも個別上限値は全体上限値よりも低い値に設定されるので、悪質な遊技者が、複数種類の景品を多量に予約するいたずらや、１種類の景品を多量に予約するいたずらを、効果的に防止できる。ここで個別上限値を全体上限値よりも低い値に設定しているのは、通常、多種類の景品を予約する方が、１種類の景品を予約する方よりも、予約個数が多くなる点を考慮して、いたずらでない正規の遊技者による予約が正常に受け付けられるようにするためである。つまり、１種類の景品について多量に予約が行われると、いたずらの可能性が高いが、多種類の景品について多量に予約が行われても、いたずらでない場合（例えば１０種類の景品について各３個ずつ予約が行われる場合）もあるので、景品の種類によらない予約については、１種類の景品の予約よりも、比較的多くの予約を許容する一方で、１種類の景品の予約については、多くの予約を許容しないことにより、当該景品の在庫数が減少して正規の遊技者が予約できないといった事態を効果的に防止するためである。
【０２５５】
Ｓ３５５では、予約要求に含まれる全ての景品ＩＤについてＳ３５３の判定を行ったか否かを判定する。このＳ３５５で全ての景品ＩＤについて判定を行っていない（ＮＯ）と判定された場合には、Ｓ３５３に戻る。一方、Ｓ３５５で全ての景品ＩＤについて判定を行った（ＹＥＳ）と判定された場合には、図３３に示す予約内容登録処理に戻って、Ｓ３０７に進む。
【０２５６】
Ｓ３６１では、上限値超え通知を予約端末に対して返信して、Ｓ３６２に進む。このＳ３６１の処理は、上限値判定手段により予約が可能でないと判定されたことを条件として、該判定の対象となった遊技者について予約内容登録処理を不能化するための処理である。これによれば、予約を行う遊技者について特定される未提供予約景品の個数と、遊技者１人あたりについて設定された上限値とに基づいて、該遊技者について予約が可能であるか否かが判定され（Ｓ３５２，Ｓ３５４）、予約が可能でないと判定されると、予約内容登録処理が不能化されるので、悪質な遊技者が交換するつもりのない多量の景品を前記上限値を超えていたずらに予約することを防止でき、当該いたずらの予約により在庫数が減少して正規の遊技者が予約できないといった事態を防止できる。
【０２５７】
Ｓ３６２では、Ｓ３５２又はＳ３５４で可能でないと判定された遊技者のユーザ特定情報を未提供予約個数・玉数ＤＢから抽出して、当該ユーザ特定情報に対応付けて未提供予約個数・玉数ＤＢで記憶されている当日報知フラグが０であるか否かを判定する（Ｓ３６３）。このＳ３６３で当日報知フラグが０である（ＹＥＳ）と判定された場合には、当該ユーザ特定情報に対応付けて未提供予約個数・玉数ＤＢで記憶されている当日報知フラグを１に更新すると共に（Ｓ３６４）、該記憶されている上限値超え回数に１を加算して（Ｓ３６５）、該加算後の上限値超え回数が前記設定された（即ち未提供予約個数・玉数ＤＢで記憶されている）上限値超え報知基準（ここでは３回）以上であるか否かを判定し（Ｓ３６６）、このＳ３６６で上限値超え回数が上限値超え報知基準以上である（ＹＥＳ）と判定された場合には、Ｓ３６２で抽出した配送先情報と該上限値超え回数とをディスプレイ７３に表示して（Ｓ３６７）、図３４（ａ）の上限値判定処理及び図３３の予約内容登録処理を終了する。なおＳ３６６で上限値超え回数が上限値超え報知基準未満である（ＮＯ）と判定された場合には、図３４（ａ）の上限値判定処理及び図３３の予約内容登録処理を終了する。またＳ３６３で当日報知フラグが１である（ＮＯ）、即ち当日に既にＳ３６４，Ｓ３６５の処理が行われていると判定された場合にも、Ｓ３６４以下に進まずに、図３４（ａ）の上限値判定処理及び図３３の予約内容登録処理を終了する。
【０２５８】
ここでＳ３６２の処理を行う制御部７２は、前記上限値判定手段（制御部７２，上限値ＤＢ）により予約が可能でないと判定された遊技者のユーザ特定情報を抽出するユーザ特定情報抽出手段として機能するものであり、ここでは予約が可能でないと判定されたことに基づいて、図１３に示す未提供予約個数・玉数ＤＢで記憶している上限値超え回数を１日１回加算更新し、該上限値超え回数が上限値超え報知基準（ここでは３回）以上となったことを条件として、前記抽出したユーザ特定情報と該上限値超え回数をディスプレイ７３で表示する処理を行う。これによれば、いたずらの予約をした可能性がある遊技者のユーザ特定情報を抽出することができるので、該遊技者に対して適切な対処（例えば遊技場に連絡をして注意を促したり、該遊技者について予約を停止したり）をすることができる。
【０２５９】
図３４（ａ）に示す上限値判定処理（Ｓ３０６ａ）が終了して、図３３に示す予約内容登録処理に戻ると、前記予約要求に含まれる一又は複数の景品ＩＤの各々について、Ｓ３０７及びＳ３０９の判定を行う。具体的には、該予約要求に含まれる一の景品ＩＤから特定される景品が予約停止景品であるか否か、即ち図８に示す景品情報ＤＢにおいて、該景品ＩＤに対応付けて予約停止フラグ１（即ち予約停止景品である旨）が登録されているか否かを判定する（Ｓ３０７）。このＳ３０７の判定を行う制御部７２は、Ｓ３０６で受信した予約要求に含まれる景品ＩＤから特定される景品が前記予約停止景品受付手段にて指定を受け付けた予約停止景品であるか否かを判定する予約停止景品判定手段として機能するものである。
【０２６０】
このＳ３０７で予約停止景品である（ＹＥＳ）と判定された場合には、該判定の対象となった景品ＩＤを含む予約停止情報を予約端末に対して返信して（Ｓ３０８）、Ｓ３１５に進む。このＳ３０７の処理を行う通信部７１は、前記予約停止景品受付手段にて指定を受け付けた景品の予約を停止するための予約停止情報を予約端末に送信する予約停止情報送信手段として機能するものである。これによれば、不良品の発覚に応じて、景品管理装置７０において、予約を停止する景品の指定を受け付けて、該景品の予約を迅速に停止することができるので、事後的な対処が必要となる予約の件数を低減でき、景品を提供する側の手間やユーザの迷惑を低減できる。具体的には、景品の予約を停止することにより、該景品に相当する有価価値を返却する必要が無くなるので、遊技場の手間を低減でき、また該景品の代替品を提供する必要が無くなるので、景品提供業者の手間を低減できる。また予約要求を受信したことに基づいて、該予約要求に含まれる景品ＩＤから特定される景品が予約停止景品であれば、受動的に予約停止情報を返信するので、能動的に予約停止情報を送信する場合に比べて、処理の負荷が軽減される。
【０２６１】
一方、Ｓ３０７で予約停止景品でない（ＮＯ）と判定された場合には、前記予約要求に含まれる一の景品ＩＤに対応付けて図８に示す景品情報ＤＢで記憶している在庫数（以下、「在庫数ａ」と称する。）と、該景品ＩＤに対応付けて図１１（ｃ）に示す予約・確定累計数ＤＢで記憶している予約累計数（以下、「予約累計数ｂ」と称する。）と、該予約要求に含まれる予約個数（以下、「予約個数ｃ」と称する。）とに基づいて、在庫数ａ−（予約累計数ｂ＋予約個数ｃ）≧０の判定式ｘを満たすか否かで、景品の予約が可能であるか否かを判定する（Ｓ３０９）。このＳ３０９の判定を行う制御部７２は、在庫数登録手段に登録された在庫数ａと、予約個数集計手段により集計された予約個数（予約累計数ｂ）とに基づいて、景品の予約が可能であるか否かを判定すると共に、在庫数変更手段（通信部７１）にて在庫数の変更を受け付けたことを条件として、該変更を受け付けた後の在庫数ａと、予約個数集計手段により集計された予約個数（予約累計数ｂ）とに基づいて、景品の予約が可能であるか否かを判定する在庫数判定手段として機能するものである。
【０２６２】
このＳ３０９で判定式ｘを満たさない（ＮＯ）、即ち景品の予約が可能でないと判定された場合には、該判定の対象となった景品ＩＤを含む在庫零通知を予約端末に対して返信して（Ｓ３１０）、Ｓ３１５に進む。このＳ３１０の処理は、在庫数判定手段により予約が可能でないと判定されたことを条件として、該判定の対象となった景品について予約内容登録処理を不能化するための処理である。これによれば、景品管理装置７０において、予め登録された在庫数ａと、予約内容登録処理に供された予約個数の集計値である予約累計数ｂとに基づいて、景品の予約が可能であるか否かが判定され、予約が可能でないと判定されると、予約内容登録処理が不能化されるので、遊技者が予約をした景品を交換することができないという事態が生ずるおそれがない。
【０２６３】
またＳ３１０の処理を行う通信部７１は、在庫数判定手段により予約が可能でないと判定されたことを条件として、該判定の対象となった景品の予約を停止するための予約停止情報である在庫零通知を予約端末に送信する予約停止情報送信手段として機能するものであり、ここでは予約要求を受信したことに応じて、在庫零通知を予約端末に送信するものである。これによれば、景品の在庫を管理する側において景品の在庫数に不測の変動が生じた場合であっても、景品管理装置７０において、図２９の後述するＳ６３に示すように、当該景品の在庫数の変更を受け付けて、該変更を受け付けた後の在庫数ａと予約累計数ｂとに基づいて該景品の予約が可能でないと判定されると、該景品の予約を迅速に停止することができるので、事後的な対処が必要となる予約の件数を低減でき、景品を提供する側の手間や遊技者の迷惑を低減できる。具体的には、景品の予約を停止することにより、該景品に相当する有価価値を返却する必要が無くなるので、遊技場の手間を低減でき、また該景品の代替品を提供する必要が無くなるので、景品提供業者の手間を低減できる。また予約要求の受信に応じて、受動的に予約停止情報である在庫零通知を返信するので、能動的に予約停止情報を送信する場合に比べて、処理の負荷が軽減される。
【０２６４】
一方、Ｓ３０９で判定式ｘを満たす（ＹＥＳ）、即ち景品の予約が可能であると判定された場合には、図１１（ｃ）に示す予約・確定累計数ＤＢにおいて、前記予約要求に含まれる景品ＩＤに対応付けて記憶している予約累計数ｂに、該予約要求に含まれる予約個数ｃを加算して（Ｓ３１１）、Ｓ３１２に進む。このＳ３１１の処理を行う制御部７２は、各景品について、予約内容登録処理に供された予約個数（即ち予約・確定累計数ＤＢで記憶している予約累計数）を集計する予約個数集計手段として機能するものである。
【０２６５】
Ｓ３１２では、予約ＩＤを生成し、図１２に示す予約情報ＤＢにおいて、該生成された予約ＩＤに対応付けて、予約情報として、前記予約要求に含まれる景品ＩＤと、該景品ＩＤに対応付けて図８に示す景品情報ＤＢで記憶されている景品名と、前記予約要求に含まれる予約個数と、景品ＩＤに対応付けて図８に示す景品情報ＤＢで記憶されている交換玉数と、予約要求に含まれる配送区分，ユーザ特定情報である会員ＩＤ又は景品会員ＩＤと配送先情報，及び配送希望日時とを登録し（Ｓ３１３）、図１３に示す未提供予約個数・玉数ＤＢにおいて、前述した未提供予約個数・玉数登録処理を行い（Ｓ３１３ａ）、Ｓ３１３で登録された予約ＩＤ，景品ＩＤ，景品名，及び交換玉数を含む予約登録完了通知を予約端末に対して返信して（Ｓ３１４）、Ｓ３１５に進む。
【０２６６】
このＳ３１３の処理を行う制御部７２は、予約要求送信手段（予約端末の通信部）から送信されてきた予約要求に含まれる景品ＩＤから特定される景品を遊技者に提供（配送）するための予約処理を行う予約処理手段として機能すると共に、該予約要求に対応する予約を識別可能な予約ＩＤに対応付けて該予約要求に含まれる景品ＩＤを登録する予約内容登録処理を行う予約内容登録手段として機能するものであり、ここでは予約要求に含まれる景品ＩＤから特定される景品が複数であることに基づき、当該複数の景品の各々について予約ＩＤを割り当てて予約内容登録処理を行うものである。またＳ３１３の処理を行う制御部７２は、ユーザ（遊技者）を特定可能なユーザ特定情報（配送先情報）と予約内容登録処理に供された景品の景品ＩＤとを対応付けて登録するユーザ特定情報登録手段として機能するものである。さらにＳ３１３ａの未提供予約個数・玉数登録処理を行う制御部７２及び未提供予約個数・玉数ＤＢは、前記未提供予約特定手段として機能するものである。
【０２６７】
Ｓ３１５では、予約要求に含まれる全ての景品ＩＤについてＳ３０７及びＳ３０９の判定を行ったか否かを判定する。このＳ３１５で全ての景品ＩＤについて判定を行っていない（ＮＯ）と判定された場合には、Ｓ３０７に戻る。一方、Ｓ３１５で全ての景品ＩＤについて判定を行った（ＹＥＳ）と判定された場合には、処理を終了する。
【０２６８】
以上に説明したように、この景品交換システム１では、遊技者が景品を選択して予約する予約端末と、景品管理装置７０において該予約を確定して景品をユーザに提供するための景品提供要求（予約確定要求）を送信する予約確定端末５０とが別個に設けられていることにより、遊技者がパチンコ玉の獲得に拘わらず気軽に景品を予約しておくことができるので、景品交換を促進できると共に、景品の予約が可能であると判定されたことを条件として、予約内容登録処理が行われるので、遊技者が予約をした景品を交換することができないという事態が生ずるおそれがない。また本実施形態では、該予約確定端末５０とＰＯＳ端末４０とが共に景品カウンタに設けられており、ＰＯＳ端末４０における減算処理（Ｓ４１）と予約確定端末５０における予約確定処理（Ｓ４２）とが略同時に行われることから、予約確定端末５０で景品の選択をさせると景品交換が滞って遊技者に迷惑がかかるが、予約端末で先に景品を予約（選択）させておくことができるので、景品交換が滞ることもない。
【０２６９】
図２９に戻り、ＰＯＳ端末４０は、図３５及び図３６に示す減算処理を行う（Ｓ４１）。このＰＯＳ端末４０は、計数レシート読取ボタンの操作（Ｓ４０１）又は会員カード読取ボタンの操作（Ｓ４４１）を待機している。このＳ４０１で計数レシート読取ボタンの操作が有ると（ＹＥＳ）、バーコードリーダ４５による計数レシート５のバーコード５ａの読取を待機し（Ｓ４０２）、このＳ４０２で計数レシート５のバーコード５ａの読取が有ると（ＹＥＳ）、該読み取ったバーコード５ａが示す計数ＩＤと計数値とを含む計数値確認要求を、計数値管理装置６２に対して送信して（Ｓ４０３）、該計数値管理装置６２から送信されてくる確認ＯＫ通知（Ｓ４０４）又は確認ＮＧ通知（Ｓ４０５）の受信を待機する。
【０２７０】
このＳ４０５で計数値に異常がある旨を示す確認ＮＧ通知の受信が有ると（ＹＥＳ）、計数値に異常がある旨をディスプレイ４３に表示して、処理を終了する。またＳ４０４で計数値に異常がない旨を示す確認ＯＫ通知の受信が有ると（ＹＥＳ）、該計数値を記憶し、図２５のＤ４１ａに示す画面をディスプレイ４３に表示して、Ｄ４１ａで表示される「会員カード無し」ボタンの操作（Ｓ４０８）又はバーコードリーダ４５による会員カード２のバーコードの読取（Ｓ４０９）を待機する。
【０２７１】
このＳ４０８で「会員カード無し」ボタンの操作が有ると（ＹＥＳ）、図２５のＤ４２に示す画面をディスプレイ４３に表示して（Ｓ４１０）、バーコードリーダ４５による予約レシート６の玉数情報バーコード６ｂの読取（Ｓ４１１），ディスプレイ３３及び入力装置３４による玉数コード６ｃの手入力（Ｓ４１２），又は予約レシート無しボタンの操作（Ｓ４１３）を待機する。
【０２７２】
このＳ４１１で予約レシート６の玉数情報バーコード６ｂが内在している玉数コード６ｃの読取が有るか（ＹＥＳ）、Ｓ４１２で玉数コード６ｃの手入力が有ると（ＹＥＳ）、該玉数コード６ｃに対応付けて交換玉数ＤＢで登録されている交換玉数を特定して（Ｓ４１４）、前記記憶している計数値が該特定した交換玉数以上であるか否かを判定し（Ｓ４１５）、計数値が交換玉数未満であると（ＮＯ）、交換玉数が多すぎる旨をディスプレイ４３に表示して（Ｓ４１６）、Ｓ４１１に戻り、計数値が交換玉数以上であると（ＹＥＳ）、該計数値から交換玉数を減算して（Ｓ４１７）、Ｓ４１８に進む。
【０２７３】
Ｓ４１８では、図２５のＤ４３に示す画面をディスプレイ４３に表示して、該Ｄ４３で表示される「続けて読取」ボタンの操作（Ｓ４１９）又は「読取終了」ボタンの操作（Ｓ４２０）を待機する。このＳ４１９で「続けて読取」ボタンの操作が有ると（ＹＥＳ）、Ｓ４１０に戻る。またＳ４２０で「読取終了」ボタンの操作が有ると（ＹＥＳ）、図２６のＤ４４ａに示す画面をディスプレイ４３に表示して（Ｓ４２１）、図３６に進み、一般景品のバーコードの読取（Ｓ４２２）又は確定ボタンの操作（Ｓ４２３）を待機する。
【０２７４】
このＳ４２２で一般景品のバーコードの読取が有ると（ＹＥＳ）、該読み取ったバーコードが内在するＪＡＮコードに対応付けて交換玉数ＤＢ登録されている交換玉数を特定して（Ｓ４２４ａ）、前記記憶している計数値が該特定された交換玉数以上であるか否かを判定し（Ｓ４２４ｂ）、計数値が交換玉数未満であると（ＮＯ）、交換玉数が多すぎる旨をディスプレイ４３に表示して（Ｓ４２５）、Ｓ４２２に戻り、計数値が交換玉数以上であると（ＹＥＳ）、該計数値から交換玉数を減算すると共に、Ｄ４４ａで交換玉数を加算表示する一方で端玉数を減算表示して（Ｓ４２６）、Ｓ４２２に戻る。またＳ４２３で確定ボタンの操作が有ると（ＹＥＳ）、計数ＩＤを含む計数値クリア要求を、計数値管理装置６２に対して送信し（Ｓ４２７）、前記記憶している計数値を消去して、処理を終了する。
【０２７５】
また図３５の前記Ｓ４１３で予約レシート無しボタンの操作が有ると（ＹＥＳ）、図２６のＤ４５ａに示す画面をディスプレイ４３に表示して（Ｓ４２８）、前記図３６に示すＳ４２２〜Ｓ４２６の処理を行い（Ｓ４２９）、Ｓ４２３でＹＥＳならば、Ｓ４２７に進む。また前記Ｓ４０９で会員カード２のバーコードの読取が有ると（ＹＥＳ）、後述するＳ４４３〜Ｓ４４４の処理を行い（Ｓ４３０）、Ｓ４４４で受信した貯玉数情報が示す貯玉数と前記記憶している計数値との合算値を記憶して、図３６のＳ４７１に進む。
【０２７６】
前記Ｓ４４１で会員カード読取ボタンの操作が有ると（ＹＥＳ）、バーコードリーダ４５による会員カード２のバーコードの読取を待機し（Ｓ４４２）、このＳ４４２で会員カード２のバーコードの読取が有ると（ＹＥＳ）、該読み取ったバーコードが示す会員ＩＤを含む貯玉数要求を、会員管理装置６１に対して送信して（Ｓ４４３）、該会員管理装置６１から送信されてくる貯玉数情報の受信を待機する（Ｓ４４４）。
【０２７７】
このＳ４４４で貯玉数情報の受信が有ると（ＹＥＳ）、該貯玉数情報が示す貯玉数を記憶し、図２５のＤ４１ｂに示す画面をディスプレイ４３に表示して、該Ｄ４１ｂで表示される「計数レシート無し」ボタンの操作（Ｓ４４６）又はバーコードリーダ４５による計数レシート５のバーコード５ａの読取（Ｓ４４７）を待機する。
【０２７８】
このＳ４４６で「計数レシート無し」ボタンの操作が有ると（ＹＥＳ）、図２５のＤ４２に示す画面をディスプレイ４３に表示して（Ｓ４４８）、前記Ｓ４１１〜Ｓ４１３の処理を行い（Ｓ４４９）、Ｓ４１１又はＳ４１２でＹＥＳならば、該Ｓ４１１で読取又はＳ４１２で入力された玉数コード６ｃに対応付けて交換玉数ＤＢで登録されている交換玉数を特定して（Ｓ４５０）、前記記憶している貯玉数が該特定した交換玉数以上であるか否かを判定し（Ｓ４５１）、貯玉数が交換玉数未満であると（ＮＯ）、交換玉数が多すぎる旨をディスプレイ４３に表示して（Ｓ４５２）、Ｓ４４９に戻り、貯玉数が交換玉数以上であると（ＹＥＳ）、該貯玉数から交換玉数を減算して（Ｓ４５３）、Ｓ４５４に進む。
【０２７９】
Ｓ４５４では、図２５のＤ４３に示す画面をディスプレイ４３に表示して、該Ｄ４３で表示される「続けて読取」ボタンの操作（Ｓ４５５）又は「読取終了」ボタンの操作（Ｓ４５６）を待機する。このＳ４５５で「続けて読取」ボタンの操作が有ると（ＹＥＳ）、Ｓ４４８に戻る。またＳ４５６で「読取終了」ボタンの操作が有ると（ＹＥＳ）、図２６のＤ４４ｂに示す画面をディスプレイ４３に表示して（Ｓ４５７）、図３６に進み、一般景品のバーコードの読取（Ｓ４６１）又は確定ボタンの操作（Ｓ４６２）を待機する。
【０２８０】
このＳ４６１で一般景品のバーコードの読取が有ると（ＹＥＳ）、該読み取ったバーコードが内在するＪＡＮコードに対応付けて交換玉数ＤＢ登録されている交換玉数を特定して（Ｓ４６３ａ）、前記記憶している貯玉数が該特定された交換玉数以上であるか否かを判定し（Ｓ４６３ｂ）、貯玉数が交換玉数未満であると（ＮＯ）、交換玉数が多すぎる旨をディスプレイ４３に表示して（Ｓ４６４）、Ｓ４６１に戻り、貯玉数が交換玉数以上であると（ＹＥＳ）、該貯玉数から交換玉数を減算すると共に、Ｄ４４ｂで交換玉数を加算表示する一方で交換後の貯玉数を減算表示して（Ｓ４６５）、Ｓ４６１に戻る。またＳ４６２で確定ボタンの操作が有ると（ＹＥＳ）、会員ＩＤと交換後の貯玉数とを含む貯玉数更新要求を、会員管理装置６１に対して送信し（Ｓ４６６）、前記記憶している貯玉数を消去して、処理を終了する。
【０２８１】
また図３５の前記Ｓ４４９において、Ｓ４１３でＹＥＳならば、図２６のＤ４５ｂに示す画面をディスプレイ４３に表示して（Ｓ４５８）、前記図３６に示すＳ４６１〜Ｓ４６５の処理を行い（Ｓ４５９）、Ｓ４６２でＹＥＳならば、Ｓ４６６に進む。また前記Ｓ４４７で計数レシート５のバーコード５ａのバーコードの読取が有ると（ＹＥＳ）、前記Ｓ４０３〜Ｓ４０７の処理を行い（Ｓ４６０）、前記読み取った計数値と前記記憶している貯玉数との合算値を記憶して、図３６のＳ４７１に進む。
【０２８２】
図３６のＳ４７１では、図２５のＤ４１ｃに示す画面をディスプレイ４３に表示して、該Ｄ４１ｃで表示される「次へ」ボタンの操作を待機し（Ｓ４７２）、「次へ」ボタンの操作が有ると（ＹＥＳ）、図２５のＤ４２に示す画面をディスプレイ４３に表示して、前記Ｓ４１１〜Ｓ４１３の処理を行い（Ｓ４７４）、Ｓ４１１又はＳ４１２でＹＥＳならば、該Ｓ４１１で読取又はＳ４１２で入力された玉数コード６ｃに対応付けて交換玉数ＤＢで登録されている交換玉数を特定して（Ｓ４７５）、前記記憶している計数値と貯玉数との合算値が該特定した交換玉数以上であるか否かを判定し（Ｓ４７６）、合算値が交換玉数未満であると（ＮＯ）、交換玉数が多すぎる旨をディスプレイ４３に表示して（Ｓ４７７）、Ｓ４７４に戻り、合算値が交換玉数以上であると（ＹＥＳ）、該合算値から交換玉数を減算して（Ｓ４７８）、Ｓ４７９に進む。
【０２８３】
Ｓ４７９では、図２５のＤ４３に示す画面をディスプレイ４３に表示して、該Ｄ４３で表示される「続けて読取」ボタンの操作（Ｓ４８０）又は「読取終了」ボタンの操作（Ｓ４８１）を待機する。このＳ４８０で「続けて読取」ボタンの操作が有ると（ＹＥＳ）、Ｓ４７３に戻る。またＳ４８１で「読取終了」ボタンの操作が有ると（ＹＥＳ）、図２６のＤ４４ｃに示す画面をディスプレイ４３に表示して（Ｓ４８２）、一般景品のバーコードの読取（Ｓ４８３）又は確定ボタンの操作（Ｓ４８３）を待機する。
【０２８４】
このＳ４８３で一般景品のバーコードの読取が有ると（ＹＥＳ）、該読み取ったバーコードが内在するＪＡＮコードに対応付けて交換玉数ＤＢ登録されている交換玉数を特定して（Ｓ４８５ａ）、前記記憶している計数値と貯玉数との合算値が該特定された交換玉数以上であるか否かを判定し（Ｓ４８５ｂ）、合算値が交換玉数未満であると（ＮＯ）、交換玉数が多すぎる旨をディスプレイ４３に表示して（Ｓ４８６）、Ｓ４８３に戻り、合算値が交換玉数以上であると（ＹＥＳ）、該合算値から交換玉数を減算すると共に、Ｄ４４ｃで交換玉数を加算表示する一方で交換後の貯玉数を減算表示して（Ｓ４８７）、Ｓ４８３に戻る。またＳ４８４で確定ボタンの操作が有ると（ＹＥＳ）、会員ＩＤと交換後の貯玉数とを含む貯玉数更新要求を、会員管理装置６１に対して送信すると共に（Ｓ４８８）、計数ＩＤを含む計数値クリア要求を、計数値管理装置６２に対して送信し（Ｓ４８９）、前記記憶している合算値を消去して、処理を終了する。
【０２８５】
また前記Ｓ４７４において、Ｓ４１３でＹＥＳならば、図２６のＤ４５ｃに示す画面をディスプレイ４３に表示して（Ｓ４９０）、前記Ｓ４８３〜Ｓ４８７の処理を行い（Ｓ４９１）、Ｓ４８４でＹＥＳならば、Ｓ４８８に進む。
【０２８６】
なおＰＯＳ端末４０では、Ｓ４１７の減算を行うときに、Ｓ４１４で特定された交換玉数のカタログ景品が景品交換された旨を、各交換玉数毎に集計すると共に、Ｓ４２６，Ｓ４６５，及びＳ４８７の減算を行うときに、Ｓ４２２，Ｓ４６１，及びＳ４８３で読み取ったＪＡＮコードの一般景品が景品交換された旨を、該一般景品の各ジャンル毎に集計し、該集計結果を出力することができる。これによれば、カタログ景品の景品交換状況を交換玉数毎に管理して把握することができると共に、一般景品の景品交換状況をジャンル毎に管理して把握することができる。
【０２８７】
図２９に戻り、予約確定端末５０は、図３７に示す予約確定処理を行う（Ｓ４２）。この予約確定端末５０は、図２８のＤ５２に示すメニュー画面で、「景品配送（予約確定）」ボタンが操作されると、同Ｄ５６に示す画面をディスプレイ５３に表示して、前記予約識別情報受付手段であるバーコードリーダ５５による予約レシート６の予約ＩＤバーコード６ａの読取（Ｓ５０１）又は予約識別情報受付手段であるディスプレイ５３及び入力装置５４による予約ＩＤの手入力（Ｓ５０２）を待機し、Ｓ５０１で予約レシート６の予約ＩＤバーコード６ａの読取が有るか（ＹＥＳ）、Ｓ５０２で予約ＩＤの手入力が有ると（ＹＥＳ）、該予約ＩＤを一時的に記憶して、該予約ＩＤを含む予約情報要求を、景品管理装置７０に対して送信して（Ｓ５０３）、該景品管理装置７０から送信されてくる予約情報（Ｓ５０４）又は予約無し通知（Ｓ５０５）の受信を待機する。
【０２８８】
このＳ５０５で予約無し通知の受信が有ると（ＹＥＳ）、予約が無い旨をディスプレイ５３に表示して、処理を終了する。またＳ５０４で予約情報の受信が有ると（ＹＥＳ）、図２８のＤ５７に示す画面をディスプレイ５３に表示して、該Ｄ５７で表示される「続けて読取」ボタンの操作（Ｓ５０８ａ）又は「読取終了」ボタンの操作（Ｓ５０８ｂ）を待機する。このＳ５０８ａで「続けて読取」ボタンの操作が有ると（ＹＥＳ）、同Ｄ５６に示す画面をディスプレイ５３に表示して、Ｓ５０１に戻る。またＳ５０８ｂで「読取終了」ボタンの操作が有ると（ＹＥＳ）、前記景品配送要求送信手段及び前記店員識別情報送信手段である通信部５１により、前記記憶している一又は複数の予約ＩＤと店員ＩＤとを含む予約確定要求を、景品管理装置７０に対して送信して（Ｓ５０９）、該景品管理装置７０から送信されてくる配送登録完了通知（Ｓ５１０），予約停止情報（Ｓ５１１），配送処理済通知（Ｓ５１２），又は在庫零通知（Ｓ５１３）の受信を待機する。
【０２８９】
このＳ５１０で配送登録完了通知の受信が有ると（ＹＥＳ）、該配送登録完了通知に含まれる予約確定ＩＤの各々について、当該予約確定ＩＤと、当該予約確定ＩＤに対応する一又は複数の景品の予約ＩＤ，景品ＩＤ，景品名，交換玉数，及び配送個数と、同一の配送区分，配送先情報，配送希望日時，及び問い合わせ先とを記録した配送レシート７を発行して（Ｓ５１４）、Ｓ５２０に進む。またＳ５１１で予約停止情報の受信が有ると（ＹＥＳ）、該予約停止情報に含まれる景品ＩＤの景品が予約停止景品である旨をディスプレイ５３に表示して（Ｓ５１５）、Ｓ５２０に進む。またＳ５１２で配送処理済通知の受信が有ると（ＹＥＳ）、該配送処理済通知に含まれる景品ＩＤの景品が配送処理済である旨をディスプレイ５３に表示して（Ｓ５１６）、Ｓ５２０に進む。さらにＳ５１３で在庫零通知の受信が有ると（ＹＥＳ）、該在庫零通知に含まれる景品ＩＤの景品の在庫がない旨をディスプレイに表示して（Ｓ５１７）、Ｓ５２０に進む。Ｓ５２０では、予約確定要求に含まれる全ての予約ＩＤに対応する景品ＩＤについての配送登録完了通知（Ｓ５１０），予約停止情報（Ｓ５１１），在庫零通知（Ｓ５１２），又は在庫零通知（Ｓ５１３）の受信を待機し、該受信が有ると（ＹＥＳ）、処理を終了する。
【０２９０】
図２９に戻り、景品管理装置７０は、Ｓ４２の予約受付処理と関連して、図３８に示す配送情報登録処理を行う（Ｓ４３）。この景品管理装置７０は、予約確定端末５０から送信されてくる予約情報要求の受信を待機し（Ｓ６０１）、このＳ６０１で予約情報要求の受信が有ると（ＹＥＳ）、該予約情報要求に含まれる予約ＩＤが図１２に示す予約情報ＤＢで登録されているか否かを判定する（Ｓ６０２）。このＳ６０２で予約ＩＤが登録されていない（ＮＯ）と判定された場合には、予約無し通知を予約確定端末５０に対して返信して（Ｓ６０３）、処理を終了する。一方、Ｓ６０２で予約ＩＤが登録されている（ＹＥＳ）と判定された場合には、該予約ＩＤに対応付けて図１２に示す予約情報ＤＢで登録されている予約情報を予約確定端末５０に対して返信して（Ｓ６０４）、該予約確定端末５０から送信されてくる予約確定要求の受信を待機する（Ｓ６０５）。
【０２９１】
このＳ６０５で予約確定要求の受信が有ると（ＹＥＳ）、該予約確定要求に含まれる一又は複数の予約ＩＤの各々について、Ｓ６０６，Ｓ６０８，及びＳ６１０の判定を行う。具体的には、該予約確定要求に含まれる一の予約ＩＤに対応付けて登録された景品ＩＤから特定される景品が予約停止景品であるか否か、即ち図８に示す景品情報ＤＢにおいて、該景品ＩＤに対応付けて予約停止フラグ１（即ち予約停止景品である旨）が登録されているか否かを判定する（Ｓ６０６）。このＳ６０６の判定を行う制御部７２は、予約確定端末５０の通信部５１から送信されてきた景品配送要求（予約確定要求）に含まれる予約ＩＤに対応付けて登録された景品ＩＤから特定される景品が前記予約停止景品受付手段（ディスプレイ７３及び入力装置７４）にて指定を受け付けた予約停止景品であるか否かを判定する提供判定手段として機能するものである。
【０２９２】
このＳ６０６で予約停止景品である（ＹＥＳ）と判定された場合には、該判定の対象となった景品ＩＤを含む予約停止情報を予約確定端末５０に対して返信して（Ｓ６０７）、Ｓ６１２ａに進む。これによれば、交換する景品の予約内容登録処理が行われた後に、該景品について予約が停止された場合であっても、該景品を遊技者に配送するための配送情報登録処理が行われないので、事後的な対処（有価価値の返却や代替品の提供等）が必要となる件数をさらに低減できる。つまり本実施形態によれば、予約停止景品については、前記Ｓ３０７及びＳ３０８で説明したように、予約要求を受信しても予約を受け付けないので、事後的な対処が必要となる件数を低減でき、また予約を受け付けていたとしても、Ｓ６０６及びＳ６０７で説明したように、予約確定要求を受信しても配送情報登録処理を行わないので、事後的な対処が必要となる件数をさらに低減できる。なお配送情報登録処理が行われている場合には、後述する図４０のＳ８０３で配送先情報が抽出されるので、事後的な対処を行うことができる。
【０２９３】
一方、Ｓ６０６で予約停止景品でない（ＮＯ）と判定された場合には、前記予約確定要求に含まれる予約ＩＤに対応付けて登録された景品ＩＤから特定される景品について配送情報登録処理が行われているか否か、即ち図１４に示す配送情報ＤＢにおいて、該予約確定要求に含まれる予約ＩＤが登録されているか否かを判定する（Ｓ６０８）。このＳ６０８の判定を行う制御部７２は、予約確定端末５０の通信部５１から送信されてきた景品配送要求（予約確定要求）を受信したことに基づいて、当該予約確定要求に含まれる予約ＩＤに対応付けて登録された景品ＩＤから特定される景品について配送情報登録処理が行われているか否かを判定する配送情報登録済判定手段として機能するものである。
【０２９４】
このＳ６０８で予約ＩＤが配送情報ＤＢに登録されている（ＹＥＳ）と判定された場合には、該判定の対象となった予約ＩＤに対応付けて登録されている景品ＩＤを含む配送処理済通知を予約確定端末５０に対して返信して（Ｓ６０９）、Ｓ６１２ａに進む。これによれば、景品提供要求に含まれる予約識別情報に対応付けて登録された景品特定情報から特定される景品について、既に配送情報登録処理が行われていると、新たな配送情報登録処理は行われないので、１つの予約に対して複数回の配送情報登録処理が行われることがなく、遊技者に対して同じ景品が複数回提供されて遊技場が損をしてしまうおそれがない。
【０２９５】
一方、Ｓ６０８で予約ＩＤが配送情報ＤＢに登録されていない（ＮＯ）と判定された場合には、前記予約確定要求に含まれる予約ＩＤに対応付けて登録された景品ＩＤに対応付けて図８に示す景品情報ＤＢで記憶している在庫数ａと、該景品ＩＤに対応付けて図１１（ｃ）に示す予約・確定累計数ＤＢで記憶している確定累計数（以下、「確定累計数ｂ’」と称する。）と、配送情報登録処理に供される配送個数ｃ’（即ち予約ＩＤ及び景品ＩＤに対応付けて図１２に示す予約情報ＤＢで記憶している予約個数）とに基づいて、在庫数ａ−（確定累計数ｂ’＋配送個数ｃ’）≧０の判定式ｘ’を満たすか否かで、景品の予約確定が可能であるか否かを判定する（Ｓ６１０）。このＳ６１０の判定を行う制御部７２は、在庫数変更手段（通信部７１）にて変更を受け付けた後の在庫数ａと、提供個数集計手段（配送個数集計手段）にて集計された提供個数（配送個数）である確定累計数ｂ’とに基づいて、景品の提供（配送）が可能であるか否かを判定する提供可否判定手段（配送可否判定手段）として機能するものである。
【０２９６】
このＳ６１０で判定式ｘ’を満たさない（ＮＯ）、即ち在庫数が変更されて減少した結果、景品の配送が可能でないと判定された場合には、該判定の対象となった景品ＩＤを含む在庫零通知を予約確定端末５０に対して返信して（Ｓ６１１）、Ｓ６１２ａに進む。これによれば、交換する景品の予約内容登録処理が行われた後に、当該景品の在庫数の変更を受け付けた場合であっても、該変更を受け付けた後の在庫数ａと確定累計数ｂ’とに基づいて該景品の提供が可能でないと判定されると、該景品を遊技者に配送するための配送情報登録処理が行われないので、事後的な対処が必要となる件数をさらに低減できる。つまり本実施形態によれば、在庫数が変更されて減少した結果、予約や配送ができなくなった場合には、前記Ｓ３０９及びＳ３１０で説明したように、予約要求を受信しても予約を受け付けないので、事後的な対処が必要となる件数を低減でき、また予約を受け付けていたとしても、Ｓ６１０及びＳ６１１で説明したように、予約確定要求を受信しても配送情報登録処理を行わないので、事後的な対処が必要となる件数をさらに低減できる。なお配送情報登録処理が行われている場合には、後述する図４１のＳ９０４で配送先情報が抽出されるので、事後的な対処を行うことができる。
【０２９７】
一方、Ｓ６１０で判定式ｘ’を満たす（ＹＥＳ）、即ち景品の配送が可能であると判定された場合には、図１１（ｃ）に示す予約・確定累計数ＤＢにおいて、前記景品ＩＤに対応付けて記憶している確定累計数ｂ’に、前記配送個数ｃ’を加算して（Ｓ６１２）、Ｓ６１２ａに進む。本発明では、前記図３３のＳ３０９で説明したように、在庫数を超えた予約は受け付けないので、在庫数が変更されていない場合には、Ｓ６１０では常にＹＥＳと判定される。
【０２９８】
Ｓ６１２ａでは、予約確定要求に含まれる全ての予約ＩＤについてＳ６０６，Ｓ６０８，及びＳ６１０の判定を行ったか否かを判定する。このＳ６１２ａで全ての予約ＩＤについて判定を行っていない（ＮＯ）と判定された場合には、Ｓ６０６に戻る。一方、Ｓ６１２ａで全ての予約ＩＤについて判定を行った（ＹＥＳ）と判定された場合には、Ｓ６１３に進む。
【０２９９】
Ｓ６１３では、Ｓ６０６，Ｓ６０８，及びＳ６１０の判定でＹＥＳと判定された各予約ＩＤに対応する各景品を、配送元情報，配送先である配送区分及び配送先情報），及び配送時期である配送希望日時（以下、これらを「配送三条件」と称する。）が同一である景品毎の分類する景品分類処理を行って、Ｓ６１４に進む。このＳ６１３の景品分類処理を行う制御部７２は、配送元管理手段（図８に示す景品情報ＤＢ）で管理している各景品の配送元情報に基づいて、前記景品配送要求送信手段から送信されてきた景品配送要求（予約確定要求）から特定される複数の景品を、配送元情報が同一である景品毎に分類する景品分類手段として機能するものであり、ここでは当該複数の景品を、配送元情報及び配送先が同一である景品毎に分類し、かつ配送元情報及び配送時期が同一である景品毎に分類するものである。
【０３００】
具体的には、図１２の予約情報ＤＢに示すように、１回目の予約操作で、配送先（自宅）及び配送時期（９月３日の２０〜２１時）が同一である３つの景品について予約が行われることにより、各景品に対してＹ−００００１，Ｙ−００００２，及びＹ−００００３の３つの予約ＩＤが割り当てられて、各予約ＩＤが記録された３枚の予約レシート６が発行され、次に同一遊技者による２回目の予約操作で、１回目の予約操作とは配送先（遊技場）が異なる景品について予約が行われることにより、該景品に対してＹ−００００４の予約ＩＤが割り当てられて、該予約ＩＤが記録された１枚の予約レシート６が発行され、さらに同一遊技者による３回目の予約操作で、１回目の予約操作とは配送時期（９月５日の１８〜２０時）が異なる景品について予約が行われることにより、該景品に対してＹ−００００５の予約ＩＤが割り当てられて、該予約ＩＤが記録された１枚の予約レシート６が発行されている状態で、予約確定端末５０において、これら５枚のレシートに記録されている各予約ＩＤが受け付けられると、景品管理装置７０は、Ｓ６０５で、Ｙ−００００１，Ｙ−００００２，Ｙ−００００３，Ｙ−００００４，及びＹ−００００５の５つの予約ＩＤ（以下、それぞれを「予約１」，「予約２」，「予約３」，「予約４」，及び「予約５」と略記する。）を含む予約確定要求を受信する。
【０３０１】
ここでＳ６０６，Ｓ６０８，及びＳ６１０の判定において、各予約ＩＤについてＹＥＳと判定された場合には、Ｓ６１３で、例えば以下のようにして、景品分類処理を行う。まず予約１と配送三条件が同一のものを予約２〜予約５の中から検索し、ここでは予約３が同一であるので、該予約１の景品と予約３の景品とを分類１とする。次に予約２と配送三条件が同一のものを予約４又は予約５の中から検索し、ここでは同一のものがないので、該予約２を分類２とする。最後に残った予約４と予約５の配送三条件が同一であるか否かを判定し、ここでは同一ではないので、該予約４を分類３とし、該予約５を分類４とする。
【０３０２】
Ｓ６１４では、前記予約確定要求を送信した遊技者のユーザ特定情報に対応付けて、Ｓ６１３で分類された各分類の１つについて、当該分類の景品と配送三条件が同一である配送情報が図１４に示す配送情報ＤＢで既に登録されているか否かを判定する同一配送元判定を行う。このＳ６１４の同一配送元判定を行う制御部７２は、景品配送要求送信手段から送信されてきた景品配送要求（予約確定要求）から特定されるユーザ（遊技者）のユーザ特定情報に対応付けて、該景品配送要求から特定される景品と配送元情報が同一である配送情報が既に登録されているか否かを判定する同一配送元判定手段として機能するものであり、ここでは景品配送要求から特定される景品と配送元情報及び配送先が同一である配送情報が既に登録されているか否かを判定し、かつ景品配送要求から特定される景品と配送元情報及び配送時期が同一である配送情報が既に登録されているか否かを判定するものである。
【０３０３】
このＳ６１４で登録されていない（ＮＯ）と判定された場合には、Ｓ６１５で、当該分類について分類識別情報である予約確定ＩＤを生成して割り当て、Ｓ６１６で、図１４に示す配送情報ＤＢにおいて、該割り当てた予約確定ＩＤに対応付けて、配送情報登録処理に関する配送情報として、該配送情報登録処理が行われた日時である確定日時と、予約確定要求に含まれる店員ＩＤと、予約確定要求に含まれる当該配送情報登録処理の対象となった一又は複数の予約ＩＤと、該予約ＩＤに対応付けて図１２に示す予約情報ＤＢで登録されている各景品の景品ＩＤ，景品名，交換玉数，及び配送元と、同一の配送区分，ユーザ特定情報である会員ＩＤ又は景品会員ＩＤと配送先情報（氏名，郵便番号，住所，及び電話番号），及び配送希望日時とを登録し、かつ配送指示済フラグとして０（即ち当該配送情報を配送管理装置８０に送信していない旨）を登録して、Ｓ６１８に進む。Ｓ６１８では、Ｓ６１３で分類された全ての分類についてＳ６１６又は後述するＳ６１７の登録が完了したか否かを判定する。このＳ６１８で全ての分類について登録が完了していない（ＮＯ）と判定された場合には、Ｓ６１４に戻る。
【０３０４】
このＳ６１５，Ｓ６１６，及びＳ６１８の処理を行う制御部７２は、景品分類手段により分類された各分類について、当該分類を識別可能な分類識別情報（予約確定ＩＤ）を割り当て、該割り当てた分類識別情報に対応付けて該分類識別情報に対応する景品をユーザ（遊技者）に配送するための配送情報を登録するための配送情報登録処理を前記配送処理として行う配送情報登録手段として機能するものであり、ここでは景品配送要求送信手段から送信されてきた景品配送要求（予約確定要求）に含まれる予約識別情報（予約ＩＤ）に対応付けて登録された景品特定情報（景品ＩＤ）から特定される景品を対象とした配送情報登録処理を行うものである。なお配送情報登録処理は、予約確定端末５０の通信部５１から送信されてきた景品配送要求（予約確定要求）に含まれる予約ＩＤに対応付けて登録された景品ＩＤから特定される景品をユーザ（遊技者）に配送するための配送処理でもある。
【０３０５】
具体的には、前記Ｓ６１３で分類１〜４に分類された場合には、Ｓ６１５，Ｓ６１６，及びＳ６１８で、図１４に示す配送情報ＤＢにおいて、以下のようにして、配送情報登録処理を行う。まず分類１について、ＹＫ−００００１の予約確定ＩＤを生成して割り当て、配送情報ＤＢにおいて、該予約確定ＩＤを登録すると共に、該予約確定ＩＤに対応付けて、確定日時及び店員ＩＤを登録し、分類１に含まれる予約１及び予約３の予約ＩＤ（Ｙ−００００１及びＹ−００００３）と、当該各予約ＩＤに対応付けて図１２に示す予約情報ＤＢで登録されている各景品の景品ＩＤ，景品名，交換玉数，及び配送元と、同一の配送区分，ユーザ特定情報である会員ＩＤ又は景品会員ＩＤと配送先情報（氏名，郵便番号，住所，及び電話番号），及び配送希望日時とを登録し、かつ配送指示済フラグとして０を登録する。次に分類２について、ＹＫ−００００２の予約確定ＩＤを生成して割り当て、配送情報ＤＢにおいて、該予約確定ＩＤを登録すると共に、該予約確定ＩＤに対応付けて、確定日時及び店員ＩＤを登録し、分類２に含まれる予約２の予約ＩＤ（Ｙ−００００２）と、当該予約ＩＤに対応付けて図１２に示す予約情報ＤＢで登録されている景品の景品ＩＤ，景品名，交換玉数，及び配送元と、同一の配送区分，ユーザ特定情報である会員ＩＤ又は景品会員ＩＤと配送先情報（氏名，郵便番号，住所，及び電話番号），及び配送希望日時とを登録し、かつ配送指示済フラグとして０を登録する。次に分類３について、ＹＫ−００００３の予約確定ＩＤを生成して割り当て、配送情報ＤＢにおいて、分類２と同様に各項目を登録し、最後に分類４について、ＹＫ−００００４の予約確定ＩＤを生成して割り当て、配送情報ＤＢにおいて、分類２と同様に各項目を登録する。
【０３０６】
ここで前記配送情報登録手段として機能する制御部７２は、前記提供判定手段により予約停止景品である（Ｓ６０６でＹＥＳ）と判定されたことを条件として、配送情報登録処理を行わず、また前記配送情報登録済判定手段により配送情報登録処理が行われている（Ｓ６０８でＹＥＳ）と判定されたことを条件として、該判定の対象となった景品について新たに配送情報登録処理を行わず、さらに前記グループ店判定手段によりグループ店である（図３３のＳ３０２でＹＥＳ）と判定されたことを条件として、配送先特定情報（会員ＩＤ又は景品会員ＩＤ）から特定される配送先に景品を配送するための配送情報登録処理を行う（ここでは該配送情報登録処理の前提となる予約内容登録処理を行う）ものである。
【０３０７】
またＳ６１６の処理を行う制御部７２は、前記配送情報登録処理に伴って、景品提供要求（予約確定要求）の送信元である予約確定端末５０を操作した店員の店員ＩＤに対応付けて当該配送情報登録処理に関する情報を管理する配送情報管理手段として機能するものである。これによれば、予約確定端末５０を不正に操作した店員や誤って操作した可能性のある店員を特定して対処することができる。具体的には、ＰＯＳ端末４０で記憶している減算処理の履歴を該ＰＯＳ端末４０のディスプレイ４３で表示すると共に、景品管理装置７０の配送情報ＤＢで記憶している配送情報を予約確定端末５０のディスプレイ５３で表示して、両者を見比べることにより、ある配送情報の確定日時の近傍において減算処理が行われていないこと、つまりは該配送情報の店員ＩＤから特定される店員が不正又は間違いにより減算処理を行わずに予約確定要求の送信を行ったことを特定して、該店員の処分や事後的な減算処理等の対処をすることができる。
【０３０８】
さらにＳ６１６の処理を行う制御部７２は、ユーザ（遊技者）を特定可能なユーザ特定情報（配送先情報）を配送情報として登録すると共に、該ユーザ特定情報と当該配送情報登録処理に供された景品の景品ＩＤとを対応付けて登録するユーザ特定情報登録手段として機能するものである。
【０３０９】
前記Ｓ６１４で既に登録されている（ＹＥＳ）と判定された場合には、Ｓ６１７で、当該既に登録されている配送情報に対応する予約確定ＩＤに対応付けて、Ｓ６１４で判定の対象となった分類の景品の配送情報を登録する配送情報登録処理を行って、前記Ｓ６１８に進む。このＳ６１７の処理を行う制御部７２は、前記同一配送元判定手段により既に登録されていると判定されたことを条件として、当該既に登録されている配送情報に対応する分類識別情報（予約確定ＩＤ）に対応付けて、配送元情報が同一である景品の配送情報を登録する前記配送情報登録処理を行う配送情報登録手段として機能するものである。
【０３１０】
具体的には、例えば前記予約１について、ＹＫ−００００１の予約確定ＩＤが生成されて割り当てられ、配送情報ＤＢにおいて、各項目が既に登録されている状態で、Ｓ６０５で、前記予約３を含む予約確定要求を受信した場合には、該予約３の景品と前記予約１の景品の配送三条件とが同一であることから、Ｓ６１４でＹＥＳと判定されるので、Ｓ６１７で、配送情報ＤＢにおいて、予約１に対応する予約確定ＩＤに対応付けて、予約３の予約ＩＤ（Ｙ−００００３）と、当該予約ＩＤに対応付けて図１２に示す予約情報ＤＢで登録されている各景品の景品ＩＤ，景品名，交換玉数，及び配送元を登録する。
【０３１１】
前記Ｓ６１８で全ての分類について登録が完了した（ＹＥＳ）と判定された場合には、Ｓ６１９で、Ｓ６１６で登録された各予約確定ＩＤ及びＳ６１７で配送情報が新たに対応付けられた各予約確定ＩＤと、これら各予約確定ＩＤに対応する景品を特定可能な情報として、各予約確定ＩＤに対応付けて図１４に示す配送情報ＤＢで登録されている一又は複数の該景品の予約ＩＤ，景品ＩＤ，景品名，交換玉数，及び配送個数と、同一の配送区分，配送先情報，及び配送希望日時とを含む配送登録完了通知を、予約確定端末５０に対して送信して、Ｓ６２０に進む。このＳ６２０の処理を行う通信部７１は、各分類識別情報（予約確定ＩＤ）と各分類識別情報に対応する景品を特定可能な情報とを含む配送情報通知（配送登録完了通知）を配送要求端末（予約確定端末５０）に対して送信する配送情報通知送信手段として機能するものである。この配送登録完了通知を受信した予約確定端末５０では、前記図３７のＳ５１４で説明したように、該配送登録完了通知に含まれる予約確定ＩＤの各々について、当該予約確定ＩＤと、当該予約確定ＩＤに対応する一又は複数の景品の予約ＩＤ，景品ＩＤ，景品名，交換玉数，及び配送個数と、同一の配送区分，配送先情報，配送希望日時，及び問い合わせ先とを記録した配送レシート７が発行される。
【０３１２】
以上に説明したように、遊技者により選択された各景品が配送元情報が同一である景品毎に分類され、該分類された各分類毎に割り当てられた各分類識別情報（予約確定ＩＤ）に対応付けて各予約確定ＩＤに対応する景品の景品情報が視認可能に記録された配送レシート７が発行されることにより、遊技者が交換を希望する景品の配送状況を確認する場合には、各予約確定ＩＤに対応する少なくとも１つの景品が到着したか否かを確認し（つまり予約確定ＩＤ単位で景品が到着したか否かを確認し）、到着していない景品に対応する予約確定ＩＤにより配送状況の問い合わせを行えば、当該予約確定ＩＤに対応する全ての景品の配送状況を確認することができる（つまり予約確定要求単位で確認を行うだけで良い）ので、遊技者の手間が軽減される。
【０３１３】
具体的には、図２（ｃ）に示すように、１つの予約確定ＩＤに対応付けて２つの予約ＩＤ（２つの景品）が記録されている配送レシート７が発行されている場合には、遊技者が、当該予約確定ＩＤであるＹＫ−００００１により、問い合わせ先である景品センタに配送状況の問い合わせを行えば、該景品センタのオペレータが、当該予約確定ＩＤに対応付けて図１４に示す配送情報ＤＢで登録されている配送元に対して、当該予約確定ＩＤに対応する景品（即ち予約ＩＤがＹ−００００１である景品とＹ−００００３である景品）の配送状況の問い合わせを行い、該配送元のオペレータが、これらの景品の配送状況を確認して、景品センタのオペレータに連絡し、該連絡された配送状況が、前記遊技者に対して伝達されるので、当該予約確定ＩＤに対応する全ての景品の配送状況を確認することができる。また遊技者が、当該予約確定ＩＤであるＹＫ−００００１により、問い合わせ先である景品提供業者Ｘに配送状況の問い合わせを行えば、該景品提供業者Ｘのオペレータが、当該予約確定ＩＤに対応付けて図５（ａ）に示す配送情報ＤＢで登録されている配送元に対して、当該予約確定ＩＤに対応する景品（即ち予約ＩＤがＹ−００００１である景品とＹ−００００３である景品）の配送状況の問い合わせを行い、該配送元のオペレータが、これらの景品の配送状況を確認して、景品提供業者Ｘのオペレータに連絡し、該連絡された配送状況が、前記遊技者に対して伝達されるので、当該予約確定ＩＤに対応する全ての景品の配送状況を確認することができる。
【０３１４】
また景品配送要求（予約確定要求）から特定される複数の景品について異なる配送先（配送区分）が指定された場合であっても、配送元情報及び該配送先が同一である景品毎に分類され、該分類された各分類毎に予約確定ＩＤが割り当てられて配送レシート７が発行されるので、遊技者に同時に到着する景品の単位で容易に配送状況を確認することができる。
【０３１５】
また景品配送要求（予約確定要求）から特定される複数の景品について異なる配送時期（配送希望日時）が指定された場合であっても、配送元情報及び該配送時期が同一である景品毎に分類され、該分類された各分類毎に予約確定ＩＤが割り当てられて配送レシート７が発行されるので、遊技者に同時に到着する景品の単位で容易に配送状況を確認することができる。
【０３１６】
さらにＳ６１７で説明したように、景品配送要求（予約確定要求）を複数回に分けて送信しても、予約確定要求から特定される景品と配送元情報が同一である配送情報が既に登録されている場合には、該既に登録されている配送情報に対応する予約確定ＩＤに対応付けて当該配送元情報が同一である景品の配送情報が登録されることにより、１つの予約確定ＩＤでより多くの景品の配送状況を確認することができるので、遊技者の手間がさらに軽減される。
【０３１７】
Ｓ６２０では、図１２に示す予約情報ＤＢにおいて、該予約確定ＩＤが作成された予約ＩＤに対応する予約情報を消去し、Ｓ６２０ａでは、図１３に示す未提供予約個数・玉数ＤＢにおいて、前述した未提供予約個数・玉数減算処理を行って、処理を終了する。このＳ６２０ａの未提供予約個数・玉数減算処理を行う制御部７２及び未提供予約個数・玉数ＤＢは、前記未提供予約特定手段として機能するものである。
【０３１８】
図２９に戻り、景品管理装置７０は、図３９に示す配送停止処理を行う（Ｓ４４）。この景品管理装置７０は、予約確定端末５０から送信されてくる配送取消要求の受信を待機している（Ｓ７０１）。この配送取消要求を受信する通信部７１は、前記配送情報登録手段にて登録された配送情報のうち、取消を希望する配送情報の指定を遊技場から受け付ける取消指定受付手段として機能するものである。
【０３１９】
このＳ７０１で配送取消要求の受信が有ると（ＹＥＳ）、該配送取消要求に含まれる予約確定ＩＤに対応付けて図１４に示す配送情報ＤＢで登録されている配送指示済フラグが１であるか否か（即ち当該予約確定ＩＤに対応する配送情報を配送管理装置８０に送信しているか否か）を判定する（Ｓ７０２）。
【０３２０】
このＳ７０２で配送指示済フラグが０である（ＮＯ）、即ち当該配送情報を配送管理装置８０に送信していないと判定された場合には、配送情報に対応する景品の配送を停止するための処理として、図１４に示す配送情報ＤＢにおいて、該配送情報を消去し（Ｓ７０３）、配送停止完了通知を予約確定端末５０に対して返信して（Ｓ７０４）、処理を終了する。
【０３２１】
一方、Ｓ７０２で配送指示済フラグが１である（ＹＥＳ）、即ち当該配送情報を配送管理装置８０に送信したと判定された場合には、配送情報に対応する景品の配送を停止するための処理として、該配送情報の予約確定ＩＤを含む配送停止要求を配送管理装置８０に対して送信する（Ｓ７０５）。
【０３２２】
この配送停止要求を受信した配送管理装置８０は、該配送停止要求に含まれる予約確定ＩＤに対応する景品の配送が行われているか否か、即ち図５（ａ）に示す配送情報ＤＢにおいて、当該予約確定ＩＤに対応付けて配送開始日時が登録されているか否かを判定する。ここで配送開始日時が登録されていない（即ち景品の配送が未だ行われていない）と判定された場合には、当該予約確定ＩＤに対応する配送情報を消去して、配送停止ＯＫ通知を景品管理装置７０に対して返信する。一方、配送開始日時が登録されている（即ち景品の配送が既に行われている）と判定された場合には、配送停止ＮＧ通知を景品管理装置７０に対して返信する。
【０３２３】
Ｓ７０５の処理を行った景品管理装置７０は、配送管理装置８０から送信されてくる配送停止ＯＫ通知（Ｓ７０６）又は配送停止ＮＧ通知（Ｓ７０７）の受信を待機する。このＳ７０６で配送停止ＯＫ通知の受信が有ると（ＹＥＳ）、前記Ｓ７０３に進む。またＳ７０７で配送停止ＮＧ通知の受信が有ると（ＹＥＳ）、配送停止不可通知を予約確定端末５０に対して返信して（Ｓ７０８）、処理を終了する。
【０３２４】
ここでＳ７０３の処理を行う制御部７２，及びＳ７０５の処理を行う通信部７１は、前記取消指定受付手段にて指定を受け付けた配送情報に対応する景品の遊技者への提供（配送）を停止するための処理を行う提供停止手段として機能するものである。これによれば、遊技者が所有する有価価値から、交換する景品に相当する有価価値を減算していないにも拘わらず、景品管理装置７０において、景品をユーザに提供するための配送情報を登録する配送情報登録処理が行われてしまっても、取消を希望する配送情報の指定を遊技場から受け付けると、該指定を受け付けた配送情報に対応する景品の配送を停止するための処理が行われて、景品の配送が行われないので、遊技場が損をしてしまうおそれがない。
【０３２５】
図２９に戻り、景品管理装置７０は、図４０に示す予約停止景品指定処理を行う（Ｓ５１）。この景品管理装置７０は、予約停止景品の指定を待機しており（Ｓ８０１）、図６（ｃ）のＤ１７に示す画面で予約停止景品の指定が有ると（ＹＥＳ）、図８に示す景品情報ＤＢにおいて、該指定された景品の景品ＩＤに対応する予約停止フラグとして１（即ち予約停止景品である旨）を登録して（Ｓ８０２）、図１４に示す配送情報ＤＢにおいて、該景品ＩＤが含まれる配送情報から配送先情報（氏名，郵便番号，住所，電話番号）を抽出し（Ｓ８０３）、該抽出した配送先情報をディスプレイ７３に表示して（Ｓ８０４）、処理を終了する。
【０３２６】
ここでＳ８０３の処理を行う制御部７２は、前記予約停止景品受付手段（ディスプレイ７３及び入力装置７４）にて予約停止景品の指定を受け付けたことに基づいて、前記ユーザ特定情報登録手段（制御部７２，配送情報ＤＢ）にて該景品の景品ＩＤと対応付けられているユーザ特定情報（配送先情報）を抽出するユーザ特定情報抽出手段として機能するものである。これによれば、予約を停止する景品の指定を受け付ける前に該景品の予約を行った遊技者を特定できるので、該遊技者に対して適切な対処（例えば電話連絡等）をすることができる。
【０３２７】
図２９に戻り、配送管理装置８０は、図３（ａ）のＤ０２に示すようにして、ある景品について在庫数の変更を受け付けると（Ｓ６１）、図４（ａ）に示す景品情報ＤＢにおいて、該景品の景品ＩＤに対応付けて記憶している在庫数を、該受け付けた変更後の在庫数に変更し（Ｓ６２）、該景品ＩＤと変更後の在庫数とを含む在庫数変更情報を、景品管理装置７０に対して送信する（Ｓ６３）。
【０３２８】
この在庫数変更情報を受信した景品管理装置７０は、図４１に示す在庫数変更処理を行う（Ｓ６４）。この景品管理装置７０は、在庫数変更情報の受信を待機しており（Ｓ９０１）、前記在庫数変更情報の受信が有ると（ＹＥＳ）、図８に示す景品情報ＤＢにおいて、該在庫数変更情報に含まれる景品ＩＤに対応付けて記憶している在庫数を、該在庫数変更情報に含まれる変更後の在庫数に変更して（Ｓ９０２）、該変更後の在庫数ａと、前記景品ＩＤに対応付けて図１１（ｃ）に示す予約・確定累計数ＤＢで記憶している確定累計数ｂ’とに基づいて、在庫数ａ−確定累計数ｂ’≧０の判定式ｘ”を満たすか否かで、景品の提供が可能であるか否かを判定する（Ｓ９０３）。このＳ９０３の判定を行う制御部７２は、在庫数変更手段（通信部７１）にて変更を受け付けた後の在庫数ａと、提供個数集計手段（配送個数集計手段）にて集計された提供個数（配送個数）である確定累計数ｂ’とに基づいて、景品の提供が可能であるか否かを判定する提供可否判定手段として機能するものである。
【０３２９】
このＳ９０３で判定式ｘ”を満たす（ＹＥＳ）、即ち景品の提供が可能であると判定された場合には、処理を終了する。一方、Ｓ９０３で判定式ｘ”を満たさない（ＮＯ）、即ち景品の提供が可能でないと判定された場合には、図１４に示す配送情報ＤＢにおいて、前記景品ＩＤが含まれる配送情報から配送先情報（氏名，郵便番号，住所，電話番号）を抽出し（Ｓ９０４）、該抽出した配送先情報をディスプレイ７３に表示して（Ｓ９０５）、処理を終了する。
【０３３０】
ここでＳ９０４の処理を行う制御部７２は、在庫数変更手段により在庫数の変更を受け付けたことに基づいて、提供可否判定手段により提供が可能でないと判定された景品の景品ＩＤと対応付けられているユーザ特定情報（配送先情報）を抽出するユーザ特定情報抽出手段として機能するものである。これによれば、在庫数の変更を受け付ける前に行われた配送情報登録処理に供された景品を選択した遊技者を特定できるので、該遊技者に対して適切な対処（例えば電話連絡等）をすることができる。
【０３３１】
最後に景品交換システム１は、遊技場の営業終了後に、図２９に示すＳ７１〜Ｓ７３の処理を行う。まず景品管理装置７０は、図１４に示す配送情報ＤＢで記憶している配送情報のうち、配送指示済フラグとして０が登録されている配送情報を、配送管理装置８０に対して送信して（Ｓ７１）、該送信した配送情報の配送指示済フラグとして１を登録する。
【０３３２】
また景品管理装置７０は、図８に示す景品情報ＤＢで記憶している各景品の在庫数から、図１１（ｃ）に示す予約・確定累計数ＤＢで記憶している各景品の確定累計数を減算することにより、該景品情報ＤＢを更新し、また予約・確定累計数ＤＢで記憶している各景品の予約累計数及び確定累計数をすべて消去することにより、該予約・確定累計数ＤＢを更新し、また図１２に示す予約情報ＤＢで記憶しているすべての予約情報を消去することにより、該予約情報ＤＢを更新し、さらに図１３に示す未提供予約個数・玉数ＤＢで記憶している全体未提供予約個数，全体未提供予約玉数，景品ＩＤ，個別未提供予約個数，個別未提供予約玉数，及び当日報知フラグを消去することにより、該未提供予約個数・玉数ＤＢを更新する（Ｓ７２）。ここで予約・確定累計数ＤＢ及び予約情報ＤＢの更新は、所定期間毎（ここでは１日毎）に配送情報登録処理が行われずに登録されている予約ＩＤ及び景品ＩＤを無効化（ここでは消去）する処理である。これによれば、景品管理装置７０において、予約内容登録処理が行われても配送情報登録処理が行われていない景品に対応する予約ＩＤ及び景品ＩＤについては、所定期間毎に無効化されるので、該無効化された景品の分だけ新たに予約内容登録処理を行うことができ、無駄に多くの在庫を用意するという不都合が生じない。なお未提供予約個数・玉数ＤＢにおいて、上限値超え回数は消去せずに、翌日以降に繰り越す。
【０３３３】
Ｓ７１の配送情報を受信した配送管理装置８０は、図５（ａ）に示す配送情報ＤＢで、該受信した配送情報を登録する（Ｓ７３）。そして景品提供業者は、該登録された配送情報に基づいて、登録された配送希望日時に景品が配送されるように、景品を配送する処理を行い、配送管理装置８０は、オペレータの操作により、配送情報ＤＢにおいて、景品の配送が行われると配送開始日時を登録し、景品の配送が完了すると配送完了日時を登録し、請求済フラグ１を登録して、当該配送情報を図５（ｂ）に示す請求情報ＤＢで登録する。そして景品提供業者は、請求情報ＤＢで記憶している所定期間（例えば１ヶ月）分の請求情報を取り纏めて、各遊技場に対して、合計請求額を請求する。
【０３３４】
［１’．第１実施形態の変形例に係る景品交換システム１］
次に、第１実施形態の変形例に係る景品交換システム１について、第１実施形態と異なる点についてのみ説明する。
【０３３５】
この変形例では、景品管理装置７０において、制御部７２が前記登録必要景品特定手段として機能しないと共に、通信部７１がシンボル出力情報送信手段として機能しない一方、景品管理装置７０において、通信部７１が変更景品特定情報送信手段として機能すると共に、出力端末であるキオスク端末３０において、制御部３２が登録必要景品特定手段として機能する。
【０３３６】
まず景品管理装置７０において、制御部７２は前記登録必要景品特定手段として機能しないので、図８に示す景品情報ＤＢでは、出力フラグが記憶されない。また該景品情報ＤＢでは、追加フラグも記憶されない。また景品管理装置７０において、通信部７１は変更景品特定情報送信手段の一例であって、景品変更手段（通信部７１，ディスプレイ７３及び入力装置７４）にて受け付けた変更により景品表示装置（カードユニット２０，キオスク端末３０）に新たに表示される景品（即ち追加景品）を特定するための変更景品特定情報を送信するものである。具体的には、前記景品情報送信手段である通信部７１が送信する全表示景品の景品情報（ここでは景品ＩＤ，大区分，小区分，景品名，詳細情報，交換玉数，及び玉数コード６ｃ）が、追加景品の景品情報も含んでいるので、該追加景品を特定するための変更景品特定情報に相当する。
【０３３７】
また出力端末であるキオスク端末３０において、制御部３２は登録必要景品特定手段の一例であって、前記変更景品特定情報送信手段から送信されてきた変更景品特定情報（追加景品の玉数コード６ｃ及び交換玉数）から特定される景品（追加景品）であって、当該景品の交換有価価値（交換玉数）に対応する有価価値識別情報（玉数コード６ｃ）をＰＯＳ端末４０にて登録する必要がある登録必要景品を特定するものであり、ここでは変更景品特定情報送信手段から送信されてきた変更景品特定情報から特定される景品のうち、当該景品の交換有価価値が前記既表示景品価値情報から特定される交換有価価値（即ち交換玉数ＤＢで管理している交換玉数）と異なる景品を前記登録必要景品として特定する（図４２のＳ１４ａ）。
【０３３８】
この登録必要景品特定手段として機能する制御部３２は、図４３に示す登録必要景品特定処理を行う。まず変更景品特定情報送信手段から送信されてきた変更景品特定情報に含まれる全表示景品のうち、図１６（ａ）に示す表示景品情報ＤＢで記憶されていない景品を、景品表示装置に新たに表示される追加景品として特定し（Ｓ００１’）、該特定された追加景品のうちの一の交換玉数と、交換玉数ＤＢで管理している交換玉数とが同一であるか否かを判定する（Ｓ００２’）。このＳ００２’で交換玉数が同一である（ＹＥＳ）と判定された場合には、Ｓ００４’に進む。一方、Ｓ００２’で交換玉数が異なる（ＮＯ）と判定された場合には、当該景品を登録必要景品として特定して（Ｓ００３’）、Ｓ００４’に進む。Ｓ００４’では、前記特定された全ての追加景品についてＳ００１’の判定が完了したか否かを判定し、判定が完了していなければ（ＮＯ）、Ｓ００１’に戻り、判定が完了していれば（ＹＥＳ）、処理を終了する。
【０３３９】
具体的には、遊技場Ａについて、景品パッケージＩＤがＰＸ−５０２の景品パッケージ「夏期限定フェア」が新たに選択されると、該景品パッケージ「夏期限定フェア」に含まれる景品ＩＤであるＫＸ−０００３０５，ＫＸ−０００５０１，及びＫＸ−０２０４７５の各景品を含む景品情報が送信されてきて、前記登録必要景品特定処理が行われると、該景品情報に含まれる景品ＩＤであるＫＸ−０００３０５，ＫＸ−０００５０１，及びＫＸ−０２０４７５の各景品が追加景品として特定され、該特定された追加景品のうち、景品ＩＤがＫＸ−０００５０１の景品「アイスＡ」については、該「アイスＡ」の交換玉数７５個と、変更前の交換玉数ＤＢで管理されている交換玉数７５個とが同一であるため、該「アイスＡ」は登録必要景品として特定されないが、景品ＩＤがＫＸ−０００３０５の景品「そうめんＡ」については、該「そうめんＡ」の交換玉数１５０個と、変更前の交換玉数ＤＢで管理されている交換玉数とは異なる（即ち交換玉数１５０個は交換玉数ＤＢで管理されていない）ため、該「そうめんＡ」は登録必要景品として特定され、また景品ＩＤがＫＸ−０２０４７５の景品「浮き輪」についても、該「浮き輪」の交換玉数１８００個と、変更前の交換玉数ＤＢで管理されている交換玉数とは異なる（即ち交換玉数１８００個は交換玉数ＤＢで管理されていない）ため、該「浮き輪」は登録必要景品として特定される。
【０３４０】
また出力端末であるキオスク端末３０において、前記出力手段として機能する予約レシートプリンタ３５は、前記登録必要景品特定手段にて特定した登録必要景品の交換有価価値（交換玉数）に対応する有価価値識別情報（交換玉数）を内在する情報記録シンボル（玉数情報バーコード６ｂ）をＰＯＳ端末４０にて読取可能な態様で出力するものであり、ここでは該情報記録シンボルと対応付けて当該情報記録シンボルが内在する有価価値識別情報に対応する交換有価価値を視認可能な態様で出力するものである。
【０３４１】
具体的には、図４２のＳ１４ａに示すように、登録必要景品特定処理が行われて登録必要景品が特定されると、同Ｓ１５に示すように、制御部３２は、前記変更景品特定情報に含まれる当該登録必要景品の玉数コード６ｃを内在する玉数情報バーコード６ｂを生成し、出力手段として機能する予約レシートプリンタ３５は、図２２に示す玉数情報バーコード一覧８を印刷し、予約レシート排出口３５ａから排出して発行する。この玉数情報バーコード一覧８には、特定された登録必要景品の各々について、制御部３２により生成された当該登録必要景品に対応する玉数コード６ｃを内在する玉数情報バーコード６ｂと、前記変更景品特定情報に含まれる当該登録必要景品に対応する交換玉数とが対応付けて、一覧形式で記録されている。
【０３４２】
次に図４２を参照して、第１実施形態の変形例に係る景品交換システム１の作用について、図２９に示す第１実施形態と異なる点についてのみ説明する。景品管理装置７０は、変更景品特定情報送信手段である通信部７１により、追加景品（即ち景品情報ＤＢにおいて追加フラグとして１が登録されている景品）の玉数コード６ｃ及び交換玉数を、変更景品特定情報として、キオスク端末３０に対して送信する（Ｓ１３）。このシンボル出力情報を受信したキオスク端末３０は、登録必要景品特定手段である制御部３２により、前述の如く、図４３に示す登録必要景品特定処理を行って（Ｓ１４ａ）、該登録必要景品特定処理を行った旨を報知し、オペレータにより該報知に基づいて一覧出力ボタン（図示外）が操作されると、出力手段である予約レシートプリンタ３５により、特定された登録必要景品の各々について、当該登録必要景品に対応する玉数コード６ｃを内在する玉数情報バーコード６ｂと当該登録必要景品に対応する交換玉数とが対応付けて一覧形式で記録されている、図２２に示す玉数情報バーコード一覧８を出力する（Ｓ１５）、そしてＰＯＳ端末４０は、オペレータの操作によって、該玉数情報バーコード一覧８に記録されている玉数情報バーコード６ｂが内在する玉数コード６ｃがバーコードリーダ４５による読み取られ、該玉数情報バーコード一覧８に記録されている交換玉数が視認されて入力装置４４により入力されると、該読み取った玉数コード６ｃと入力された交換玉数とを、図２４に示す交換玉数ＤＢで対応付けて登録する（Ｓ１６）。
【０３４３】
これによれば、景品表示装置（カードユニット２０，キオスク端末３０）に表示される景品が変更されたときに、ＰＯＳ端末４０にて登録する必要がある登録必要景品の交換玉数に対応する玉数コード６ｃを内在する玉数情報バーコード６ｂがキオスク端末３０において出力されることにより、該出力される玉数情報バーコード６ｂをＰＯＳ端末４０において読み取ることで、該玉数情報バーコード６ｂが内在する玉数コード６ｃを容易に登録することができるので、玉数コード６ｃと交換玉数とを対応付けて登録する登録作業の負担が軽減される。また玉数情報バーコード６ｂが内在する玉数コード６ｃに対応する交換玉数が視認可能な態様でキオスク端末３０において出力されることにより、該交換玉数を容易に把握することができるので、玉数コード６ｃと交換玉数とを対応付けて登録する登録作業の負担がさらに軽減される。
【０３４４】
また景品表示装置において既に表示されていた景品と交換玉数が同じである景品は登録必要景品として特定されないことにより、該景品の交換玉数に対応する玉数コード６ｃを内在する玉数情報バーコード６ｂはキオスク端末３０において出力されないので、無駄な登録作業が無くなる。
【０３４５】
［２．第２実施形態に係る景品交換システム１］
次に、第２実施形態に係る景品交換システム１について、第１実施形態と異なる点についてのみ説明する。この第２実施形態では、第１実施形態と比較して、（１）上限値の設定方法及び上限値判定処理の方法と、（２）景品管理装置７０から予約端末に対する景品情報の送信及び該予約端末における重複景品排除処理の方法と、（３）予約端末における予約停止景品の表示方法と、（４）減算処理端末における有価価値識別情報の登録方法と、（５）減算処理端末及び予約確定端末の構成並びに作用と、（６）景品管理装置７０における在庫数の判定方法とが、それぞれ異なる。
【０３４６】
まず（１）上限値の設定方法及び上限値判定処理の方法として、第１実施形態では、図７のＤ１８に示すように、上限値判定基準として景品の個数を指定し、同Ｄ１９ａに示すように、全体上限値，個別上限値，及び最少上限値を指定し、図１０に示すように、個別上限値を設定し、図３４（ａ）に示すように、上限値判定処理としてＳ３５１〜Ｓ３５５の処理を行うように構成している。
【０３４７】
これに対し、第２実施形態では、まず図７のＤ１８で、上限値判定基準として景品の玉数を指定し、図示しない決定ボタンを操作すると、Ｄ１９ｂに示す上限値指定画面がディスプレイ７３に表示される。このＤ１９ｂでは、遊技者が予約する全景品に対応する交換玉数に対する全体上限値，交換玉数に基づく個別上限値，在庫数に基づく個別上限値，及び各景品に対する最少上限値を指定するための入力欄が表示される。ここで全体上限値は、景品の種類によらずに予約を許容する交換玉数（即ち全景品の予約個数分の交換玉数）であり、本例では３００００玉が指定されている。
【０３４８】
また個別上限値は、１種類の景品について予約を許容する交換玉数（即ち各景品の種類毎の予約個数分の交換玉数）である。ここで交換玉数に基づく個別上限値としては、悪質な遊技者がいたずらで当該景品のみを多数予約したときに、在庫数に多大な影響を及ぼさない値が指定され、本例では総交換玉数の４０％であるが、そのような値であれば該４０％には限定されない。また在庫数に基づく個別上限値としては、正規な遊技者が当該景品のみを多数予約したときに、いたずらではなく正規の予約として考えられる値が指定され、本例では在庫数２０個であるが、そのような値であれば該２０個には限定されない。ここで交換玉数に基づく個別上限値及び在庫数に基づく個別上限値については、少なくとも一方が指定されるものでも良いが、本例では両方が指定されている。
【０３４９】
また最少上限値としては、第１実施形態と同様の理由により、１個以上かつ全体上限値未満の任意の景品個数分の交換玉数が指定される。このＤ１９ｂで、オペレータが入力装置７４を操作して、各入力欄に指定値を入力して、図示しない決定ボタンを操作すると、図１０に示す上限値ＤＢにおいて、各入力欄に入力された指定値が登録される。
【０３５０】
また第２実施形態では、図４６に示すように、個別上限値を設定する。まず前記図７に示すようにして、ディスプレイ７３及び入力装置７４により、上限値の指定が行われると、制御部７２は、該指定された値に基づいて設定した上限値を図４６に示す上限値ＤＢに登録する処理を行う。即ち、この制御部７２及び上限値ＤＢは、前記上限値設定手段として機能するものである。
【０３５１】
この上限値ＤＢでは、図４６に示すように、上限値指定受付手段（ディスプレイ７３及び入力装置７４）により図７のＤ１８で指定された上限値判定基準（ここでは個数）と、同Ｄ１９ｂで指定された全体上限値，交換玉数に基づく個別上限値，在庫数に基づく個別上限値，及び最少上限値の各指定値が記憶される。ここで記憶される各指定値のうち、全体上限値及び最少上限値の指定値は、そのまま全体上限値及び最少上限値として設定される。
【０３５２】
また上限値ＤＢでは、各景品提供業者毎のデータテーブルが設けられており、各データテーブルでは、景品情報ＤＢで記憶されている各景品の景品ＩＤに対応付けて、当該景品の在庫数と交換玉数，該在庫数×交換玉数の式で演算される総交換玉数，交換玉数に基づく個別上限値の演算値である交換玉数演算値，在庫数に基づく個別上限値の演算値である在庫数演算値，補正パターン，及び個別上限値の補正値が記憶される。
【０３５３】
ここで交換玉数演算値は、交換玉数に基づく個別上限値の指定値（ここでは４０％）×各景品の総交換玉数の式で演算される値の整数部分である。また在庫数演算値は、在庫数に基づく個別上限値の指定値（ここでは２０個）×各景品の交換玉数の式で演算される値である。また補正パターンは、前記設定された全体上限値と、前記演算された交換玉数演算値と、前記演算された在庫数演算値と、前記設定された最少上限値とに基づいて、個別上限値の補正値を特定する各パターンを示す符号であり、該補正パターンにしたがって特定された値が、個別上限値の補正値として記憶され、該記憶された補正値が、個別上限値として設定される。
【０３５４】
具体的には、景品ＩＤがＫＸ−０００００２やＫＸ−０００１０２の景品のように、交換玉数演算値と在庫数演算値の少ない方を個別上限値として設定する場合には、補正パターンとしてＡが記憶され、第１実施形態と同様の理由により、該少ない方の演算値が補正値として記憶されて、個別上限値として設定される。また景品ＩＤがＫＸ−０００１２３やＫＸ−０２０４７５の景品のように、交換玉数演算値と在庫数演算値の少ない方が全体上限値（ここでは３００００玉）を超えている場合には、補正パターンとしてＢが記憶され、第１実施形態と同様の理由により、該全体上限値が補正値として記憶されて、個別上限値として設定される。
【０３５５】
さらに景品ＩＤがＫＸ−０００００１の景品ＩＤのように、在庫数演算値と交換玉数演算値の少ない方が最少上限値（ここでは景品５個分の交換玉数である１００００玉）に満たない場合には、補正パターンとしてＣが記憶され、第１実施形態と同様の理由により、該最少上限値が補正値として記憶されて、個別上限値として設定される。なお景品ＩＤがＫＸ−０００１０１の景品のように、在庫数演算値と交換玉数演算値の少ない方が在庫数分の交換玉数に満たない場合にも、補正パターンとしてＣが記憶され、第１実施形態と同様の理由により、該在庫数分の交換玉数が補正値として記憶されて、個別上限値として設定される。
【０３５６】
この上限値ＤＢでは、遊技場の営業開始前において、通信部７１により、配送管理装置８０から送信されてくる在庫数情報を受信し（Ｓ１１）、制御部７２により、景品情報ＤＢの在庫数が更新されると（Ｓ１２）、該更新された在庫数に基づいて、当該上限値ＤＢで記憶している在庫数が更新されると共に該在庫数に基づいて演算される総交換玉数が更新され、各景品の交換玉数に基づいて演算される在庫数演算値は更新されず、該更新された在庫数演算値と更新されない交換玉数演算値とに基づいて決定される補正パターンと補正値（即ち個別上限値）が更新される（同Ｓ１２）。
【０３５７】
このように、上限値ＤＢにおいて、各景品の種類毎に上限値を設定することができるので、例えば各景品に対応する交換玉数に応じた上限値を設定することで、いたずらの予約により在庫数が減少して正規の遊技者が予約できないといった事態をより効果的に防止できる。また上限値ＤＢにおいて、各景品の在庫数及び／又は各景品に対応する交換玉数に基づいて上限値が自動的に設定されるので、該上限値を設定する手間が省ける。なお上限値ＤＢにおいて、該自動的に設定された上限値を、事後的に手入力で変更することも可能であり、また上限値が自動的に設定される前に、該上限値を手入力で設定することも可能である。
【０３５８】
また第２実施形態では、図３４（ａ）に示すように、上限値判定処理としてＳ３７１〜Ｓ３７５の処理を行う。即ち、この第２実施形態でも、制御部７２が、前記上限値判定手段として機能するが、図４６に示すように、上限値判定基準として玉数が設定されているので、Ｓ３５０でＮＯと判定されて、Ｓ３７１に進む。
【０３５９】
Ｓ３７１では、図４６に示す上限値ＤＢにおいて設定されている全体上限値である全体上限玉数と、前記予約要求に含まれるユーザ特定情報に対応付けて図１３に示す未提供予約個数・玉数ＤＢで記憶されている当該遊技者の全体未提供予約玉数とが抽出される。具体的には、Ｓ３０１で受信した予約要求が会員予約要求ならば、該会員予約要求に含まれる会員ＩＤ又は景品会員ＩＤに対応付けて未提供予約個数・玉数ＤＢで記憶されている全体未提供予約玉数が抽出され、Ｓ３０１で受信した予約要求がビジタ予約要求ならば、該ビジタ予約要求に含まれる配送先情報に対応付けて未提供予約個数・玉数ＤＢで記憶されている全体未提供予約玉数が抽出される。なお未提供予約個数・玉数ＤＢで当該ユーザ特定情報が記憶されていない場合、即ち当該遊技者について当日に予約内容登録処理が行われていない場合には、当該遊技者の全体未提供予約玉数として０が抽出される。
【０３６０】
次にＳ３７２では、Ｓ３７１で抽出された全体上限玉数及び全体未提供予約玉数と、前記予約要求に含まれる各景品の予約個数分の交換玉数の合算値である全予約玉数とに基づいて、全体上限玉数−（全体未提供予約玉数＋全予約玉数）≧０の判定式ｐ’を満たすか否かで、当該遊技者について予約が可能であるか否かを判定する。このＳ３７２の判定を行う制御部７２は、前記未提供予約特定手段（制御部７２，未提供予約個数・玉数ＤＢ）により特定された全体未提供予約価値（全体未提供予約玉数）と、前記上限値設定手段（制御部７２，上限値ＤＢ）により設定された全体上限値とに基づいて、当該予約を行う遊技者について予約が可能であるか否かを判定する前記上限値判定手段として機能するものである。このＳ３７２で、判定式ｐ’を満たす（ＹＥＳ）、即ち当該遊技者について予約が可能であると判定された場合には、Ｓ３７３に進み、判定式ｐ’を満たさない（ＮＯ）、即ち当該遊技者について予約が可能でないと判定された場合には、前記Ｓ３６１に進む。
【０３６１】
具体的には、図４６に示す上限値ＤＢにおいて、全体上限値として３００００玉が設定されている状態で、図１３に示す未提供予約個数・玉数ＤＢにおいて、全体未提供予約玉数として２２５００玉が特定されている、会員ＩＤがＡＭ−００００２である遊技者から、全予約玉数が７５００玉以下（例えば７５００玉）である予約要求が送信されてきた場合には、全体上限玉数３００００玉−（全体未提供予約玉数２２５００玉＋全予約玉数７５００玉）≧の判定式ｐ’を満たすので、Ｓ３７３に進むが、当該遊技者から、全予約玉数が７５００玉を超える（例えば８０００玉）である予約要求が送信されてきた場合には、全体上限玉数３００００玉−（全体未提供予約玉数２２５００玉＋全予約玉数８０００玉）≧の判定式ｐ’を満たさないので、Ｓ３６１に進む。
【０３６２】
Ｓ３７３では、前記予約要求に含まれる一又は複数の景品ＩＤのうちの一の景品ＩＤに対応付けて図４６に示す上限値ＤＢにおいて設定されている個別上限値である個別上限玉数と、前記予約要求に含まれるユーザ特定情報に対応付けて図１３に示す未提供予約個数・玉数ＤＢで記憶されている当該景品ＩＤの景品の個別未提供予約玉数とが抽出される。具体的には、Ｓ３０１で受信した予約要求が会員予約要求ならば、該会員予約要求に含まれる会員ＩＤ又は景品会員ＩＤに対応付けて未提供予約個数・玉数ＤＢで記憶されている当該景品の個別未提供予約玉数が抽出され、Ｓ３０１で受信した予約要求がビジタ予約要求ならば、該ビジタ予約要求に含まれる配送先情報に対応付けて未提供予約個数・玉数ＤＢで記憶されている当該景品の個別未提供予約玉数が抽出される。なお未提供予約個数・玉数ＤＢで当該景品ＩＤが記憶されていない場合、即ち当該景品ＩＤの景品について当日に予約内容登録処理が行われていない場合には、当該景品の個別未提供予約玉数として０が抽出される。
【０３６３】
次にＳ３７４では、Ｓ３７３で抽出された当該景品の個別上限玉数及び個別未提供予約玉数と、前記予約要求に含まれる当該景品の予約個数分の玉数である予約玉数とに基づいて、個別上限玉数−（個別未提供予約玉数＋予約玉数）≧０の判定式ｑ’を満たすか否かで、当該遊技者について予約が可能であるか否かを判定する。このＳ３７４の判定を行う制御部７２は、前記未提供予約特定手段（制御部７２，未提供予約個数・玉数ＤＢ）により特定された個別未提供予約価値（個別未提供予約玉数）と、前記上限値設定手段（制御部７２，上限値ＤＢ）により設定された個別上限値とに基づいて、当該予約を行う遊技者について予約が可能であるか否かを判定する前記上限値判定手段として機能するものである。このＳ３７４で、判定式ｑ’を満たす（ＹＥＳ）、即ち当該遊技者について予約が可能であると判定された場合には、Ｓ３７５に進み、判定式ｑ’を満たさない（ＮＯ）、即ち当該遊技者について予約が可能でないと判定された場合には、前記Ｓ３６１に進む。
【０３６４】
具体的には、図４６に示す上限値ＤＢにおいて、景品ＩＤがＫＸ−０００００２の景品の個別上限玉数として９０００玉が設定されている状態で、図１３に示す未提供予約個数・玉数ＤＢにおいて、当該景品の個別未提供予約玉数として７５００玉が特定されている、会員ＩＤがＡＭ−００００３である遊技者から、当該景品の予約玉数が１５００玉以下（例えば１５００玉）である予約要求が送信されてきた場合には、当該景品の個別上限玉数９０００玉−（当該景品の未提供予約玉数７５００玉＋当該景品の予約玉数１５００玉）≧０の判定式ｑ’を満たすので、Ｓ３７３に進むが、当該遊技者から、当該景品の予約個数が１５００玉を超える（例えば３０００玉）である予約要求が送信されてきた場合には、当該景品の個別上限玉数９０００玉−（当該景品の未提供予約玉数７５００玉＋当該景品の予約玉数３０００玉）≧０の判定式ｑ’を満たさないので、Ｓ３６１に進む。
【０３６５】
これによれば、各種類毎の未提供予約に対応する玉数と、個別上限値とに基づいて判定（Ｓ３７４）が行われると共に、全未提供予約景品に対応する玉数と、全体上限値とに基づいて判定（Ｓ３７２）が行われ、しかも個別上限値は全体上限値よりも低い値に設定されるので、第１実施形態と同様の理由により、悪質なユーザが、複数種類の景品を多量に予約するいたずらや、１種類の景品を多量に予約するいたずらを、効果的に防止できる。
【０３６６】
Ｓ３７５では、予約要求に含まれる全ての景品ＩＤについてＳ３７３の判定を行ったか否かを判定する。このＳ３７５で全ての景品ＩＤについて判定を行っていない（ＮＯ）と判定された場合には、Ｓ３７３に戻る。一方、Ｓ３７５で全ての景品ＩＤについて判定を行った（ＹＥＳ）と判定された場合には、図３３に示す予約内容登録処理に戻って、Ｓ３０７に進む。
【０３６７】
Ｓ３６１では、上限値超え通知を予約端末に対して返信して、前記Ｓ３６２に進む。このＳ３６１の処理は、上限値判定手段により予約が可能でないと判定されたことを条件として、該判定の対象となった遊技者について予約内容登録処理を不能化するための処理である。これによれば、予約を行う遊技者について特定される未提供予約景品に対応する玉数と、遊技者１人あたりについて設定された上限値とに基づいて、該遊技者について予約が可能であるか否かが判定され（Ｓ３５２，Ｓ３５４）、予約が可能でないと判定されると、予約内容登録処理が不能化されるので、悪質な遊技者が交換するつもりのない多量の景品を前記上限値を超えていたずらに予約することを防止でき、当該いたずらの予約により在庫数が減少して正規の遊技者が予約できないといった事態を防止できる。
【０３６８】
次に（２）景品管理装置７０から予約端末に対する景品情報の送信及び該予約端末における重複景品排除処理の方法として、第１実施形態では、図２９に示すように、景品管理装置７０から各遊技場の予約端末に対して、当該遊技場で選択された景品パッケージの景品パッケージ情報と、該景品パッケージに含まれる景品から予約停止景品を除いた景品の景品情報とを送信し（Ｓ１３）、予約端末（カードユニット２０，キオスク端末３０）において、重複表示排除処理（Ｓ１４）として、受信した景品パッケージ情報と景品情報とを表示景品情報として図１６（ａ）に示す表示景品情報ＤＢで記憶し、各区分メニューに対応する分類区分が設定されている景品を該記憶した表示景品情報から抽出し、各区分メニューについて抽出した景品のうち重複する景品を特定して、該特定した景品のうち１つを除いて削除し、前記抽出した景品から該削除した景品を除いた景品の景品情報と各区分メニューとを関連付けて図１６（ｂ）に示す区分メニューＤＢで記憶する処理を行うように構成している。
【０３６９】
これに対し、第２実施形態では、景品管理装置７０の前記景品表示処理手段として機能する制御部７２は、前記景品情報送信手段として機能する通信部７１により、図４５のＳ１３’に示すように、各遊技場の予約端末に対して、景品パッケージＤＢで記憶している当該遊技場について選択されている景品パッケージの景品パッケージ情報と、景品情報ＤＢで記憶している全景品から予約停止景品を除いた景品の景品情報とを、当該遊技場に設けられる予約端末で表示する景品の景品情報として、遊技場の営業開始前に１日１回送信する処理を行う。
【０３７０】
そして、予約端末（カードユニット２０，キオスク端末３０）の前記重複表示排除手段として機能する制御部２２，３２は、重複表示排除処理（図４５のＳ１４’）として、受信した景品パッケージ情報（即ち図９に示す景品パッケージＤＢの景品パッケージ情報）をＥＥＰＲＯＭで記憶すると共に、受信した景品情報（即ち図８に示す景品情報ＤＢの景品情報）を各景品情報が重複していない一覧形式でＥＥＰＲＯＭで記憶し、各景品パッケージに含まれる景品の景品情報を該記憶した景品情報から表示景品情報（即ち図８に示す景品情報ＤＢにおける表示景品の景品情報）として抽出して記憶し、各区分メニューに対応する景品を該記憶した表示景品情報から抽出して、図１６（ａ）に示す表示景品情報ＤＢを作成し、該抽出した景品の景品情報と各区分メニューとを関連付けて図１６（ｂ）に示す区分メニューＤＢで記憶する処理を行う。
【０３７１】
具体的には、遊技場Ａに設けられる予約端末は、景品提供業者Ｘが提供する水産物Ａ，オススメ食品Ａ，アイスクリームフェア，及び夏期限定フェアの各景品パッケージと、景品提供業者Ｙが提供するタバコＢの景品パッケージについて、ＥＥＰＲＯＭで景品パッケージ情報を記憶しており、水産物Ａとオススメ食品Ａの両景品パッケージには、景品ＩＤがＫＸ−０００００１である景品「ずわいがに」が重複して含まれ、またアイスクリームフェアと夏期限定フェアの両景品パッケージには、景品ＩＤがＫＸ−０００５０１である景品「アイスＡ」が重複して含まれているが、ＥＥＰＲＯＭで記憶している景品情報（即ち各景品情報が重複していない一覧形式の景品情報）から、これら重複して含まれる景品の景品情報を抽出する際に、該景品の景品情報を１つのみ抽出する処理（例えば、まず水産物Ａの景品パッケージに含まれる景品ＩＤであるＫＸ−０００００１の景品情報を抽出すると抽出済フラグを立て、次にオススメ食品Ａの景品パッケージに含まれる景品ＩＤであるＫＸ−０００００１の景品情報を抽出するときには既に抽出済フラグが立っているので抽出しない）を行う。これにより、複数の景品パッケージに含まれている景品であっても、景品情報は１つのみ抽出される。
【０３７２】
そして該抽出された景品情報は、当該予約端末で表示する表示景品情報として、図１６（ａ）に示す表示景品情報ＤＢで記憶されると共に、各区分メニューに対応する分類区分が設定されている景品が該表示景品情報から抽出されて（このときに重複する景品が抽出されることはない）、第１実施形態と同様に、該抽出された景品と各区分メニューとが関連付けられて図１６（ｂ）に示す区分メニューＤＢで記憶される。これにより、前記区分景品表示処理においては、区分メニューのいずれかが選択されると、当該区分メニューＤＢにおいて該選択された区分メニューに関連付けられている景品が表示されるので、遊技場が希望する複数の景品パッケージに同一の景品が重複して含まれている場合であっても、該景品が１つのみ表示され、該景品が重複して表示されることがない。
【０３７３】
次に（３）予約端末における予約停止景品の表示方法として、第１実施形態では、遊技場の営業中に予約停止景品が指定されると、図８に示す景品情報ＤＢにおいて、該予約停止景品に対応付けて予約停止フラグ１（即ち予約停止フラグである旨）が登録されるが、予約端末においては、予約停止景品であっても選択可能に表示され続けるので、該予約停止景品が選択されて予約要求が有る毎に、予約停止情報を返信し（図３３のＳ３０８）、翌日の営業開始前には、当該予約停止景品を除いた景品情報を送信することにより（図２９のＳ１３）、その日（つまり予約停止景品が指定された翌日）の営業からは、予約端末において、予約停止景品が表示されないように構成している。
【０３７４】
これに対し、第２実施形態では、遊技場の営業中に予約停止景品が指定された後、該予約停止景品が選択された最初の予約要求に対しては、予約停止情報を返信するが（図３３のＳ３０８）、該予約停止情報を受信した予約端末においては、当該予約停止景品が表示されないように構成している。つまり第２実施形態における景品表示装置である予約端末は、予約停止情報を受信したことに基づいて、予約停止景品を表示手段（ディスプレイ２４，３４）に表示しない処理を行うものである。なお該予約端末は、予約停止情報を受信したことに基づいて、予約停止景品を選択不能に（例えば「選択できません」という文字を付して）表示手段に表示する処理を行うものであっても良い。
【０３７５】
次に（４）減算処理端末における有価価値識別情報の登録方法として、第１実施形態では、図２９に示すように、景品管理装置７０が、出力端末であるキオスク端末３０に対して、登録必要景品の交換有価価値（交換玉数）に対応する有価価値識別情報（玉数コード６ｃ）を内在する情報記録シンボルを当該キオスク端末３０が出力するためのシンボル出力情報を送信し（Ｓ１３）、該キオスク端末３０が、図２２に示す玉数情報バーコード一覧８を出力し（Ｓ１５）、減算処理端末であるＰＯＳ端末４０が、該玉数情報バーコード一覧８に記録されている玉数情報バーコード６ｂが内在する有価価値識別情報と、該玉数情報バーコード一覧８に記録されている交換玉数とを、図２４に示す交換玉数ＤＢで対応付けて登録するように構成している（Ｓ１６）。
【０３７６】
これに対し、第２実施形態では、図４５に示すように、景品管理装置７０が、減算処理端末であるＰＯＳ・予約確定端末５０’に対して、登録必要景品の交換有価価値（交換玉数）に対応する有価価値識別情報（ここでは景品コード６ｃ）及び当該交換玉数を送信し（Ｓ１３’）、該ＰＯＳ・予約確定端末５０’が、受信した有価価値識別情報と交換玉数とを、図４７に示す交換玉数ＤＢで対応付けて登録するように構成している（Ｓ１６’）。
【０３７７】
この第２実施形態では、有価価値識別情報は、景品毎に付与される景品コード６ｃであり、図２（ｂ）に示す予約レシート６には、該景品コード６ｃが記録される。この景品コード６ｃも、前記玉数コード６ｃと同様に、前記ＪＡＮコードである。また情報記録シンボルである玉数情報バーコード６ｂは、該景品コード６ｃを内在するものである。
【０３７８】
このように、有価価値識別情報が景品毎に付与される（即ち景品毎に異なる）景品コード６ｃなので、前記登録必要景品特定手段として機能する制御部７２は、景品情報ＤＢにおいて、ある遊技場（例えば遊技場Ａ）について追加フラグとして１が登録されている追加景品の全てを、前記登録必要景品として特定する（図４５のＳ０７’）。
【０３７９】
具体的には、遊技場Ａにおいて、景品パッケージＩＤがＰＸ−００１の景品パッケージ「水産物Ａ」，同ＰＸ−０１１の景品パッケージ「オススメ食品Ａ」，同ＰＸ−１０１の景品パッケージ「得々景品Ａ」，及び同ＰＸ−５０１の景品パッケージ「アイスクリームフェア」が既に選択されている状態で、景品パッケージＩＤがＰＸ−５０２の景品パッケージ「夏期限定フェア」が新たに選択されると、図８に示す景品情報ＤＢにおいて、該景品パッケージ「夏期限定フェア」に含まれる景品ＩＤであるＫＸ−０００３０５，ＫＸ−０００５０１，及びＫＸ−０２０４７５に対応付けて、該遊技場Ａについて表示フラグ及び追加フラグとして１が登録される。この状態で、前記登録必要景品特定処理が行われると、該追加フラグとして１が登録されている追加景品の全てが、登録必要景品として特定されて、出力フラグとして１が登録される。
【０３８０】
また第２実施形態では、景品管理装置７０において、通信部７１がシンボル出力情報送信手段として機能しないと共に、キオスク端末３０が出力端末として機能しない（即ち図２２に示す玉数情報バーコード一覧８は出力されない）一方、景品管理装置７０において、通信部７１が有価価値識別情報送信手段として機能する。
【０３８１】
即ち景品管理装置７０において、通信部７１は有価価値識別情報送信手段の一例であって、減算処理端末であるＰＯＳ・予約確定端末５０’に対して、前記登録必要景品特定手段にて特定した登録必要景品の交換有価価値（交換玉数）に対応する有価価値識別情報（景品コード６ｃ）を送信するものであり、ここでは景品コード６ｃに対応する交換玉数を示す情報も送信するものである。具体的には、有価価値識別情報送信手段として機能する通信部７１は、図４５のＳ１３’に示すように、各遊技場のＰＯＳ・予約確定端末５０’に対して、景品情報ＤＢにおいて当該遊技場について出力フラグとして１が登録されている登録必要景品の景品コード６ｃ及び交換玉数を、遊技場の営業開始前に１日１回送信する処理を行う。この景品コード６ｃ及び交換玉数の送信後に、景品情報ＤＢにおいて１として登録されている追加フラグ及び出力フラグは、０として登録される。
【０３８２】
また第２実施形態では、減算処理端末であるＰＯＳ・予約確定端末５０’において、制御部５２’のＥＥＰＲＯＭでは、図４７に示す交換玉数ＤＢを記憶している。この交換玉数ＤＢは、前記景品変更手段（通信部７１，ディスプレイ７３及び入力装置７４）における変更の受付前に景品表示装置（カードユニット２０，キオスク端末３０）に表示されていた景品の交換玉数を特定可能な既表示景品価値情報を管理するものであり、景品表示装置に表示されるカタログ景品の交換玉数に対応付けて、該景品毎に付与された景品コード６ｃが記憶される。この交換玉数ＤＢでは、景品管理装置７０から送信されてきた有価価値識別情報である景品コード６ｃ及び交換玉数を受信すると、自動的にカタログ景品登録モードが実行され、該受信した景品コード６ｃと交換玉数とが対応付けて登録される（図４５のＳ１６’）。具体的には、交換玉数ＤＢにおいて、図４７（ａ）に示す内容が記憶されている状態で、前記登録必要景品特定処理に基づく玉数コード６ｃ及び交換玉数の登録が行われると、図４７（ｂ）に示す内容に変更される。
【０３８３】
これによれば、景品表示装置（カードユニット２０，キオスク端末３０）に表示される景品が変更されたときに、ＰＯＳ・予約確定端末５０’にて登録する必要がある登録必要景品の交換玉数に対応する景品コード６ｃがＰＯＳ・予約確定端末５０’に対して送信されることにより、該景品コード６ｃをＰＯＳ・予約確定端末５０’において登録することができる（自動的に登録される）ので、景品コード６ｃと交換玉数とを対応付けて登録する登録作業の負担が軽減される。また景品コード６ｃに対応する交換玉数がＰＯＳ・予約確定端末５０’に対して送信されることにより、該交換玉数をＰＯＳ・予約確定端末５０’において（自動的に）登録することができるので、景品コード６ｃと交換玉数とを対応付けて登録する登録作業の負担がさらに軽減される。なお交換玉数ＤＢでは、第１実施形態と同様に、一般景品について、ＪＡＮコードと交換玉数とジャンルとが対応付けて登録される。
【０３８４】
次に（５）減算処理端末及び予約確定端末の構成並びに作用として、第１実施形態では、図１に示すように、減算処理端末であるＰＯＳ端末４０と、予約確定端末５０とが別個に設けられ、図２９に示すように、ＰＯＳ端末４０における減算処理（Ｓ３１）と、予約確定端末５０における予約確定処理（Ｓ４１）とが別個に行われて、ＰＯＳ端末４０における減算処理が行われたか否かに拘わらず、予約確定端末５０から景品管理装置７０に予約確定要求が送信されるように構成している。
【０３８５】
これに対し、第２実施形態では、図１に示すＰＯＳ端末４０及び予約確定端末５０に代えて、図４４に示すように、減算処理端末及び予約確定端末として機能するＰＯＳ・予約確定端末５０’が設けられ、図２９に示す減算処理及び予約確定処理に代えて、図４９及び図５０に示すように、減算・予約確定処理が行われ、ＰＯＳ・予約確定端末５０’における減算処理に伴って、該ＰＯＳ・予約確定端末５０’から景品管理装置７０に対して予約確定要求が送信されるように構成している。
【０３８６】
まずＰＯＳ・予約確定端末５０’の構成について説明する。ＰＯＳ・予約確定端末５０’は、遊技場内における景品交換カウンタに設けられ、図４４に示すように接続される通信部５１’，制御部５２’，ディスプレイ５３’，入力装置５４’，バーコードリーダ５５’，及び配送レシートプリンタ５６’等を有するコンピュータであり、図２７に示す予約確定端末５０と同様の外観を呈する。このＰＯＳ・予約確定端末５０’は減算処理端末の一例であって、前記ＰＯＳ端末４０と同様に、予約端末のディスプレイにて選択された景品に相当する有価価値（交換玉数）を遊技者が所有する有価価値（獲得玉の計数値，貯玉数）から減算するための減算処理を行うものであり、ここでは有価価値識別情報（玉数コード６ｃ）及び交換有価価値（交換玉数）の入力を受け付けて、該受け付けた有価価値識別情報と交換有価価値とを対応付けて予め登録しておき、前記記録媒体である予約レシート６の情報記録シンボル（玉数情報バーコード６ｂ）から有価価値識別情報を読み取ると、該読み取った有価価値識別情報に対応付けて登録されている交換有価価値をユーザが所有する有価価値から減算するものである。またＰＯＳ・予約確定端末５０’は予約確定端末の一例であって、前記予約確定端末５０と同様に、予約識別情報受付手段と景品配送要求送信手段とを有するものである。
【０３８７】
通信部５１’は、会員管理装置６１及び計数値管理装置６２と通信可能に接続されていると共に、ルータ６４を介して、キオスク端末３０の通信部３１，及び景品管理装置７０の通信部７１と通信可能に接続されている。制御部５２’は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、ＰＯＳ・予約確定端末５０’に備えられる各構成要素の動作を制御して各種の処理を行うものである。このＥＥＰＲＯＭでは、店員を個々に識別可能な店員識別情報である店員ＩＤと、当該店員の暗証番号とが、対応付けて記憶されている。
【０３８８】
ディスプレイ５３’は、各種の情報を表示する表示デバイスであって、例えば液晶ディスプレイであり、入力装置５４’は、各種の情報の入力を受け付ける入力デバイスであって、例えばキーボードやマウスである。バーコードリーダ５５’は、計数レシート５に記録されているバーコード５ａ，会員カード２に記録されているバーコード，予約レシート６に記録されている玉数情報バーコード６ｂ，及び一般景品に付されているバーコードを読み取るものである。またバーコードリーダ５５’は予約識別情報受付手段の一例であって、予約識別情報である予約ＩＤを受け付けるものであり、ここでは予約レシート６に記録されている予約ＩＤバーコード６ａを読み取ることで、該予約ＩＤバーコード６ａが内在している予約ＩＤを受け付ける。また配送レシートプリンタ５６’は、図２（ｃ）に示す配送レシート７を印刷し、配送レシート排出口から排出して発行するものである。
【０３８９】
ここで図４８を参照して、ディスプレイ５３’に表示される画面について説明する。このＰＯＳ・予約確定端末５０’は、遊技場の店員が操作するものである。まず初期状態では、前記図２８のＤ５１に示すログイン画面が表示される。このＤ５１では、当該予約確定端末５０を操作する店員の店員ＩＤと暗証番号の入力欄が表示されており、該店員が入力装置５４を操作して、店員ＩＤと暗証番号を入力してログインボタン（図示外）を操作すると、該入力された店員ＩＤ及び暗証番号と、制御部５２のＥＥＰＲＯＭで記憶している店員ＩＤ及び暗証番号とが照合され、照合ＯＫであれば、入力装置５４’に設けられている計数レシート読取ボタン又は会員カード読取ボタンの操作を待機するログイン状態となる。
【０３９０】
このログイン状態で、入力装置５４’に設けられている計数レシート読取ボタン（図示外）を操作して、バーコードリーダ５５’により計数レシート５のバーコード５ａを読み取ると、該読み取ったバーコード５ａが示す計数ＩＤ及び計数値を含む計数値確認要求が計数値管理装置６２に送信され、該計数値管理装置６２から当該計数値に異常がない旨を示す確認ＯＫ通知を受信すると、前記読み取った計数値が記憶され、前記図２５に示すＤ４１ａと同様に、該計数値が表示されると共に、会員カード２のバーコードの読取又は会員カード無しボタンの操作を促す旨が表示される。このＤ４１ａで、会員カード無しボタンを操作すると、Ｄ５１’に進む。
【０３９１】
またログイン状態で、入力装置５４’に設けられている会員カード読取ボタン（図示外）を操作して、バーコードリーダ５５’により会員カード２のバーコードを読み取ると、該読み取ったバーコードが示す会員ＩＤを含む貯玉数要求が会員管理装置６１に送信され、該会員管理装置６１から当該会員ＩＤに対応付けられている貯玉数を含む貯玉数情報を受信すると、該貯玉数情報に含まれる貯玉数が記憶され、前記図２５に示すＤ４１ｂと同様に、該貯玉数が表示されると共に、計数レシート５のバーコード５ａの読取又は計数レシート無しボタンの操作を促す旨が表示される。このＤ４１ｂで、計数レシート無しボタンを操作すると、Ｄ５１’に進む。
【０３９２】
前記Ｄ４１ａでバーコードリーダ４５により会員カード２のバーコードを読み取ると、該読み取ったバーコードが示す会員ＩＤを含む貯玉数要求が会員管理装置６１に送信され、該会員管理装置６１から当該会員ＩＤに対応付けられている貯玉数を含む貯玉数情報を受信すると、該貯玉数情報に含まれる貯玉数が記憶され、Ｄ４１ｃに進む。また前記Ｄ４１ｂでバーコードリーダ４５により計数レシート５のバーコード５ａを読み取ると、該読み取ったバーコード５ａが示す計数ＩＤ及び計数値を含む計数値確認要求が計数値管理装置６２に送信され、該計数値管理装置６２から当該計数値に異常がない旨を示す確認ＯＫ通知を受信すると、前記読み取った計数値が記憶され、Ｄ４１ｃに進む。Ｄ４１ｃでは、前記図２５に示すのと同様に、前記記憶している、計数レシート５のバーコード５ａから読み取った計数値と、受信した貯玉数情報に含まれる貯玉数（現在の貯玉数）が表示される。このＤ４１ｃで、次へボタンを操作すると、Ｄ５１’に進む。
【０３９３】
Ｄ５１’では、予約レシート６の予約ＩＤバーコード６ａの読取，予約レシート６に記録されている予約ＩＤの手入力，又は予約レシート無しボタンの操作を促す旨が表示される。このＤ５１’で、前記予約識別情報受付手段であるバーコードリーダ５５’により、予約レシート６に記録されている予約ＩＤバーコード６ａを読み取ることで、該予約ＩＤバーコード６ａが示す予約ＩＤを受け付けるか、又は前記予約識別情報受付手段であるディスプレイ５３’及び入力装置５４’により、予約レシート６に記録されている予約ＩＤを手入力することで、該予約ＩＤを受け付けると、景品管理装置７０に対して、該受け付けた予約ＩＤを含む予約情報要求が送信され、該景品管理装置７０から、当該予約情報要求に含まれる予約ＩＤに対応付けて図１２に示す予約情報ＤＢで登録されている予約情報（景品ＩＤ，景品名，交換玉数，予約個数，配送区分，配送先情報，及び配送希望日時）を受信すると、Ｄ５２’で、該受信した予約情報が表示される。
【０３９４】
このＤ５２’で、「ＯＫ」ボタンを操作すると、Ｄ５１’で受け付けられた予約ＩＤが一時的に記憶されて、Ｄ５３’で、予約レシート６の玉数情報バーコード６ｂの読取，又は予約レシート６に記録されている景品コード６ｃの手入力を促す旨が表示される。このＤ５３’で、バーコードリーダ５５’により、予約レシート６に記録されている玉数情報バーコード６ｂを読み取ることで、該玉数情報バーコード６ｂに内在する景品コード６ｃを受け付けるか、又はディスプレイ５３’及び入力装置５４’により、予約レシート６に記録されている景品コード６ｃを手入力することで、該景品コード６ｃを受け付けると、図４７に示す交換玉数ＤＢで該景品コード６ｃに対応付けて登録されている交換玉数が特定されて、前記記憶している計数値及び／又は貯玉数から該特定された交換玉数が減算され、Ｄ５４’で、該交換玉数が表示される。
【０３９５】
このＤ５４’で、「続けて読取」ボタンを操作すると、Ｄ５１’で受け付けられた予約ＩＤが一時的に記憶されて、Ｄ５１’に戻り、次なる予約ＩＤの読取又は手入力が可能となる。このＤ５４’における「続けて読取」ボタンの操作とＤ５１’における予約ＩＤの受付を繰り返すと、該受け付けられた複数の予約ＩＤが一時的に記憶される。またＤ５４’で、「読取終了」ボタンを操作すると、前記図２６（ａ）で説明したのと同様に、Ｄ４１ａで会員カード無しボタンが操作されている場合にはＤ４４ａに進み、Ｄ４１ｂで計数レシート無しボタンが操作されている場合にはＤ４４ｂに進み、Ｄ４１ｃで次へボタンが操作されている場合にはＤ４４ｃに進む。
【０３９６】
このＤ４４ａで、前記図２６（ａ）で説明したのと同様にして入力を行い、入力装置５４’に設けられている確定ボタン（図示外）を操作すると、前記記憶されている一又は複数の予約ＩＤと、Ｄ５１で入力された店員ＩＤとを含む予約確定要求が、通信部５１’から景品管理装置７０に対して送信される。この通信部５１’は提供要求送信手段の一例であって、予約識別情報受付手段にて受け付けた予約ＩＤを含む景品配送要求（ここでは予約確定要求）を景品管理装置７０に送信するものである。また通信部５１’は店員識別情報送信手段の一例であって、当該ＰＯＳ・予約確定端末５０’を操作する店員を識別可能な店員ＩＤを（ここでは予約確定要求に含めて）景品管理装置７０に送信するものである。そして該景品管理装置７０から、予約確定要求に含まれる全ての予約ＩＤに対応する景品ＩＤについての予約登録完了通知，予約停止情報，又は在庫零通知の受信が有ると、計数レシート５のバーコード５ａから読み取った計数ＩＤを含む計数値クリア要求が、通信部５１’から計数値管理装置６２に対して送信される。この通信部５１’が、前記減算処理を行う減算処理手段である。
【０３９７】
またＤ４４ｂで、前記図２６（ａ）で説明したのと同様にして入力を行い、入力装置５４’に設けられている確定ボタン（図示外）を操作すると、前記記憶されている一又は複数の予約ＩＤと、Ｄ５１で入力された店員ＩＤとを含む予約確定要求が、前記提供要求送信手段及び前記店員識別情報送信手段として機能する通信部５１’から景品管理装置７０に対して送信される。そして該景品管理装置７０から、予約確定要求に含まれる全ての予約ＩＤに対応する景品ＩＤについての予約登録完了通知，予約停止情報，又は在庫零通知の受信が有ると、会員ＩＤと交換後の貯玉数とを含む貯玉数更新要求が、前記減算処理手段として機能する通信部５１’から会員管理装置６１に対して送信される。
【０３９８】
またＤ４４ｃで、前記図２６（ａ）で説明したのと同様にして入力を行い、入力装置５４’に設けられている確定ボタン（図示外）を操作すると、前記記憶されている一又は複数の予約ＩＤと、Ｄ５１で入力された店員ＩＤとを含む予約確定要求が、前記提供要求送信手段及び前記店員識別情報送信手段として機能する通信部５１’から景品管理装置７０に対して送信される。そして該景品管理装置７０から、予約確定要求に含まれる全ての予約ＩＤに対応する景品ＩＤについての予約登録完了通知，予約停止情報，又は在庫零通知の受信が有ると、会員ＩＤと交換後の貯玉数とを含む貯玉数更新要求が、前記減算処理手段として機能する通信部５１’から会員管理装置６１に対して送信されると共に、計数ＩＤを含む計数値クリア要求が、通信部５１’から計数値管理装置６２に対して送信される。
【０３９９】
またＤ５１’で、「予約レシート無し」ボタンを操作すると、前記図２６（ｂ）で説明したのと同様に、Ｄ４１ａで会員カード無しボタンが操作されている場合にはＤ４５ａに進み、Ｄ４１ｂで計数レシート無しボタンが操作されている場合にはＤ４５ｂに進み、Ｄ４１ｃで次へボタンが操作されている場合にはＤ４５ｃに進む。
【０４００】
このＤ４５ａで、前記図２６（ｂ）で説明したのと同様にして入力を行い、確定ボタンを操作すると、計数レシート５のバーコード５ａから読み取った計数ＩＤを含む計数値クリア要求が、通信部５１’から計数値管理装置６２に対して送信される。またＤ４５ｂで、前記図２６（ｂ）で説明したのと同様にして入力を行い、確定ボタンを操作すると、会員ＩＤと交換後の貯玉数とを含む貯玉数更新要求が、通信部５１’から会員管理装置６１に対して送信される。またＤ４５ｃで、前記図２６（ｂ）で説明したのと同様にして入力を行い、確定ボタンを操作すると、会員ＩＤと交換後の貯玉数とを含む貯玉数更新要求が、前記減算処理手段として機能する通信部５１’から会員管理装置６１に対して送信されると共に、計数ＩＤを含む計数値クリア要求が、通信部５１’から計数値管理装置６２に対して送信される。
【０４０１】
なおＰＯＳ・予約確定端末５０’において、景品パッケージ選択モードが起動されると、前記図２８に示すＤ５３〜Ｄ５５の画面が表示され、配送取消モードが起動されると、前記図２８に示すＤ５８の画面が表示される。
【０４０２】
次に図４９及び図５０を参照して、ＰＯＳ・予約確定端末５０’が行う減算・予約確定処理について説明する。このＰＯＳ・予約確定端末５０’は、前記ログイン状態において、計数レシート読取ボタンの操作（Ｓ５０１’）又は会員カード読取ボタンの操作（Ｓ５３１’）を待機している。このＳ５０１’で計数レシート読取ボタンの操作が有ると（ＹＥＳ）、前記図３５に示すＳ４０２〜Ｓ４０７の処理を行って（Ｓ５０２’）、前記図２５のＤ４１ａで表示される「会員カード無し」ボタンの操作（Ｓ５０３’）又はバーコードリーダ４５による会員カード２のバーコードの読取（Ｓ５０４’）を待機する。
【０４０３】
このＳ５０３’で「会員カード無し」ボタンの操作が有ると（ＹＥＳ）、図４８のＤ５１’に示す画面をディスプレイ５３’に表示して（Ｓ５０６’）、前記予約識別情報受付手段であるバーコードリーダ５５’による予約レシート６の予約ＩＤバーコード６ａの読取（Ｓ５０７’），予約識別情報受付手段であるディスプレイ５３’及び入力装置５４’による予約ＩＤの手入力（Ｓ５０８’），又は予約レシート無しボタンの操作（Ｓ５０９’）を待機する。
【０４０４】
ここでＳ５０７’で予約レシート６の予約ＩＤバーコード６ａの読取が有るか（ＹＥＳ）、Ｓ５０８’で予約ＩＤの手入力が有ると（ＹＥＳ）、該予約ＩＤを一時的に記憶して、前記図３７に示すＳ５０３〜Ｓ５０６の処理を行い（Ｓ５１０’）、Ｓ５０４でＹＥＳならば、図４８のＤ５２’に示す画面をディスプレイ５３’に表示して（Ｓ５１１’）、該Ｄ５２’で表示される「ＮＧ」ボタンの操作（Ｓ５１２’）又はＯＫボタンの操作（Ｓ５１３’）を待機する。このＳ５１２’でＮＧボタンの操作が有ると（ＹＥＳ）、Ｓ５０７’に戻る。またＳ５１３’でＯＫボタンの操作が有ると（ＹＥＳ）、図４８のＤ５３’に示す画面をディスプレイ５３’に表示して（Ｓ５１４’）、バーコードリーダ５５’による予約レシート６の玉数情報バーコード６ｂの読取（Ｓ５１５’），又はディスプレイ５３’及び入力装置５４’による景品コード６ｃの手入力（Ｓ５１６’）を待機する。
【０４０５】
このＳ５１５’で予約レシート６の玉数情報バーコード６ｂが内在している景品コード６ｃの読取が有るか（ＹＥＳ）、Ｓ５１６’で景品コード６ｃの手入力が有ると（ＹＥＳ）、該景品コード６ｃに対応付けて交換玉数ＤＢで登録されている交換玉数を特定して（Ｓ５１７’）、前記記憶している計数値が該特定した交換玉数以上であるか否かを判定し（Ｓ５１８’）、計数値が交換玉数未満であると（ＮＯ）、交換玉数が多すぎる旨をディスプレイ５３’に表示して（Ｓ５１９’）、Ｓ５０７’に戻り、計数値が交換玉数以上であると（ＹＥＳ）、該計数値から交換玉数を減算して（Ｓ５２０’）、Ｓ５２１’に進む。
【０４０６】
Ｓ５２１’では、図４８のＤ５４’に示す画面をディスプレイ５３’に表示して、該Ｄ５４’で表示される「続けて読取」ボタンの操作（Ｓ５２２’）又は「読取終了」ボタンの操作（Ｓ５２３’）を待機する。このＳ５２２’で「続けて読取」ボタンの操作が有ると（ＹＥＳ）、Ｓ５０６’に戻る。またＳ５２３’で「読取終了」ボタンの操作が有ると（ＹＥＳ）、図２６のＤ４４ａに示す画面をディスプレイ５３’に表示して（Ｓ５２４’）、図５０に進んで、前記図３６に示すＳ４２２〜Ｓ４２６の処理を行い（Ｓ５２５’）、Ｓ４２３でＹＥＳならば、前記図３７に示すＳ５０９〜Ｓ５２０の処理を行って（Ｓ５２６’）、Ｓ５２７’に進む。
【０４０７】
Ｓ５２７’では、予約確定要求に含まれる全ての予約ＩＤに対応する全ての景品ＩＤについて配送レシート７の発行が行われたか否かを判定する。このＳ５２７’で全ての景品ＩＤについて配送レシート７の発行が行われた（ＹＥＳ）と判定された場合には、計数レシート５のバーコード５ａから読み取った計数ＩＤを含む計数値クリア要求を、計数値管理装置６２に対して送信し（Ｓ５２８’）、前記記憶している計数値を消去して、処理を終了する。一方、Ｓ５２７’で全ての景品ＩＤについて配送レシート７の発行が行われていない（ＮＯ）と判定された場合には、配送レシート７の発行が行われなかった景品ＩＤの景品（即ち予約確定されなかった景品）の交換玉数を前記記憶している計数値に加算して（Ｓ５２８’）、前記図３５に示すＳ４２８に進む。なお前記Ｓ５０９’で予約レシート無しボタンの操作が有ると（ＹＥＳ）、前記図３５に示すＳ４２８に進む。
【０４０８】
前記Ｓ５４１’で会員カード読取ボタンの操作が有ると（ＹＥＳ）、前記図３５に示すＳ４２２〜Ｓ４２５の処理を行って（Ｓ５４２’）、図２５のＤ４１ｂで表示される「計数レシート無し」ボタンの操作（Ｓ５４３’）又はバーコードリーダ５５’による計数レシート５のバーコード５ａの読取（Ｓ５４４’）を待機する。
【０４０９】
このＳ５４３’で「計数レシート無し」ボタンの操作が有ると（ＹＥＳ）、図４８のＤ５１’に示す画面をディスプレイ５３’に表示して（Ｓ５４６’）、前記Ｓ５０７’〜Ｓ５０９’の処理を行う（Ｓ５４７’）。ここでＳ５０７’又はＳ５０８’でＹＥＳならば、予約ＩＤを一時的に記憶して、前記図３７に示すＳ５０３〜Ｓ５０６の処理を行い（Ｓ５４８’）、Ｓ５０４でＹＥＳならば、図４８のＤ５２’に示す画面をディスプレイ５３’に表示して（Ｓ５４９’）、該Ｄ５２’で表示される「ＮＧ」ボタンの操作（Ｓ５５０’）又はＯＫボタンの操作（Ｓ５５１’）を待機する。このＳ５５０’でＮＧボタンの操作が有ると（ＹＥＳ）、Ｓ５４７’に戻る。またＳ５５１’でＯＫボタンの操作が有ると（ＹＥＳ）、図４８のＤ５３’に示す画面をディスプレイ５３’に表示して（Ｓ５５２’）、バーコードリーダ５５’による予約レシート６の玉数情報バーコード６ｂの読取（Ｓ５５３’），又はディスプレイ５３’及び入力装置５４’による景品コード６ｃの手入力（Ｓ５５４’）を待機する。
【０４１０】
このＳ５５３’で予約レシート６の玉数情報バーコード６ｂが内在している景品コード６ｃの読取が有るか（ＹＥＳ）、Ｓ５５４’で景品コード６ｃの手入力が有ると（ＹＥＳ）、該景品コード６ｃに対応付けて交換玉数ＤＢで登録されている交換玉数を特定して（Ｓ５５６’）、前記記憶している貯玉数が該特定した交換玉数以上であるか否かを判定し（Ｓ５５７’）、貯玉数が交換玉数未満であると（ＮＯ）、交換玉数が多すぎる旨をディスプレイ５３’に表示して（Ｓ５５７’）、Ｓ５４７’に戻り、貯玉数が交換玉数以上であると（ＹＥＳ）、該貯玉数から交換玉数を減算して（Ｓ５５８’）、Ｓ５５９’に進む。
【０４１１】
Ｓ５５９’では、図４８のＤ５４’に示す画面をディスプレイ５３’に表示して、該Ｄ５４’で表示される「続けて読取」ボタンの操作（Ｓ５６０’）又は「読取終了」ボタンの操作（Ｓ５６１’）を待機する。このＳ５６０’で「続けて読取」ボタンの操作が有ると（ＹＥＳ）、Ｓ５４６’に戻る。またＳ５６１’で「読取終了」ボタンの操作が有ると（ＹＥＳ）、図２６のＤ４４ｂに示す画面をディスプレイ５３’に表示して（Ｓ５６２’）、図５０に進んで、前記図３６に示すＳ４６１〜Ｓ４６５の処理を行い（Ｓ５６３’）、Ｓ４６２でＹＥＳならば、前記図３７に示すＳ５０９〜Ｓ５２０の処理を行って（Ｓ５６４’）、Ｓ５６５’に進む。
【０４１２】
Ｓ５６５’では、予約確定要求に含まれる全ての予約ＩＤに対応する全ての景品ＩＤについて配送レシート７の発行が行われたか否かを判定する。このＳ５６５’で全ての景品ＩＤについて配送レシート７の発行が行われた（ＹＥＳ）と判定された場合には、会員ＩＤと交換後の貯玉数とを含む貯玉数更新要求を、会員管理装置６１に対して送信し（Ｓ５６６’）、前記記憶している貯玉数を消去して、処理を終了する。一方、Ｓ５６５’で全ての景品ＩＤについて配送レシート７の発行が行われていない（ＮＯ）と判定された場合には、配送レシート７の発行が行われなかった景品ＩＤの景品（即ち予約確定されなかった景品）の交換玉数を前記記憶している貯玉数に加算して（Ｓ５６７’）、Ｓ５６６’に進む。なお前記Ｓ５４７’において、Ｓ５０９’でＹＥＳならば（即ち予約レシート無しボタンの操作が有ると）、前記図３５に示すＳ４５８に進む。
【０４１３】
前記Ｓ５０４’で会員カード２のバーコードの読取が有ると（ＹＥＳ）、前記図３５に示すＳ４２３〜Ｓ４２４の処理を行って（Ｓ５０５’）、図５０に示すＳ５７１’に進む。また前記Ｓ５４４’で計数レシート５のバーコード５ａの読取が有ると（ＹＥＳ）、前記図３５に示すＳ４０３〜Ｓ４０６の処理を行って（Ｓ５４５’）、図５０に示すＳ５７１’に進む。
【０４１４】
図５０に示すＳ５７１’では、図２５のＤ４１ｃに示す画面をディスプレイ５３’に表示して、該Ｄ４１ｃで表示される「次へ」ボタンの操作を待機し（Ｓ５７２’）、「次へ」ボタンの操作が有ると（ＹＥＳ）、図４８のＤ５１’に示す画面をディスプレイ５３’に表示して（Ｓ５７３’）、前記Ｓ５０７’〜Ｓ５０９’の処理を行う（Ｓ５７４’）。ここでＳ５０７’又はＳ５０８’でＹＥＳならば、予約ＩＤを一時的に記憶して、前記図３７に示すＳ５０３〜Ｓ５０６の処理を行い（Ｓ５７５’）、Ｓ５０４でＹＥＳならば、図４８のＤ５２’に示す画面をディスプレイ５３’に表示して（Ｓ５７６’）、該Ｄ５２’で表示される「ＮＧ」ボタンの操作（Ｓ５７７’）又はＯＫボタンの操作（Ｓ５７８’）を待機する。このＳ５７７’でＮＧボタンの操作が有ると（ＹＥＳ）、Ｓ５７４’に戻る。またＳ５７８’でＯＫボタンの操作が有ると（ＹＥＳ）、図４８のＤ５３’に示す画面をディスプレイ５３’に表示して（Ｓ５７９’）、バーコードリーダ５５’による予約レシート６の玉数情報バーコード６ｂの読取（Ｓ５８０’），又はディスプレイ５３’及び入力装置５４’による景品コード６ｃの手入力（Ｓ５８１’）を待機する。
【０４１５】
このＳ５８０’で予約レシート６の玉数情報バーコード６ｂが内在している景品コード６ｃの読取が有るか（ＹＥＳ）、Ｓ５８１’で景品コード６ｃの手入力が有ると（ＹＥＳ）、該景品コード６ｃに対応付けて交換玉数ＤＢで登録されている交換玉数を特定して（Ｓ５８２’）、前記記憶している計数値と貯玉数との合算値が該特定した交換玉数以上であるか否かを判定し（Ｓ５８３’）、合算値が交換玉数未満であると（ＮＯ）、交換玉数が多すぎる旨をディスプレイ５３’に表示して（Ｓ５８４’）、Ｓ５７４’に戻り、合算値が交換玉数以上であると（ＹＥＳ）、該合算値から交換玉数を減算して（Ｓ５８５’）、Ｓ５８６’に進む。
【０４１６】
Ｓ５８６’では、図４８のＤ５４’に示す画面をディスプレイ５３’に表示して、該Ｄ５４’で表示される「続けて読取」ボタンの操作（Ｓ５８７’）又は「読取終了」ボタンの操作（Ｓ５８８’）を待機する。このＳ５８７’で「続けて読取」ボタンの操作が有ると（ＹＥＳ）、Ｓ５７３’に戻る。またＳ５８８’で「読取終了」ボタンの操作が有ると（ＹＥＳ）、図２６のＤ４４ｂに示す画面をディスプレイ５３’に表示して（Ｓ５８９’）、前記図３６に示すＳ４８３〜Ｓ４８７の処理を行い（Ｓ５９０’）、Ｓ４８４でＹＥＳならば、前記図３７に示すＳ５０９〜Ｓ５２０の処理を行って（Ｓ５９１’）、Ｓ５９２’に進む。
【０４１７】
Ｓ５９２’では、予約確定要求に含まれる全ての予約ＩＤに対応する全ての景品ＩＤについて配送レシート７の発行が行われたか否かを判定する。このＳ５９２’で全ての景品ＩＤについて配送レシート７の発行が行われた（ＹＥＳ）と判定された場合には、会員ＩＤと交換後の貯玉数（即ち前記記憶している合算値）とを含む貯玉数更新要求を、会員管理装置６１に対して送信すると共に（Ｓ５９３’）、計数レシート５のバーコード５ａから読み取った計数ＩＤを含む計数値クリア要求を、計数値管理装置６２に対して送信し（Ｓ５９４’）、前記記憶している合算値を消去して、処理を終了する。一方、Ｓ５９２’で全ての景品ＩＤについて配送レシート７の発行が行われていない（ＮＯ）と判定された場合には、配送レシート７の発行が行われなかった景品ＩＤの景品（即ち予約確定されなかった景品）の交換玉数を前記記憶している合算値に加算して（Ｓ５９５’）、Ｓ５９３’に進む。なお前記Ｓ５７４’において、Ｓ５０９’でＹＥＳならば（即ち予約レシート無しボタンの操作が有ると）、前記図３６に示すＳ４９０に進む。
【０４１８】
以上に説明したように、第２実施形態に係るＰＯＳ・予約確定端末５０’では、減算処理に伴って、景品管理装置７０に対して予約確定要求が送信される。
【０４１９】
なおＰＯＳ・予約確定端末５０’では、Ｓ５２０’の減算を行うときに、Ｓ５１５’で読み取った景品コード６ｃ又はＳ５１６’で手入力された景品コード６ｃのカタログ景品が景品交換された旨を、各景品コード６ｃ毎に集計すると共に、Ｓ５２５’で引用するＳ４２６，Ｓ５６３’で引用するＳ４６５，及びＳ５９０’で引用するＳ４８７の減算を行うときに、Ｓ４２２，Ｓ４６１，及びＳ４８３で読み取ったＪＡＮコードの一般景品が景品交換された旨を、該一般景品の各ジャンル毎に集計し、該集計結果を出力することができる。これによれば、カタログ景品の景品交換状況を交換玉数毎に管理して把握することができると共に、一般景品の景品交換状況をジャンル毎に管理して把握することができる。
【０４２０】
次に（６）景品管理装置７０における在庫数の判定方法として、第１実施形態では、図８に示す景品情報ＤＢで登録されている在庫数ａと、図１１（ｃ）に示す予約・確定累計数ＤＢで登録されている予約累計数ｂと、予約個数ｃとに基づいて、図３３のＳ３０９に示すように、在庫数ａ−（予約累計数ｂ＋予約個数ｃ）≧０の判定式ｘを満たすか否かで、景品の予約が可能であるか否かを判定するように構成している。
【０４２１】
これに対し、第２実施形態では、景品管理装置７０において、図８に示す景品情報ＤＢにおける在庫数が、初期在庫数として管理される。ここで制御部７２及び景品情報ＤＢは、各景品の初期在庫数を管理する初期在庫数管理手段として機能するものである。
【０４２２】
また第２実施形態では、景品管理装置７０において、図１１（ｃ）に示す予約・確定累計数ＤＢに代えて、図５１に示す在庫数ＤＢが記憶される。この在庫数ＤＢでは、各景品提供業者毎のデータテーブルが設けられており、各データテーブルでは、当該景品提供業者が提供する複数の景品の各々について、現在在庫数と、配送登録後在庫数とが記憶される。
【０４２３】
ここで制御部７２及び在庫数ＤＢは、初期在庫数から予約処理（予約内容登録処理）に供された予約個数を減算した現在在庫数を管理する現在在庫数管理手段として機能するものであり、具体的には、景品情報ＤＢに初期在庫数が登録されると、該初期在庫数が現在在庫数として在庫数ＤＢに登録され、図３３のＳ３１３に示す予約内容登録処理に伴って、同Ｓ３１１’に示すように、在庫数ＤＢに登録されている現在在庫数から予約個数が減算される。また制御部７２は、前記在庫数変更手段（通信部７１）にて初期在庫数（即ち図８に示す景品情報ＤＢで管理している在庫数）の変更を受け付けたことを条件として、該初期在庫数の変動数に基づいて、現在在庫数管理手段（在庫数ＤＢ）で管理している現在在庫数を更新する現在在庫数更新手段として機能するものであり、具体的には、図４１のＳ９０２で、景品情報ＤＢで管理している在庫数が変更されると、同Ｓ９０３ａ’で、在庫数ＤＢで管理している現在在庫数から初期在庫数の変動数が減算される。例えば初期在庫数が１０個で、変更後の初期在庫数が７個である場合には、該初期在庫数の変動数は３個となり、該３個が現在在庫数から減算される。
【０４２４】
そして制御部７２’は、在庫数ＤＢで管理している現在在庫数に基づいて、景品の予約が可能であるか否かを判定すると共に、現在在庫数更新手段にて現在在庫数が更新されたことを条件として、該更新された後の現在在庫数（即ち在庫数ＤＢで管理している現在在庫数）に基づいて、景品の予約が可能であるか否かを判定する在庫数判定手段として機能するものであり、具体的には、図３３のＳ３０９及びＳ３１１の処理に代えて、Ｓ３０９’及びＳ３１１’の処理を行う。このＳ３０９’の処理では、在庫数ＤＢで管理している現在在庫数−予約個数≧０の判定式ｙを満たすか否かで、景品の予約が可能であるか否かが判定され、該Ｓ３０９’で判定式ｙを満たす（ＹＥＳ）、即ち景品の予約が可能であると判定されると、前記Ｓ３１１’の処理が行われて、前記Ｓ３１３で予約内容登録処理が行われる一方、該Ｓ３０９’で判定式ｙを満たさない（ＮＯ）、即ち景品の予約が可能でないと判定されると、予約停止情報送信手段として機能する通信部７１により、前記Ｓ３１０の処理が行われる。
【０４２５】
これによれば、景品管理装置７０において、予め登録された在庫数ａから予約内容登録処理に伴って減算更新された後の現在在庫数に基づいて、景品の予約が可能であるか否かが判定され、予約が可能でないと判定されると、予約内容登録処理が不能化（在庫零通知が送信）されるので、遊技者が予約をした景品を交換することができないという事態が生ずるおそれがない。また、景品の在庫を管理する側において景品の在庫数に不測の変動が生じた場合であっても、景品管理装置７０において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０４２６】
また制御部７２及び在庫数ＤＢは、初期在庫数から提供処理（配送情報登録処理）に供された提供個数（配送個数）を減算した提供後在庫数（配送登録後在庫数）を管理する提供後在庫数管理手段として機能するものであり、具体的には、景品情報ＤＢに初期在庫数が登録されると、該初期在庫数が配送登録後在庫数として在庫数ＤＢに登録され、図３８のＳ６１６及びＳ６１７に示す配送情報登録処理に伴って、同Ｓ６１０’に示すように、在庫数ＤＢに登録されている配送登録後在庫数から配送個数が減算される。また制御部７２は、前記在庫数変更手段（通信部７１）にて初期在庫数（即ち図８に示す景品情報ＤＢで管理している在庫数）の変更を受け付けたことを条件として、該初期在庫数の変動数に基づいて、提供後在庫数管理手段（在庫数ＤＢ）で管理している提供後在庫数（配送登録後在庫数）を更新する提供後在庫数更新手段として機能するものであり、具体的には、図４１のＳ９０２で、景品情報ＤＢで管理している在庫数が変更されると、同Ｓ９０３ａ’で、在庫数ＤＢで管理している配送登録後在庫数から初期在庫数の変動数が減算される。
【０４２７】
そして制御部７２は、提供後在庫数更新手段にて更新された後の提供後在庫数（即ち在庫数ＤＢで管理している配送登録後在庫数）に基づいて、景品の提供（配送）が可能であるか否かを判定する提供可否判定手段として機能するものであり、具体的には、図３８のＳ６１０及びＳ６１２の処理に代えて、Ｓ６１０’及びＳ６１２’の処理を行う。このＳ６１０’の処理では、在庫数ＤＢで管理している配送登録後在庫数−配送個数≧０の判定式ｙ’を満たすか否かで、景品の配送が可能であるか否かが判定され、該Ｓ６１０’で判定式ｙ’を満たす（ＹＥＳ）、即ち景品の配送が可能であると判定されると、前記Ｓ６１２’の処理が行われて、前記Ｓ６１６又はＳ６１７で配送情報登録処理が行われる一方、該Ｓ６１０’で判定式ｙ’を満たさない（ＮＯ）、即ち景品の配送が可能でないと判定されると、前記Ｓ６１１の処理が行われて、該判定の対象となった景品を遊技者に配送するための配送情報登録処理を行わない。
【０４２８】
これによれば、交換する景品の予約内容登録処理が行われた後に、当該景品の初期在庫数の変更を受け付けた場合であっても、該初期在庫数の変動数に基づいて更新される配送登録後在庫数に基づいて該景品の提供が可能でないと判定されると、該景品を遊技者に配送するための配送情報登録処理が行われないので、事後的な対処が必要となる件数をさらに低減できる。
【０４２９】
さらに制御部７２は、図４１のＳ９０３の処理に代えて、Ｓ９０３ｂ’の処理を行う。このＳ９０３ｂ’では、前記Ｓ９０３ａ’で減算された配送登録後在庫数に基づいて、該配送登録後在庫数≧０の判定式ｙ”を満たすか否かで、景品の提供が可能であるか否かを判定する。このＳ９０３ｂ’の判定を行う制御部７２は、前記提供後在庫数更新手段（制御部７２）にて更新された後の提供後在庫数（配送登録後在庫数）に基づいて、景品の提供（配送）が可能であるか否かを判定する提供可否判定手段として機能するものである。このＳ９０３ｂ’で判定式ｙ”を満たす（ＹＥＳ）、即ち景品の提供が可能であると判定された場合には、処理を終了する。一方、Ｓ９０３ｂ’で判定式ｙ”を満たさない（ＮＯ）、即ち景品の提供が可能でないと判定された場合には、前記Ｓ９０４に進む。
【０４３０】
［２’．第２実施形態の変形例に係る景品交換システム１］
次に、第２実施形態の変形例に係る景品交換システム１について、第２実施形態と異なる点についてのみ説明する。
【０４３１】
この変形例では、景品管理装置７０において、制御部７２が前記登録必要景品特定手段として機能しないと共に、通信部７１が有価価値識別情報送信手段として機能しない一方、景品表示装置であるキオスク端末３０において、制御部３２が登録必要景品特定手段として機能すると共に、通信部３１が有価価値識別情報送信手段として機能する。
【０４３２】
まず景品管理装置７０において、制御部７２は前記登録必要景品特定手段として機能しないので、図８に示す景品情報ＤＢでは、出力フラグが記憶されない。また該景品情報ＤＢでは、追加フラグも記憶されない。また景品管理装置７０において、景品情報送信手段として機能する通信部７１は、図５２のＳ１３’に示すように、各遊技場のキオスク端末３０に対して、予約停止景品を除く全表示景品の景品情報（ここでは景品ＩＤ，大区分，小区分，景品名，詳細情報，交換玉数，及び玉数コード６ｃ）を送信する。
【０４３３】
また景品表示装置であるキオスク端末３０において、制御部３２は登録必要景品特定手段の一例であって、景品変更手段にて受け付けた変更により該景品表示装置に新たに表示される景品（追加景品）であって、当該景品の交換有価価値（交換玉数）に対応する有価価値識別情報（玉数コード６ｃ）をＰＯＳ・予約確定端末５０’にて登録する必要がある登録必要景品を特定するものである（図５２のＳ１４ａ’）。この第２実施形態の変形例では、有価価値識別情報が景品毎に付与される（即ち景品毎に異なる）景品コード６ｃなので、前記登録必要景品特定手段として機能する制御部３２は、景品管理装置７０から送信されてきた景品情報に含まれる全表示景品のうち、図１６（ａ）に示す表示景品情報ＤＢで記憶されていない景品を、登録必要景品として特定する。
【０４３４】
具体的には、遊技場Ａについて、景品パッケージＩＤがＰＸ−５０２の景品パッケージ「夏期限定フェア」が新たに選択されると、該景品パッケージ「夏期限定フェア」に含まれる景品ＩＤであるＫＸ−０００３０５，ＫＸ−０００５０１，及びＫＸ−０２０４７５の各景品を含む景品情報が送信されてきて、前記登録必要景品特定処理が行われると、該景品情報に含まれる全景品が登録必要景品として特定される。
【０４３５】
また第２実施形態の変形例では、景品表示装置であるキオスク端末３０において、通信部３１は有価価値識別情報送信手段の一例であって、減算処理端末であるＰＯＳ・予約確定端末５０’に対して、前記登録必要景品特定手段にて特定した登録必要景品の交換有価価値（交換玉数）に対応する有価価値識別情報（景品コード６ｃ）を送信するものであり、ここでは景品コード６ｃに対応する交換玉数を示す情報も送信するものである。具体的には、有価価値識別情報送信手段として機能する通信部３１は、図５２のＳ１４ａ’に示すように、登録必要景品特定処理が行われて登録必要景品が特定されると、同Ｓ１６’に示すように、当該遊技場のＰＯＳ・予約確定端末５０’に対して、該特定された登録必要景品の景品コード６ｃ及び交換玉数を送信する処理を行う。
【０４３６】
また第２実施形態の変形例では、減算処理端末であるＰＯＳ・予約確定端末５０’において、制御部５２’のＥＥＰＲＯＭでは、前記図４７に示す交換玉数ＤＢを記憶している。この交換玉数ＤＢでは、キオスク端末３０から送信されてきた有価価値識別情報である景品コード６ｃ及び交換玉数を受信すると、該受信した景品コード６ｃと交換玉数とが対応付けて登録される（図５２のＳ１６’）。
【０４３７】
これによれば、景品表示装置（カードユニット２０，キオスク端末３０）に表示される景品が変更されたときに、ＰＯＳ・予約確定端末５０’にて登録する必要がある登録必要景品の交換玉数に対応する景品コード６ｃがＰＯＳ・予約確定端末５０’に対して送信されることにより、該景品コード６ｃをＰＯＳ・予約確定端末５０’において登録することができる（自動的に登録される）ので、景品コード６ｃと交換玉数とを対応付けて登録する登録作業の負担が軽減される。また景品コード６ｃに対応する交換玉数がＰＯＳ・予約確定端末５０’に対して送信されることにより、該交換玉数をＰＯＳ・予約確定端末５０’において（自動的に）登録することができるので、景品コード６ｃと交換玉数とを対応付けて登録する登録作業の負担がさらに軽減される。
【０４３８】
［３．その他の変形例］
次に、本発明のその他の変形例について説明する。
【０４３９】
上記の実施形態では、ユーザ（遊技者）に対する景品の提供が、景品提供業者からの自宅又は店舗（遊技場）への景品の配送である例について説明したが、これに限らず、ユーザに対する景品の提供は、店舗で在庫管理している景品の提供であっても良い。この場合には、前記「景品配送要求」は「景品提供要求」，前記「配送情報」は「提供情報」，前記「配送処理」は「提供処理」，前記「配送情報登録処理」は「提供情報登録処理」，及び前記「配送個数」は「提供個数」と、それぞれ読み替えるものとし、景品選択装置が、ユーザにより選択された景品の景品特定情報と該ユーザのユーザ特定情報（例えば氏名や、当該選択を識別可能な選択番号等）とを含む景品提供要求を店舗に送信する提供処理を行うと共に、当該選択を特定可能な情報が記録された景品引換券をユーザに対して発行し、該ユーザが景品引換券を店舗に持参することにより、該景品引換券の記録情報から特定される景品が当該店舗の在庫から提供されるようにすれば良い。
【０４４０】
上記の実施形態では、景品選択装置が、景品の予約を受け付ける予約端末（カードユニット２０，キオスク端末３０）と、該予約された景品をユーザに提供するための予約確定要求（景品提供要求又は景品配送要求）を景品管理装置７０に送信する予約確定端末５０と、からなる例について説明したが、これに限らず、該景品選択装置は、景品の選択を受け付けて、該選択された景品をユーザに提供するための予約要求を景品管理装置７０に送信するもの（いわゆるカタログ景品交換装置のようなもの）であっても良い。即ち、この景品選択装置（カタログ景品交換装置）は、店舗に設けられ、ユーザが所有する有価価値と交換可能な複数の景品の中から、交換を予約する景品の選択を前記ユーザから受け付ける予約受付手段と、該予約受付手段にて選択された景品を特定可能な予約要求を送信する予約要求送信手段とを有するものである。
【０４４１】
この場合には、カタログ景品交換装置において、景品の選択をユーザから受け付けると、該選択された景品の景品ＩＤとユーザのユーザ特定情報（配送先特定情報）とを含む予約要求が景品管理装置７０に対して送信され、景品管理装置７０において、該予約要求に含まれる景品ＩＤの景品の在庫が有るか否か、即ち当該景品の予約が可能であるか否かが判定され、該景品の予約が可能であると判定されると、前記予約要求に含まれる景品ＩＤとユーザ特定情報とが提供情報（配送情報）として登録され、該景品の予約が可能でないと判定されると、該景品の予約を停止するための予約停止情報がカタログ景品交換装置に送信される。なお景品管理装置７０において、取消を希望する提供情報の指定を受け付けると、景品の提供前であれば、該提供情報の登録が消去される。即ち、この景品管理装置７０は、前記予約要求送信手段から送信されてきた予約要求から特定される景品を遊技者に提供（配送）するための提供情報（配送情報）を登録するための提供情報登録処理（配送情報登録処理）を少なくとも含む予約処理を行う予約処理手段と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）とを有するものである。また景品管理装置７０は、前記予約処理手段と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、前記予約停止情報送信手段とを有するものである。
【０４４２】
また景品管理装置７０において、ユーザ特定情報抽出手段として機能する制御部７２により、予約停止景品受付手段（ディスプレイ７３及び入力装置７４）にて予約停止景品の指定を受け付けたことに基づいて、前記図４０のＳ８０３と同様にして、該予約停止景品の景品ＩＤに対応付けられているユーザ特定情報が抽出される。さらに景品管理装置７０において、前記ユーザ特定情報抽出手段として機能する制御部７２により、在庫数変更手段（通信部７１）にて在庫数又は初期在庫数の変更を受け付けたことに基づいて、前記図４１のＳ９０４と同様にして、在庫数判定手段（制御部７２）により予約が可能でないと判定された景品の景品ＩＤに対応付けられているユーザ特定情報が抽出される。
【０４４３】
上記の実施形態において、前記選択された景品をユーザに提供するための提供情報が景品提供業者の配送管理装置８０で登録される場合には、前記景品管理装置７０と当該配送管理装置８０とを合わせたものが、景品管理装置となる。
【０４４４】
上記の実施形態では、図１に示すように、店舗が遊技場であり、ユーザである遊技者が所有する有価価値が獲得玉の計数値や貯玉数である例について説明したが、これに限らず、店舗が、商品やサービスを提供する一般店舗であり、ユーザが所有する有価価値が、ポイント数であっても良い。また有価価値は、現金や電子マネー等であっても良い。
【０４４５】
上記の実施形態では、図１に示すように、遊技機が、パチンコ玉を遊技媒体とするパチンコ機１０である例について説明したが、これに限らず、該遊技機は、メダルを遊技媒体とするスロットマシンであっても良く、この場合における有価価値は、獲得メダルの計数値や貯メダル数である。なお遊技機として、パチンコ機１０とスロットマシンとが併存していても良く、また遊技機は、ゲーム機であっても良い。
【０４４６】
上記の実施形態において、予約端末（カードユニット２０，キオスク端末３０）に、景品交換カード３をストックしておくカードストッカを設け、図１７のＤ２３に示すように、該予約端末で配送先登録処理が行われたときに、会員カード２又は景品交換カード３が挿入されていなければ、カードストッカにストックされているうちの１枚の景品交換カード３の景品会員ＩＤと、入力された配送先情報とを含む配送先登録要求が、景品管理装置７０に対して送信されることにより、配送先特定処理が行われると共に、当該景品交換カード３が発行されるようにしても良い。
【０４４７】
上記の実施形態では、図１に示すように、ＩＰアドレスにより個々に特定されるカードユニット２０から、ルータ６４及び図示しないインターネットを介して、景品管理装置７０と直接通信が行われる例について説明したが、これに限らず、残額管理装置６０と景品管理装置７０とがルータ６４及びインターネットを介して通信可能に接続され、カードユニット２０からは、該残額管理装置６０，ルータ６４，及びインターネットを介して、景品管理装置７０と通信が行われるようにしても良く、これによれば、各カードユニット２０にＩＰアドレス及びインターネット接続機能を持たせる必要が無くなる。
【０４４８】
上記の実施形態では、図２（ｂ）に示すように、予約識別情報が、景品管理装置７０において生成される予約ＩＤである例について説明したが、これに限らず、該予約識別情報を、会員カード２の会員ＩＤや、景品交換カード３の景品会員ＩＤとしても良い。この場合には、景品管理装置７０において、予約ＩＤは生成されず、図１２に示す予約情報ＤＢでは、該予約ＩＤに代えて会員ＩＤ又は景品会員ＩＤが登録されると共に、該会員ＩＤ又は景品会員ＩＤに対応付けて予約情報が登録される。そして予約確定端末５０において、会員カード２又は景品交換カード３が受け付けられると、該会員カード２の会員ＩＤ又は該景品交換カード３の景品会員ＩＤを含む予約確定要求が景品管理装置７０に送信され、景品管理装置７０において、該予約確定要求に含まれる会員ＩＤ又は景品会員ＩＤに対応付けられている予約情報を図１４に示す配送情報ＤＢで配送情報として登録する配送情報登録処理が行われる。
【０４４９】
上記の実施形態では、予約内容登録処理を行う予約端末において、図２（ｂ）に示す予約レシート６が発行され（図３２のＳ２２５）、予約確定処理を行う予約確定端末５０において、該予約レシート６の予約ＩＤバーコード６ａが読み取られる（図３７のＳ５０１）例について説明したが、これに限らず、予約端末が行う予約内容登録処理において、予約レシート６を発行しないでディスプレイ２４に予約ＩＤを表示し、該予約ＩＤをユーザ（遊技者）がメモ等により記録して予約確定端末５０に出向き、該予約確定端末５０が行う予約確定処理において、該予約ＩＤがユーザ又は店員により手入力されるようにしても良い。
【０４５０】
上記の実施形態では、１つの景品に対して１つの予約ＩＤが割り当てられるので、図２（ｂ）に示す予約レシート６において、予約個数として常に１個が記録され、図２（ｃ）に示す配送レシート７において、各予約ＩＤに対応する配送個数として常に１個が記録される例について説明したが、これら予約個数や配送個数を記録せずに予約レシート６や配送レシート７を発行するようにしても良い。
【０４５１】
上記の実施形態では、図２（ｂ）に示すように、１つの予約ＩＤに対して１枚の予約レシート６が発行される例について説明したが、これに限らず、複数の予約ＩＤが記録された予約レシート６が発行されるようにしても良い。
【０４５２】
上記の実施形態では、図２（ｃ）に示すように、１つの予約確定ＩＤに対して１枚の配送レシート７が発行される例について説明したが、これに限らず、複数の予約確定ＩＤが記録された配送レシート７が発行されるようにしても良い。
【０４５３】
上記の実施形態では、図２（ｃ）に示すように、配送レシート７に、問い合わせ先として、景品センタと、配送対象である景品を提供する景品提供業者（ここでは景品提供業者Ｘ）の電話番号が記録される例について説明したが、これに限らず、景品センタ又は当該景品提供業者のいずれか一方のみの電話番号が記録されるようにしても良い。また問い合わせ先は、電話番号のみならず、住所，ＦＡＸ番号，及び／又は電子メールアドレス等であっても良い。
【０４５４】
上記の実施形態では、図３（ａ）に示すように、在庫数の変更が、配送管理装置８０において行われる例について説明したが、これに限らず、該在庫数の変更は、景品管理装置７０において行われるようにしても良く、この場合には、該景品管理装置７０のディスプレイ７３及び入力装置７４が在庫数変更手段として機能し、該ディスプレイ７３に図３（ａ）に示す画面が表示され、入力装置７４の操作により、在庫数の変更を受け付けるようにすれば良い。
【０４５５】
上記の実施形態において、配送管理装置８０において、図５（ａ）に示す配送情報ＤＢで記憶されている配送状況（配送開始日時及び／又は配送完了日時）が、景品管理装置７０に対して送信されて、該景品管理装置７０において、図１４に示す配送情報ＤＢで記憶されるようにしても良く、この場合には、予約端末（カードユニット２０又はキオスク端末３０）において、図２０のＤ３７ｅに示す配送情報詳細画面で、図１４に示す配送情報ＤＢで記憶されている配送状況が表示されるようにしても良い。
【０４５６】
上記の実施形態では、図６（ａ）に示す景品パッケージ設定画面において、異なる大区分に属する景品を景品パッケージに含める場合には、Ｄ１１で大区分及び小区分を設定しないで、Ｄ１２で全ての景品が含まれる景品リストを表示して、景品の選択を受け付ける例について説明したが、景品リストで全ての景品が表示されると希望する景品を見つけづらいので、Ｄ１１で区分（大区分のみ，又は大区分と小区分）を設定し、Ｄ１２で該設定された区分に属する景品の景品リストを表示して、景品の選択を受け付けた後、再びＤ１１に戻って別の区分を設定し、Ｄ１２で該設定された別の区分に属する景品の景品リストを表示して、景品の選択を受け付ける、というように、区分の設定と景品の選択を繰り返すことにより、景品パッケージに含める景品を選択できるようにしても良い。
【０４５７】
上記の実施形態では、図６（ｂ）に示すように、景品パッケージに含まれる景品の更新が、景品管理装置７０において行われる例について説明したが、これに限らず、該景品パッケージに含まれる景品の更新は、配送管理装置８０において行われるようにしても良く、この場合には、該配送管理装置８０から景品管理装置７０に対して、更新された景品パッケージの景品パッケージ情報を送信し、景品管理装置７０において、前記景品更新手段として機能する制御部７２により、該受信した景品パッケージ情報が景品パッケージ情報ＤＢで登録されようにすれば良い。
【０４５８】
上記の実施形態では、図６（ｃ）に示すように、予約停止景品の指定が、景品管理装置７０において行われる例について説明したが、これに限らず、該予約停止景品の指定は、配送管理装置８０において行われるようにしても良く、この場合には、該配送管理装置８０から景品管理装置７０に対して、指定された予約停止景品の景品ＩＤを送信し、景品管理装置７０において、前記予約停止景品受付手段して機能する制御部７２により、該受信した景品ＩＤに対応付けて景品パッケージ情報ＤＢで予約停止フラグ１が登録されようにすれば良い。
【０４５９】
上記の実施形態では、図６（ｃ）に示すように、予約停止景品を指定する景品リスト（Ｄ１７）を表示する際に、景品提供業者，大区分，及び小区分を設定して（Ｄ１６）、該設定した景品提供業者，大区分，及び小区分に合致する景品の景品リストが表示される例について説明したが、これに限らず、図６（ｂ）に示すように、景品提供業者を選択し（Ｄ１３）、該景品提供業者が提供する景品パッケージを選択して（Ｄ１４）、該景品パッケージに含まれる景品の景品リストが表示されるようにしても良い。
【０４６０】
上記の実施形態では、図４（ｂ）や図９の景品パッケージＤＢで示すように、景品パッケージに含まれる景品の数（種類）が、景品提供業者や遊技場が設定した任意の数である例について説明したが、これに限らず、予め定められた一定数であっても良い。
【０４６１】
上記の実施形態では、図９の景品パッケージＤＢで示すように、複数の景品提供業者の全て（ここではＸ及びＹ）について、各々景品パッケージが設定される例について説明したが、これに限らず、景品パッケージが設定されない景品提供業者Ｚ（例えば景品区分が同一で少ない種類の景品を提供する景品提供業者）があっても良い。即ち前記景品パッケージ設定手段は、複数の景品提供業者のうちの少なくとも一部の景品提供業者について、各景品提供業者毎に景品パッケージを設定するものであれば良い。この場合には、例えば図２８に示すＤ５３で、当該景品提供業者Ｚのボタンも表示し、該ボタンが操作されると、前記景品表示処理手段は、該景品提供業者Ｚが提供する全ての景品を当該遊技場に設けられる景品表示装置で表示するための処理を行うようにすれば良い。
【０４６２】
上記の第１実施形態において、図１１（ｃ）に示す予約・確定累計数ＤＢにおいて、予約個数を確定累計数ｂ’に加算するときに（図３８のＳ６１２）、該予約個数を予約累計数ｂから減算するようにしても良い。この場合における予約累計数ｂは、予約された景品のうち予約確定されていない景品の数である。また、この場合における判定式ｘ（図３３のＳ３０９）は、在庫数ａ−（予約累計数ｂ＋確定累計数ｂ’＋予約個数ｃ）≧０となる。
【０４６３】
上記の第２実施形態では、図５１に示す在庫数ＤＢにおいて、現在在庫数が管理されている例について説明したが、これに限らず、図１１（ｃ）に示す予約・確定累計数ＤＢと同様に、予約累計数ｂを管理しておき、予約要求を受信した時点で、図８に示す景品情報ＤＢで登録されている在庫数ａ−当該予約累計数ｂの式で現在在庫数が算出され、該算出された現在在庫数に基づいて、在庫数判定手段（制御部７２）により、図３３のＳ３０９’に示す判定が行われるようにしても良い。即ち、この場合における在庫数判定手段は、在庫数登録手段に登録（景品情報ＤＢ）された在庫数と、予約個数集計手段により集計された予約個数（予約累計数）とに基づいて、景品の予約が可能であるか否かを判定する、前記第１実施形態に係る在庫数判定手段として機能するものである。
【０４６４】
上記の実施形態において、図１７に示すように予約端末（カードユニット２０，キオスク端末３０）で表示される景品選択画面で、Ｄ２５で大区分ボタンが選択され、Ｄ２６で小区分ボタンが選択された後に、Ｄ２９ａに示す交換玉数ボタンを区分メニューとして表示し、いずれかの交換玉数ボタンが選択されると、選択された大区分，小区分，及び交換玉数に属する景品が表示されるようにしても良く、これによれば、選択された大区分及び小区分に属する景品が多い場合であっても、交換玉数の区分でさらに絞り込みをかけることができるので、遊技者が希望する景品をスムーズに選択することができる。
【０４６５】
同様に、上記の実施形態において、図１７に示すように予約端末（カードユニット２０，キオスク端末３０）で表示される景品選択画面で、Ｄ２９ａに示す交換玉数ボタンが選択された後に、Ｄ２５に示す大区分ボタンを区分メニューとして表示し、いずれかの大区分ボタンが選択されると、Ｄ２６に示す小区分ボタンを区分メニューとして表示し、いずれかの小区分ボタンが選択されると、選択された交換玉数，大区分，及び小区分に属する景品が表示されるようにしても良く、これによれば、選択された交換玉数の区分に属する景品が多い場合であっても、大区分及び小区分でさらに絞り込みをかけることができるので、遊技者が希望する景品をスムーズに選択することができる。
【０４６６】
上記の実施形態では、図１９に示すように、Ｄ３１で「配送先指定」ボタンが操作されると、Ｄ３２で配送先として遊技場又は自宅の指定が受け付けられる例について説明したが、これに限らず、Ｄ３１で「配送先指定」ボタンが操作されると、Ｄ３３又はＤ３５に進み、Ｄ３４で決定ボタンが操作された後に、Ｄ３２に進んで配送先として遊技場又は自宅の指定が受け付けられ、該Ｄ３２で決定ボタンが操作されると、予約要求が送信されるようにしても良い。
【０４６７】
上記の実施形態では、図１９のＤ３３に示すように、予約端末にて予約受付処理を行うときに配送先情報の指定も受け付け、該配送先情報が図１２に示す予約情報ＤＢで予約情報として登録される例について説明したが、これに限らず、予約端末にて予約受付処理を行うときには、配送先情報の指定は受け付けずに、未提供予約個数・玉数ＤＢで予約個数又は予約玉数を管理するために必要な当該会員遊技者の会員ＩＤ，景品会員ＩＤ，又は氏名のみを受け付け、予約確定端末５０にて予約確定処理を行うときに、配送先情報の指定を受け付け、該配送先情報が図１４に示す配送情報ＤＢで配送情報として登録されるようにしても良い。
【０４６８】
上記の実施形態では、図２０のＤ３７ｂで、「予約確認（予約レシート再発行）」ボタンが操作されたことに基づいて、景品管理装置７０から予約情報を取得し、「配送情報確認」ボタンが操作されたことに基づいて、景品管理装置７０から配送情報を取得する例について説明したが、これに限らず、景品管理装置７０から送信されてくる照合ＯＫ通知と共に、予約情報及び配送情報を取得するようにしても良い。
【０４６９】
上記の実施形態では、図２８のＤ５３及びＤ５４に示すように、景品提供業者を選択してから、該景品提供業者が提供する景品パッケージの中から景品パッケージを選択する例について説明したが、これに限らず、景品パッケージが属する区分を選択してから、該選択した区分に属する景品パッケージの中から該景品パッケージを提供する景品提供業者を選択するようにしても良い。また全景品提供業者が提供する全景品パッケージの中から景品パッケージを選択するようにしても良く、この場合には選択操作が１回となる。
【０４７０】
上記の実施形態では、図２８のＤ５３〜Ｄ５５に示すように、予約確定端末５０，及び遊技場に設けられ景品管理装置７０と通信可能なパソコンにて景品パッケージの選択を受け付ける例について説明したが、これに限らず、予約端末（カードユニット２０，キオスク端末３０）にて該選択を受け付けるようにしても良い。また遊技場が希望する景品パッケージを所定の用紙に記載して景品センタに提出し、オペレータが景品管理装置７０の入力装置７４を操作して、当該用紙に記載された景品パッケージが入力されるようにしても良く、この場合には入力装置７４が景品パッケージ選択受付手段となる。
【０４７１】
上記の実施形態では、図２８のＤ５８に示すように、予約確定端末５０，遊技場に設けられ景品管理装置７０と通信可能なパソコンにて取消を希望する提供情報（配送情報）の指定を受け付ける例について説明したが、これに限らず、予約端末（カードユニット２０，キオスク端末３０）にて該指定を受け付けるようにしても良い。また取消を希望する提供情報を所定の用紙に記載して景品センタに提出し、オペレータが景品管理装置７０の入力装置７４を操作して、当該用紙に記載された提供情報が入力されるようにしても良く、この場合には入力装置７４が取消指定受付手段となる。
【０４７２】
上記の第１実施形態では、図２９のＳ１３に示すように、景品管理装置７０から予約端末（カードユニット２０，キオスク端末３０）に対して、景品パッケージ情報と景品情報とが関連付けて送信され、予約端末において、該景品パッケージ情報と景品情報とが関連付けられた表示景品情報（図１６（ａ））として記憶される例について説明したが、これに限らず、景品パッケージ情報と景品情報とは別個に送信されるようにしても良く、また該景品パッケージ情報と景品情報とは別個に記憶されるようにしても良い。
【０４７３】
上記の実施形態では、図２９及び図４２のＳ１４や、図４５及び図５２のＳ１４’に示すように、予約端末（カードユニット２０，キオスク端末３０）において、区分メニューと該区分メニューに対応する分類区分が設定されている景品の景品情報とを関連付けた区分メニューＤＢ（図１６（ｂ））を予め作成して記憶しておき、いずれかの区分メニューが選択されると、該選択された区分メニューに関連付けられている景品が表示される例について説明したが、これに限らず、該区分メニューＤＢを予め作成しておかずに、いずれかの区分メニューが選択されると、該選択された区分メニューに対応する分類区分が設定されている景品を表示景品情報ＤＢ（図１６（ａ））から抽出し、該抽出した景品のうち重複する景品を特定し、該特定した景品のうち１つを除いて削除し、前記抽出した景品から該削除した景品を除いた景品を表示するようにしても良い。
【０４７４】
上記の実施形態では、図２９及び図４２のＳ１４や、図４５及び図５２のＳ１４’に示すように、予約端末（カードユニット２０，キオスク端末３０）において、区分メニューＤＢ（図１６（ｂ））を作成する例について説明したが、これに限らず、景品管理装置７０において、各遊技場毎の区分メニューＤＢを予め作成して、該作成した区分メニューＤＢを各遊技場の予約端末に送信し、該予約端末において、受信した区分メニューＤＢを記憶するようにしても良い。また景品管理装置７０は、前記作成した区分メニューＤＢを予約端末に送信せず、予約端末において、いずれかの区分メニューが選択されると、該選択された区分メニューを示す情報を景品管理装置７０に送信し、景品管理装置７０において、該送信されてきた区分メニューに関連付けられている景品の景品情報を予約端末に返信し、予約端末において、受信した景品情報の景品を表示するようにしても良い。
【０４７５】
上記の実施形態では、図２９及び図４２のＳ１４や、図４５及び図５２のＳ１４’に示すように、予約端末（カードユニット２０，キオスク端末３０）において、区分メニューＤＢ（図１６（ｂ））を作成する例について説明し、上記の変形例では、景品管理装置７０において、区分メニューＤＢを作成する例について説明したが、予約端末及び景品管理装置７０のいずれにおいても区分メニューＤＢを作成せず、予約端末において、いずれかの区分メニューが選択されると、該選択された区分メニューを示す情報を景品管理装置７０に送信し、景品管理装置７０において、当該遊技場が選択している景品パッケージに含まれる景品の中から、該送信されてきた区分メニューに対応する分類区分が設定されている景品を抽出し、該抽出した景品のうち重複する景品を特定し、該特定した景品のうち１つを除いて削除し、前記抽出した景品から該削除した景品を除いた景品の景品情報を予約端末に返信し、予約端末において、受信した景品情報の景品を表示するようにしても良い。
【０４７６】
上記の実施形態では、図２９及び図４２のＳ１４や、図４５及び図５２のＳ１４’に示すように、予約端末（カードユニット２０，キオスク端末３０）において、表示景品情報ＤＢ（図１６（ａ））を記憶しておき、いずれかのパッケージメニューが選択されると、該選択されたパッケージメニューに対応する景品パッケージに含まれる景品が表示される例について説明したが、これに限らず、予約端末において、景品パッケージ情報は記憶しておくが景品情報は記憶しておかずに、いずれかのパッケージメニューが選択されると、該選択されたパッケージメニューに対応する景品パッケージを示す情報を景品管理装置７０に送信し、景品管理装置７０において、該送信されてきた情報が示す景品パッケージに含まれる景品の景品情報を予約端末に返信し、予約端末において、受信した景品情報の景品を表示するようにしても良い。
【０４７７】
上記の第２実施形態では、図４５及び図５２のＳ１４’に示すように、予約端末（カードユニット２０，キオスク端末３０）において、重複する景品を排除する（即ち図８に示す景品情報ＤＢで表示フラグとして１が登録されているものを抽出する）例について説明したが、これに限らず、景品管理装置７０において、重複する景品を排除する処理を行い、該重複を排除した景品の景品情報を各遊技場の予約端末に送信するようにしても良い。この場合において、区分メニューＤＢは、予約端末で作成されるようにしても良く、また景品管理装置７０で作成されて、予約端末に送信され、該予約端末で記憶されるようにしても良い。さらに区分メニューＤＢは、予約端末及び景品管理装置７０のいずれにおいても作成されないようにしても良く、この場合において、前記重複する景品を排除した景品情報を予約端末が記憶していれば、いずれかの区分メニューが選択されると、該選択された区分メニューに対応する分類区分が設定されている景品を当該景品情報から抽出して表示すれば良く、また前記重複する景品を排除した景品情報を景品管理装置７０が記憶していれば、いずれかの区分メニューが選択されると、該選択された区分メニューを示す情報を景品管理装置７０に送信し、景品管理装置７０において、該受信した情報が示す区分メニューに対応する分類区分が設定されている景品を当該景品情報から抽出して予約端末に返信し、予約端末において、受信した景品情報の景品を表示するようにすれば良い。
【０４７８】
上記の実施形態では、図３１のＳ１１１に示すように、配送先記録媒体（会員カード２又は景品交換カード３）から特定される配送先特定情報（会員ＩＤ又は景品会員ＩＤ）から配送先情報を特定可能とするための配送先特定処理として、配送先特定処理手段である通信部（場外通信部２１ｃ，通信部３１）により、配送先登録要求を送信する処理が行われる例について説明したが、これに限らず、該配送先特定処理として、配送先情報を配送先記録媒体に記録する処理が行われるようにしても良く、この場合には、カードユニット２０の制御部２２とカードＲ／Ｗ２３，及びキオスク端末３０の制御部３２とカードＲ／Ｗ３３が配送先特定処理手段となり、該配送先情報自体が配送先特定情報となる。
【０４７９】
上記の実施形態では、図３３のＳ３０２に示すように、グループ店判定手段（制御部７２）が、景品管理装置７０に設けられる例について説明したが、これに限らず、該グループ店判定手段が、予約端末（カードユニット２０，キオスク端末３０）に設けられるようにしても良く、この場合には、予約端末において、該予約端末が設けられる店舗とグループ関係にあるグループ店（自店を含む）の遊技場ＩＤを記憶しておき、受け付けた会員カード２の会員ＩＤ又は景品交換カード３の景品会員ＩＤに含まれる遊技場ＩＤが、前記記憶している遊技場ＩＤに含まれるか否かを判定し、含まれる（即ち受け付けた会員カード２又は景品交換カード３を発行した遊技場がグループ店である）と判定されたことを条件として、予約要求を送信するようにすれば良い。
【０４８０】
上記の実施形態では、図３３のＳ３０７及びＳ３０８に示すように、景品管理装置７０において予約停止景品が設定された後、予約要求を受信したことに基づいて、予約停止情報が予約端末に対して送信される例について説明したが、これに限らず、景品管理装置７０において予約停止景品が設定されたときに、予約停止情報が予約端末に対して送信されるようにしても良い。
【０４８１】
上記の第１実施形態では、図３３のＳ３０９に示すように、景品の予約が可能であるか否かが、在庫数ａ−（予約累計数ｂ＋予約個数ｃ）≧０の判定式ｘを満たすか否かで判定される例について説明したが、これに代えて、在庫数ａ≧予約累計数ｂ＋予約個数ｃの判定式ｘ１や、在庫数ａ−予約累計数ｂ≧予約個数ｃの判定式ｘ２や、在庫数ａ−予約個数ｃ≧予約累計数ｂの判定式ｘ３等、判定式ｘを変形した各判定式を満たすか否かで判定されるようにしても良い。また予約個数ｃが常に１であれば、予約内容登録処理の後に在庫数ａ＝予約累計数ｂとなった時点で予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４８２】
上記の第２実施形態では、図３３のＳ３０９’に示すように、景品の予約が可能であるか否かが、現在在庫数−予約個数≧０の判定式ｙを満たすか否かで判定される例について説明したが、これに代えて、現在在庫数≧予約個数の判定式ｙ１を満たすか否かで判定されるようにしても良い。また予約個数が常に１であれば、予約内容登録処理の後に現在在庫数＝０となった時点で、予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４８３】
上記の実施形態では、図３３のＳ３０９やＳ３０９’に示すように、予約要求を受信したことに基づいて、在庫があるか否かが判定される例について説明したが、これに限らず、景品の在庫が零となった時点で、在庫零通知を予約端末に対して送信し、予約端末において、該在庫零通知を受信した後（図３２のＳ２２３でＹＥＳと判定された後）に、当該景品の選択ができなくなるようにしても良い。
【０４８４】
上記の実施形態では、図３３のＳ３０９やＳ３０９’に示すように、予約要求を受信したことに基づいて、在庫数判定手段により、変更された在庫数と予約累計数とに基づいて（又は変更された現在在庫数に基づいて）、景品の予約が可能であるか否かが判定され、景品の予約が可能でなければ、予約停止情報である在庫零通知が予約端末に対して送信される例について説明したが、これに限らず、景品管理装置７０において在庫数が変更されたときに、該在庫数判定手段による判定（即ち第１実施形態においては変更後の在庫数−予約累計数≧０？の判定であり、第２実施形態においては現在在庫数−初期在庫数の変動数≧０？の判定）を行い、景品の予約が可能でないと判定された場合に、予め予約停止情報（在庫零通知）を予約端末に対して送信し、予約端末において、該予約停止情報を受信した後（図３２のＳ２２２でＹＥＳと判定された後）に、当該景品の選択ができなくなるようにしても良い。また景品の予約が可能でないと判定された場合に、予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４８５】
また上記の第１実施形態において、図５１に示す在庫数ＤＢを管理しておき、在庫数判定手段による判定として、予約要求の受信時には、図３３のＳ３０９に示すように、在庫数と予約累計数とに基づく判定を行い、在庫数の変更時（図４１）には、変更後の現在在庫数に基づく判定を行い、在庫数の変更後には、図３３のＳ３０９に示すように、変更後の在庫数と予約累計数とに基づく判定を行うようにしても良い。また提供可否判定手段による判定として、予約確定要求の受信時には、図３８のＳ６１０に示すように、在庫数と確定累計数とに基づく判定を行い、在庫数の変更時には、図４１のＳ９０３’に示すように、変更後の配送登録後在庫数に基づく判定を行い、在庫数の変更後には、図４１のＳ６１０に示すように、変更後の在庫数と確定累計数とに基づく判定を行うようにしても良い。
【０４８６】
また上記の第２実施形態において、図１１（ｃ）に示す予約・確定累計数ＤＢを管理しておき、在庫数判定手段による判定として、予約要求の受信時には、図３３のＳ３０９’に示すように、現在在庫数に基づく判定を行い、在庫数の変更時（図４１）には、変更後の在庫数と予約累計数とに基づく判定を行い、在庫数の変更後には、図３３のＳ３０９’に示すように、変更後の現在在庫数に基づく判定を行うようにしても良い。また提供可否判定手段による判定として、予約確定要求の受信時には、図３８のＳ６１０’に示すように、配送登録後在庫数に基づく判定を行い、在庫数の変更時には、図４１のＳ９０３に示すように、変更後の配送登録後在庫数と確定累計数とに基づく判定を行い、在庫数の変更後には、図４１のＳ６１０’に示すように、変更後の配送登録後在庫数に基づく判定を行うようにしても良い。
【０４８７】
上記の実施形態では、図３３に示すように、予約停止情報と在庫零通知とが別個のものである例について説明したが、これに限らず、本例の如く予約要求を受信する毎に予約停止情報を返信する場合には、該予約停止情報は、予約停止景品の予約を停止する旨の情報である必要はなく、単に予約ができない旨を示す情報（ＮＧ通知）でも良く、この場合には、在庫零通知と同一のＮＧ通知としても良い。
【０４８８】
上記の第１実施形態では、図３８に示すように、Ｓ６０６，Ｓ６０８，Ｓ６１０の判定が、Ｓ６０５で予約確定要求を受信した後に行われる例について説明したが、これに限らず、これらの判定は、Ｓ６０１で予約情報要求を受信した後に行われるようにしても良く、この場合には、これらの判定で全てＹＥＳならば、Ｓ６０４で予約情報を送信して、Ｓ６０５で予約確定要求の受信を待機し、予約確定要求の受信が有ると、Ｓ６１２に進む。これによれば、遊技場において、当該Ｓ６０４の予約情報を受信してから減算処理を行うという運用をすることで、減算処理を行った後に予約確定ができなかったために該減算処理を取り消すといった手間を減少することができる。
【０４８９】
上記の第２実施形態でも、図３８に示すように、Ｓ６０６，Ｓ６０８，Ｓ６１０’の判定が、Ｓ６０５で予約確定要求を受信した後に行われる例について説明したが、これに限らず、これらの判定は、Ｓ６０１で予約情報要求を受信した後に行われるようにしても良く、この場合には、これらの判定で全てＹＥＳならば、Ｓ６０４で予約情報を送信して、Ｓ６０５で予約確定要求の受信を待機し、予約確定要求の受信が有ると、Ｓ６１２’に進む。これによれば、遊技場において、当該Ｓ６０４の予約情報を受信してから減算処理を行うという運用をすることで、減算処理を行った後に予約確定ができなかったために図４９のＳ５２３’やＳ５４７’，及び図５０のＳ５５９’の処理を行う必要が無くなる。
【０４９０】
上記の第１実施形態では、図３３のＳ３０９に示すように、在庫数判定手段が、在庫数変更手段にて変更を受け付けた後の在庫数（即ち景品情報ＤＢで管理している在庫数）と予約個数集計手段にて集計された予約個数（即ち予約・確定累計数ＤＢで管理している予約累計数）とに基づいて、景品の予約が可能であるか否かを判定する例について説明したが、これに限らず、該第１実施形態の景品管理装置７０でも、図５１に示す在庫数ＤＢを管理して、在庫数判定手段が、Ｓ３０９’に示す判定を行うようにしても良く、この場合には、在庫数変更手段にて在庫数の変更を受け付けたことを条件として、現在在庫数更新手段として機能する制御部７２により、在庫数の変動数に基づいて、現在在庫数管理手段で管理している現在在庫数（即ち在庫数ＤＢで管理している現在在庫数）を更新し、在庫数判定手段として機能する制御部７２により、該現在在庫数更新手段にて更新された後の現在在庫数（即ち在庫数ＤＢで管理している現在在庫数）に基づいて、景品の予約が可能であるか否かを判定する。
【０４９１】
同様に、上記の第２実施形態では、図３３のＳ３０９’に示すように、在庫数判定手段が、現在在庫数更新手段にて更新された後の現在在庫数（即ち在庫数ＤＢで管理している現在在庫数）に基づいて、景品の予約が可能であるか否かを判定する例について説明したが、これに限らず、該第２実施形態の景品管理装置７０でも、図１１（ｃ）に示す予約・確定累計数ＤＢを管理して、Ｓ３０９に示すように、在庫数変更手段にて在庫数の変更を受け付けた後の在庫数と、予約個数集計手段にて集計された予約個数（即ち予約・確定累計数ＤＢで管理している予約累計数）とに基づいて、景品の予約が可能であるか否かを判定するようにしても良い。
【０４９２】
上記の第１実施形態では、図３８のＳ６１０に示すように、提供可否判定手段が、在庫数変更手段にて変更を受け付けた後の在庫数（即ち景品情報ＤＢで管理している在庫数）と提供個数集計手段にて集計された提供個数（即ち予約・確定累計数ＤＢで管理している確定累計数）とに基づいて、景品の提供が可能であるか否かを判定する例について説明したが、これに限らず、該第１実施形態の景品管理装置７０でも、図５１に示す在庫数ＤＢを管理して、提供可否判定手段が、Ｓ６１０’に示す判定を行うようにしても良く、この場合には、在庫数変更手段にて在庫数の変更を受け付けたことを条件として、提供後在庫数更新手段として機能する制御部７２により、在庫数の変動数に基づいて、提供後在庫数管理手段で管理している提供後在庫数（即ち在庫数ＤＢで管理している配送登録後在庫数）を更新し、提供可否判定手段として機能する制御部７２により、該提供後在庫数更新手段にて更新された後の提供後在庫数（即ち在庫数ＤＢで管理している配送登録後在庫数）に基づいて、景品の提供が可能であるか否かを判定する。
【０４９３】
同様に、上記の第２実施形態では、図３８のＳ６１０’に示すように、提供可否判定手段が、提供後在庫数更新手段にて更新された後の提供後在庫数（即ち在庫数ＤＢで管理している配送登録後在庫数）に基づいて、景品の提供が可能であるか否かを判定する例について説明したが、これに限らず、該第２実施形態の景品管理装置７０でも、図１１（ｃ）に示す予約・確定累計数ＤＢを管理して、Ｓ６１０に示すように、在庫数変更手段にて在庫数の変更を受け付けた後の初期在庫数と、提供個数集計手段にて集計された提供個数（即ち予約・確定累計数ＤＢで管理している確定累計数）とに基づいて、景品の提供が可能であるか否かを判定するようにしても良い。
【０４９４】
上記の実施形態では、図３９に示すように、景品管理装置７０から配送管理装置８０に対して配送情報の送信（配送指示）が行われた後であっても、該景品管理装置７０から配送管理装置８０に対して配送停止要求が送信され（Ｓ８０５）、景品の配送が未だ行われていなければ、該景品の配送が停止される例について説明したが、これに限らず、配送管理装置８０に対する配送停止要求は行われないものであっても良い。
【０４９５】
上記の実施形態において、図４１のＳ９０３，Ｓ９０３ｂ’でＮＯ（即ち景品の提供が可能でない）と判定された場合に、該判定の対象となった景品の提供を停止する旨の提供停止情報を予約確定端末５０に送信するようにしても良く、また提供不可フラグを立てておき、次回以降の配送情報登録処理が行われない（即ち該提供不可フラグが立っていると、予約確定要求を受信する毎に確定ＮＧを送信するか、又は１回目の予約確定要求を受信すると提供停止情報を送信する）ようにしても良い。
【０４９６】
上記の第２実施形態において、図４１のＳ９０３ａ’で現在在庫数から初期在庫数の変動数を減算した結果、該減算後の現在在庫数がマイナスになる場合には、該減算後の現在在庫数を零にしても良い。なお、上記の実施形態では、在庫数が減少する場合について説明したが、在庫数が増加する場合であっても良い。
【０４９７】
上記の実施形態では、図４１に示すＳ９０４において、配送情報ＤＢから配送先情報を抽出するときに、予約停止景品を予約した全てのユーザ（遊技者）の配送先情報が抽出される例について説明したが、これに限らず、変更後の在庫数を超える分だけ、確定日時が新しい予約に対応する配送先情報が抽出されるようにしても良い。例えば、ある景品について、予約確定数が１０であり、変更後の在庫数が７になった場合には、確定日時が古い７個についてはそのまま配送し、確定日時が新しい３個の予約に対応する配送先情報を抽出する。
【０４９８】
上記の第２実施形態では、図４４に示すように、減算処理端末及び予約確定端末として機能する（換言すれば減算処理端末と予約確定端末とが一体である）ＰＯＳ・予約確定端末５０’が設けられ、減算処理に伴って予約確定要求が送信される例について説明したが、これに限らず、減算処理端末（仮にＰＯＳ端末４０’とする）と予約確定端末（仮に予約確定端末５０’とする）とが別個に設けられるが、減算処理に伴って予約確定要求が送信されるようにしても良い。
【０４９９】
ここで予約確定端末５０’と景品管理装置７０とが通信可能である場合には、ＰＯＳ端末４０’は、計数レシート５から計数ＩＤと計数値を読み取って、計数値管理装置６２との間で該計数値の照合を行い、予約確定端末５０’は、予約レシート６から予約ＩＤを読み取り、景品管理装置７０から該予約ＩＤに対応する交換玉数を取得して、該交換玉数をＰＯＳ端末４０’に送信し、ＰＯＳ端末４０’は、前記計数値≧該交換玉数ならば、減算ＯＫ通知を予約確定端末５０’に返信し、予約確定端末５０’は、前記予約ＩＤを含む予約確定要求を景品管理装置７０に送信するようにすれば良い。
【０５００】
一方、ＰＯＳ端末４０’と景品管理装置７０とが通信可能である場合には、ＰＯＳ端末４０’は、計数レシート５から計数ＩＤと計数値を読み取って、計数値管理装置６２との間で該計数値の照合を行い、予約確定端末５０’は、予約レシート６から予約ＩＤを読み取って、該予約ＩＤをＰＯＳ端末４０’に送信し、ＰＯＳ端末４０’は、景品管理装置７０から該予約ＩＤに対応する交換玉数を取得して、前記計数値≧該交換玉数ならば、前記予約ＩＤを含む予約確定要求を景品管理装置７０に送信し、景品管理装置７０から配送登録完了通知を受信すると、確定ＯＫ通知を予約確定端末５０’に送信し、予約確定端末５０’は、配送レシート７を発行するようにすれば良い。
【０５０１】
上記の第２実施形態では、図４９に示すように、Ｓ５０１’で計数レシート読取ボタンの操作が有るとＳ５０２’に進み、Ｓ５４１’で会員カード読取ボタンの操作が有るとＳ５４２’に進む例について説明したが、これに代えて、バーコードリーダ５５’による計数レシート５のバーコード５ａの読取又は会員カード２のバーコードの読取を待機し、計数レシート５のバーコード５ａの読取を検知するとＳ５０２’に進み、会員カード２のバーコードの読取を検知するとＳ５４２’に進むようにしても良い。
【０５０２】
上記の第２実施形態では、図４９のＳ５０７’で予約レシート６の予約ＩＤバーコード６ａを読み取ると、該読み取った予約ＩＤバーコード６ａが示す予約ＩＤを含む予約情報要求が景品管理装置７０に対して送信され（Ｓ５０３）、該景品管理装置７０から当該予約ＩＤに対応する予約情報を受信すると（Ｓ５０４）、該予約情報に含まれる交換玉数が図４８のＤ５２’で表示される（Ｓ５１１’）例について説明したが、これに限らず、予約レシート６の予約ＩＤバーコード６ａに交換玉数も記録しておき、該予約レシート６の予約ＩＤバーコード６ａを読み取ると、景品管理装置７０と通信することなく、該読み取った予約ＩＤバーコード６ａが示す交換玉数が図４８のＤ５２’で表示されるようにしても良い。
【０５０３】
上記の第２実施形態では、図５０のＳ５２５’で引用するＳ４２３，同Ｓ５６３’で引用するＳ４６２，及び同Ｓ５９０’で引用するＳ４８４に示すように、確定ボタンが操作されると、予約確定要求が送信される例について説明したが、これに限らず、予約レシート６の予約ＩＤバーコード６ａの読取（Ｓ５０７’）に応じて行われるＳ５１８’，Ｓ５５６’，又はＳ５８３’の判定でＹＥＳ（即ち計数値及び／又は貯玉数が当該予約の交換玉数以上である）ならば、確認ボタンの操作無しで、予約確定要求が送信されるようにしても良い。
【０５０４】
上記の実施形態では、有価価値識別情報（玉数コード又は景品コード）がＪＡＮコードである例について説明したが、これに限らず、該有価価値識別情報は、ＪＡＮコード以外の当該景品交換システムに独自のコードであっても良い。即ち有価価値識別情報は、交換有価価値（交換玉数）を識別するための情報であれば良い。
【０５０５】
上記の第１実施形態及び同変形例では、有価価値識別情報が、交換有価価値（交換玉数）毎に付与される玉数コードである例について説明したが、該有価価値識別情報を、景品毎に付与される景品コードとしても良い。このように、有価価値識別情報が景品毎に付与される（即ち景品毎に異なる）景品コードである場合には、第１実施形態に係る景品管理装置７０の登録必要景品特定手段（制御部７２）は、追加フラグとして１が登録されている追加景品の全てを登録必要景品として特定して出力フラグとして１を登録する。従って、この場合には、出力フラグの記憶欄を設けないようにしても良い。また第１実施形態の変形例に係る出力端末（キオスク端末３０）の登録必要景品特定手段（制御部３２）は、景品管理装置７０から送信されてきた景品情報に含まれる全表示景品のうち、図１６（ａ）に示す表示景品情報ＤＢで記憶されていない景品を、登録必要景品として特定する。
【０５０６】
逆に上記の第２実施形態及び同変形例では、有価価値識別情報が、景品毎に付与される景品コードである例について説明したが、該有価価値識別情報を、交換有価価値毎に付与される玉数コードとしても良い。このように、有価価値識別情報が交換玉数毎に付与される玉数コードである場合には、第２実施形態に係る景品管理装置７０の登録必要景品特定手段（制御部７２）は、前記図３０と同様にして、追加フラグとして１が登録されている追加景品のうち、該追加景品のうちの一の交換玉数と景品情報ＤＢで管理している追加景品以外の表示景品の交換玉数とが同一でない景品を、登録必要景品として特定しても良い。また第２実施形態の変形例に係る出力端末（キオスク端末３０）の登録必要景品特定手段（制御部３２）は、前記図４３と同様にして、景品管理装置７０から送信されてきた景品情報に含まれる全表示景品のうち、図１６（ａ）に示す表示景品情報ＤＢで記憶されていない景品を、景品表示装置に新たに表示される追加景品として特定し、該特定された追加景品のうちの一の交換玉数と交換玉数ＤＢで管理している交換玉数とが同一でない景品を、登録必要景品として特定しても良い。即ち、この場合における第２実施形態及び同変形例の登録必要景品特定手段は、景品表示装置に新たに表示される景品のうち、当該景品の交換有価価値が、景品変更手段における変更の受付前に景品表示装置に表示されていた景品の交換有価価値を特定可能な前記既表示景品価値情報（第１実施形態であれば図８に示す景品情報ＤＢの交換玉数，同変形例であれば図２４に示す交換玉数ＤＢの交換玉数）から特定される交換有価価値と異なる景品を、登録必要景品として特定する。
【０５０７】
上記の実施形態では、図２（ｂ）に示すように、有価価値識別情報を内在する情報記録シンボルがバーコードである例について説明したが、これに限らず、該情報記録シンボルは、該バーコード以外の二次元コード（例えばＱＲコード（登録商標））や、ホログラム等であっても良い。
【０５０８】
上記の実施形態では、図２（ｂ）に示すように、有価価値識別情報を内在する情報記録シンボル（玉数情報バーコード）が予約レシート６に印刷されて出力される例について説明したが、これに限らず、該情報記録シンボルが会員カード２や景品交換カード３に印刷されて出力されるようにしても良い。
【０５０９】
上記の実施形態では、出力端末が景品表示装置（キオスク端末３０）である例について説明したが、これに限らず、該出力端末は、例えば店舗（遊技場）に設けられるパーソナルコンピュータ等であっても良い。
【０５１０】
上記の第１実施形態及び第２実施形態（各変形例を除く）では、景品パッケージ選択受付手段（通信部７１）により遊技場が希望する景品パッケージの選択を受け付けると、図８に示す景品情報ＤＢにおいて、該景品パッケージに含まれる各景品の景品ＩＤに対応付けて、常に表示フラグ及び追加フラグとして１が登録され、また景品更新手段（ディスプレイ７３及び入力装置７４）により景品パッケージに含まれる景品が変更されると、追加される景品の景品ＩＤに対応付けて、常に表示フラグ及び追加フラグとして１が登録される、即ち景品パッケージに含まれる景品又は追加された景品が当該遊技場で選択されている他の景品パッケージに含まれていて、既に表示フラグとして１が登録されている場合にも、追加フラグとして１が登録される例について説明したが、これに限らず、景品パッケージに含まれる景品又は追加された景品のうち、表示フラグとして０が登録されているもの（即ち該景品が当該遊技場で選択されている他の景品パッケージに含まれていないもの）についてのみ表示フラグ及び追加フラグとして１が登録されるようにしても良い。これによれば、遊技場が選択した景品パッケージに含まれる景品又は景品パッケージに追加された景品であっても、景品表示装置において表示される表示景品として既に登録されている景品は登録必要景品として特定されないことにより、該景品の交換有価価値に対応する有価価値識別情報を内在する情報記録シンボルは出力端末において出力されないので、無駄な登録作業が無くなる。
【０５１１】
上記の第１実施形態では、図２２に示すように、出力端末（キオスク端末３０）の出力手段が、玉数情報バーコード一覧８を印刷して出力する予約レシートプリンタ３５である例について説明したが、これに限らず、該出力手段が、玉数情報バーコード一覧８をディスプレイ３４に表示して出力し、該表示された玉数情報バーコード一覧８を減算処理端末（ＰＯＳ端末４０）が読み取るようにしても良い。この場合には、出力端末を減算処理端末の近傍に設けるか、あるいは減算処理端末のバーコードリーダ４５がワイヤレスのものが良い。
【０５１２】
上記の第１実施形態では、図２２に示す玉数情報バーコード一覧８のように、登録必要景品の情報記録シンボル（玉数情報バーコード）が、一覧形式で出力（印刷又は表示）される例について説明したが、これに限らず、該情報記録シンボルは、１つずつ出力されるようにしても良い。
【０５１３】
上記の第１実施形態では、図２２に示す玉数情報バーコード一覧８のように、登録必要景品の情報記録シンボル（玉数情報バーコード）と対応付けて交換有価価値（交換玉数）が視認可能な態様で出力される例について説明したが、これに限らず、情報記録シンボルのみが出力されるようにしても良く、この場合には、減算処理端末（ＰＯＳ端末４０）において、該出力される情報記録シンボルを読み取って登録すると共に、別途出力される情報記録シンボルと交換有価価値との対応付けを参照して交換有価価値を登録すれば良い。
【０５１４】
上記の実施形態では、図２９等のＳ０３で示すように、景品パッケージに含まれる景品が変更された場合に、該変更により追加された景品のみが登録必要景品として特定される例について説明したが、これに限らず、該変更された全ての景品が登録必要景品として特定されるようにしても良い。
【０５１５】
上記の第１実施形態では、図２９に示すように、景品管理装置７０から出力端末（キオスク端末３０）に対して、シンボル出力情報として、有価価値識別情報である玉数コードが送信され（Ｓ１３）、出力端末において、該玉数コードを内在する情報記録シンボル（玉数情報バーコード）が作成されて出力される（Ｓ１５）例について説明したが、これに限らず、景品管理装置７０において、玉数コードを内在する情報記録シンボルが作成され、シンボル出力情報として、該作成された情報記録シンボルが送信されるようにしても良い。即ちシンボル出力情報は、情報記録シンボルを出力端末が出力するための情報であれば良い。
【０５１６】
上記の第１実施形態では、図２９のＳ１３に示すように、景品管理装置７０から出力端末（キオスク端末３０）に対して、シンボル出力情報として、登録必要景品のみの玉数コード６ｃ及び交換玉数が送信される例について説明したが、これに限らず、該シンボル出力情報としては、登録必要景品を含む追加景品の玉数コード６ｃ及び交換玉数や、登録必要景品を含む全表示景品の玉数コード６ｃ及び交換玉数が送信されるようにしても良い。
【０５１７】
上記の第１実施形態では、図３０に示すように、追加景品のうち、該追加景品の交換玉数と図８に示す景品情報ＤＢで登録されている表示景品の交換玉数とが異なる景品のみが、登録必要景品として特定され、同変形例では、図４３に示すように、追加景品のうち、該追加景品の交換玉数と図２４に示す交換玉数ＤＢで登録されている交換玉数とが異なる景品のみが、登録必要景品として特定される例について説明したが、これに限らず、該追加景品の全てが登録必要景品として特定されるようにしても良い。この場合には、出力端末（キオスク端末３０）において、該登録必要景品である追加景品の全てについて、玉数コード６ｃを内在する玉数情報バーコード６ｂと交換玉数とが記録された玉数情報バーコード一覧８が出力されるが、ＰＯＳ端末４０において、該玉数情報バーコード一覧８から玉数コード６ｃが読み取られたときに、当該玉数コード６ｃが図２４に示す交換玉数ＤＢにおいて既に登録されていれば、当該玉数コード６ｃを重複して登録しないようにすれば良い。
【０５１８】
上記の第１実施形態では、図３０に示す登録必要景品特定処理において、追加景品のうち、該追加景品の交換玉数と図８に示す景品情報ＤＢで登録されている表示景品と交換玉数とが異なる景品が、登録必要景品として特定される例について説明したが、これに限らず、景品管理装置７０において、各遊技場において表示される表示景品の景品情報を登録しておく表示景品ＤＢを各遊技場毎に設け、追加景品のうち、該追加景品の交換玉数と当該表示景品ＤＢに登録されている景品情報に含まれている交換玉数とが異なる景品が、登録必要景品として特定されるようにしても良く、また景品管理装置７０において、各遊技場において表示される表示景品の交換玉数を重複無く登録しておく交換玉数ＤＢを各遊技場毎に設け、追加景品のうち、該追加景品の交換玉数と当該交換玉数ＤＢに登録されている交換玉数とが異なる景品が、登録必要景品として特定されるようにしても良い。
【０５１９】
上記の第１実施形態では、図３０に示す登録必要景品特定処理において、追加景品のうち、図８に示す景品情報ＤＢで表示フラグとして１が登録されている表示景品（即ち景品表示装置において現在表示される景品）と交換玉数が異なる景品が、登録必要景品として特定される例について説明したが、これに限らず、景品変更手段により景品表示装置に表示される景品が変更された場合には、景品情報ＤＢにおいて、当該変更により景品表示装置に表示されないこととなった景品について、表示フラグとして０を登録すると共に、過去に表示されていた景品である旨を示す過去表示フラグとして１を登録し、前記登録必要景品特定処理において、追加景品のうち、表示フラグとして１が登録されている表示景品及び過去表示フラグとして１が登録されている景品と交換玉数が異なる景品が、登録必要景品として特定されるようにしても良い。つまり、景品表示装置において過去に表示されていた景品と交換玉数が同じ景品は、当該交換玉数に対応する玉数コード６ｃが既に減算処理端末（ＰＯＳ端末４０）で登録されているはずであるため、登録必要景品として特定されないことにより、該景品の交換玉数に対応する玉数コード６ｃを内在する玉数情報バーコード６ｂはキオスク端末３０において出力されないので、無駄な登録作業が無くなる。
【０５２０】
上記の実施形態では、一般景品の交換玉数を入力する場合において、図３６のＳ４２２，Ｓ４６１，及びＳ４８３に示すように、該一般景品に付されているバーコードが内在している有価価値識別情報（ＪＡＮコード）が読み取られると、該ＪＡＮコードに対応付けて登録されている交換玉数が特定されて入力される例について説明したが、これに限らず、該一般景品に付されているＪＡＮコードが手入力されると、該ＪＡＮコードに対応付けて登録されている交換玉数が特定されて入力されるようにしても良く、また減算処理端末（ＰＯＳ端末４０又はＰＯＳ・予約確定端末５０’）に、複数種類の交換玉数に対応する交換玉数入力ボタン（例えば１００玉ボタン，２００玉ボタン，５００玉ボタン等）を設け、該交換玉数入力ボタンが操作されると、交換玉数が入力されるようにしても良く、複数種類の交換玉数に対応するバーコードの読取により入力されるようにしても良く、さらに予約レシート６に記載されている交換玉数を読み取った店員により手入力されるようにしても良い。
【０５２１】
上記の第１実施形態の変形例では、図４２のＳ１３に示すように、景品管理装置７０から出力端末（キオスク端末３０）に対して、変更景品特定情報として、全表示景品の景品情報が送信される例について説明したが、これに限らず、追加景品の景品情報のみが送信されるようにしても良い。この場合において、上述の如く、追加景品の全てを登録必要景品として特定する例では、登録必要景品特定手段が、当該送信されてきた景品の全てを、単に登録必要景品として特定する処理を行うことになる。
【０５２２】
上記の第１実施形態では、減算処理端末（ＰＯＳ端末４０，ＰＯＳ・予約確定端末５０’）において、有価価値識別情報（玉数コード又は景品コード）と交換有価価値（交換玉数）とを初期登録する場合にも、それらを追加登録する場合と同様に、出力端末（キオスク端末３０）で出力される玉数情報バーコード一覧８の玉数情報バーコードを読み取って、有価価値識別情報を登録する例について説明したが、初期登録の場合には登録の対象となる有価価値識別情報の数が多くて登録作業が大変なので、例えばＣＤ−Ｒ等の記録媒体に有価価値識別情報と交換有価価値との対応付けを記録し、該記録された有価価値識別情報と交換有価価値との対応付けを読み取って登録するようにしても良い。
【０５２３】
上記の第２実施形態では、図４５に示すように、登録必要景品特定手段（Ｓ０７’）と有価価値識別情報送信手段（Ｓ１３’）の両方を、景品管理装置７０が備え、同変形例では、図５１に示すように、登録必要景品特定手段（Ｓ１４ａ’）と有価価値識別情報送信手段（Ｓ１５’）の両方を、景品表示装置（キオスク端末３０）が備える例について説明したが、これに限らず、登録必要景品特定手段は景品管理装置７０が備え、有価価値識別情報送信手段は景品表示装置が備えるようにしても良く、この場合には、該景品管理装置７０において、図４５のＳ０７’に示す登録必要景品特定処理を行い、これにより特定された登録必要景品を示す情報を景品表示装置に対して送信し、該景品表示装置から減算処理端末（ＰＯＳ端末４０，ＰＯＳ・予約確定端末５０’）に対して、当該登録必要景品の交換有価価値に対応する有価価値識別情報を送信する。
【０５２４】
上記の第１実施形態では、ＰＯＳ端末４０において、カタログ景品の景品交換状況を交換玉数毎に集計する例について説明したが、これに限らず、図２４に示す交換玉数ＤＢにおいて、カタログ景品についても、一般景品と同様にして、各カタログ景品の交換玉数及びジャンルを登録しておき、図３５に示すＳ４１７の減算を行うときに、Ｓ４１１で読み取った玉数コード６ｃ又はＳ４１２で手入力された玉数コード６ｃのカタログ景品が景品交換された旨を、該カタログ景品の各ジャンル毎に集計するようにしても良い。これによれば、カタログ景品の景品交換状況をジャンル毎に管理して把握することができる。
【０５２５】
上記の実施形態では、ＰＯＳ端末４０，又はＰＯＳ・予約確定端末５０’において、一般景品の景品交換状況をジャンル毎に集計する例について説明したが、これに限らず、図３６に示すＳ４２６，Ｓ４６５，及びＳ４８７の減算を行うときに、Ｓ４２４ａ，Ｓ４６３ａ，及びＳ４８５ａで特定された交換玉数の一般景品が景品交換された旨を、交換玉数毎に集計するようにしても良い。
【０５２６】
上記の実施形態では、図１２に示す予約情報ＤＢにおいて、予約識別情報（予約ＩＤ）とユーザ特定情報である会員ＩＤ又は景品会員ＩＤ及び配送先情報とが対応付けて登録される例について説明したが、該予約情報ＤＢにおいては会員ＩＤ又は景品会員ＩＤを登録しないようにしても、図１１（ｂ）に示す配送先ＤＢにおいて会員ＩＤ又は景品会員ＩＤと配送先情報（氏名等）とが対応付けて登録されているので、景品管理装置７０においては、予約識別情報とユーザ特定情報である会員ＩＤ又は景品会員ＩＤとが対応付けて登録されていることになる。つまり、一のＤＢ（予約情報ＤＢ）において、データＡ（予約ＩＤ）とデータＢ（配送先情報）とが対応付けて登録されており、他のＤＢ（配送先ＤＢ）において、データＢ（配送先情報）とデータＣ（会員ＩＤ又は景品会員ＩＤ）とが対応付けて登録されている場合には、両ＤＢに共通のデータＢをキーにして、データＡとデータＣとが対応付けて登録されていることになる。
【０５２７】
同様に、上記の実施形態では、図１２に示す予約情報ＤＢにおいて、予約識別情報（予約ＩＤ）と景品特定情報（景品ＩＤ）と景品名が対応付けて登録される例について説明したが、該予約情報ＤＢにおいては景品ＩＤを登録しないようにしても、図８に示す景品情報ＤＢにおいて景品ＩＤと景品名とが対応付けて登録されているので、景品管理装置７０においては、予約識別情報と景品特定情報とが対応付けて登録されていることになる。つまり、一のＤＢ（予約情報ＤＢ）において、データＡ（予約ＩＤ）とデータＢ（景品名）とが対応付けて登録されており、他のＤＢ（景品情報ＤＢ）において、データＢ（景品名）とデータＣ（景品ＩＤ）とが対応付けて登録されている場合には、両ＤＢに共通のデータＢをキーにして、データＡとデータＣとが対応付けて登録されていることになる。
【０５２８】
上記の実施形態では、図７のＤ１８に示すように、上限値超え報知基準が設定され、図１３の未提供予約個数・玉数ＤＢに示すように、上限値超え回数が集計され、図３４のＳ３６６に示すように、上限値超え回数が上限値超え報知基準以上であることを条件として、ユーザ特定情報抽出手段により抽出されたユーザ特定情報（配送先情報）と該上限値超え回数とが表示される例について説明したが、これに限らず、上限値超え報知基準を設定せず、上限値超え回数を集計せず、ユーザ特定情報抽出手段によりユーザ特定情報が抽出されると、該抽出されたユーザ特定情報が表示されるようにしても良い。
【０５２９】
上記の実施形態では、図７に示すＤ１９ａ，Ｄ１９ｂにおいて、全体上限値及び個別上限値を設定している例について説明したが、これに限らず、個別上限値のみを設定して全体上限値は設定しないようにしても良い。この場合には、図１０に示す上限値ＤＢにおける景品ＩＤがＫＸ−０００３０５，ＫＸ−０００５０１の景品や、図４６に示す上限値ＤＢにおける景品ＩＤがＫＸ−０００１２３やＫＸ−０２０４７５の景品については、補正パターンＢの処理は行われずに補正パターンＡの処理が行われて、在庫数演算値と交換玉数演算値の少ない方が、そのまま個別上限値として設定される。これによれば、１種類の景品を多量に予約するいたずらを、最低限防止することができる。
【０５３０】
上記の実施形態では、図７に示すＤ１９ａ，Ｄ１９ｂにおいて、全体上限値及び個別上限値を設定している例について説明したが、これに限らず、全体上限値のみを設定して個別上限値は設定しないようにしても良い。この場合には、図３４に示すＳ３５３〜Ｓ３５５の処理は省略される。これによれば、複数種類の景品を多量に予約するいたずらを、最低限防止することができると共に、１種類の景品を多量に予約する場合であっても全体上限値以上の予約はできないので、１種類の景品を多量に予約するいたずらも効果的に防止することができる。
【０５３１】
上記の第１実施形態では、図１７に示すＤ１９ａにおいて、在庫数に基づく個別上限値として、各景品の在庫数に応じた個別上限値を演算するための値（ここでは在庫数の４０％）を設定する例について説明したが、Ｄ１９ａ’の★印に示すように、全体上限値（ここでは３０個）よりも低い値であって一定の在庫数（ここでは２０個）を個別上限値として設定するようにしても良い。この図１９ａ’に示すように、個別上限値として、在庫数に基づく個別上限値（ここでは在庫数の４０％）と、一定の在庫数の個別上限値の２つを設定すると、図１０に示す上限値ＤＢにおいて、補正パターンＡの処理が行われる場合には、在庫数演算値と該設定した一定の在庫数の少ない方が個別上限値として設定され、また該一定の在庫数は常に全体上限値よりも低い（即ち在庫数演算値と前記設定した一定の在庫数の少ない方が全体上限値を超えることは無い）ので、補正パターンＢの処理が行われることは無い。また図示しないが、個別上限値として、交換玉数に基づく個別上限値（例えば合計玉数２００００玉）と、一定の在庫数の個別上限値の２つを設定すると、図１０に示す上限値ＤＢにおいて、補正パターンＡの処理が行われる場合には、交換玉数演算値と該設定した一定の在庫数の少ない方が個別上限値として設定され、また該一定の在庫数は常に全体上限値よりも低い（即ち交換玉数演算値と前記設定した一定の在庫数の少ない方が全体上限値を超えることは無い）ので、補正パターンＢの処理が行われることは無い。さらに図示しないが、個別上限値として、在庫数に基づく個別上限値と、交換玉数に基づく個別上限値と、一定の在庫数の個別上限値の３つを設定すると、図１０に示す上限値ＤＢにおいて、補正パターンＡの処理が行われる場合には、在庫数演算値と交換玉数演算値と該設定した一定の在庫数のうちの最も少ない値が個別上限値として設定され、また該一定の在庫数は常に全体上限値よりも低い（即ち在庫数演算値と交換玉数演算値と前記設定した一定の在庫数のうちの最も少ないものが全体上限値を超えることは無い）ので、補正パターンＢの処理が行われることは無い。
【０５３２】
同様に、上記の第２実施形態では、図１７に示すＤ１９ｂにおいて、交換玉数に基づく個別上限値として、各景品の総交換玉数に応じた個別上限値を演算するための値（ここでは総交換玉数の４０％）を設定する例について説明したが、Ｄ１９ｂ’の★印に示すように、全体上限値（ここでは３００００玉）よりも低い値であって一定の交換玉数（ここでは２０００玉）を個別上限値として設定するようにしても良い。この図１９ｂ’に示すように、個別上限値として、交換玉数に基づく個別上限値（ここでは総交換玉数の４０％）と、一定の交換玉数の個別上限値の２つを設定すると、図４６に示す上限値ＤＢにおいて、補正パターンＡの処理が行われる場合には、交換玉数演算値と該設定した一定の交換玉数の少ない方が個別上限値として設定され、また該一定の交換玉数は常に全体上限値よりも低い（即ち交換玉数演算値と前記設定した一定の交換玉数の少ない方が全体上限値を超えることは無い）ので、補正パターンＢの処理が行われることは無い。また図示しないが、個別上限値として、在庫数に基づく個別上限値（例えば在庫数２０個分の交換玉数）と、一定の交換玉数の個別上限値の２つを設定すると、図４６に示す上限値ＤＢにおいて、補正パターンＡの処理が行われる場合には、在庫数演算値と該設定した一定の交換玉数の少ない方が個別上限値として設定され、また該一定の在庫数は常に全体上限値よりも低い（即ち在庫数演算値と前記設定した一定の交換玉数の少ない方が全体上限値を超えることは無い）ので、補正パターンＢの処理が行われることは無い。さらに図示しないが、個別上限値として、交換玉数に基づく個別上限値と、在庫数に基づく個別上限値と、一定の交換玉数の個別上限値の３つを設定すると、図４６に示す上限値ＤＢにおいて、補正パターンＡの処理が行われる場合には、交換玉数演算値と在庫数演算値と該設定した一定の交換玉数のうちの最も少ない値が個別上限値として設定され、また該一定の交換玉数は常に全体上限値よりも低い（即ち交換玉数演算値と在庫数演算値と前記設定した一定の交換玉数のうちの最も少ないものが全体上限値を超えることは無い）ので、補正パターンＢの処理が行われることは無い。
【０５３３】
上記の実施形態では、図７に示すＤ１９ａ，Ｄ１９ｂにおいて、在庫数に基づく個別上限値及び交換玉数に基づく個別上限値の両方を設定しているが、これに限らず、在庫数に基づく個別上限値又は交換玉数に基づく個別上限値のいずれか一方のみを単独で設定するようにしても良く、ここで図１０に示す上限値ＤＢにおいて、補正パターンＡの処理が行われる場合には、該設定された方の在庫数演算値又は交換玉数演算値がそのまま個別上限値として設定される。即ち上限値設定手段は、各景品の在庫数及び／又は各景品に対応する交換玉数に基づいて上限値を設定するものであれば良い。またＤ１９ａ’，Ｄ１９ｂ’の★印に示す一定の在庫数又は交換玉数の個別上限値を単独で設定するようにしても良く、ここで図１０に示す上限値ＤＢにおいて、補正パターンＡの処理が行われる場合には、該設定された一定の在庫数又は交換玉数がそのまま個別上限値として設定され、また該一定の在庫数は常に全体上限値よりも低いので、補正パターンＢの処理が行われることは無い。
【０５３４】
上記の実施形態では、図７に示すＤ１９ａ，Ｄ１９ｂにおいて、最少上限値を設定しているが、これに限らず、該最少上限値は設定しないようにしても良く、この場合において、図１０及び図４６に示す補正パターンＣの処理は行われずに、在庫数演算値と交換玉数演算値の少ない方が、そのまま個別上限値として設定される。
【０５３５】
上記の実施形態では、図１０及び図４６に示す上限値ＤＢにおいて、在庫数がＮＵＬＬである景品についても個別上限値が設定される例について説明したが、これに限らず、在庫数がＮＵＬＬである景品については個別上限値が設定されないようにしても良い。在庫数がＮＵＬＬである景品は、在庫数が十分に多いため、当該景品について多量の予約が行われても在庫数に多大な影響を及ぼすことが無く、また全体上限値が設定されていれば、該全体上限値以上の予約はできないので、当該景品を多量に予約するいたずらも必然的に防止することができるからである。なお、在庫数がＮＵＬＬである景品については、全体上限値が設定されていても、該全体上限値に基づく上限値判定で常に予約が可能であると判定されるように設定又は制御する（即ち全体上限値が適用されない）ようにして、無制限に予約ができるようにしても良い。
【０５３６】
上記の実施形態では、図１０及び図４６に示す上限値ＤＢにおいて、補正パターンＢの処理として、全体上限値が個別上限値として設定される例について説明したが、これに限らず、該補正パターンＢの処理として、全体上限値から所定値（例えば５個又は５個分の交換玉数）を減算した値が個別上限値として設定されるようにしても良く、これによれば、常に個別上限値は全体上限値よりも低い値に設定されるので、悪質な遊技者が、複数種類の景品を多量に予約するいたずらや、１種類の景品を多量に予約するいたずらを、効果的に防止することができる。
【０５３７】
上記の第１実施形態では、図１０に示す上限値ＤＢにおいて、在庫数演算値の演算基準となる在庫数が、初期在庫数で不変である例について説明したが、これに限らず、該演算基準となる在庫数は、初期在庫数から予約累計数を減算した現在在庫数であっても良く、この場合には、予約内容登録処理や配送情報登録処理により予約累計数が変動する毎に、在庫数演算値が演算されることになる。具体的には、上限値ＤＢにおいて、図５３に示すように、前記在庫数（初期在庫数）に代えて現在在庫数が登録されるように構成する。ここで、例えば景品ＩＤがＫＸ−０００５０１の景品について、現在在庫数として１００個が登録され、個別上限値として補正パターンＢの処理に基づく３０個が設定されている状態で、該３０個の予約内容登録処理が行われると、現在在庫数として該３０個が減算された７０個が登録され、在庫数演算値として該７０個の４０％である２８個が演算され、個別上限値として補正パターンＡの処理に基づく該２８個が設定される。この状態で、該２８個の予約内容登録処理が行われると、現在在庫数として該２８個が減算された４２個が登録され、在庫数演算値として該４２個の４０％である１６個（整数部分）が演算され、個別上限値として補正パターンＡの処理に基づく該１６個が設定される。以下、説明は省略するが、同様の処理が行われることにより、現在在庫数の減少に応じて、個別上限値が新たに設定される。
【０５３８】
同様に、上記の第２実施形態では、図４６に示す上限値ＤＢにおいて、交換玉数演算値の演算基準となる総交換玉数が、初期在庫数分の総交換玉数で不変である例について説明したが、これに限らず、該演算基準となる総交換玉数は、現在在庫数分の総交換玉数であっても良く、この場合には、予約内容登録処理や配送情報登録処理により現在在庫数が変動する毎に、交換玉数演算値が演算されることになる。具体的には、上限値ＤＢにおいて、図５４に示すように、前記在庫数（初期在庫数）に代えて現在在庫数が登録され、該現在在庫数に基づく総交換玉数が登録されるように構成する。ここで、例えば景品ＩＤがＫＸ−０００５０１の景品について、現在在庫数として１００個，総交換玉数として７５００玉が登録され、個別上限値として補正パターンＡの処理に基づく１５００玉（在庫数演算値）が設定されている状態で、該１５００玉に対応する２０個の予約内容登録処理が行われると、現在在庫数として該２０個が減算された８０個が登録され、総交換玉数として該８０個分の６０００玉が登録され、交換玉数演算値として該６０００玉の４０％である２４００玉が演算され、個別上限値として補正パターンＡの処理に基づく１５００玉（在庫数演算値）が設定される。この状態で、該１５００玉に対応する２０個の予約内容登録処理が行われると、現在在庫数として該２０個が減算された６０個が登録され、総交換玉数として該６０個分の４５００玉が登録され、交換玉数演算値として該４５００玉の４０％である１８００玉が演算され、個別上限値として補正パターンＡの処理に基づく１５００玉（在庫数演算値）が設定される。以下、説明は省略するが、同様の処理が行われることにより、総交換玉数の減少に応じて、個別上限値が新たに設定される。
【０５３９】
上記の実施形態では、図１３に示すように、未提供予約特定手段である制御部７２及び未提供予約個数・玉数ＤＢが、全ての遊技者について、未提供予約個数や未提供予約玉数を予め特定しておく例について説明したが、これに限らず、該未提供予約個数・玉数ＤＢを設けずに、予約要求を受信した時点で、図１２に示す予約情報ＤＢの記憶内容に基づいて、当該予約を行った遊技者についてのみ、未提供予約個数や未提供予約玉数を特定するようにしても良い。この場合において、予約要求に含まれる各景品について、各種類毎の個別未提供予約個数又は個別未提供予約価値（個別未提供予約玉数）を全て特定するようにしても良く、また全て特定するのではなく、まず１種類の景品について個別未提供予約個数又は個別未提供予約価値を特定して上限値判定処理を行い、予約が可能であると判定されたならば、次の種類の景品について個別未提供予約個数又は個別未提供予約価値を特定して上限値判定処理を行い、予約が可能でないと判定されたならば、次の種類の景品について個別未提供予約個数又は個別未提供予約価値を特定しないようにしても良い。即ち、全種類の個別未提供予約景品又は個別未提供予約価値を予め特定しておく場合，予約要求を受信した時点で全種類の個別未提供予約景品又は個別未提供予約価値を特定する場合，及び予約要求を受信した時点で各種類の個別未提供予約景品又は個別未提供予約価値を一つずつ特定する場合（最終的に全種類の個別未提供予約景品又は個別未提供予約価値が特定される場合と、一部の種類についてのみ個別未提供予約景品又は個別未提供予約価値が特定されるが全種類の個別未提供予約景品又は個別未提供予約価値は特定されない場合の、両方を含む）のいずれについても、未提供予約特定手段は、未提供予約景品の各種類毎の未提供予約個数又は未提供予約価値を特定していることになる。
【０５４０】
また予約要求に含まれる予約個数が常に１である場合には、予約内容登録処理が終了した時点で、図１２に示す予約情報ＤＢの記憶内容に基づいて、当該予約を行った遊技者についてのみ、未提供予約個数や未提供予約玉数を特定し、該未提供予約個数や未提供予約玉数が上限値となった時点で上限値到達フラグを立てておき、次回以降の予約内容登録処理が行われない（即ち該上限値到達フラグが立っていると、予約要求を受信する毎に予約ＮＧを送信する）ようにしても良い。
【０５４１】
上記の実施形態では、図３３に示す予約内容登録処理において、まず上限値判定処理（Ｓ３０６ａ）が行われ、該上限値判定処理で予約が可能であると判定されてから、在庫数判定処理（Ｓ３０９）が行われる例について説明したが、これに限らず、まず在庫数判定処理が行われ、該在庫数判定処理で予約が可能であると判定されてから、上限値判定処理が行われるようにしても良く、また在庫数判定処理が行われ、該在庫数判定処理で予約が可能でないと判定されても、いたずらの予約を発見するために、上限値判定処理が行われるようにしても良い。
【０５４２】
上記の実施形態では、図３４（ａ）に示す上限値判定処理において、上限値判定基準として景品の個数が設定されている場合には、Ｓ３５１〜Ｓ３５５の処理が行われ、上限値判定基準として景品の玉数が設定されている場合には、Ｓ３７１〜Ｓ３７５の処理が行われる例について説明したが、上限値判定基準を設定せずに、Ｓ３５１〜Ｓ３５５の処理とＳ３７１〜Ｓ３７５の処理の両方が行われるようにしても良い。
【０５４３】
上記の実施形態では、図３４（ａ）に示す上限値判定処理において、まず全体上限値に基づく上限値判定（Ｓ３５２，Ｓ３７２）が行われ、該上限値判定処理で予約が可能であると判定されてから、個別上限値に基づく上限値判定（Ｓ３５４，Ｓ３７４）が行われる例について説明したが、これに限らず、まず個別上限値に基づく上限値判定が行われ、該上限値判定処理で予約が可能であると判定されてから、全体上限値に基づく上限値判定が行われるようにしても良い。
【０５４４】
上記の実施形態では、図３４（ａ）に示す上限値判定処理において、Ｓ３５３，Ｓ３７３に示すように、１つの景品について個別上限値に基づく上限値判定が終了する毎に、次の景品について個別未提供予約個数又は個別未提供予約玉数が抽出される例について説明したが、これに限らず、個別上限値に基づく上限値判定が行われる前に、予約要求に含まれる全ての景品について個別未提供予約個数又は個別未提供予約玉数が抽出されるようにしても良く、また全体未提供予約個数又は全体未提供予約玉数の抽出（Ｓ３５１，Ｓ３７１）と同時に、予約要求に含まれる全ての景品について個別未提供予約個数又は個別未提供予約玉数が抽出されるようにしても良い。
【０５４５】
上記の実施形態では、図３４（ａ）のＳ３５２に示すように、遊技者について予約が可能であるか否かが、全体上限個数−（全体未提供予約個数＋全予約個数）≧０の判定式ｐを満たすか否かで判定される例について説明したが、これに代えて、全体上限個数≧全体未提供予約個数＋全予約個数の判定式ｐ１や、全体上限個数−全体未提供予約個数≧全予約個数の判定式ｐ２や、全体上限個数−全予約個数≧全体未提供予約個数の判定式ｐ３等、判定式ｐを変形した各判定式を満たすか否かで判定されるようにしても良い。また全予約個数が常に１（即ち各予約では予約個数として１個のみを指定でき、かつ予約要求には予約ＩＤとして１つのみを含む）であれば、予約内容登録処理の後に全体上限個数＝全体未提供予約個数となった時点で、上限値到達フラグを立てておき、次回以降の予約内容登録処理が行われない（即ち該上限値到達フラグが立っていると、予約要求を受信する毎に予約ＮＧを送信する）ようにしても良い。
【０５４６】
同様に、上記の実施形態では、図３４（ａ）のＳ３７２に示すように、遊技者について予約が可能であるか否かが、全体上限玉数−（全体未提供予約玉数＋全予約玉数）≧０の判定式ｐ’を満たすか否かで判定される例について説明したが、これに代えて、全体上限玉数≧全体未提供予約玉数＋全予約玉数の判定式ｐ１’や、全体上限玉数−全体未提供予約玉数≧全予約玉数の判定式ｐ２’や、全体上限玉数−全予約玉数≧全体未提供予約玉数の判定式ｐ３’等、判定式ｐ’を変形した各判定式を満たすか否かで判定されるようにしても良い。
【０５４７】
上記の実施形態では、図３４（ａ）のＳ３５４に示すように、遊技者について予約が可能であるか否かが、ある景品の個別上限個数−（当該景品の個別未提供予約個数＋当該景品の予約個数）≧０の判定式ｑを満たすか否かで判定される例について説明したが、これに代えて、個別上限個数≧個別未提供予約個数＋予約個数の判定式ｑ１や、個別上限個数−個別未提供予約個数≧予約個数の判定式ｑ２や、個別上限個数−予約個数≧個別未提供予約個数の判定式ｑ３等、判定式ｑを変形した各判定式を満たすか否かで判定されるようにしても良い。また予約個数が常に１（即ち各予約では予約個数として１個のみを指定でき、かつ予約要求には予約ＩＤとして１つのみを含む）であれば、予約内容登録処理の後に個別上限個数＝個別未提供予約個数となった時点で、当該景品について上限値到達フラグを立てておき、次回以降の予約内容登録処理が行われない（即ち該上限値到達フラグが立っていると、当該景品の予約要求を受信する毎に予約ＮＧを送信する）ようにしても良い。
【０５４８】
同様に、上記の実施形態では、図３４（ａ）のＳ３７４に示すように、遊技者について予約が可能であるか否かが、ある景品の個別上限玉数−（当該景品の個別未提供予約玉数＋当該景品の予約玉数）≧０の判定式ｑ’を満たすか否かで判定される例について説明したが、これに代えて、個別上限玉数≧個別未提供予約玉数＋予約玉数の判定式ｑ１’や、個別上限玉数−個別未提供予約玉数≧予約玉数の判定式ｑ２’や、個別上限玉数−予約玉数≧個別未提供予約玉数の判定式ｑ３’等、判定式ｑ’を変形した各判定式を満たすか否かで判定されるようにしても良い。
【０５４９】
上記の実施形態では、図３４（ａ）のＳ３６３〜Ｓ３６６に示すように、上限値ＤＢにおいて当日報知フラグとして０が記憶されている場合（即ち上限値判定処理において、当日に未だ予約が可能でないと判定されていない場合）にのみ、抽出されたユーザ特定情報が表示される例について説明したが、これに限らず、上限値ＤＢにおいて当日報知フラグを記憶せず、上限値判定処理において予約が可能でないと判定される毎に、抽出されたユーザ特定情報が表示されるようにしても良い。
【０５５０】
上記の実施形態では、予約の有効期間が当日限りで、図２９及び図４５のＳ７２に示すように、遊技場の営業終了後に（即ち１日毎）、図１２に示す予約情報ＤＢで記憶しているすべての予約情報を消去（無効化）することにより、該予約情報ＤＢを更新し、図１３に示す未提供予約個数・玉数ＤＢで記憶している全体未提供予約個数，全体未提供予約玉数，景品ＩＤ，個別未提供予約個数，個別未提供予約玉数，及び当日報知フラグを消去することにより、該未提供予約個数・玉数ＤＢを更新する例について説明したが、これに限らず、予約の有効期間を数日間（例えば３日間）とし、これら予約情報ＤＢ及び未提供予約個数・玉数ＤＢの更新は、当該数日間毎に行われるようにしても良い。即ち、提供処理が行われずに登録されている予約識別情報（予約ＩＤ）及び景品特定情報（景品ＩＤ）を無効化する処理は、所定期間毎に行われれば良い。
【０５５１】
上記の実施形態では、配送要求端末が、予約端末（カードユニット２０，キオスク端末３０）と予約確定端末５０とからなる例について説明したが、これに限らず、該配送要求端末は、選択受付手段，景品配送要求送信手段，及び記録媒体発行手段を有する１つの端末であっても良い。
【０５５２】
上記の実施形態では、図８に示すように、配送元管理手段である景品情報ＤＢにおいて、配送元を示す配送元情報として、配送元である倉庫の名称を管理している例について説明したが、これに限らず、該配送元情報として、配送元の住所や、配送元毎に割り当てられた配送元番号等を管理するようにしても良い。即ち配送元情報は、配送元を示す情報であれば良い。
【０５５３】
上記の実施形態では、図８の景品情報ＤＢに示すように、１つの景品に対して１つの配送元が管理されている例について説明したが、これに限らず、１つの景品に対して複数の配送元情報（例えば秋田倉庫及び埼玉倉庫）が管理されるようにしても良く、この場合には、配送先（例えば東京）に近い方の配送元（この場合には埼玉倉庫）から当該景品が配送されるよう構成し、当該近い方の配送元が、図３８のＳ６１３で景品毎に分類する際の判定対象となる。
【０５５４】
上記の実施形態では、１つの景品に対して１つの予約ＩＤが割り当てられるので、図１２に示す予約情報ＤＢにおいて、予約個数として常に１個が登録され、図５（ａ）に示す配送情報ＤＢ，図５（ｂ）に示す請求情報ＤＢ，及び図１４に示す配送情報ＤＢにおいて、配送個数として常に１個が登録される例について説明したが、これら予約個数や配送個数を各ＤＢにおいて登録しないようにしても良い。
【０５５５】
上記の実施形態では、１つの景品に対して１つの予約ＩＤが割り当てられる例について説明したが、１種類の景品に対して１つの予約ＩＤが割り当てられる（即ち同一種類の景品について複数予約された場合には、該複数の当該景品に対して１つの予約ＩＤ）が割り当てられるようにしても良く、この場合には、図２（ｂ）に示す予約レシート６において、該予約ＩＤに対応する個数（１個又は複数個）が予約個数として記録され、図２（ｃ）に示す配送レシート７において、各予約ＩＤに対応する個数（１個又は複数個）が配送個数として記録され、図１２に示す予約情報ＤＢにおいて、該予約ＩＤに対応する個数（１個又は複数個）が予約個数として登録され、図５（ａ）に示す配送情報ＤＢ，図５（ｂ）に示す請求情報ＤＢ，及び図１４に示す配送情報ＤＢにおいて、該予約ＩＤに対応する個数（１個又は複数個）が配送個数として登録される。これによれば、ユーザにより予約された複数の景品について、該景品の種類毎に予約ＩＤが割り当てられ、該予約ＩＤが予約レシート６に記録されて出力されることにより、一部の種類の景品の予約確定をやめたい場合には、予約確定させたい種類の景品の予約ＩＤのみを予約確定端末５０で受け付けるようにすれば良い（換言すれば、景品の種類毎に予約確定を行うことができる））ので、一旦予約を取り消して再度予約をやり直すという手間が省ける。即ち予約内容登録処理において、「予約要求送信手段から送信されてきた予約要求に含まれる景品特定情報から特定される景品が複数であることに基づき、当該複数の景品の各々について前記予約識別情報を割り当てて前記予約内容登録処理を行う」には、上記の実施形態の如く、景品の種類によらずに予約ＩＤを割り当てる場合のみならず、本変形例の如く、景品の種類毎に予約ＩＤを割り当てる場合も含まれる。
【０５５６】
上記の実施形態では、図１７のＤ２４に示すように、１回の予約で、配送先と配送希望日時が同一である複数の景品について予約が可能である例について説明したが、これに限らず、１回の予約で、配送先と配送希望日時が異なる複数の景品について予約が可能であるようにしても良く、この場合には、図１９のＤ３１に示す各々の景品について、Ｄ３２に示す配送先の指定，及びＤ３４に示す配送希望日時の指定を受け付けるようにすれば良い。
【０５５７】
上記の実施形態では、図１９のＤ３２に示すように、配送先として遊技場又は自宅の何れかを指定可能である例について説明したが、これに限らず、該配送先として自宅のみあるいは遊技場のみを指定可能であるようにしても良く、この場合には、各景品の配送先は常に同一となるので、前記景品分類手段（制御部７２）は、景品分類処理を行う際に、配送先が同一であるか否かは分類の基準としない。
【０５５８】
上記の実施形態では、図１９のＤ３４に示すように、ユーザ（遊技者）から配送希望日と配送希望時間帯の指定が受け付けられる例について説明したが、これに限らず、配送希望日のみの指定が受け付けられるようにしても良い。
【０５５９】
上記の実施形態では、図１９のＤ３４に示すように、ユーザ（遊技者）から配送希望日時の指定が受け付けられる例について説明したが、これに限らず、配送される日時が固定されている景品（例えば予約から１０日後に配送される景品）や、配送される日時が不明な景品（例えば入荷次第配送される景品）については、ユーザから配送希望日時の指定が受け付けられないようにしても良い。また全ての景品について一律に配送される日時が固定されている場合（例えば全ての景品について予約から１０日後に配送される場合）にも、ユーザから配送希望日時の指定が受け付けられないようにしても良く、この場合には、各景品の配送時期は常に同一となるので、前記景品分類手段（制御部７２）は、景品分類処理を行う際に、配送時期が同一であるか否かは分類の基準としない。
【０５６０】
上記の実施形態では、図３８のＳ６０５に示す景品配送要求（予約確定要求）に予約ＩＤが含まれることにより、該予約ＩＤに対応付けて図１２に示す予約情報ＤＢで登録されている景品ＩＤの景品が、選択受付手段にて選択された景品（即ち予約景品）として特定される例について説明したが、これに限らず、予約景品の景品ＩＤを予約レシート６に記録しておき、該予約レシート６から読み取った景品ＩＤを景品配送要求を含め、該景品ＩＤに対応付けて図１２に示す予約情報ＤＢで登録されている予約景品が特定されるようにしても良く、また予約を行ったユーザのユーザ特定情報（会員ＩＤ若しくは景品会員ＩＤ，又は配送先情報）を予約レシート６に記録しておき、該予約レシート６から読み取ったユーザ特定情報を景品配送要求に含め、該ユーザ特定情報に対応付けて図１２に示す予約情報ＤＢで登録されている予約景品が特定されるようにしても良い。さらに、配送要求端末が、予約端末（カードユニット２０，キオスク端末３０）と予約確定端末５０とからなるものではなく、選択受付手段，景品配送要求送信手段，及び記録媒体発行手段を有する１つの端末である場合には、選択受付手段にて選択された景品の景品ＩＤを景品配送要求に含め、該景品ＩＤから予約景品が特定されるものであっても良い。即ち景品配送要求は、選択受付手段にて選択された景品を特定可能なものであれば良い。
【０５６１】
上記の実施形態では、選択受付手段にて選択された景品（即ち予約景品）を特定可能な景品配送要求が、図３８のＳ６０５に示す予約確定要求であり、該予約確定要求を受信すると、同Ｓ６１３の景品分類処理が行われて、同Ｓ６１６の配送情報登録処理が行われる例について説明したが、該景品配送要求は予約確定要求以外であっても良い。例えば図３８のＳ６０１に示す予約情報要求には、予約確定要求と同様に、予約景品の景品ＩＤに対応付けて図１２に示す予約情報ＤＢで登録されている予約ＩＤが含まれているので、当該予約情報要求を景品配送要求とし、複数の該予約情報要求を受信すると、同Ｓ６１３の景品分類処理が行われ、その後に予約確定要求を受信すると、同Ｓ６１６の配送情報登録処理が行われるようにしても良い。
【０５６２】
上記の実施形態では、景品配送要求が、予約ＩＤを含む予約確定要求単独で構成されており、該予約ＩＤに対応付けて、図１２に示す予約情報ＤＢで、予約景品の景品ＩＤ，配送先情報，及び配送希望日時が登録されていることから、当該予約確定要求のみで、予約景品，配送先，及び配送時期が特定される例について説明したが、これに限らず、景品配送要求は、複数回に分けて送信される情報により構成しても良い。
【０５６３】
例えば予約端末（カードユニット２０，キオスク端末３０）と予約確定端末５０とが別体であり、予約端末において、景品の予約及び配送先の指定が行われて、予約された景品の景品ＩＤと該指定された配送先を特定可能な配送先ＩＤとがバーコードとして記録された予約レシート６が発行され、予約確定端末において、まず景品ＩＤが読み取られて該景品ＩＤを含む第１の情報が景品管理装置７０に送信され、次に配送先ＩＤが読み取られて該配送先ＩＤを含む第２の情報が景品管理装置７０に送信されるような場合には、予約景品を特定可能な第１の情報と、配送先を特定可能な第２の情報とを併せたものが、景品配送要求となる。
【０５６４】
また予約端末と予約確定端末とが一体であり、該一体の端末において、まず景品の予約が行われて、該景品の景品ＩＤを含む第１の情報が景品管理装置７０に送信され、次に配送先が指定されて、該配送先を特定可能な配送先ＩＤを含む第２の情報が景品管理装置７０に送信されるような場合には、予約景品を特定可能な第１の情報と、配送先を特定可能な第２の情報とを併せたものが、景品配送要求となる。
【０５６５】
さらに景品配送要求は、予約景品を特定可能な第１の情報と、配送時期を特定可能な第２の情報とを併せたものや、予約景品を特定可能な第１の情報と、配送先及び配送時期を特定可能な第２の情報とを併せたものや、予約景品及び配送先を特定可能な第１の情報と、配送時期を特定可能な第２の情報とを併せたものや、予約景品及び配送時期を特定可能な第１の情報と、配送先を特定可能な第２の情報とを併せたものや、予約景品を特定可能な第１の情報と、配送先を特定可能な第２の情報と、配送時期を特定可能な第３の情報とを併せたもの等であっても良い。
【０５６６】
上記の実施形態では、図３８のＳ６０５において、Ｙ−００００１〜Ｙ−００００５（予約１〜予約５）の５つの予約ＩＤを含む景品配送要求（予約確定要求）を受信し、各予約ＩＤから特定される５つの景品が分類１〜分類４の４つに分類されて、各分類について分類識別情報（予約確定ＩＤ）が割り当てられる例について説明したが、例えばＹ−００００１とＹ−００００３の２つの予約ＩＤをを含む景品配送要求を受信すると、両予約ＩＤから特定される２つの景品が１つに分類されて、当該分類について分類識別情報が割り当てられる。このように、景品分類手段により分類された複数の分類の各々について分類識別情報を割り当てる処理のみならず、景品分類手段により分類された１つの分類について分類識別情報を割り当てる処理も、配送情報登録手段が行う、「景品分類手段により分類された各分類について分類識別情報を割り当てる」処理に該当する。
【０５６７】
上記の実施形態では、図３８のＳ６０５に示すように、一の景品配送要求（予約確定要求）を受信すると、Ｓ６１３の景品分類処理が行われる例について説明したが、これに限らず、例えば一の景品配送要求には１つの予約ＩＤ（景品）のみが含まれるように構成し、予約確定端末５０から複数の景品配送要求を受信した後に要求終了通知を受信すると、Ｓ６１３の景品分類処理が行われるようにしても良い。
【０５６８】
上記の実施形態では、図３８のＳ６１５に示すように、各分類毎に割り当てられる分類識別情報（予約確定ＩＤ）が、該割り当ての時に生成される例について説明したが、これに限らず、該分類識別情報を予め生成しておき、該生成されている分類識別情報を各分類毎に割り当てるようにしても良い。
【０５６９】
上記の実施形態では、景品管理装置７０が図１４に示す配送情報ＤＢを記憶しており、図２８のＳ６１６に示す配送情報登録処理として、該景品管理装置７０が記憶している配送情報ＤＢに予約確定ＩＤ及び配送情報を登録する処理を行う例について説明したが、これに限らず、景品管理装置７０が配送情報ＤＢを記憶しないように構成し、配送情報登録処理として、配送管理装置８０が記憶している配送情報ＤＢ（図５（ａ））に予約確定ＩＤ及び配送情報を登録するために、該予約確定ＩＤ及び配送情報を配送管理装置８０に対して送信する処理を行うようにしても良く、この場合には、配送レシート７における問い合わせ先として、景品センタは記録せず、当該配送管理装置８０を備えている景品提供業者のみを記録すれば良い。即ち配送情報登録処理は、予約確定ＩＤに対応付けて該予約確定ＩＤに対応する景品をユーザに配送するための配送情報を登録するための処理であれば良い。
【０５７０】
上記の実施形態では、図３８のＳ６１９に示すように、Ｓ６１６の配送情報登録処理が行われた後に、配送情報通知（配送登録完了通知）が配送要求端末（予約確定端末５０）に対して送信される例について説明したが、これに限らず、Ｓ６１６の配送情報登録処理が行われる前に、配送情報通知が配送要求端末に対して送信されるようにしても良い。
【０５７１】
上記の実施形態では、予約要求に含まれる景品ＩＤから特定される景品が複数であることに基づき、当該複数の景品の各々について予約ＩＤが割り当てられて予約内容登録処理が行われる例について説明したが、これに限らず、当該複数の景品について１つの予約ＩＤが割り当てられて予約内容登録処理が行われるようにしても良く、この場合には、図３８において、該予約ＩＤを含む予約確定要求を受信して（Ｓ６０５）、景品分類処理を行う際に（Ｓ６１３）、該予約確定要求に含まれる予約ＩＤから特定される前記複数の景品について、配送元情報が同一である景品毎に分類しても良い。
【０５７２】
上記の実施形態では、予約要求に含まれる景品ＩＤから特定される景品が複数であることに基づき、当該複数の景品の各々について予約ＩＤが割り当てられて予約内容登録処理が行われる例について説明したが、これに限らず、当該複数の景品について１つの予約ＩＤが割り当てられて予約内容登録処理が行われるようにしても良く、この場合には、該予約内容登録処理を行う際に、当該複数の景品について、配送元情報が同一である景品毎に分類しても良い。ここで分類された各分類に含まれる景品についてはまとめて配送することができるので、配送料に相当する玉数を割り引いた交換玉数を含む予約登録完了通知を予約端末に対して送信し（図３３のＳ３１４）、該予約端末において、該割り引いた交換玉数を予約レシート６に記録して発行するようにしても良い（図３２のＳ２２５）。この配送料に相当する玉数の割引は、配送の対象となる景品の各々の交換玉数から一定の玉数を割り引くようにしても良く、また配送の対象となる全景品の交換玉数の合算値から一定の玉数を割り引くようにしても良い。
【０５７３】
［４．実施形態に記載した発明］
最後に、上記の実施形態に記載した発明に対応する「従来技術」，「発明が解決しようとする課題」，及び「発明の効果」を説明する。
【０５７４】
［４−１．第１の発明］
まず従来技術１として、特開平１０−１４６４３４号公報（段落００２１，００２２，００４４，００４５）を示す。この従来技術１には、前記ユーザの一例である遊技者が所有する前記有価価値の一例である獲得玉との交換を希望する景品の予約を受け付けるカタログ景品情報装置において、景品の在庫数に関係なく予約を受け付けて、該予約に係る景品の景品コード等が記録されたチケットを遊技者に対して発行し、景品交換を行うときに、景品交換装置において、該チケットから景品コード等を読み取り、遊技者の獲得玉数から該景品コードの景品に相当する玉数を減算すると共に、該景品の在庫数から１を減算する景品交換システムが記載されている。
【０５７５】
しかしながら、従来技術１に示す景品交換システムでは、景品の在庫数に関係なく予約ができ、景品交換を行うときに在庫数の減算が行われるため、遊技者が予約をした景品を交換するときには該景品の在庫数が零になっていて、交換することができないという事態が生ずるおそれがある。
【０５７６】
そこで、上記の実施形態に記載した第１の発明では、ユーザが予約をした景品を交換することができないという事態が生ずるおそれがないような、景品交換システムを提供することを目的として、以下の発明を構成した。
【０５７７】
即ち第１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する予約端末（カードユニット２０，キオスク端末３０）と、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）を有する景品管理装置（７０）と、店舗に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）と、を備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，景品情報ＤＢ）と、各景品について、前記予約内容登録処理に供された予約個数（予約累計数）を集計する予約個数集計手段（制御部７２，予約・確定累計数ＤＢ）と、前記在庫数登録手段に登録された在庫数と、該予約個数集計手段により集計された予約個数とに基づいて、前記景品の予約が可能であるか否かを判定する在庫数判定手段（制御部７２）と、をさらに有し、該在庫数判定手段により予約が可能でないと判定されたことを条件として、該判定の対象となった景品について前記予約内容登録処理を不能化するための処理（在庫零通知の返信）を行うことを特徴とする景品交換システムを構成した。これによれば、景品管理装置において、予め登録された在庫数と、予約内容登録処理に供された予約個数の集計値とに基づいて、景品の予約が可能であるか否かが判定され、予約が可能でないと判定されると、予約内容登録処理が不能化されるので、ユーザが予約をした景品を交換することができないという事態が生ずるおそれがない。
【０５７８】
また別の第１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する予約端末（カードユニット２０，キオスク端末３０）と、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）を有する景品管理装置（７０）と、店舗に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）と、を備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，在庫数ＤＢ）と、前記予約内容登録処理に伴って、前記在庫数登録手段に登録された在庫数を減算更新する在庫数更新手段（制御部７２）と、該在庫数更新手段により更新された在庫数に基づいて、前記景品の予約が可能であるか否かを判定する在庫数判定手段（制御部７２）と、をさらに有し、該在庫数判定手段により予約が可能でないと判定されたことを条件として、該判定の対象となった景品について前記予約内容登録処理を不能化するための処理（在庫零通知の返信）を行うことを特徴とする景品交換システムを構成した。これによれば、景品管理装置において、予め登録された在庫数から予約内容登録処理に伴って減算更新された後の在庫数に基づいて、景品の予約が可能であるか否かが判定され、予約が可能でないと判定されると、予約内容登録処理が不能化されるので、ユーザが予約をした景品を交換することができないという事態が生ずるおそれがない。
【０５７９】
また前記第１の発明において、前記景品管理装置（７０）は、所定期間毎（１日毎）に前記提供処理（配送情報登録処理）が行われずに登録されている予約識別情報（予約ＩＤ）及び景品特定情報（景品ＩＤ）を無効化する処理を行うことを特徴とする景品交換システムとしても良い。これによれば、景品管理装置において、予約内容登録処理が行われても提供処理が行われていない景品に対応する予約識別情報及び景品特定情報については、所定期間毎に無効化されるので、該無効化された景品の分だけ新たに予約内容登録処理を行うことができ、無駄に多くの在庫を用意するという不都合が生じない。
【０５８０】
また前記第１の発明において、前記景品管理装置（７０）は、各景品の在庫数を示す在庫数情報を受け付ける在庫数情報受付手段（通信部７１）をさらに有し、該在庫数情報受付手段により受け付けた在庫数情報が示す各景品の在庫数を前記在庫数登録手段（制御部７２，景品情報ＤＢ，在庫数ＤＢ）により登録することを特徴とする景品交換システムとしても良い。これによれば、景品管理装置において、受け付けた在庫数情報に基づいて在庫数の登録が行われるので、該登録作業の負担が軽減される。
【０５８１】
また前記第１の発明において、前記予約端末（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該予約端末が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ，通信部３１）と、をさらに有し、前記景品管理装置（７０）は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムとしても良い。これによれば、予約端末において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５８２】
また前記第１の発明において、前記予約端末（カードユニット２０，キオスク端末３０）又は前記景品管理装置（７０）は、該予約端末で受け付けた配送先記録媒体（会員カード２，景品交換カード３）を発行した店舗（遊技場）と、当該予約端末が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送先特定情報（会員ＩＤ，景品会員ＩＤ）から特定される配送先への前記配送処理（配送情報登録処理）を前記提供処理手段（制御部７２，配送情報ＤＢ）により行うことを特徴とする景品交換システムとしても良い。これによれば、予約端末において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０５８３】
さらに前記第１の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記提供処理（配送情報登録処理）に伴って、前記景品提供要求の送信元である予約確定端末を操作した店員の店員識別情報に対応付けて当該提供処理に関する情報を管理する提供情報管理手段（制御部７２，配送情報ＤＢ）をさらに有することを特徴とする景品交換システムとしても良い。これによれば、予約確定端末を不正に操作した店員や誤って操作した可能性のある店員を特定して対処することができる。
【０５８４】
［４−２．第２の発明］
次に従来技術２として、特開平１０−１４６４３４号公報（段落００２１，００２２，００５４，００５５）を示す。この従来技術２には、店舗の一例である遊技場に設けられ、前記ユーザの一例である遊技者が所有する前記有価価値の一例である獲得玉との交換を希望する景品の予約を受け付けるカタログ景品情報装置と、該予約した景品を交換するための処理を行う景品交換装置と、からなり、該景品交換装置において、遊技者の獲得玉数から交換する景品に相当する玉数を減算する減算処理を行うと共に、管理装置において、該景品の予約ＩＤを消去して予約を確定させる予約確定処理を行って、遊技者に対して景品の提供が行われる景品交換システムが記載されている。
【０５８５】
しかしながら、従来技術２に示す景品交換システムにおいて、前記減算処理と、景品を遊技者に提供するための処理である前記予約確定処理とが、相互に連動しないものとした場合（例えば既に前記減算処理を行うＰＯＳ端末が導入されている遊技場に、前記予約確定処理を行う予約確定端末を新たに導入する場合）には、減算処理を行わずに予約確定処理を行ってしまう（つまりは、遊技者に対して景品の提供が行われてしまう）事態が生ずるおそれがあり、遊技場が損をしてしまうおそれがあった。
【０５８６】
そこで、上記の実施形態に記載した第２の発明では、ユーザが所有する有価価値から、交換する景品に相当する有価価値を減算することなく、該景品をユーザに提供するための処理を行ってしまっても、店舗が損をしてしまうおそれがないような、景品交換システムを提供することを目的として、以下の発明を構成した。
【０５８７】
即ち第２の発明として、店舗（遊技場）に設けられ、ユーザ（遊技者）が所有する有価価値（獲得玉の計数値，貯玉数）と交換可能な複数の景品の中から、前記ユーザが所有する有価価値との交換を希望する景品の選択を受け付ける選択受付手段（ディスプレイ２４，３４）と、該選択受付手段にて選択された景品を当該ユーザに提供するための景品提供要求（予約確定要求）を送信する景品提供要求送信手段（通信部５１）と、を有する景品選択装置（カードユニット２０又はキオスク端末３０と、予約確定端末５０）と、該景品提供要求送信手段から送信されてきた景品提供要求の対象である景品を前記ユーザに提供するための提供情報（配送情報）を登録する提供情報登録処理（配送情報登録処理）を行う提供情報登録手段（制御部７２，配送情報ＤＢ）を有する景品管理装置（７０）と、を備え、前記景品選択装置は、前記選択受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記景品提供要求を送信する景品交換システム（１）であって、前記景品管理装置は、前記提供情報登録手段にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０５８８】
また前記第２の発明において、前記景品選択装置（カードユニット２０又はキオスク端末３０と、予約確定端末５０）は、景品の配送先を示す配送先情報の入力を受け付ける配送先情報受付手段（ディスプレイ２４，３４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ，通信部３１）と、をさらに有し、前記景品管理装置（７０）は、該配送先特定情報送信手段から送信されてきた配送先特定情報から特定される配送先に前記景品を配送するための配送情報を前記提供情報として登録する処理（配送情報登録処理）を前記提供情報登録処理として前記提供情報登録手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５８９】
また前記第２の発明において、前記景品選択装置（カードユニット２０又はキオスク端末３０と、予約確定端末５０）又は前記景品管理装置（７０）は、該景品選択装置で受け付けた配送先記録媒体（会員カード２，景品交換カード３）を発行した店舗（遊技場）と、当該景品選択装置が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送情報を前記提供情報として登録する処理（配送情報登録処理）を前記提供情報登録処理として前記提供情報登録手段（制御部７２，配送情報ＤＢ）により行うことを特徴とする景品交換システムを構成した。これによれば、景品選択装置において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０５９０】
また前記第２の発明において、前記景品提供要求送信手段（通信部５１）は、前記店舗（遊技場）の店員の操作により前記景品提供要求（予約確定要求）を送信し、前記景品選択装置（カードユニット２０又はキオスク端末３０と、予約確定端末５０）は、当該景品選択装置を操作する前記店員を識別可能な店員識別情報（店員ＩＤ）を前記景品管理装置（７０）に送信する店員識別情報送信手段（通信部５１）をさらに有し、前記景品管理装置は、前記提供情報登録処理（配送情報登録処理）に伴って、前記景品提供要求の送信元である景品選択装置を操作した店員の店員識別情報に対応付けて当該提供情報登録処理に関する情報を管理する提供情報管理手段（制御部７２，配送情報ＤＢ）をさらに有することを特徴とする景品交換システムを構成した。これによれば、景品選択装置を不正に操作した店員や誤って操作した可能性のある店員を特定して対処することができる。
【０５９１】
また前記第２の発明において、前記景品選択装置は、前記選択受付手段（ディスプレイ２４，３４）を有する予約端末（カードユニット２０，キオスク端末３０）と、前記景品提供要求送信手段（通信部５１）を有する予約確定端末（５０）と、からなり、前記予約端末は、前記選択受付手段にて選択された景品を特定可能な景品特定情報（景品ＩＤ）を含む予約要求を前記景品管理装置（７０）に送信する予約要求送信手段（場外通信部２１ｃ，通信部３１）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記予約確定端末は、前記予約識別情報を受け付ける予約識別情報受付手段（バーコードリーダ５５）をさらに有し、該予約識別情報受付手段にて受け付けた予約識別情報を含む前記景品提供要求（予約確定要求）を前記景品提供要求送信手段により前記景品管理装置に送信し、前記景品管理装置は、前記景品提供要求送信手段から送信されてきた景品提供要求に含まれる予約識別情報に対応付けて登録された景品特定情報から特定される景品を対象とした前記提供情報登録処理（配送情報登録処理）を前記提供情報登録手段（制御部７２，配送情報ＤＢ）により行うことを特徴とする景品交換システムを構成した。これによれば、ユーザが景品を選択して予約する予約端末と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０５９２】
さらに前記第２の発明において、前記景品管理装置（７０）は、前記景品提供要求送信手段（通信部５１）から送信されてきた景品提供要求（予約確定要求）を受信したことに基づいて、当該景品提供要求に含まれる予約識別情報（予約ＩＤ）に対応付けて登録された景品特定情報（景品ＩＤ）から特定される景品について前記提供情報登録処理（配送情報登録処理）が行われているか否かを判定する提供情報登録済判定手段（制御部７２）をさらに有し、該提供情報登録済判定手段により提供情報登録処理が行われていると判定されたことを条件として、該判定の対象となった景品について新たに前記提供情報登録処理を行わないことを特徴とする景品交換システムを構成した。これによれば、景品提供要求に含まれる予約識別情報に対応付けて登録された景品特定情報から特定される景品について、既に提供情報登録処理が行われていると、新たな提供情報登録処理は行われないので、１つの予約に対して複数回の提供情報登録処理が行われることがなく、ユーザに対して同じ景品が複数回提供されて店舗が損をしてしまうおそれがない。
【０５９３】
［４−３．第３の発明］
次に従来技術３として、特開２００１−３３４０５３号公報（段落００１５）を示す。この従来技術３には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０５９４】
しかしながら、従来技術３に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０５９５】
そこで、上記の実施形態に記載した第３の発明では、店舗が希望する景品を提供でき、ユーザに対して景品交換を促進できるような、景品交換システムを提供することを目的として、以下の発明を構成した。
【０５９６】
即ち第３の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、前記ユーザが所有する有価価値との交換を希望する景品の選択を受け付ける選択受付手段（ディスプレイ２４，３４）と、を有する景品表示装置（カードユニット２０，キオスク端末３０）と、該景品表示装置に表示される景品に関する情報を（景品情報ＤＢで）管理する景品管理装置（７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理（景品情報の送信）を行う景品表示処理手段（制御部７２，通信部７１）と、を有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０５９７】
また前記第３の発明において、前記景品管理装置（７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０，キオスク端末３０）で表示するための処理（景品情報の送信）を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０５９８】
また前記第３の発明において、前記景品管理装置（７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０５９９】
また前記第３の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ，通信部３１）と、をさらに有し、前記景品管理装置（７０）は、該配送先特定情報送信手段から送信されてきた配送先特定情報から特定される配送先に前記景品を配送するための配送処理（配送情報登録処理）を行う配送処理手段（制御部７２，配送情報ＤＢ）をさらに有することを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６００】
また前記第３の発明において、前記景品表示装置（カードユニット２０，キオスク端末３０）又は前記景品管理装置（７０）は、該景品表示装置で受け付けた配送先記録媒体（会員カード２，景品交換カード３）を発行した店舗（遊技場）と、当該景品表示装置が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送先特定情報（会員ＩＤ，景品会員ＩＤ）から特定される配送先への前記配送処理（配送情報登録処理）を前記配送処理手段（制御部７２，配送情報ＤＢ）により行うことを特徴とする景品交換システムを構成した。これによれば、景品表示装置において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０６０１】
さらに前記第３の発明において、前記景品表示装置（カードユニット２０，キオスク端末３０）は、前記選択受付手段（ディスプレイ２４，３４）にて選択された景品を特定可能な景品特定情報（景品ＩＤ）を含む予約要求を前記景品管理装置（７０）に送信する予約要求送信手段（場外通信部２１ｃ，通信部３１）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６０２】
［４−４．第４の発明］
次に従来技術４として特開２００１−３３４０５３号公報（段落００１５）を示す。この従来技術４には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６０３】
しかしながら、従来技術４に示した景品交換システムでは、端末機器で表示する景品の中に不良品が発覚した場合であっても、該不良品の選択を受け付けてしまうので、当該不良品を選択した遊技者に対する有価価値の返却や代替品の提供等の、事後的な対処が必要となる件数が多くなってしまい、遊技場の手間や遊技者の迷惑が多くなるという問題があった。
【０６０４】
そこで、上記の実施形態に記載した第４の発明では、予約を受け付ける景品の中に不良品が発覚した場合であっても、事後的な対処が必要となる予約の件数を低減でき、景品を提供する側の手間やユーザの迷惑を低減できるような、景品交換システムを提供することを目的として、以下の発明を構成した。
【０６０５】
即ち第４の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、該景品表示装置に表示される景品に関する情報を（景品情報ＤＢで）管理すると共に、前記予約要求送信手段から送信されてきた予約要求に含まれる景品特定情報から特定される景品を前記ユーザに提供するための提供処理（配送情報登録処理）を行う提供処理手段（制御部７２，配送情報ＤＢ）を有する景品管理装置（７０）と、を備える景品交換システム（１）であって、前記景品管理装置は、前記複数の景品のうち、予約を停止する景品の指定を受け付ける予約停止景品受付手段（ディスプレイ７３及び入力装置７４）と、該予約停止景品受付手段にて指定を受け付けた景品の予約を停止するための予約停止情報を前記景品表示装置に送信する予約停止情報送信手段（通信部７１）と、をさらに有することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６０６】
また前記第４の発明において、前記景品管理装置（７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０６０７】
また前記第４の発明において、前記景品表示装置（カードユニット２０，キオスク端末３０）は、前記予約停止情報を受信したことに基づいて、前記予約停止景品受付手段（ディスプレイ７３及び入力装置７４）にて指定を受け付けた景品を、前記表示手段（ディスプレイ２４，３４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０６０８】
また前記第４の発明において、前記景品管理装置（７０）は、前記景品表示装置（カードユニット２０，キオスク端末３０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０６０９】
また前記第４の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６１０】
また前記第４の発明において、前記景品表示装置（カードユニット２０，キオスク端末３０）又は前記景品管理装置（７０）は、該景品表示装置で受け付けた配送先記録媒体（会員カード２，景品交換カード３）を発行した店舗（遊技場）と、当該景品表示装置が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送先特定情報（会員ＩＤ，景品会員ＩＤ）から特定される配送先への前記配送処理（配送情報登録処理）を前記提供処理として前記提供処理手段（制御部７２，配送情報ＤＢ）により行うことを特徴とする景品交換システムを構成した。これによれば、景品表示装置において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０６１１】
また前記第４の発明において、前記景品管理装置（７０）は、前記予約要求送信手段（場外通信部２１ｃ，通信部３１）から送信されてきた予約要求に対応する予約を識別可能な予約識別情報（予約ＩＤ）に対応付けて該予約要求に含まれる景品特定情報（景品ＩＤ）を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための前記提供処理（配送情報登録処理）を前記提供処理手段（制御部７２，配送情報ＤＢ）により行うことを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６１２】
また前記第４の発明において、前記景品管理装置（７０）は、前記景品提供要求送信手段（通信部５１）から送信されてきた景品提供要求（予約確定要求）に含まれる予約識別情報（予約ＩＤ）に対応付けて登録された景品特定情報（景品ＩＤ）から特定される景品が前記予約停止景品受付手段（ディスプレイ７３及び入力装置７４）にて指定を受け付けた予約を停止する景品であるか否かを判定する提供判定手段（制御部７２）をさらに有し、該提供判定手段により予約を停止する景品であると判定されたことを条件として、該景品を前記ユーザに提供するための前記提供処理（配送情報登録処理）を行わないことを特徴とする景品交換システムを構成した。これによれば、交換する景品の予約内容登録処理が行われた後に、該景品について予約が停止された場合であっても、該景品をユーザに提供するための提供処理が行われないので、事後的な対処が必要となる件数をさらに低減できる。
【０６１３】
さらに前記第４の発明において、前記景品管理装置（７０）は、前記予約要求送信手段（場外通信部２１ｃ，通信部３１）から送信されてきた予約要求に含まれる景品特定情報（景品ＩＤ）と当該予約を行ったユーザを特定可能なユーザ特定情報（配送先情報）とを対応付けて登録するユーザ特定情報登録手段（制御部７２，配送情報ＤＢ）をさらに有し、前記予約停止景品受付手段（ディスプレイ７３及び入力装置７４）にて予約を停止する景品の指定を受け付けたことに基づいて、前記ユーザ特定情報登録手段にて該景品の景品特定情報と対応付けられているユーザ特定情報を抽出するユーザ特定情報抽出手段（制御部７２）をさらに有することを特徴とする景品交換システムを構成した。これによれば、予約を停止する景品の指定を受け付ける前に該景品の予約を行ったユーザを特定できるので、該ユーザに対して適切な対処をすることができる。
【０６１４】
［４−５．第５の発明］
次に従来技術５として、特開２００１−３３４０５３号公報（段落００１５）を示す。この従来技術５には、店舗の一例である遊技場に設けられ、複数の景品を表示し、該景品の中からユーザが交換を希望する景品の予約を受け付ける景品表示装置の一例である端末機器と、遊技場の外部に設けられ、該端末機器に表示される各景品の在庫数を管理する景品管理装置の一例であるサーバ機器と、を備え、サーバ機器から端末機器に対して、前記表示される景品に関する情報を含む景品データを送信する景品交換システムが記載されている。
【０６１５】
しかしながら、上記の従来技術５１に示した景品交換システムでは、サーバ機器において、各景品の在庫数が登録された後に、景品の在庫を管理する側（例えば倉庫）において、ある景品の在庫数に不測の変動（例えば当該景品の破損や入荷停止による在庫数の減少）が生じたときに、当初に登録された在庫数に基づいて当該景品の予約を受け付けてしまうと、該景品を提供できない予約、つまりは該景品を選択したユーザに対する有価価値の返却や代替品の提供等の事後的な対処が必要となる予約の件数が多くなってしまい、景品を提供する側の手間や遊技者の迷惑が多くなるという問題があった。
【０６１６】
そこで、上記の実施形態に記載した第５の発明では、予約を受け付ける景品の在庫数に不測の変動が生じた場合であっても、事後的な対処が必要となる予約の件数を低減でき、景品を提供する側の手間やユーザの迷惑を低減できるような、景品交換システムを提供することを目的として、以下の発明を構成した。
【０６１７】
即ち第５の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する在庫数判定手段（制御部７２）と、該在庫数判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、前記在庫数管理手段で管理している在庫数の変更を受け付ける在庫数変更手段（通信部７１）をさらに有し、前記在庫数判定手段は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６１８】
また別の第５の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数を管理する初期在庫数管理手段（制御部７２，景品情報ＤＢ）と、該初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する在庫数判定手段（制御部７２）と、該在庫数判定手段により予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、前記初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段で管理している現在在庫数を更新する現在在庫数更新手段（制御部７２）と、をさらに有し、前記在庫数判定手段は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６１９】
また第５の発明において、前記景品管理装置（７０）は、前記在庫数判定手段（制御部７２）により景品の予約が可能であると判定されたことを条件として、前記予約要求送信手段（場外通信部２１ｃ，通信部３１）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品交換システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６２０】
また第５の発明において、前記景品管理装置（７０）は、各景品について、前記提供処理（配送情報登録処理）に供された提供個数（確定累計数）を集計する提供個数集計手段（制御部７２，予約・確定累計数ＤＢ）と、前記在庫数変更手段（ディスプレイ７３及び入力装置７４）にて変更を受け付けた後の在庫数又は初期在庫数と、前記提供個数集計手段にて集計された提供個数とに基づいて、該景品の提供が可能であるか否かを判定する提供可否判定手段（制御部７２）と、をさらに有し、該提供可否判定手段により景品の提供が可能でないと判定されたことを条件として、該判定の対象となった景品を前記ユーザに提供するための前記提供処理を行わないことを特徴とする景品交換システムを構成した。これによれば、交換する景品の予約内容登録処理が行われた後に、当該景品の在庫数又は初期在庫数の変更を受け付けた場合であっても、該変更を受け付けた後の在庫数又は初期在庫数と提供個数とに基づいて該景品の提供が可能でないと判定されると、該景品をユーザに提供するための提供処理が行われないので、事後的な対処が必要となる件数をさらに低減できる。
【０６２１】
また第５の発明において、前記景品管理装置（７０）は、前記在庫数又は前記初期在庫数から前記提供処理（配送情報登録処理）に供された提供個数を減算した提供後在庫数（配送登録後在庫数）を管理する提供後在庫数管理手段（制御部７２，在庫数ＤＢ）と、前記在庫数変更手段（ディスプレイ７３及び入力装置７４）にて在庫数又は初期在庫数の変更を受け付けたことを条件として、在庫数又は初期在庫数の変動数に基づいて、前記提供後在庫数管理手段で管理している提供後在庫数を更新する提供後在庫数更新手段（制御部７２）と、該提供後在庫数更新手段にて更新された後の提供後在庫数に基づいて、前記景品の提供が可能であるか否かを判定する提供可否判定手段（制御部７２）と、をさらに有し、該提供可否判定手段により景品の提供が可能でないと判定されたことを条件として、該判定の対象となった景品を前記ユーザに提供するための前記提供処理を行わないことを特徴とする景品交換システムを構成した。これによれば、交換する景品の予約内容登録処理が行われた後に、当該景品の在庫数又は初期在庫数の変更を受け付けた場合であっても、該在庫数又は初期在庫数の変動数に基づいて更新される提供後在庫数に基づいて該景品の提供が可能でないと判定されると、該景品をユーザに提供するための提供処理が行われないので、事後的な対処が必要となる件数をさらに低減できる。
【０６２２】
また第５の発明において、前記景品管理装置（７０）は、前記予約要求を受信したことに応じて、前記予約停止情報送信手段（通信部７１）により前記予約停止情報（在庫零通知）を前記景品表示装置（カードユニット２０，キオスク端末３０）に送信することを特徴とする景品交換システムを構成した。これによれば、景品管理装置は、予約要求の受信に応じて、受動的に予約停止情報を返信するので、能動的に予約停止情報を送信する場合に比べて、処理の負荷が軽減される。
【０６２３】
また第５の発明において、前記景品表示装置（カードユニット２０，キオスク端末３０）は、前記予約停止情報（在庫零通知）を受信したことに基づき、前記在庫数判定手段（制御部７２）により予約が可能でないと判定された景品を、前記表示手段（ディスプレイ２４，３４）に表示しないか、又は、選択不能に該表示手段に表示する処理を行うことを特徴とする景品交換システムを構成した。これによれば、景品表示装置において、予約停止情報を受信した後は、予約が可能でないと判定された景品を選択できなくなるので、ユーザによる無駄な操作が無くなり、ユーザの利便性を向上できる。
【０６２４】
さらに第５の発明において、前記景品管理装置（７０）は、前記ユーザ（遊技者）を特定可能なユーザ特定情報（配送先情報）と前記予約処理（予約内容登録処理）及び／又は前記提供処理（配送情報登録処理）に供された景品の景品特定情報（景品ＩＤ）とを対応付けて登録するユーザ特定情報登録手段（制御部７２，予約情報ＤＢ，配送情報ＤＢ）と、前記在庫数変更手段（ディスプレイ７３及び入力装置７４）により在庫数又は初期在庫数の変更を受け付けたことに基づいて、前記在庫数判定手段（制御部７２）により予約が可能でないと判定された景品及び／又は前記提供可否判定手段（制御部７２）により提供が可能でないと判定された景品の景品特定情報と対応付けられているユーザ特定情報を抽出するユーザ特定情報抽出手段（制御部７２）と、をさらに有することを特徴とする景品交換システムを構成した。これによれば、在庫数又は初期在庫数の変更を受け付ける前に行われた予約処理及び／又は提供処理に供された景品を選択したユーザを特定できるので、該ユーザに対して適切な対処をすることができる。
【０６２５】
［４−６．第６の発明］
次に従来技術６として、特開２００１−３３４０５３号公報（段落００１５）を示す。この従来技術６には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６２６】
しかしながら、上記の従来技術６に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０６２７】
そこで、上記の実施形態に記載した第６の発明では、店舗が希望する景品を提供でき、ユーザに対して景品交換を促進できるような、景品交換システムを提供することを目的として、以下の発明を構成した。
【０６２８】
即ち第６の発明として、店舗（遊技場）に設けられ、ユーザ（遊技者）が所有する有価価値（獲得玉の計数値），貯玉数）と交換可能な複数の景品を表示する表示手段（ディスプレイ２４，３４）と、該表示手段に表示される景品の中から、前記ユーザが所有する有価価値との交換を希望する景品の選択を受け付ける選択受付手段（ディスプレイ２４，３４）と、を有する景品表示装置（カードユニット２０，キオスク端末３０）と、該景品表示装置に表示される前記複数の景品に関する情報を（景品情報ＤＢで）管理する景品管理装置（７０）と、を備える景品交換システム（１）であって、前記景品管理装置は、前記複数の景品の各々について、各景品を分類するための分類区分（大区分，小区分，交換玉数）を設定する分類区分設定手段（制御部７２，景品情報ＤＢ）と、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１，ディスプレイ７３及び入力装置７４）と、を有し、前記景品表示装置は、前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、前記景品表示装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換システムを構成した。これによれば、景品管理装置において、予め設定された複数の景品パッケージのうち、店舗が希望する景品パッケージの選択を受け付け、当該店舗に設けられる景品表示装置において、各景品の分類区分に対応する区分メニューが選択されると、前記選択された景品パッケージに含まれる景品のうち、該選択された区分メニューに対応する分類区分が設定されている景品が表示されるので、店舗の客層や土地柄や季節に応じて、該店舗が希望する景品を提供でき、ユーザに対して景品交換を促進することができると共に、店舗が希望する複数の景品パッケージに同一の景品が重複して含まれている場合であっても、該景品が１つのみ表示されるので、該景品が重複して表示されることがない。
【０６２９】
また第６の発明において、前記景品表示装置（カードユニット２０，キオスク端末３０）は、前記景品パッケージ選択受付手段（通信部７１）にて選択された景品パッケージの各々に対応するパッケージメニューを表示するパッケージメニュー表示処理と、該パッケージメニューのいずれかが選択されたことに基づいて、該選択されたパッケージメニューに対応する景品パッケージに含まれる景品を表示するパッケージ景品表示処理とを行うことを特徴とする景品交換システムを構成した。これによれば、景品表示装置において、店舗が希望する景品パッケージに対応するパッケージメニューが選択されると、該選択されたパッケージメニューに対応する景品パッケージに含まれる景品が表示されるので、景品を選択する方法が増えて、ユーザの利便性が向上する。
【０６３０】
また第６の発明において、前記景品管理装置（７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０，キオスク端末３０）で表示するための処理（景品情報の送信）を行うことを特徴とする景品交換システムを構成した。これによれば、景品管理装置において、景品の交換状況等に応じて、景品パッケージに含まれる景品を更新することができるので、景品交換をより促進することができる。
【０６３１】
また第６の発明において、前記景品管理装置（７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０６３２】
また第６の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ，通信部３１）と、をさらに有し、前記景品管理装置（７０）は、該配送先特定情報送信手段から送信されてきた配送先特定情報から特定される配送先に前記景品を配送するための配送処理（配送情報登録処理）を行う配送処理手段（制御部７２，配送情報ＤＢ）をさらに有することを特徴とする景品交換システムを構成した。景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６３３】
また第６の発明において、前記景品表示装置（カードユニット２０，キオスク端末３０）又は前記景品管理装置（７０）は、該景品表示装置で受け付けた配送先記録媒体（会員カード２，景品交換カード３）を発行した店舗（遊技場）と、当該景品表示装置が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送先特定情報（会員ＩＤ，景品会員ＩＤ）から特定される配送先への前記配送処理（配送情報登録処理）を前記配送処理手段（制御部７２，配送情報ＤＢ）により行うことを特徴とする景品交換システムを構成した。これによれば、景品表示装置において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０６３４】
さらに第６の発明において、前記景品表示装置（カードユニット２０，キオスク端末３０）は、前記選択受付手段（ディスプレイ２４，３４）にて選択された景品を特定可能な景品特定情報（景品ＩＤ）を含む予約要求を前記景品管理装置（７０）に送信する予約要求送信手段（場外通信部２１ｃ，通信部３１）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６３５】
［４−７．第７の発明］
次に従来技術７として、特開平１０−１４６４３４号公報（段落００２１，００５３，００５４）を示す。この従来技術７には、店舗の一例である遊技場に設けられ、前記ユーザの一例である遊技者が所有する前記有価価値の一例である獲得玉数との交換を希望する景品の予約を受け付けるカタログ景品情報装置と、該予約した景品を交換するための減算処理を行う減算処理端末の一例である景品交換装置と、からなり、カタログ景品情報装置において、遊技者が交換を希望する景品を予約すると、該景品の景品コードや交換有価価値の一例である交換玉数が記録されたチケットが発行され、景品交換装置において、該チケットの記録情報が読み取られると、該読み取った交換玉数が遊技者の獲得玉数から減算されて、景品交換の決済が行われる景品交換システムが記載されている。
【０６３６】
また現状の遊技場において、一般景品との景品交換を行う場合には、前記減算処理端末において、該一般景品に付されているバーコードが内在している景品ＩＤと該一般景品の交換玉数とを対応付けて登録しておき、該一般景品のバーコードから景品ＩＤを読み取ると、該読み取った景品ＩＤに対応付けて登録されている交換玉数が遊技者の獲得玉数から減算されて、景品交換の決済が行われる。
【０６３７】
ここで上記の従来技術７に示すカタログ景品情報装置において発行されるチケットに前記予約した景品の景品ＩＤを内在するバーコードを記録し、現状の一般景品と同様の景品交換を減算処理端末で行おうとする場合には、カタログ景品情報装置で表示される景品が追加される毎に、該追加された景品の景品ＩＤと交換玉数とを対応付けて減算処理端末において登録する必要があるが、該登録作業の負担が大きいという問題があった。
【０６３８】
そこで、上記の実施形態に記載した第７の発明では、減算処理端末において前記交換有価価値を識別するための有価価値識別情報と該交換有価価値とを対応付けて登録する登録作業の負担を軽減できるような景品交換システムを提供することを目的として、以下の発明を構成した。
【０６３９】
即ち第７の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、前記ユーザが所有する有価価値との交換を希望する景品の選択を受け付ける選択受付手段（ディスプレイ２４，３４）と、該選択受付手段にて選択された景品に相当する有価価値である交換有価価値（交換玉数）を識別するための有価価値識別情報（玉数コード）を内在する情報記録シンボル（玉数情報バーコード）が記録された記録媒体（予約レシート６）を発行する発行手段（予約レシートプリンタ２５，３５）と、を有する景品表示装置（カードユニット２０，キオスク端末３０）と、該景品表示装置に表示される景品に関する景品情報を管理する景品管理装置（７０）とを備え、前記有価価値識別情報及び前記交換有価価値の入力を受け付けて、該受け付けた有価価値識別情報と交換有価価値とを対応付けて登録する減算処理端末（ＰＯＳ端末４０）において、前記記録媒体の情報記録シンボルから有価価値識別情報が読み取られ、該読み取られた有価価値識別情報に対応付けて登録されている交換有価価値が前記ユーザが所有する有価価値から減算される景品交換システム（第１実施形態に係る景品交換システム１）であって、前記景品管理装置は、前記景品表示装置に表示される景品の変更を受け付ける景品変更手段（通信部７１，ディスプレイ７３及び入力装置７４）と、該景品変更手段にて受け付けた変更により前記景品表示装置に新たに表示される景品であって、当該景品の交換有価価値に対応する有価価値識別情報を前記減算処理端末にて登録する必要がある登録必要景品を特定する登録必要景品特定手段（制御部７２）と、店舗に設けられ、前記情報記録シンボルを前記減算処理端末にて読取可能な態様で出力する出力端末（キオスク端末３０）に対して、前記登録必要景品特定手段にて特定した登録必要景品の交換有価価値に対応する有価価値識別情報を内在する情報記録シンボルを当該出力端末が出力するためのシンボル出力情報を送信するシンボル出力情報送信手段（通信部７１）と、を有することを特徴とする景品交換システムを構成した。これによれば、景品表示装置に表示される景品が変更されたときに、減算処理端末にて登録する必要がある登録必要景品の交換有価価値に対応する有価価値識別情報を内在する情報記録シンボルが出力端末において出力されることにより、該出力される情報記録シンボルを減算処理端末において読み取ることで、該情報記録シンボルが内在する有価価値識別情報を容易に登録することができるので、有価価値識別情報と交換有価価値とを対応付けて登録する登録作業の負担が軽減される。
【０６４０】
また第７の発明において、前記シンボル出力情報送信手段（通信部７１）は、前記出力端末（キオスク端末３０）に対して、前記情報記録シンボル（玉数情報バーコード）と対応付けて当該情報記録シンボルが内在する有価価値識別情報（玉数コード）に対応する交換有価価値（交換玉数）を視認可能な態様で当該出力端末が出力するための情報を送信することを特徴とする景品交換システムを構成した。これによれば、情報記録シンボルが内在する有価価値識別情報に対応する交換有価価値が視認可能な態様で出力端末において出力されることにより、該交換有価価値を容易に把握することができるので、有価価値識別情報と交換有価価値とを対応付けて登録する登録作業の負担がさらに軽減される。
【０６４１】
また第７の発明において、前記有価価値識別情報（玉数コード）は、前記交換有価価値（交換玉数）毎に付与される情報であり、前記登録必要景品特定手段（制御部７２）は、前記景品表示装置（カードユニット２０，キオスク端末３０）に新たに表示される景品のうち、前記景品変更手段（通信部７１，ディスプレイ７３及び入力装置７４）における変更の受付前に該景品表示装置に表示されていた景品と交換有価価値が異なる景品を前記登録必要景品として特定することを特徴とする景品交換システムを構成した。これによれば、景品表示装置において既に表示されていた景品と交換有価価値が同じである景品は登録必要景品として特定されないことにより、該景品の交換有価価値に対応する有価価値識別情報を内在する情報記録シンボルは出力端末において出力されないので、無駄な登録作業が無くなる。
【０６４２】
また別の第７の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、前記ユーザが所有する有価価値との交換を希望する景品の選択を受け付ける選択受付手段（ディスプレイ２４，３４）と、該選択受付手段にて選択された景品に相当する有価価値である交換有価価値（交換玉数）を識別するための有価価値識別情報（玉数コード）を内在する情報記録シンボル（玉数情報バーコード）が記録された記録媒体（予約レシート６）を発行する発行手段（予約レシートプリンタ２５，３５）と、を有する景品表示装置（カードユニット２０，キオスク端末３０）と、該景品表示装置に表示される景品に関する景品情報を管理する景品管理装置（７０）とを備え、前記有価価値識別情報及び前記交換有価価値の入力を受け付けて、該受け付けた有価価値識別情報と交換有価価値とを対応付けて登録する減算処理端末（ＰＯＳ端末４０）において、前記記録媒体の情報記録シンボルから有価価値識別情報が読み取られ、該読み取られた有価価値識別情報に対応付けて登録されている交換有価価値が前記ユーザが所有する有価価値から減算される景品交換システム（第１実施形態の変形例に係る景品交換システム１）であって、前記景品管理装置は、前記景品表示装置に表示される景品の変更を受け付ける景品変更手段（通信部７１，ディスプレイ７３及び入力装置７４）と、該景品変更手段にて受け付けた変更により前記景品表示装置に新たに表示される景品を特定するための変更景品特定情報を送信する変更景品特定情報送信手段（通信部７１）と、を有し、店舗に設けられ、前記変更景品特定情報送信手段から送信されてきた変更景品特定情報から特定される景品であって、当該景品の交換有価価値に対応する有価価値識別情報を前記減算処理端末にて登録する必要がある登録必要景品を特定する登録必要景品特定手段（制御部３２）と、該登録必要景品特定手段にて特定した登録必要景品の交換有価価値に対応する有価価値識別情報を内在する情報記録シンボルを前記減算処理端末にて読取可能な態様で出力する出力手段（予約レシートプリンタ３５）と、を有する出力端末（キオスク端末３０）をさらに備えることを特徴とする景品交換システムを構成した。これによれば、景品表示装置に表示される景品が変更されたときに、減算処理端末にて登録する必要がある登録必要景品の交換有価価値に対応する有価価値識別情報を内在する情報記録シンボルが出力端末において出力されることにより、該出力される情報記録シンボルを減算処理端末において読み取ることで、該情報記録シンボルが内在する有価価値識別情報を容易に登録することができるので、有価価値識別情報と交換有価価値とを対応付けて登録する登録作業の負担が軽減される。
【０６４３】
また第７の発明において、前記出力手段（予約レシートプリンタ３５）は、前記情報記録シンボル（玉数情報バーコード）と対応付けて当該情報記録シンボルが内在する有価価値識別情報（玉数コード）に対応する交換有価価値（交換玉数）を視認可能な態様で出力することを特徴とする景品交換システムを構成した。これによれば、情報記録シンボルが内在する有価価値識別情報に対応する交換有価価値が視認可能な態様で出力端末において出力されることにより、該交換有価価値を容易に把握することができるので、有価価値識別情報と交換有価価値とを対応付けて登録する登録作業の負担がさらに軽減される。
【０６４４】
また第７の発明において、前記有価価値識別情報（玉数コード）は、前記交換有価価値（交換玉数）毎に付与される情報であり、前記出力端末（キオスク端末３０）は、景品の交換有価価値を管理する交換有価価値管理手段（制御部３２）をさらに有し、前記登録必要景品特定手段（制御部３２）は、前記変更景品特定情報送信手段（通信部７１）から送信されてきた変更景品特定情報から特定される景品のうち、該景品の交換有価価値と前記交換有価価値管理手段で管理している交換有価価値とが異なる景品を前記登録必要景品として特定することを特徴とする景品交換システムを構成した。これによれば、景品表示装置において既に表示されていた景品と交換有価価値が同じである景品は登録必要景品として特定されないことにより、該景品の交換有価価値に対応する有価価値識別情報を内在する情報記録シンボルは出力端末において出力されないので、無駄な登録作業が無くなる。
【０６４５】
また第７の発明において、前記出力端末は前記景品表示装置（キオスク端末３０）であることを特徴とする景品交換システムを構成した。これによれば、景品表示装置が出力端末の機能を備えるので、出力端末を別途用意する必要が無い。
【０６４６】
また別の第７の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、前記ユーザが所有する有価価値との交換を希望する景品の選択を受け付ける選択受付手段（ディスプレイ２４，３４）と、該選択受付手段にて選択された景品に相当する有価価値である交換有価価値（交換玉数）を識別するための有価価値識別情報（景品コード）を内在する情報記録シンボル（玉数情報バーコード）が記録された記録媒体（予約レシート６）を発行する発行手段（予約レシートプリンタ２５，３５）と、を有する景品表示装置（カードユニット２０，キオスク端末３０）と、該景品表示装置に表示される景品に関する景品情報を管理する景品管理装置（７０）とを備え、前記有価価値識別情報及び前記交換有価価値の入力を受け付けて、該受け付けた有価価値識別情報と交換有価価値とを対応付けて登録する減算処理端末（ＰＯＳ・予約確定端末５０’）において、前記記録媒体の情報記録シンボルから有価価値識別情報が読み取られ、該読み取られた有価価値識別情報に対応付けて登録されている交換有価価値が前記ユーザが所有する有価価値から減算される景品交換システム（第２実施形態及び同変形例に係る景品交換システム１）であって、前記景品管理装置は、前記景品表示装置に表示される景品の変更を受け付ける景品変更手段（通信部７１，ディスプレイ７３及び入力装置７４）を有し、前記景品表示装置又は前記景品管理装置は、該景品変更手段にて受け付けた変更により前記景品表示装置に新たに表示される景品であって、当該景品の交換有価価値に対応する有価価値識別情報を前記減算処理端末にて登録する必要がある登録必要景品を特定する登録必要景品特定手段（制御部７２，３２）と、前記減算処理端末に対して、該登録必要景品特定手段にて特定した登録必要景品の交換有価価値に対応する有価価値識別情報を送信する有価価値識別情報送信手段（通信部７１，３１）と、を有することを特徴とする景品交換システムを構成した。これによれば、景品表示装置に表示される景品が変更されたときに、減算処理端末にて登録する必要がある登録必要景品の交換有価価値に対応する有価価値識別情報が減算処理端末に対して送信されることにより、該有価価値識別情報を減算処理端末において登録することができるので、有価価値識別情報と交換有価価値とを対応付けて登録する登録作業の負担が軽減される。
【０６４７】
また第７の発明において、前記有価価値識別情報送信手段（通信部７１，３１）は、前記減算処理端末（ＰＯＳ・予約確定端末５０’）に対して、前記有価価値識別情報（景品コード）に対応する交換有価価値（交換玉数）を示す情報を送信することを特徴とする景品交換システムを構成した。これによれば、有価価値識別情報に対応する交換有価価値が減算処理端末に対して送信されることにより、該有価価値識別情報を減算処理端末において登録することができるので、有価価値識別情報と交換有価価値とを対応付けて登録する登録作業の負担がさらに軽減される。
【０６４８】
さらに第７の発明において、前記景品表示装置（カードユニット２０，キオスク端末３０）は、前記選択受付手段（ディスプレイ２４，３４）にて選択された景品を特定可能な景品特定情報（景品ＩＤ）を含む予約要求を前記景品管理装置（７０）に送信する予約要求送信手段（場外通信部２１ｃ，通信部３１）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（バーコードリーダ５５，５５’）と、該予約識別情報受付手段にて受け付けた予約識別情報を含む景品提供要求（予約確定要求）を前記景品管理装置に送信する景品提供要求送信手段（通信部５１，５１’）と、を有する予約確定端末（予約確定端末５０，ＰＯＳ・予約確定端末５０’）をさらに備え、前記景品管理装置は、前記景品提供要求送信手段から送信されてきた景品提供要求に含まれる予約識別情報に対応付けて登録された景品特定情報から特定される景品を前記ユーザに提供するための（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６４９】
［４−８．第８の発明］
次に従来技術８として、特開平１０−１４６４３４号公報（段落００２１，００２２，００４４，００４５）を示す。この従来技術８には、前記ユーザの一例である遊技者が所有する前記有価価値の一例である獲得玉との交換を希望する景品の予約を受け付けるカタログ景品情報装置において、景品の在庫数に関係なく予約を受け付けて、該予約に係る景品の景品コード等が記録されたチケットを遊技者に対して発行し、景品交換を行うときに、景品交換装置において、該チケットから景品コード等を読み取り、遊技者の獲得玉数から該景品コードの景品に相当する玉数を減算すると共に、該景品の在庫数から１を減算する景品交換システムが記載されている。
【０６５０】
しかしながら、従来技術８に示す景品交換システムでは、景品の在庫数に関係なく予約ができ、景品交換を行うときに在庫数の減算が行われるため、遊技者が予約をした景品を交換するときには該景品の在庫数が零になっていて、交換することができないという事態が生ずるおそれがある。
【０６５１】
そこで、上記の実施形態に記載した第８の発明では、ユーザが予約をした景品を交換することができないという事態が生ずるおそれがないような、景品交換システムを提供することを目的として、以下の発明を構成した。
【０６５２】
即ち第８の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な景品特定情報（景品ＩＤ）及び該ユーザを特定可能なユーザ特定情報（会員ＩＤ，景品会員ＩＤ，配送先情報）を含む予約要求を送信する予約要求送信手段（場外通信部２１ｃ，通信部３１）と、を有する予約端末（カードユニット２０，キオスク端末３０）と、前記予約要求送信手段から送信されてきた予約要求に対応する予約を識別可能な予約識別情報（予約ＩＤ）に対応付けて該予約要求に含まれる景品特定情報及びユーザ特定情報を登録する予約内容登録処理を行う予約内容登録手段（制御部７２，予約情報ＤＢ）を有する景品管理装置（７０）と、店舗に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）と、を備え、前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，景品情報ＤＢ）と、各景品について、前記予約内容登録処理に供された予約個数（予約累計数）を集計する予約個数集計手段（制御部７２，予約・確定累計数ＤＢ）と、前記在庫数登録手段に登録された在庫数と、該予約個数集計手段により集計された予約個数とに基づいて、前記景品の予約が可能であるか否かを判定する在庫数判定手段（制御部７２）と、前記ユーザ１人あたりが予約可能な景品の個数又は前記ユーザ１人あたりが予約に供することが可能な有価価値（交換玉数）に対する上限値を設定する上限値設定手段（制御部７２，上限値ＤＢ）と、前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段（制御部７２，未提供予約個数・玉数ＤＢ）と、該未提供予約特定手段により特定された未提供予約個数又は未提供予約価値と、前記上限値設定手段により設定された上限値とに基づいて、前記ユーザについて予約が可能であるか否かを判定する上限値判定手段（制御部７２）と、をさらに有し、前記在庫数判定手段により予約が可能でないと判定されたことを条件として、該判定の対象となった景品について前記予約内容登録処理を不能化するための処理（在庫零通知の返信）を行うと共に、前記上限値判定手段により予約が可能でないと判定されたことを条件として、該判定の対象となったユーザについて前記予約内容登録処理を不能化するための処理（上限値超え通知の返信）を行うことを特徴とする景品交換システムを構成した。これによれば、景品管理装置において、予め登録された在庫数と、予約内容登録処理に供された予約個数の集計値とに基づいて、景品の予約が可能であるか否かが判定され、予約が可能でないと判定されると、予約内容登録処理が不能化されるので、ユーザが予約をした景品を交換することができないという事態が生ずるおそれがない。また景品管理装置において、予約を行うユーザについて特定される未提供予約景品の個数又は未提供予約景品に対応する有価価値と、ユーザ１人あたりについて設定された上限値とに基づいて、該ユーザについて予約が可能であるか否かが判定され、予約が可能でないと判定されると、予約内容登録処理が不能化されるので、悪質なユーザが交換するつもりのない多量の景品を前記上限値を超えていたずらに予約することを防止でき、当該いたずらの予約により在庫数が減少して正規のユーザが予約できないといった事態を防止できる。
【０６５３】
また別の第８の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な景品特定情報（景品ＩＤ）及び該ユーザを特定可能なユーザ特定情報（会員ＩＤ，景品会員ＩＤ，配送先情報）を含む予約要求を送信する予約要求送信手段（場外通信部２１ｃ，通信部３１）と、を有する予約端末（カードユニット２０，キオスク端末３０）と、前記予約要求送信手段から送信されてきた予約要求に対応する予約を識別可能な予約識別情報（予約ＩＤ）に対応付けて該予約要求に含まれる景品特定情報及びユーザ特定情報を登録する予約内容登録処理を行う予約内容登録手段（制御部７２，予約情報ＤＢ）を有する景品管理装置（７０）と、店舗に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）と、を備え、前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，在庫数ＤＢ）と、前記予約内容登録処理に伴って、前記在庫数登録手段に登録された在庫数を減算更新する在庫数更新手段（制御部７２）と、該在庫数更新手段により更新された在庫数に基づいて、前記景品の予約が可能であるか否かを判定する在庫数判定手段（制御部７２）と、前記ユーザ１人あたりが予約可能な景品の個数又は前記ユーザ１人あたりが予約に供することが可能な有価価値（交換玉数）に対する上限値を設定する上限値設定手段（制御部７２，上限値ＤＢ）と、前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段（制御部７２，未提供予約個数・玉数ＤＢ）と、該未提供予約特定手段により特定された未提供予約個数又は未提供予約価値と、前記上限値設定手段により設定された上限値とに基づいて、前記ユーザについて予約が可能であるか否かを判定する上限値判定手段（制御部７２）と、をさらに有し、前記在庫数判定手段により予約が可能でないと判定されたことを条件として、該判定の対象となった景品について前記予約内容登録処理を不能化するための処理（在庫零通知の返信）を行うと共に、前記上限値判定手段により予約が可能でないと判定されたことを条件として、該判定の対象となったユーザについて前記予約内容登録処理を不能化するための処理（上限値超え通知の返信）を行うことを特徴とする景品交換システムを構成した。これによれば、景品管理装置において、予め登録された在庫数から予約内容登録処理に伴って減算更新された後の在庫数に基づいて、景品の予約が可能であるか否かが判定され、予約が可能でないと判定されると、予約内容登録処理が不能化されるので、ユーザが予約をした景品を交換することができないという事態が生ずるおそれがない。また景品管理装置において、予約を行うユーザについて特定される未提供予約景品の個数又は未提供予約景品に対応する有価価値と、ユーザ１人あたりについて設定された上限値とに基づいて、該ユーザについて予約が可能であるか否かが判定され、予約が可能でないと判定されると、予約内容登録処理が不能化されるので、悪質なユーザが交換するつもりのない多量の景品を前記上限値を超えていたずらに予約することを防止でき、当該いたずらの予約により在庫数が減少して正規のユーザが予約できないといった事態を防止できる。
【０６５４】
また第８の発明において、前記上限値設定手段（制御部７２，上限値ＤＢ）は、前記上限値として、前記ユーザが予約する景品の全個数又は前記ユーザが予約する全景品に対応する有価価値（交換玉数）に対する全体上限値と、該全体上限値よりも低い値であって前記ユーザが予約する１種類の景品の個数又は前記ユーザが予約する１種類の景品に対応する有価価値に対する個別上限値とを設定し、前記未提供予約特定手段（制御部７２，未提供予約個数・玉数ＤＢ）は、前記未提供予約景品の全個数である全体未提供予約個数又は全未提供予約景品に対応する有価価値である全体未提供予約価値（全体未提供予約玉数）と、未提供予約景品の各種類毎の個数である個別未提供予約個数又は各種類毎の未提供予約景品に対応する有価価値である個別未提供予約価値（個別未提供予約玉数）とを特定し、前記上限値判定手段（制御部７２）は、前記未提供予約特定手段により特定された全体未提供予約個数又は全体未提供予約価値と、前記上限値設定手段により設定された全体上限値とに基づいて、前記判定を行うと共に、前記未提供予約特定手段により特定された個別未提供予約個数又は個別未提供予約価値と、前記上限値設定手段により設定された個別上限値とに基づいて、前記判定を行うことを特徴とする景品交換システムを構成した。これによれば、未提供予約景品の各種類毎の個数又は各種類毎の未提供予約景品に対応する有価価値と、個別上限値とに基づいて判定が行われると共に、全未提供予約景品の個数又は全未提供予約景品に対応する有価価値と、全体上限値とに基づいて判定が行われ、しかも個別上限値は全体上限値よりも低い値に設定されるので、悪質なユーザが、複数種類の景品を多量に予約するいたずらや、１種類の景品を多量に予約するいたずらを、効果的に防止できる。
【０６５５】
また第８の発明において、前記上限値設定手段（制御部７２，上限値ＤＢ）は、各景品の種類毎に、前記上限値を設定し、前記未提供予約特定手段（制御部７２，未提供予約個数・玉数ＤＢ）は、前記未提供予約景品の各種類毎の個数である個別未提供予約個数又は各種類毎の未提供予約景品に対応する有価価値である個別未提供予約価値（個別未提供予約玉数）を特定し、前記上限値判定手段（制御部７２）は、前記未提供予約特定手段により特定された個別未提供予約個数又は個別未提供予約価値と、前記上限値設定手段により設定された上限値とに基づいて、前記判定を行うことを特徴とする景品交換システムを構成した。これによれば、各景品の種類毎に上限値を設定することができるので、各景品の種類に応じた上限値を設定することで、いたずらの予約により在庫数が減少して正規のユーザが予約できないといった事態をより効果的に防止できる。
【０６５６】
また第８の発明において、前記上限値設定手段（制御部７２，上限値ＤＢ）は、前記在庫数登録手段（制御部７２，在庫数ＤＢ）に登録された各景品の在庫数及び／又は各景品に対応する有価価値に基づいて、前記上限値を設定することを特徴とする景品交換システムを構成した。これによれば、各景品の在庫数及び／又は各景品に対応する有価価値に基づいて上限値が設定されるので、該上限値を設定する手間が省ける。
【０６５７】
また第８の発明において、前記景品管理装置（７０）は、前記上限値判定手段（制御部７２）により予約が可能でないと判定されたユーザのユーザ特定情報（会員ＩＤ，景品会員ＩＤ，配送先情報）を抽出するユーザ特定情報抽出手段（制御部７２）をさらに有することを特徴とする景品交換システムを構成した。これによれば、いたずらの予約をした可能性があるユーザのユーザ特定情報を抽出することができるので、該ユーザに対して適切な対処をすることができる。
【０６５８】
また第８の発明において、前記景品管理装置（７０）は、所定期間毎（１日毎）に前記提供処理（配送情報登録処理）が行われずに登録されている予約識別情報（予約ＩＤ）及び景品特定情報（景品ＩＤ）を無効化する処理を行うことを特徴とする景品交換システムを構成した。これによれば、景品管理装置において、予約内容登録処理が行われても提供処理が行われていない景品に対応する予約識別情報及び景品特定情報については、所定期間毎に無効化されるので、該無効化された景品の分だけ新たに予約内容登録処理を行うことができ、無駄に多くの在庫を用意するという不都合が生じない。
【０６５９】
また第８の発明において、前記景品管理装置（７０）は、各景品の在庫数を示す在庫数情報を受け付ける在庫数情報受付手段（通信部７１）をさらに有し、該在庫数情報受付手段により受け付けた在庫数情報が示す各景品の在庫数を前記在庫数登録手段（制御部７２，景品情報ＤＢ，在庫数ＤＢ）により登録することを特徴とする景品交換システムを構成した。これによれば、景品管理装置において、受け付けた在庫数情報に基づいて在庫数の登録が行われるので、該登録作業の負担が軽減される。
【０６６０】
また第８の発明において、前記予約端末（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該予約端末が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ，通信部３１）と、をさらに有し、前記景品管理装置（７０）は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムを構成した。これによれば、予約端末において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６６１】
また第８の発明において、前記予約端末（カードユニット２０，キオスク端末３０）又は前記景品管理装置（７０）は、該予約端末で受け付けた配送先記録媒体（会員カード２，景品交換カード３）を発行した店舗（遊技場）と、当該予約端末が設けられる店舗とが、予め定められたグループ関係にあるグループ店であるか否かを判定するグループ店判定手段（制御部７２）をさらに有し、前記景品管理装置は、該グループ店判定手段によりグループ店であると判定されたことを条件として、前記配送先特定情報（会員ＩＤ，景品会員ＩＤ）から特定される配送先への前記配送処理（配送情報登録処理）を前記提供処理手段（制御部７２，配送情報ＤＢ）により行うことを特徴とする景品交換システムを構成した。これによれば、予約端末において受け付けた配送先記録媒体が当該予約端末が設けられる店舗のグループ店で発行された配送先記録媒体であれば、該配送先記録媒体から特定される配送先情報の配送先に景品が配送されるので、ユーザは各店舗毎の配送先記録媒体を持つ煩わしさが無くなり、該ユーザの利便性が向上する。
【０６６２】
さらに第８の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記提供処理（配送情報登録処理）に伴って、前記景品提供要求の送信元である予約確定端末を操作した店員の店員識別情報に対応付けて当該提供処理に関する情報を管理する提供情報管理手段（制御部７２，配送情報ＤＢ）をさらに有することを特徴とする景品交換システムを構成した。これによれば、予約確定端末を不正に操作した店員や誤って操作した可能性のある店員を特定して対処することができる。
【０６６３】
［４−９．第９の発明］
次に従来技術９として、特開２００６−１８４号公報（段落０１１８，０１２３，０１３８）を示す。この従来技術９には、遊技機に対応して設けられたカードユニットにおいて、ユーザが所有する有価価値の一例であるカードの残額を使用して購入を希望する商品が選択されると、該選択された全ての商品に対して１つの受注番号が表示され、該選択された商品がユーザに対して配送される遊技用システムが記載されている。
【０６６４】
しかしながら、上記の従来技術９に示す遊技用システムでは、配送元が異なる複数の商品が選択されると、該配送元毎に異なるタイミングで前記選択された商品がユーザに対して配送されることになるが、ユーザが商品の配送状況を確認する場合には、全ての商品に対して１つの受注番号が付与されていて配送毎（つまり商品がユーザに同時に到着する配送単位毎）に確認することができないため、全ての商品について到着したか否かを確認した上で、到着していない商品の各々について配送状況の問い合わせをしなければならず、ユーザの手間がかかるという問題があった。
【０６６５】
そこで、上記の実施形態に記載した第９の発明では、ユーザが所有する有価価値と交換可能な複数の景品の中から選択された、該ユーザが交換を希望する景品の配送状況を確認する場合に、該ユーザの手間が軽減されるような、景品交換システムを提供することを目的として、以下の発明を構成した。
【０６６６】
即ち第９の発明として、店舗（遊技場）に設けられ、ユーザ（遊技者）が所有する有価価値（獲得玉の計数値，貯玉数）と交換可能な複数の景品の中から、前記ユーザが所有する有価価値との交換を希望する景品の選択を受け付ける選択受付手段（ディスプレイ２４，３４）と、該選択受付手段にて選択された景品を特定可能な景品配送要求（予約要求，及び予約確定要求）を送信する景品配送要求送信手段（場外通信部２１ｃ又は通信部３１，及び通信部５１）と、を有する配送要求端末（カードユニット２０又はキオスク端末３０，及び予約確定端末５０）と、前記景品配送要求送信手段から送信されてきた景品配送要求から特定される景品を前記ユーザに配送するための配送処理（配送情報登録処理）を行う景品管理装置（７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記景品配送要求送信手段から送信されてきた景品配送要求から特定される複数の景品を、配送元情報が同一である景品毎に分類する景品分類手段（制御部７２）と、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記配送処理として行う配送情報登録手段（制御部７２，配送情報ＤＢ）と、前記各分類識別情報と各分類識別情報に対応する景品を特定可能な情報とを含む配送情報通知（配送登録完了通知）を前記配送要求端末に対して送信する配送情報通知送信手段（通信部７１）と、を有し、前記配送要求端末は、前記配送情報通知送信手段から送信されてきた配送情報通知に含まれる各分類識別情報に対応付けて各分類識別情報に対応する景品の景品情報が視認可能に記録された記録媒体（配送レシート７）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０６６７】
また第９の発明において、前記配送要求端末（カードユニット２０，キオスク端末３０）は、前記選択受付手段（ディスプレイ２４，３４）にて選択された景品の配送先の指定を受け付ける配送先受付手段（ディスプレイ２４，３４）をさらに有し、該配送先受付手段は、前記選択受付手段にて選択された複数の景品について異なる配送先の指定を受付可能であり、前記景品配送要求送信手段（場外通信部２１ｃ，通信部３１）は、該配送先受付手段にて指定を受け付けた配送先を特定可能な前記景品配送要求（予約要求）を前記景品管理装置（７０）に対して送信し、前記景品分類手段（制御部７２）は、該景品配送要求送信手段から送信されてきた景品配送要求から特定される複数の景品を、配送元情報が同一であり、かつ該景品配送要求から特定される配送先が同一である景品毎に分類することを特徴とする景品交換システムを構成した。これによれば、景品配送要求から特定される複数の景品について異なる配送先が指定された場合であっても、配送元情報及び該配送先が同一である景品毎に分類され、該分類された各分類毎に前記分類識別情報が割り当てられて前記記録媒体が発行されるので、ユーザに同時に到着する景品の単位で容易に配送状況を確認することができる。
【０６６８】
また第９の発明において、前記配送要求端末（カードユニット２０，キオスク端末３０）は、前記選択受付手段（ディスプレイ２４，３４）にて選択された景品の配送時期の指定を受け付ける配送時期受付手段（ディスプレイ２４，３４）をさらに有し、該配送時期受付手段は、前記選択受付手段にて選択された複数の景品について異なる配送時期の指定を受付可能であり、前記景品配送要求送信手段（場外通信部２１ｃ，通信部３１）は、該配送時期受付手段にて指定を受け付けた配送時期を特定可能な前記景品配送要求（予約要求）を前記景品管理装置（７０）に対して送信し、前記景品分類手段（制御部７２）は、該景品配送要求送信手段から送信されてきた景品配送要求から特定される複数の景品を、配送元情報が同一であり、かつ該景品配送要求から特定される配送時期が同一である景品毎に分類することを特徴とする景品交換システムを構成した。これによれば、景品配送要求から特定される複数の景品について異なる配送時期が指定された場合であっても、配送元情報及び該配送時期が同一である景品毎に分類され、該分類された各分類毎に前記分類識別情報が割り当てられて前記記録媒体が発行されるので、ユーザに同時に到着する景品の単位で容易に配送状況を確認することができる。
【０６６９】
また第９の発明において、前記配送要求端末は、前記選択受付手段（ディスプレイ２４，３４）を有する予約端末（カードユニット２０，キオスク端末３０）と、前記景品配送要求送信手段（通信部５１）及び前記記録媒体発行手段（配送レシートプリンタ５６）を有する予約確定端末（５０）と、からなり、前記予約端末は、前記選択受付手段にて選択された景品を特定可能な景品特定情報（景品ＩＤ）を含む予約要求を前記景品管理装置（７０）に対して送信する予約要求送信手段（場外通信部２１ｃ，通信部３１）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記予約確定端末は、前記予約識別情報を受け付ける予約識別情報受付手段（バーコードリーダ５５）をさらに有し、該予約識別情報受付手段にて受け付けた予約識別情報を含む前記景品配送要求（予約確定要求）を前記景品配送要求送信手段により前記景品管理装置に対して送信し、前記景品管理装置は、前記景品配送要求送信手段から送信されてきた景品配送要求に含まれる予約識別情報に対応付けて登録された景品特定情報から特定される景品を対象とした前記配送情報登録処理を前記配送情報登録手段（制御部７２，配送情報ＤＢ）により行うことを特徴とする景品交換システムを構成した。これによれば、ユーザが景品を選択して予約する予約端末と、景品管理装置において該予約を確定して景品をユーザに配送するための景品配送要求を送信する予約確定端末とが別個に設けられていることにより、ユーザが有価価値の獲得に拘わらず気軽に景品を予約しておくことができるので、景品交換を促進できる。
【０６７０】
また第９の発明において、前記予約内容登録手段（制御部７２，予約情報ＤＢ）は、前記予約要求送信手段（場外通信部２１ｃ，通信部３１）から送信されてきた予約要求に含まれる景品特定情報（景品ＩＤ）から特定される景品が複数であることに基づき、当該複数の景品の各々について前記予約識別情報（予約ＩＤ）を割り当てて前記予約内容登録処理を行い、前記予約端末（カードユニット２０，キオスク端末３０）は、該予約内容登録処理にて各景品について割り当てられた予約識別情報を出力する予約識別情報出力手段（予約レシートプリンタ２５，３５）をさらに有することを特徴とする景品交換システムを構成した。これによれば、ユーザにより予約された複数の景品の各々について予約識別情報が割り当てられて、該予約識別情報が出力されることにより、当該複数の景品のうち一部の景品の予約確定をやめたい場合には、予約確定させたい景品の予約識別情報のみを予約確定端末で受け付けるようにすれば良いので、一旦予約を取り消して再度予約をやり直すという手間が省ける。
【０６７１】
さらに第９の発明において、前記景品配送要求送信手段（通信部５１）は、前記ユーザを特定可能な前記景品配送要求（予約確定要求）を前記景品管理装置（７０）に対して送信し、前記配送情報登録手段（制御部７２，配送情報ＤＢ）は、該景品配送要求送信手段から送信されてきた景品配送要求から特定されるユーザを特定可能なユーザ特定情報（会員ＩＤ若しくは景品会員ＩＤ，配送先情報）を前記配送情報として登録し、前記景品管理装置は、前記景品配送要求送信手段から送信されてきた景品配送要求から特定されるユーザのユーザ特定情報に対応付けて、該景品配送要求から特定される景品と配送元情報が同一である配送情報が既に登録されているか否かを判定する同一配送元判定手段（制御部７２）をさらに有し、前記配送情報登録手段は、該同一配送元判定手段により既に登録されていると判定されたことを条件として、当該既に登録されている配送情報に対応する分類識別情報（予約確定ＩＤ）に対応付けて、前記配送元情報が同一である景品の配送情報を登録する前記配送情報登録処理を行うことを特徴とする景品交換システムを構成した。これによれば、景品配送要求を複数回に分けて送信しても、景品配送要求から特定される景品と配送元情報が同一である配送情報が既に登録されている場合には、該既に登録されている配送情報に対応する分類識別情報に対応付けて当該配送元情報が同一である景品の配送情報が登録されることにより、１つの分類識別情報でより多くの景品の配送状況を確認することができるので、ユーザの手間がさらに軽減される。
【０６７２】
［４−１０．第１０の発明］
次に従来技術１０として、特開２００１−３３４０５３号公報（段落００１５）を示す。この従来技術１０には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６７３】
しかしながら、上記の従来技術１０に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０６７４】
そこで、上記の実施形態に記載した第１０の発明では、店舗が希望する景品を提供でき、ユーザに対して景品交換を促進できるような、景品交換システムを提供することを目的として、以下の発明を構成した。
【０６７５】
即ち第１０の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０６７６】
また第１０の発明において、前記景品管理装置（７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６７７】
また別の第１０の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０６７８】
また第１０の発明において、前記景品管理装置（７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６７９】
また第１０の発明において、前記景品管理装置（７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０，キオスク端末３０）で表示するための処理を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０６８０】
また第１０の発明において、前記景品管理装置（７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０６８１】
また第１０の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６８２】
また第１０の発明において、前記景品管理装置（７０）は、前記予約要求送信手段場外通信部２１ｃ，通信部３１）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品管理システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６８３】
さらに第１０の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記提供処理（配送情報登録処理）に伴って、前記景品提供要求（予約確定要求）の送信元である予約確定端末を操作した店員の店員識別情報に対応付けて当該提供処理に関する情報を管理する提供情報管理手段（制御部７２，配送情報ＤＢ）をさらに有することを特徴とする景品交換システムを構成した。これによれば、予約確定端末を不正に操作した店員や誤って操作した可能性のある店員を特定して対処することができる。
【０６８４】
［４−１１．第１１の発明］
次に従来技術１１として、特開２００１−３３４０５３号公報（段落００１５）を示す。この従来技術１１には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６８５】
しかしながら、上記の従来技術１１に示す景品交換システムでは、端末機器で表示する景品の中に不良品が発覚した場合であっても、該不良品の選択を受け付けてしまうので、当該不良品を選択した遊技者に対する有価価値の返却や代替品の提供等の、事後的な対処が必要となる件数が多くなってしまい、遊技場の手間や遊技者の迷惑が多くなるという問題があった。
【０６８６】
そこで、上記の実施形態に記載した第１１の発明では、予約を受け付ける景品の中に不良品が発覚した場合であっても、事後的な対処が必要となる予約の件数を低減でき、景品を提供する側の手間やユーザの迷惑を低減できるような、景品交換システムを提供することを目的として、以下の発明を構成した。
【０６８７】
即ち第１１の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、前記複数の景品のうち、予約を停止する景品の指定を受け付ける予約停止景品受付手段（ディスプレイ７３及び入力装置７４）をさらに有し、該予約停止景品受付手段にて指定を受け付けた景品の予約を停止するための予約停止情報を前記予約停止情報送信手段により前記景品表示装置に送信することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６８８】
また第１１の発明において、前記景品管理装置（７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６８９】
また別の第１１の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（７０）と、を備える景品交換システム（１）であって、前記景品管理装置は、前記複数の景品のうち、予約を停止する景品の指定を受け付ける予約停止景品受付手段（ディスプレイ７３及び入力装置７４）をさらに有し、該予約停止景品受付手段にて指定を受け付けた景品の予約を停止するための予約停止情報を前記予約停止情報送信手段により前記景品表示装置に送信することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６９０】
また第１１の発明において、前記景品管理装置（７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６９１】
また第１１の発明において、前記景品管理装置（７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０６９２】
また第１１の発明において、前記景品表示装置（カードユニット２０，キオスク端末３０）は、前記予約停止情報を受信したことに基づいて、前記予約停止景品受付手段（ディスプレイ７３及び入力装置７４）にて指定を受け付けた景品を、前記表示手段（ディスプレイ２４，３４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０６９３】
また第１１の発明において、前記景品管理装置（７０）は、前記景品表示装置（カードユニット２０，キオスク端末３０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０６９４】
また第１１の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６９５】
また第１１の発明において、前記景品管理装置（７０）は、前記予約要求送信手段場外通信部２１ｃ，通信部３１）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品管理システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６９６】
さらに第１１の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記提供処理（配送情報登録処理）に伴って、前記景品提供要求（予約確定要求）の送信元である予約確定端末を操作した店員の店員識別情報に対応付けて当該提供処理に関する情報を管理する提供情報管理手段（制御部７２，配送情報ＤＢ）をさらに有することを特徴とする景品交換システムを構成した。これによれば、予約確定端末を不正に操作した店員や誤って操作した可能性のある店員を特定して対処することができる。
【０６９７】
［４−１２．第１２の発明］
次に従来技術１２として、特開２００６−１８４号公報（段落０１１８，０１２３，０１３８）を示す。この従来技術１２には、遊技機に対応して設けられたカードユニットにおいて、ユーザが所有する有価価値の一例であるカードの残額を使用して購入を希望する商品が選択されると、該選択された全ての商品に対して１つの受注番号が表示され、該選択された商品がユーザに対して配送される遊技用システムが記載されている。
【０６９８】
しかしながら、上記の従来技術１２に示す遊技用システムでは、配送元が異なる複数の商品が選択されると、該配送元毎に異なるタイミングで前記選択された商品がユーザに対して配送されることになるが、ユーザが商品の配送状況を確認する場合には、全ての商品に対して１つの受注番号が付与されていて配送毎（つまり商品がユーザに同時に到着する配送単位毎）に確認することができないため、全ての商品について到着したか否かを確認した上で、到着していない商品の各々について配送状況の問い合わせをしなければならず、ユーザの手間がかかるという問題があった。
【０６９９】
そこで、上記の実施形態に記載した第１２の発明では、ユーザが所有する有価価値と交換可能な複数の景品の中から選択された、該ユーザが交換を希望する景品の配送状況を確認する場合に、該ユーザの手間が軽減されるような、景品交換システムを提供することを目的として、以下の発明を構成した。
【０７００】
即ち第１２の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な予約要求を送信する予約要求送信手段（場外通信部２１ｃ，通信部３１，通信部５１）と、を有する景品選択装置（カードユニット２０又はキオスク端末３０，及び予約確定端末５０）と、前記予約要求送信手段から送信されてきた予約要求から特定される景品を前記ユーザに配送するための配送情報を登録するための配送情報登録処理を少なくとも含む予約処理（予約内容登録処理）を行う予約処理手段（制御部７２，予約情報ＤＢ，配送情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記予約要求送信手段から送信されてきた予約要求から特定される複数の景品を、配送元情報が同一である景品毎に分類する景品分類手段（制御部７２）と、を有し、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記予約処理手段（制御部７２，配送情報ＤＢ）により行い、前記各分類識別情報と各分類識別情報に対応する景品を特定可能な情報とを含む配送情報通知（配送登録完了通知）を前記景品選択装置に対して送信する配送情報通知送信手段（通信部７１）をさらに有し、前記景品選択装置は、前記配送情報通知送信手段から送信されてきた配送情報通知に含まれる各分類識別情報に対応付けて各分類識別情報に対応する景品の景品情報が視認可能に記録された記録媒体（配送レシート７）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０７０１】
また第１２の発明において、前記景品管理装置（７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０７０２】
また別の第１２の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な予約要求を送信する予約要求送信手段（場外通信部２１ｃ，通信部３１，通信部５１）と、を有する景品選択装置（カードユニット２０又はキオスク端末３０，及び予約確定端末５０）と、前記予約要求送信手段から送信されてきた予約要求から特定される景品を前記ユーザに配送するための配送情報を登録するための配送情報登録処理を少なくとも含む予約処理（予約内容登録処理）を行う予約処理手段（制御部７２，予約情報ＤＢ，配送情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記予約要求送信手段から送信されてきた予約要求から特定される複数の景品を、配送元情報が同一である景品毎に分類する景品分類手段（制御部７２）と、を有し、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記予約処理手段（制御部７２，配送情報ＤＢ）により行い、前記各分類識別情報と各分類識別情報に対応する景品を特定可能な情報とを含む配送情報通知（配送登録完了通知）を前記景品選択装置に対して送信する配送情報通知送信手段（通信部７１）をさらに有し、前記景品選択装置は、前記配送情報通知送信手段から送信されてきた配送情報通知に含まれる各分類識別情報に対応付けて各分類識別情報に対応する景品の景品情報が視認可能に記録された記録媒体（配送レシート７）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０７０３】
また第１２の発明において、前記景品管理装置（７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０７０４】
また第１２の発明において、前記景品選択装置（カードユニット２０，キオスク端末３０）は、前記予約受付手段（ディスプレイ２４，３４）にて選択された景品の配送先の指定を受け付ける配送先受付手段（ディスプレイ２４，３４）をさらに有し、該配送先受付手段は、前記予約受付手段にて選択された複数の景品について異なる配送先の指定を受付可能であり、前記予約要求送信手段（場外通信部２１ｃ，通信部３１）は、該配送先受付手段にて指定を受け付けた配送先を特定可能な前記予約要求を前記景品管理装置（７０）に対して送信し、前記景品分類手段（制御部７２）は、該予約要求送信手段から送信されてきた予約要求から特定される複数の景品を、配送元情報が同一であり、かつ該景品配送要求から特定される配送先が同一である景品毎に分類することを特徴とする景品交換システムを構成した。これによれば、景品配送要求から特定される複数の景品について異なる配送先が指定された場合であっても、配送元情報及び該配送先が同一である景品毎に分類され、該分類された各分類毎に前記分類識別情報が割り当てられて前記記録媒体が発行されるので、ユーザに同時に到着する景品の単位で容易に配送状況を確認することができる。
【０７０５】
また第１２の発明において、前記景品選択装置（カードユニット２０，キオスク端末３０）は、前記予約受付手段（ディスプレイ２４，３４）にて選択された景品の配送時期の指定を受け付ける配送時期受付手段（ディスプレイ２４，３４）をさらに有し、該配送時期受付手段は、前記予約受付手段にて選択された複数の景品について異なる配送時期の指定を受付可能であり、前記予約要求送信手段（場外通信部２１ｃ，通信部３１）は、該配送時期受付手段にて指定を受け付けた配送時期を特定可能な前記予約要求を前記景品管理装置（７０）に対して送信し、前記景品分類手段（制御部７２）は、該予約要求送信手段から送信されてきた予約要求から特定される複数の景品を、配送元情報が同一であり、かつ該予約要求から特定される配送時期が同一である景品毎に分類することを特徴とする景品交換システムを構成した。これによれば、景品配送要求から特定される複数の景品について異なる配送時期が指定された場合であっても、配送元情報及び該配送時期が同一である景品毎に分類され、該分類された各分類毎に前記分類識別情報が割り当てられて前記記録媒体が発行されるので、ユーザに同時に到着する景品の単位で容易に配送状況を確認することができる。
【０７０６】
また第１２の発明において、前記景品選択装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための前記配送情報登録処理を前記予約処理手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０７０７】
また第１２の発明において、前記予約要求送信手段は、前記予約受付手段（ディスプレイ２４，３４）にて選択された景品を特定可能な景品特定情報（景品ＩＤ）を含む予約登録要求を前記予約要求として送信する予約登録要求送信手段（場外通信部２１ｃ，通信部３１）と、前記景品の配送を要求する景品配送要求（予約確定要求）を前記予約要求として送信する景品配送要求送信手段（通信部５１）と、を有し、前記景品選択装置は、前記予約受付手段及び前記予約登録要求送信手段を有する予約端末（カードユニット２０，キオスク端末３０）と、前記景品配送要求送信手段及び前記記録媒体発行手段（配送レシートプリンタ５６）を有する予約確定端末（５０）と、からなり、前記景品管理装置は、前記予約登録要求送信手段から送信されてきた予約登録要求に対応する予約を識別可能な予約識別情報（予約ＩＤ）に対応付けて該予約登録要求に含まれる景品特定情報を登録する予約内容登録処理を前記予約処理として前記予約処理手段（制御部７２，予約情報ＤＢ）により行い、前記予約確定端末は、前記予約識別情報を受け付ける予約識別情報受付手段（バーコードリーダ５５）を有し、該予約識別情報受付手段にて受け付けた予約識別情報を含む景品配送要求を前記景品配送要求送信手段により送信し、前記景品管理装置は、前記景品配送要求送信手段から送信されてきた景品配送要求に含まれる予約識別情報に対応付けて登録された景品特定情報から特定される複数の景品を対象とした前記景品分類処理を前記景品分類手段（制御部７２）により行うことを特徴とする景品交換システムを構成した。これによれば、ユーザが景品を選択して予約する予約端末と、景品管理装置において該予約を確定して景品をユーザに配送するための景品配送要求を送信する予約確定端末とが別個に設けられていることにより、ユーザが有価価値の獲得に拘わらず気軽に景品を予約しておくことができるので、景品交換を促進できる。
【０７０８】
また第１２の発明において、前記予約個数は、前記予約内容登録処理に供された個数であることを特徴とする景品交換システムを構成した。これによれば、在庫数と予約内容登録処理に供された予約個数，又は初期在庫数から予約内容登録処理に供された予約個数を減算した現在在庫数に基づいて景品の予約が可能であると判定されたことを条件として、予約内容登録処理が行われるので、ユーザが予約をした景品を交換することができないという事態が生ずるおそれがない。
【０７０９】
さらに第１２の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記配送情報登録処理に伴って、前記景品配送要求（予約確定要求）の送信元である予約確定端末を操作した店員の店員識別情報に対応付けて当該配送情報登録処理に関する情報を管理する配送情報管理手段（制御部７２，配送情報ＤＢ）をさらに有することを特徴とする景品交換システムを構成した。これによれば、予約確定端末を不正に操作した店員や誤って操作した可能性のある店員を特定して対処することができる。
【０７１０】
［４−１３．第１３の発明］
次に従来技術１３として、特開平１０−１４６４３４号公報（段落００２１，００２２，００５４，００５５）を示す。この従来技術１３には、店舗の一例である遊技場に設けられ、前記ユーザの一例である遊技者が所有する前記有価価値の一例である獲得玉との交換を希望する景品の予約を受け付けるカタログ景品情報装置と、該予約した景品を交換するための処理を行う景品選択装置と、からなり、該景品選択装置において、遊技者の獲得玉数から交換する景品に相当する玉数を減算する減算処理を行うと共に、管理装置において、該景品の予約ＩＤを消去して予約を確定させる予約確定処理を行って、遊技者に対して景品の提供が行われる景品交換システムが記載されている。
【０７１１】
しかしながら、上記の従来技術１３に示す景品交換システムにおいて、前記減算処理と、景品を遊技者に提供するための処理である前記予約確定処理とが、相互に連動しないものとした場合（例えば既に前記減算処理を行うＰＯＳ端末が導入されている遊技場に、前記予約確定処理を行う予約確定端末を新たに導入する場合）には、減算処理を行わずに予約確定処理を行ってしまう（つまりは、遊技者に対して景品の提供が行われてしまう）事態が生ずるおそれがあり、遊技場が損をしてしまうおそれがあった。
【０７１２】
そこで、上記の実施形態に記載した第１３の発明では、ユーザが所有する有価価値から、交換する景品に相当する有価価値を減算することなく、該景品をユーザに提供するための処理を行ってしまっても、店舗が損をしてしまうおそれがないような、景品交換システムを提供することを目的として、以下の発明を構成した。
【０７１３】
即ち第１３の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な予約要求を送信する予約要求送信手段（場外通信部２１ｃ，通信部３１，通信部５１）と、を有する景品選択装置（カードユニット２０又はキオスク端末３０，及び予約確定端末５０）と、前記予約要求送信手段から送信されてきた予約要求から特定される景品を前記ユーザに提供するための提供情報（配送情報）を登録するための提供情報登録処理（配送情報登録処理）を少なくとも含む予約処理（予約内容登録処理）を行う予約処理手段（制御部７２，予約情報ＤＢ，配送情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（７０）と、を備え、前記景品選択装置は、前記予約受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記予約要求を送信する景品交換システム（１）であって、前記景品管理装置は、前記提供情報登録処理にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０７１４】
また第１３の発明において、前記景品管理装置（７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０７１５】
また別の第１３の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４，３４）と、該予約受付手段にて選択された景品を特定可能な予約要求を送信する予約要求送信手段（場外通信部２１ｃ，通信部３１，通信部５１）と、を有する景品選択装置（カードユニット２０又はキオスク端末３０，及び予約確定端末５０）と、前記予約要求送信手段から送信されてきた予約要求から特定される景品を前記ユーザに提供するための提供情報（配送情報）を登録するための提供情報登録処理（配送情報登録処理）を少なくとも含む予約処理（予約内容登録処理）を行う予約処理手段（制御部７２，予約情報ＤＢ，配送情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（７０）と、を備え、前記景品選択装置は、前記予約受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記予約要求を送信する景品交換システム（１）であって、前記景品管理装置は、前記提供情報登録処理にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０７１６】
また第１３の発明において、前記景品管理装置（７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０７１７】
また第１３の発明において、前記景品選択装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための配送情報を前記提供情報として登録する処理を前記提供情報登録処理（配送情報登録処理）として前記予約処理手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０７１８】
また第１３の発明において、前記予約要求送信手段は、前記予約受付手段（ディスプレイ２４，３４）にて選択された景品を特定可能な景品特定情報（景品ＩＤ）を含む予約登録要求を前記予約要求として送信する予約登録要求送信手段（場外通信部２１ｃ，通信部３１）と、前記景品の提供を要求する景品提供要求を前記予約要求として送信する景品提供要求送信手段（通信部５１）と、を有し、前記景品選択装置は、前記予約受付手段及び前記予約登録要求送信手段を有する予約端末（カードユニット２０，キオスク端末３０）と、前記景品提供要求送信手段を有する予約確定端末（５０）と、からなり、前記景品管理装置は、前記予約登録要求送信手段から送信されてきた予約登録要求に対応する予約を識別可能な予約識別情報（予約ＩＤ）に対応付けて該予約登録要求に含まれる景品特定情報を登録する予約内容登録処理を前記予約処理として前記予約処理手段（制御部７２，予約情報ＤＢ）により行い、前記予約確定端末は、前記予約識別情報を受け付ける予約識別情報受付手段（バーコードリーダ５５）を有し、該予約識別情報受付手段にて受け付けた予約識別情報を含む景品提供要求を前記景品提供要求送信手段により送信し、前記景品管理装置は、前記景品提供要求送信手段から送信されてきた景品提供要求に含まれる予約識別情報に対応付けて登録された景品特定情報から特定される景品を対象とした前記提供情報登録処理（配送情報登録処理）を前記予約処理手段（制御部７２，配送情報ＤＢ）により行うことを特徴とする景品交換システムを構成した。これによれば、ユーザが景品を選択して予約する景品選択装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０７１９】
また第１３の発明において、前記予約個数は、前記予約内容登録処理に供された個数であることを特徴とする景品交換システムを構成した。これによれば、在庫数と予約内容登録処理に供された予約個数，又は初期在庫数から予約内容登録処理に供された予約個数を減算した現在在庫数に基づいて景品の予約が可能であると判定されたことを条件として、予約内容登録処理が行われるので、ユーザが予約をした景品を交換することができないという事態が生ずるおそれがない。
【０７２０】
また第１３の発明において、前記予約確定端末（５０）は、当該予約確定端末を操作する店員を識別可能な店員識別情報（店舗ＩＤ）を前記景品管理装置（７０）に送信する店員識別情報送信手段（通信部５１）をさらに有し、前記景品管理装置は、前記提供情報登録処理（配送情報登録処理）に伴って、前記景品提供要求（予約確定要求）の送信元である予約確定端末を操作した店員の店員識別情報に対応付けて当該提供情報登録処理に関する情報を管理する提供情報管理手段（制御部７２，配送情報ＤＢ）をさらに有することを特徴とする景品交換システムを構成した。これによれば、予約確定端末を不正に操作した店員や誤って操作した可能性のある店員を特定して対処することができる。
【０７２１】
さらに第１３の発明において、前記景品管理装置（７０）は、前記景品提供要求送信手段（通信部５１）から送信されてきた景品提供要求（予約確定要求）を受信したことに基づいて、当該景品提供要求に含まれる予約識別情報（予約ＩＤ）に対応付けて登録された景品特定情報（景品ＩＤ）から特定される景品について前記提供情報登録処理（配送情報登録処理）が行われているか否かを判定する提供情報登録済判定手段（制御部７２）をさらに有し、該提供情報登録済判定手段により提供情報登録処理が行われていると判定されたことを条件として、該判定の対象となった景品について新たに前記提供情報登録処理を行わないことを特徴とする景品交換システムを構成した。これによれば、景品提供要求に含まれる予約識別情報に対応付けて登録された景品特定情報から特定される景品について、既に提供情報登録処理が行われていると、新たな提供情報登録処理は行われないので、１つの予約に対して複数回の提供情報登録処理が行われることがなく、ユーザに対して同じ景品が複数回提供されて店舗が損をしてしまうおそれがない。
【０７２２】
［４−１４．第１４の発明］
次に従来技術１４として、特開２００１−３３４０５３号公報（段落００１５）を示す。この従来技術１４には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０７２３】
しかしながら、上記の従来技術１４に示す景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０７２４】
そこで、上記の実施形態に記載した第１４の発明では、店舗が希望する景品を提供でき、ユーザに対して景品交換を促進できるような、景品交換システムを提供することを目的として、以下の発明を構成した。
【０７２５】
即ち第１４の発明として、店舗（遊技場）に設けられ、ユーザ（遊技者）が所有する有価価値（獲得玉の計数値，貯玉数）と交換可能な複数の景品を表示する表示手段（ディスプレイ２４，３４）と、該表示手段に表示される景品の中から、交換を予約する景品の選択を前記ユーザから受け付ける予約受付手段（ディスプレイ２４，３４）と、該予約受付手段にて選択された景品を特定可能な景品特定情報（景品ＩＤ）を含む予約要求を送信する予約要求送信手段（場外通信部２１ｃ，通信部３１）と、を有する景品表示装置（カードユニット２０，キオスク端末３０）と、該景品表示装置に表示される景品に関する情報を（景品情報ＤＢで）管理すると共に、前記予約要求送信手段から送信されてきた予約要求に含まれる景品特定情報から特定される景品を前記ユーザに提供するための提供処理（配送情報登録処理）を（制御部７２，配送情報ＤＢにより）行う景品管理装置（７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、前記複数の景品のうち、予約を停止する景品の指定を受け付ける予約停止景品受付手段（ディスプレイ７３及び入力装置７４）と、該予約停止景品受付手段にて指定を受け付けた景品の予約を停止するための予約停止情報を前記景品表示装置に送信する予約停止情報送信手段（通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。また不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０７２６】
また第１４の発明において、前記景品管理装置（７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０，キオスク端末３０）で表示するための処理を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０７２７】
また第１４の発明において、前記景品管理装置（７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０７２８】
また第１４の発明において、前記景品管理装置（７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０７２９】
また第１４の発明において、前記景品表示装置（カードユニット２０，キオスク端末３０）は、前記予約停止情報を受信したことに基づいて、前記予約停止景品受付手段（ディスプレイ７３及び入力装置７４）にて指定を受け付けた景品を、前記表示手段（ディスプレイ２４，３４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０７３０】
また第１４の発明において、前記景品管理装置（７０）は、前記景品表示装置（カードユニット２０，キオスク端末３０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０７３１】
また第１４の発明において、前記景品表示装置（カードユニット２０，キオスク端末３０）は、景品の配送先を示す配送先情報の入力を受け付ける配送先情報受付手段（ディスプレイ２４，３４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ，通信部３１）と、前記配送先記録媒体を受け付けたことに基づいて、当該受け付けた配送先記録媒体に記録された前記配送先特定情報を前記景品管理装置（７０）に送信する配送先特定情報送信手段（場外通信部２１ｃ，通信部３１）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）前記提供処理として行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０７３２】
さらに第１４の発明において、前記景品管理装置（７０）は、前記予約要求送信手段場外通信部２１ｃ，通信部３１）から送信されてきた予約要求に対応する予約を識別可能な予約識別情報（予約ＩＤ）に対応付けて該予約要求に含まれる景品特定情報（景品ＩＤ）を登録する予約内容登録処理を行う予約内容登録手段（制御部７２，予約情報ＤＢ）をさらに有し、前記景品管理システムは、店舗（遊技場）に設けられ、前記予約識別情報を受け付ける予約識別情報受付手段（バーコードリーダ５５）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための前記提供処理（配送情報登録処理）を（制御部７２，配送情報ＤＢにより）行うことを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【図面の簡単な説明】
【０７３３】
【図１】図１は第１実施形態に係る景品交換システムの一例を表す機能ブロック図である。
【図２】図２は景品交換システムで発行されるレシートの一例を表す図であり、（ａ）は計数レシート，（ｂ）は予約レシート，（ｃ）は配送レシートである。
【図３】図３は配送管理装置のディスプレイに表示される画面の一例を表す図であり、（ａ）は在庫数変更画面，（ｂ）は景品パッケージ設定画面である。
【図４】図４は配送管理装置のハードディスクが記憶しているＤＢの一例を表す図であり、（ａ）は景品情報ＤＢ，（ｂ）は景品パッケージＤＢである。
【図５】図５は配送管理装置のハードディスクが記憶しているＤＢの一例を表す図であり、（ａ）は配送情報ＤＢ，（ｂ）は請求情報ＤＢである。
【図６】図６は景品管理装置のディスプレイに表示される画面の一例を表す図であり、（ａ）は景品パッケージ設定画面，（ｂ）は景品パッケージ更新画面，（ｃ）は予約停止景品指定画面である。
【図７】図７は景品管理装置のディスプレイに表示される上限値指定画面の一例を表す図である。
【図８】図８は景品管理装置のハードディスクが記憶している景品情報ＤＢの一例を表す図である。
【図９】図９は景品管理装置のハードディスクが記憶している景品パッケージＤＢの一例を表す図である。
【図１０】図１０は景品管理装置のハードディスクが記憶している上限値ＤＢの一例を表す図である。
【図１１】図１１は景品管理装置のハードディスクが記憶しているＤＢの一例を表す図であり、（ａ）はグループ店ＤＢ，（ｂ）は配送先ＤＢ，（ｃ）は予約・確定累計数ＤＢである。
【図１２】図１２は景品管理装置のハードディスクが記憶している予約情報ＤＢの一例を表す図である。
【図１３】図１３は景品管理装置のハードディスクが記憶している未提供予約個数・玉数ＤＢの一例を表す図である。
【図１４】図１４は景品管理装置のハードディスクが記憶している配送情報ＤＢの一例を表す図である。
【図１５】図１５はカードユニットの一例を表す図であり、（ａ）は正面図，（ｂ）は断面右側面図である。
【図１６】図１６はカードユニット（又はキオスク端末）が記憶しているＤＢの一例を表す図であり、（ａ）は表示景品情報ＤＢ，（ｂ）は区分メニューＤＢである。
【図１７】図１７はカードユニット（又はキオスク端末）のディスプレイに表示される画面の一例を表す図である。
【図１８】図１８は図１７に続く図である。
【図１９】図１９は図１７に続く図である。
【図２０】図２０は図１７に続く図である。
【図２１】図２１はキオスク端末の一例を表す図である。
【図２２】図２２はキオスク端末から排出されるバーコード一覧の一例を表す図である。
【図２３】図２３はＰＯＳ端末の一例を表す図である。
【図２４】図２４はＰＯＳ端末が記憶している交換玉数ＤＢの一例を表す図である。
【図２５】図２５はＰＯＳ端末のディスプレイに表示される画面の一例を表す図である。
【図２６】図２６は図２５に続く図である。
【図２７】図２７は予約確定端末の一例を表す図である。
【図２８】図２８は予約確定端末のディスプレイに表示される画面の一例を表す図である。
【図２９】図２９は第１実施形態に係る景品交換システムの作用の一例を表すフローチャートである。
【図３０】図３０は景品管理装置が行う登録必要景品特定処理の一例を表すフローチャートである。
【図３１】図３１は予約端末（カードユニット又はキオスク端末）が行う配送先登録処理の一例を表すフローチャートである。
【図３２】図３２が予約端末（カードユニット又はキオスク端末）が行う予約受付処理の一例を表すフローチャートである。
【図３３】図３３は景品管理装置が行う予約内容登録処理の一例を表すフローチャートである。
【図３４】図３４（ａ）は景品管理装置が行う上限値判定処理の一例を表すフローチャートであり、図３４（ｂ）は景品管理装置が行う未提供予約個数・玉数登録処理の一例を表すフローチャートである。
【図３５】図３５はＰＯＳ端末が行う減算処理の一例を表すフローチャートである。
【図３６】図３６は図３５に続く図である。
【図３７】図３７は予約確定端末が行う予約確定処理の一例を表すフローチャートである。
【図３８】図３８は景品管理装置が行う配送情報登録処理の一例を表すフローチャートである。
【図３９】図３９は景品管理装置が行う配送停止処理の一例を表すフローチャートである。
【図４０】図４０は景品管理装置が行う予約停止景品指定処理の一例を表すフローチャートである。
【図４１】図４１は景品管理装置が行う在庫数変更処理の一例を表すフローチャートである。
【図４２】図４２は第１実施形態の変形例に係る景品交換システムの作用の一例を表すフローチャートである。
【図４３】図４３はキオスク端末が行う登録必要景品特定処理の一例を表すフローチャートである。
【図４４】図４４は第２実施形態に係る景品交換システムの一例を表す機能ブロック図である。
【図４５】図４５は第２実施形態に係る景品交換システムの作用の一例を表すフローチャートである。
【図４６】図４６は第２実施形態に係る景品管理装置のハードディスクが記憶している上限値ＤＢの一例を表す図である。
【図４７】図４７は第２実施形態に係るＰＯＳ・予約確定端末が記憶している交換玉数ＤＢの一例を表す図である。
【図４８】図４８は第２実施形態に係るＰＯＳ・予約確定端末のディスプレイに表示される画面の一例を表す図である。
【図４９】図４９は第２実施形態に係るＰＯＳ・予約確定端末が行う減算・配送情報登録処理の一例を表すフローチャートである。
【図５０】図５０は図４９に続く図である。
【図５１】図５１は第２実施形態に係る景品管理装置のハードディスクが記憶している在庫数ＤＢの一例を表す図である。
【図５２】図５２は第２実施形態の変形例に係る景品交換システムの作用の一例を表すフローチャートである。
【図５３】図５３は第１実施形態に係る景品管理装置のハードディスクが記憶している上限値ＤＢの変形例を表す図である。
【図５４】図５４は第２実施形態に係る景品管理装置のハードディスクが記憶している上限値ＤＢの変形例を表す図である。
【符号の説明】
【０７３４】
１…景品交換システム
２…会員カード
３…景品交換カード
６…予約レシート
６ａ…予約ＩＤバーコード
６ｂ…玉数情報バーコード
６ｃ…玉数コード
７…配送レシート
８…玉数情報バーコード一覧
１０…パチンコ機
２０…カードユニット（予約端末，景品選択装置，景品表示装置，配送要求端末）
２１ｃ…場外通信部
２２…制御部
２３…カードＲ／Ｗ
２４…（タッチパネル式の）ディスプレイ
２５…予約レシートプリンタ
３０…キオスク端末（予約端末，景品選択装置，景品表示装置，出力端末，配送要求端末）
３１…通信部
３２…制御部
３３…カードＲ／Ｗ
３４…（タッチパネル式の）ディスプレイ
３５…予約レシートプリンタ
４０…ＰＯＳ端末
４１…通信部
４２…制御部
４３…ディスプレイ
４４…入力装置
４５…バーコードリーダ
５０…予約確定端末（景品選択装置，配送要求端末）
５１…通信部
５２…制御部
５３…ディスプレイ
５４…入力装置
５５…バーコードリーダ
５６…配送レシートプリンタ
７０…景品管理装置
７１…通信部
７２…制御部
７３…ディスプレイ
７４…入力装置
７５…ハードディスク
【図１】
0005122209.tif 000002
【図２】
0005122209.tif 000003
【図３】
0005122209.tif 000004
【図４】
0005122209.tif 000005
【図５】
0005122209.tif 000006
【図６】
0005122209.tif 000007
【図７】
0005122209.tif 000008
【図８】
0005122209.tif 000009
【図９】
0005122209.tif 000010
【図１０】
0005122209.tif 000011
【図１１】
0005122209.tif 000012
【図１２】
0005122209.tif 000013
【図１３】
0005122209.tif 000014
【図１４】
0005122209.tif 000015
【図１５】
0005122209.tif 000016
【図１６】
0005122209.tif 000017
【図１７】
0005122209.tif 000018
【図１８】
0005122209.tif 000019
【図１９】
0005122209.tif 000020
【図２０】
0005122209.tif 000021
【図２１】
0005122209.tif 000022
【図２２】
0005122209.tif 000023
【図２３】
0005122209.tif 000024
【図２４】
0005122209.tif 000025
【図２５】
0005122209.tif 000026
【図２６】
0005122209.tif 000027
【図２７】
0005122209.tif 000028
【図２８】
0005122209.tif 000029
【図２９】
0005122209.tif 000030
【図３０】
0005122209.tif 000031
【図３１】
0005122209.tif 000032
【図３２】
0005122209.tif 000033
【図３３】
0005122209.tif 000034
【図３４】
0005122209.tif 000035
【図３５】
0005122209.tif 000036
【図３６】
0005122209.tif 000037
【図３７】
0005122209.tif 000038
【図３８】
0005122209.tif 000039
【図３９】
0005122209.tif 000040
【図４０】
0005122209.tif 000041
【図４１】
0005122209.tif 000042
【図４２】
0005122209.tif 000043
【図４３】
0005122209.tif 000044
【図４４】
0005122209.tif 000045
【図４５】
0005122209.tif 000046
【図４６】
0005122209.tif 000047
【図４７】
0005122209.tif 000048
【図４８】
0005122209.tif 000049
【図４９】
0005122209.tif 000050
【図５０】
0005122209.tif 000051
【図５１】
0005122209.tif 000052
【図５２】
0005122209.tif 000053
【図５３】
0005122209.tif 000054
【図５４】
0005122209.tif 000055